(57)【要約】  折り畳み可能な少なくとも１つのパネル上に配置される第１のタッチスクリーンディスプレイ及び第２のタッチスクリーンディスプレイを設ける携帯機器及びその制御方法を開示する。一実施形態において、携帯機器は、２個のタッチスクリーンディスプレイを通して相互間に連動される情報を表示し、ユーザは、２個のタッチスクリーンディスプレイのうち少なくとも１つで感知されるタッチジェスチャーを通して携帯機器と連動する。一実施形態において、携帯機器は、２個のタッチスクリーンディスプレイを通して、デュアルホーム、モード変換、ポケットモードホームスクリーン、ギャラリーマップ、タスクマネージャ、パーソナル放送、クリップボード、電子ブック、画像会議、コラボレイティブゲーム、カレンダー、通話、カメラ、パネルの折り畳み／広げの感知に従うモード変換、パネル間のヒンジにかけた情報の表示のうち少なくとも１つを提供する。
2014511524.tif 000002
【特許請求の範囲】
【請求項１】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンにホームスクリーンとして指定された少なくとも１つのウィジェット領域及び／又はアプリケーションあるいはアプリケーショングループに関連した少なくとも１つのショートカットアイコンを含む第１のページを表示するステップと、
第２のタッチスクリーンに前記ホームスクリーンとして指定された少なくとも１つのウィジェット領域及び／又はアプリケーションあるいはアプリケーショングループに関連した少なくとも１つのショートカットアイコンを含む第２のページを表示するステップと、
前記第１及び第２のタッチスクリーンのうち少なくとも１つで予め指定された第１のタッチジェスチャーを感知するステップと、
前記第１のタッチジェスチャーの感知に応答して、前記第１及び第２のタッチスクリーンに前記ホームスクリーンとして指定された第３のページ及び第４のページをそれぞれ表示するステップと、を含み、
前記第３及び第４のページは、前記第１のタッチジェスチャーにより前記第２のタッチスクリーンから前記第１のタッチスクリーンの方向にスライディングされつつ表示され、前記スライディングの間に前記第３のページは、前記第１及び第２のタッチスクリーンの両側にわたって表示されることを特徴とする制御方法。
【請求項２】
タッチスクリーンディスプレイを設ける携帯機器の制御方法であって、
複数のページで構成されたアプリケーションの第１及び第２のページを表示している第１のタッチスクリーン及び第２のタッチスクリーンのうち少なくとも１つで予め指定された第１のタッチジェスチャーを感知するステップと、
前記第１のタッチジェスチャーの感知に応答して、前記第１及び第２のタッチスクリーンの前記第１及び第２のページを、前記アプリケーションの第３のページ及び第４のページに置き換えて表示するステップと、を含み、
前記第３及び第４のページは、前記第１のタッチジェスチャーにより前記第２のタッチスクリーンから前記第１のタッチスクリーンの方向にスライディングされつつ表示され、前記スライディングの間に前記第３のページは、前記第１及び第２のタッチスクリーンの両側にわたって表示されることを特徴とする制御方法。
【請求項３】
前記ページのそれぞれは、
ホームスクリーン及びアプリケーションメニューのうちの１つとして指定された少なくとも１つのウィジェット領域及び／又はアプリケーションあるいはアプリケーショングループに関連した少なくとも１つのショートカットアイコンを含むことを特徴とする請求項２に記載の制御方法。
【請求項４】
前記第１のタッチジェスチャーは、
前記第２のタッチスクリーン上で開始され、前記第１のタッチスクリーンの方向に移動するタッチドラッグと、
前記第２のタッチスクリーン上の所定位置で開始され、前記第２のタッチスクリーン上の所定位置に移動するタッチドラッグと、
前記第１及び第２のタッチスクリーン間の接続部を通過するタッチドラッグと、
前記第１あるいは第２のタッチスクリーン上で開始され、前記第１のタッチスクリーンから前記第２のタッチスクリーンの方向に移動するフリックのうち少なくとも１つを含むことを特徴とする請求項２に記載の制御方法。
【請求項５】
前記第１のタッチスクリーンの予め指定された位置に頻繁に使用されるアプリケーションのアイコンを含むドック領域を表示し、
前記ドック領域は、通話アプリケーション、連絡先(contacts)アプリケーション、メッセージアプリケーション、アプリケーションリストを提供するアプリケーションメニューのアイコンのうち少なくとも１つを含み、前記アプリケーションで指定されたページが表示される間に、前記アプリケーションのページ置き換えに関係なく固定的に表示されることを特徴とする請求項２に記載の制御方法。
【請求項６】
前記携帯機器が縦モードで前記第１及び第２のページ、あるいは前記第３及び第４のページを表示している間に、前記携帯機器が実質的に９０°だけ回転されたことを指示する信号を感知するステップと、
前記信号に基づいて横モードに転換し、前記第１のタッチスクリーン上の予め定められた位置にインターネットサーチアプリケーションと連動される検索ウィンドウを表示するステップと、
前記検索ウィンドウに含まれる入力領域でタップジェスチャーを感知するステップと、
前記タップジェスチャーの感知に応答して、前記第２のタッチスクリーン内の予め定められた少なくとも一部領域にテキスト入力のための仮想キーパッドを表示するステップと、
前記仮想キーパッドを通して検索キーワードの入力を受けるステップと、
前記検索キーワードの入力に応答して、前記インターネットサーチアプリケーションによる検索結果を前記第１及び第２のタッチスクリーンのうち少なくとも１つに表示するステップと、をさらに含むことを特徴とする請求項２に記載の制御方法。
【請求項７】
前記携帯機器が縦モードで前記第１及び第２のページ、あるいは前記第３及び第４のページを表示している間に、前記携帯機器が実質的に９０°だけ回転されたことを指示する信号を感知するステップと、
前記信号に基づいて横モードに転換し、前記第２のタッチスクリーンに駆動中である少なくとも１つのアプリケーションのプレビューウィンドウを表示するステップと、
前記プレビューウィンドウのうちの１つでタップジェスチャーを感知するステップと、
前記タップジェスチャーの感知に応答して、前記第２のタッチスクリーンに該当アプリケーションのタスクスクリーンを表示するステップと、をさらに含むことを特徴とする請求項２に記載の制御方法。
【請求項８】
前記第１及び第２のタッチスクリーンに前記第１及び第２のページが表示されている間に、前記第１及び第２のタッチスクリーンのうちの１つで予め指定された第２のタッチジェスチャーを感知するステップと、
前記第２のタッチジェスチャーの感知に応答して、前記第１のタッチスクリーンに前記第２のページを表示し、前記第２のタッチスクリーンに前記第３のページを表示するステップと、をさらに含み、
前記第２及び第３のページは、前記第２のタッチジェスチャーにより前記第２のタッチスクリーンから前記第１のタッチスクリーンの方向にスライディングされつつ表示され、前記スライディングの間に前記第２のページは、前記第１及び第２のタッチスクリーンの両側にわたって表示されることを特徴とする請求項２に記載の制御方法。
【請求項９】
前記第２のタッチジェスチャーは、
前記第１及び第２のタッチスクリーンのうちいずれか１つで発生し、前記第１のタッチスクリーンから前記第２のタッチスクリーンの方向に移動するフリックを含むことを特徴とする請求項８に記載の制御方法。
【請求項１０】
前記第１のタッチスクリーンに前記第１のページと頻繁に使用されるアプリケーションのショートカットアイコンを含むドック領域を表示し、前記第２のタッチスクリーンに第１のアプリケーションを表示するステップと、
前記第１のタッチスクリーンで予め指定された第２のタッチジェスチャーを感知するステップと、
前記第２のタッチジェスチャーの感知に応答して、前記第１のタッチスクリーンに前記第２のページを表示するステップと、をさらに含み、
ここで、前記第１のタッチスクリーンの前記ドック領域と前記第２のタッチスクリーンの前記第１のアプリケーションは、前記第２のタッチジェスチャーと関係なく維持されることを特徴とする請求項２に記載の制御方法。
【請求項１１】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能なプログラムを記憶するメモリと、を含み、
前記プログラムは、
前記第１のタッチスクリーンにホームスクリーンとして指定された少なくとも１つのウィジェット領域及び／又はアプリケーションあるいはアプリケーショングループに関連した少なくとも１つのショートカットアイコンを含む第１のページを表示するステップと、
前記第２のタッチスクリーンに前記ホームスクリーンとして指定された少なくとも１つのウィジェット領域及び／又はアプリケーションあるいはアプリケーショングループに関連した少なくとも１つのショートカットアイコンを含む第２のページを表示するステップと、
前記第１及び第２のタッチスクリーンのうち少なくとも１つで予め指定された第１のタッチジェスチャーを感知するステップと、
前記第１のタッチジェスチャーの感知に応答して、前記第１及び第２のタッチスクリーンに前記ホームスクリーンとして指定された第３のページ及び第４のページをそれぞれ表示するステップと、を含み、
前記第３及び第４のページは、前記第１のタッチジェスチャーにより前記第２のタッチスクリーンから前記第１のタッチスクリーンの方向にスライディングされつつ表示され、前記スライディングの間に前記第３のページは、前記第１及び第２のタッチスクリーンの両側にわたって表示されることを特徴とする携帯機器。
【請求項１２】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能なプログラムを記憶するメモリと、を含み、
前記プログラムは、
複数のページで構成されたアプリケーションの第１及び第２のページを前記第１及び第２のタッチスクリーンに表示し、前記第１及び第２のタッチスクリーンのうち少なくとも１つで予め指定された第１のタッチジェスチャーを感知するステップと、
前記第１のタッチジェスチャーの感知に応答して、前記第１及び第２のタッチスクリーンに前記アプリケーションの第３のページ及び第４のページをそれぞれ表示するステップと、を含み、
前記第３及び第４のページは、前記第１のタッチジェスチャーにより前記第２のタッチスクリーンから前記第１のタッチスクリーンの方向にスライディングされつつ表示され、前記スライディングの間に前記第３のページは、前記第１及び第２のタッチスクリーンの両側にわたって表示されることを特徴とする携帯機器。
【請求項１３】
コンピュータにより実行可能なプログラムを記憶するメモリを含み、
前記プログラムは、
第１のタッチスクリーンにホームスクリーンとして指定された少なくとも１つのウィジェット領域及び／又はアプリケーションあるいはアプリケーショングループに関連した少なくとも１つのショートカットアイコンを含む第１のページを表示するステップと、
第２のタッチスクリーンに前記ホームスクリーンとして指定された少なくとも１つのウィジェット領域及び／又はアプリケーションあるいはアプリケーショングループに関連した少なくとも１つのショートカットアイコンを含む第２のページを表示するステップと、
前記第１及び第２のタッチスクリーンのうち少なくとも１つで予め指定された第１のタッチジェスチャーを感知するステップと、
前記第１のタッチジェスチャーの感知に応答して、前記第１及び第２のタッチスクリーンに前記ホームスクリーンとして指定された第３のページ及び第４のページをそれぞれ表示するステップと、を含み、
前記第３及び第４のページは、前記第１のタッチジェスチャーにより前記第２のタッチスクリーンから前記第１のタッチスクリーンの方向にスライディングされつつ表示され、前記スライディングの間に前記第３のページは、前記第１及び第２のタッチスクリーンの両側にわたって表示されることを特徴とする、コンピュータ可読媒体。
【請求項１４】
コンピュータにより実行可能なプログラムを記憶するメモリを含み、
前記プログラムは、
複数のページで構成されたアプリケーションの第１及び第２のページを第１及び第２のタッチスクリーンに表示し、前記第１及び第２のタッチスクリーンのうち少なくとも１つで予め指定された第１のタッチジェスチャーを感知するステップと、
前記第１のタッチジェスチャーの感知に応答して、前記第１及び第２のタッチスクリーンに前記アプリケーションの第３のページ及び第４のページをそれぞれ表示するステップと、を含み、
前記第３及び第４のページは、前記第１のタッチジェスチャーにより前記第２のタッチスクリーンから前記第１のタッチスクリーンの方向にスライディングされつつ表示され、前記スライディングの間に前記第３のページは、前記第１及び第２のタッチスクリーンの両側にわたって表示されることを特徴とする、コンピュータ可読媒体。
【請求項１５】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンに、少なくとも１つのピクチャーイメージを探索して表示するように構成された第１のアプリケーションにより提供される複数のサムネイルイメージで構成された複数のページのうち第１のページを表示するステップと、
第２のタッチスクリーンに第２のアプリケーションを表示するステップと、
前記第１及び第２のタッチスクリーンのうち少なくとも１つで予め指定された第１のタッチジェスチャーを感知するステップと、
前記第１のタッチジェスチャーの感知に応答して、前記第１のアプリケーションにより提供される複数のサムネイルイメージを含む前記第１のページ及び第２のページを前記第１及び第２のタッチスクリーンに表示するステップと、
前記第１のページに含まれる第１のサムネイルイメージ上でタップジェスチャーを感知するステップと、
前記タップジェスチャーの感知に応答して、前記第１のサムネイルイメージに対する第１のピクチャーイメージを、前記第２のタッチスクリーンに完全に満たすように表示するステップと、を含むことを特徴とする制御方法。
【請求項１６】
タッチスクリーンディスプレイを設ける携帯機器の制御方法であって、
第１のタッチスクリーンに第１のアプリケーションにより提供される複数のサムネイルイメージで構成された複数のページのうち第１のページを表示するステップと、
第２のタッチスクリーンに第２のアプリケーションを表示するステップと、
前記第１及び第２のタッチスクリーンのうち少なくとも１つで予め指定された第１のタッチジェスチャーを感知するステップと、
前記第１のタッチジェスチャーの感知に応答して、前記第１のアプリケーションにより提供される複数のサムネイルイメージで構成された前記第１のページ及び第２のページを前記第１及び第２のタッチスクリーンに表示するステップと、を含むことを特徴とする制御方法。
【請求項１７】
前記第１のタッチジェスチャーは、
実質的に同時に発生して前記第１のタッチスクリーン上で開始され、前記第２のタッチスクリーンまで移動する２つ又はそれ以上のフリックと、
実質的に同時に発生して前記第１のタッチスクリーン上で開始され、前記第２のタッチスクリーンまで移動する２つ又はそれ以上のタッチドラッグのうち少なくとも１つを含むことを特徴とする請求項１６に記載の制御方法。
【請求項１８】
前記第１のタッチスクリーンに表示される前記第１のページに含まれる第１のサムネイルイメージ上でタップジェスチャーを感知するステップと、
前記タップジェスチャーの感知に応答して、前記第１のサムネイルイメージに対応する第１のピクチャーイメージを、前記第２のタッチスクリーンに完全に満たすように表示するステップと、をさらに含むことを特徴とする請求項１６に記載の制御方法。
【請求項１９】
前記第２のタッチスクリーンに表示された前記第１のピクチャーイメージ上でピンチズームインジェスチャーを感知するステップと、
前記ピンチズームインジェスチャーによって前記第１のピクチャーイメージを拡張して前記第１のタッチスクリーンと前記第２のタッチスクリーンに完全に満たすように表示するステップと、をさらに含み、
前記ピンチズームインジェスチャーの第１及び第２のタッチは、前記第２のタッチスクリーンから開始され、前記第１のタッチは、前記第２のタッチスクリーン内で解除され、前記第２のタッチは、前記第１のタッチスクリーンで解除されることを特徴とする請求項１８に記載の制御方法。
【請求項２０】
前記第１及び第２のタッチスクリーンに表示された前記第１のピクチャーイメージ上でピンチズームアウトジェスチャーを感知するステップと、
前記ピンチズームアウトジェスチャーによって前記第１のピクチャーイメージを縮小して前記第２のタッチスクリーンに完全に満たすように表示するステップと、を含み、
前記ピンチズームアウトジェスチャーの第１及び第２のタッチは、前記第１及び第２のタッチスクリーンでそれぞれ開始され、前記第２のタッチスクリーンで解除されることを特徴とする請求項１９に記載の制御方法。
【請求項２１】
前記第１及び第２のタッチスクリーンに表示されている前記第１のピクチャーイメージ上で所定方向に移動する第２のタッチジェスチャーを感知するステップと、
前記第２のタッチジェスチャーの感知に応答して、前記第１のピクチャーイメージに連続する第２のピクチャーイメージを前記第１のタッチスクリーンと前記第２のタッチスクリーンに完全に満たすように表示するステップと、を含み、
前記第２のピクチャーイメージは、前記第２のタッチジェスチャーにより前記第２のタッチスクリーンから前記第１のタッチスクリーンの方向にスライディングされつつ表示され、前記スライディングの間に前記第１及び第２のタッチスクリーンの両側にわたって表示されることを特徴とする請求項１９に記載の制御方法。
【請求項２２】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに、少なくとも１つのピクチャーイメージを探索して表示するように構成された第１のアプリケーションにより提供される複数のサムネイルイメージで構成された複数のページのうち第１のページを表示するステップと、
前記第２のタッチスクリーンに第２のアプリケーションを表示するステップと、
前記第１及び第２のタッチスクリーンのうち少なくとも１つで予め指定された第１のタッチジェスチャーを感知するステップと、
前記第１のタッチジェスチャーの感知に応答して、前記第１のアプリケーションにより提供される複数のサムネイルイメージを含む前記第１のページ及び第２のページを前記第１及び第２のタッチスクリーンに表示するステップと、
前記第１のページに含まれる第１のサムネイルイメージ上でタップジェスチャーを感知するステップと、
前記タップジェスチャーの感知に応答して、前記第１のサムネイルイメージに対する第１のピクチャーイメージを、前記第２のタッチスクリーンに完全に満たすように表示するステップと、を含むことを特徴とする携帯機器。
【請求項２３】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに第１のアプリケーションにより提供される複数のサムネイルイメージで構成された複数のページのうち第１のページを表示するステップと、
前記第２のタッチスクリーンに第２のアプリケーションを表示するステップと、
前記第１及び第２のタッチスクリーンのうち少なくとも１つで予め指定された第１のタッチジェスチャーを感知するステップと、
前記第１のタッチジェスチャーの感知に応答して、前記第１のアプリケーションにより提供される複数のサムネイルイメージで構成された前記第１のページ及び第２のページを前記第１及び第２のタッチスクリーンに表示するステップと、を含むことを特徴とする携帯機器。
【請求項２４】
コンピュータにより実行可能なプログラムを記憶するメモリを含み、
前記プログラムは、
第１のタッチスクリーンに、少なくとも１つのピクチャーイメージを探索して表示するように構成された第１のアプリケーションにより提供される複数のサムネイルイメージで構成された複数のページのうち第１のページを表示するステップと、
第２のタッチスクリーンに第２のアプリケーションを表示するステップと、
前記第１及び第２のタッチスクリーンのうち少なくとも１つで予め指定された第１のタッチジェスチャーを感知するステップと、
前記第１のタッチジェスチャーの感知に応答して、前記第１のアプリケーションにより提供される複数のサムネイルイメージを含む前記第１のページ及び第２のページを前記第１及び第２のタッチスクリーンに表示するステップと、
前記第１のページに含まれる第１のサムネイルイメージ上でタップジェスチャーを感知するステップと、
前記タップジェスチャーの感知に応答して、前記第１のサムネイルイメージに対する第１のピクチャーイメージを、前記第２のタッチスクリーンに完全に満たすように表示するステップと、を含むことを特徴とする、コンピュータ可読媒体。
【請求項２５】
コンピュータにより実行可能なプログラムを記憶するメモリを含み、
前記プログラムは、
第１のタッチスクリーンに第１のアプリケーションにより提供される複数のサムネイルイメージで構成された複数のページのうち第１のページを表示するステップと、
第２のタッチスクリーンに第２のアプリケーションを表示するステップと、
前記第１及び第２のタッチスクリーンのうち少なくとも１つで予め指定された第１のタッチジェスチャーを感知するステップと、
前記第１のタッチジェスチャーの感知に応答して、前記第１のアプリケーションにより提供される複数のサムネイルイメージで構成された前記第１のページ及び第２のページを前記第１及び第２のタッチスクリーンに表示するステップと、を含むことを特徴とする、コンピュータ可読媒体。
【請求項２６】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンに、ホームスクリーンとして指定されたウィジェットあるいはアプリケーションの情報を含む複数の第１の領域を表示するステップと、
第２のタッチスクリーンに、前記ホームスクリーンとして指定されたウィジェットあるいはアプリケーションの情報を含む複数の第２の領域を表示するステップと、
前記第１及び第２の領域のそれぞれは、財布内のカード収納のためのスリット（slit）を形状化したグラフィックイメージにより部分的に隠される収納されたカード形態を有し、前記ウィジェットあるいはアプリケーションで提供する第１の情報と所定の機能を実行するためのショートカットキーのうち少なくとも１つを含み、
前記第１及び第２の領域のうちいずれか１つである第３の領域で予め定められた第１のタッチジェスチャーを感知するステップと、
前記第１のタッチジェスチャーに応答して、前記第３の領域を前記グラフィックイメージから開始される部分的に引き出されたカード形態で拡張して表示するステップと、
前記拡張された第３の領域は、前記第１の情報に比べてより多くの第２の情報を提供し、予め定められた最大大きさ内で前記第１あるいは第２のタッチスクリーンの上端に到達するまで拡張可能であり、
前記第１及び第２の領域のうちいずれか１つである第４の領域で予め定められた第２のタッチジェスチャーを感知するステップと、
前記第２のタッチジェスチャーの感知に応答して、前記第４の領域に対応するアプリケーションを前記第１及び／又は第２のタッチスクリーンの全体を占有するように表示するステップと、を含むことを特徴とする制御方法。
【請求項２７】
タッチスクリーンディスプレイを設ける携帯機器の制御方法であって、
第１のタッチスクリーンに、ホームスクリーンとして指定されたウィジェットあるいはアプリケーションの情報を含む複数の第１の領域を表示するステップと、
第２のタッチスクリーンに、前記ホームスクリーンとして指定されたウィジェットあるいはアプリケーションの情報を含む複数の第２の領域を表示するステップと、
前記第１及び第２の領域のそれぞれは、財布内のカード収納のためのスリットを形状化したグラフィックイメージにより部分的に隠される収納されたカード形態を有し、前記ウィジェットあるいはアプリケーションで提供する第１の情報と所定の機能を実行するためのショートカットキーのうち少なくとも１つを含み、
前記第１及び第２の領域のうちいずれか１つである第３の領域で予め定められた第１のタッチジェスチャーを感知するステップと、
前記第１のタッチジェスチャーに応答して、前記第３の領域を前記グラフィックイメージから開始される部分的に引き出されたカード形態で拡張して表示するステップと、を含み、
前記拡張された第３の領域は、前記第１の情報に比べてより多くの第２の情報を提供し、予め定められた最大大きさ内で前記第１あるいは第２のタッチスクリーンの上端に到達するまで拡張可能であることを特徴とする制御方法。
【請求項２８】
前記第１及び第２の領域のうちいずれか１つである第４の領域で予め定められた第２のタッチジェスチャーを感知するステップと、
前記第２のタッチジェスチャーの感知に応答して、前記第４の領域に対応するアプリケーションを前記第１及び／又は第２のタッチスクリーンの全体を占有するように表示するステップと、をさらに含むことを特徴とする請求項２７に記載の制御方法。
【請求項２９】
前記第１のタッチジェスチャーは、
上側方向へのフリック及びタッチドラッグアップのうち少なくとも１つを含むことを特徴とする請求項２７に記載の制御方法。
【請求項３０】
前記拡張された第３の領域で予め指定された第３のタッチジェスチャーを感知するステップと、
前記第３のタッチジェスチャーの感知に応答して、前記拡張された第３の領域に対応するアプリケーションを前記第１のタッチスクリーン及び／又は、前記第２のタッチスクリーンの全体を占有するように表示するステップと、をさらに含むことを特徴とする請求項２７に記載の制御方法。
【請求項３１】
前記第１のタッチスクリーンに、スケジュールウィジェットにより提供される今日付けとＮ個のスケジュールに対する時間及び題目を含むスケジュール領域を表示するステップと、前記スケジュール領域は、財布内のカード収納のためのスリットを形状化したグラフィックイメージにより部分的に隠される収納されたカード形態を有し、スケジュール関連情報を提供するように構成され、
前記スケジュール領域で前記第１のタッチジェスチャーを感知すると、前記スケジュール領域を前記グラフィックイメージから開始される部分的に引き出されたカード形態で拡張して表示するステップと、を含み、
前記拡張されたスケジュール領域は、Ｎ個より多くのＭ個以上のスケジュールに対する情報をさらに含むことを特徴とする請求項２７に記載の制御方法。
【請求項３２】
前記第１のタッチスクリーンに、天気ウィジェットにより提供される現在の都市と現在の気温及び天気アイコンを含む天気領域を表示するステップと、前記天気領域は、財布内のカード収納のためのスリットを形状化したグラフィックイメージにより部分的に隠される収納されたカード形態を有し、天気関連情報を提供するように構成され、
前記天気領域で前記第１のタッチジェスチャーを感知すると、前記天気領域を前記グラフィックイメージから開始される部分的に引き出されたカード形態で拡張して表示するステップと、を含み、
前記拡張された天気領域は、拡張以前の天気関連情報と共に今日の天気に関する追加情報と週間天気のうち少なくとも１つをさらに含むことを特徴とする請求項２７に記載の制御方法。
【請求項３３】
前記第１のタッチスクリーンに、名刺ウィジェットにより提供される連絡先の人物の名前と通話接続及び／又は、メッセージ発信のための少なくとも１つのショートカットキー及びピクチャーイメージの少なくとも一部を含む名刺領域を表示するステップと、前記名刺領域は、財布内のカード収納のためのスリットを形状化したグラフィックイメージにより部分的に隠される収納されたカード形態を有し、前記連絡先の人物に対する情報を提供するように構成され、
前記名刺領域で前記第１のタッチジェスチャーを感知すると、前記名刺領域を前記グラフィックイメージから開始される部分的に引き出されたカード形態で拡張して表示するステップと、
前記拡張された名刺領域は、前記連絡先の人物に対する移動電話番号、事務所電話番号、誕生日、アドレス、電子メールアドレスのうち少なくとも１つをさらに含み、
前記通話接続及び／又は、メッセージ発信のための少なくとも１つのショートカットキー上でタップジェスチャーを感知するステップと、
前記タップジェスチャーの感知に応答して、前記第１のタッチスクリーンの一部あるいは全体に通話接続画面あるいはメッセージ発信のための入力画面を表示するステップと、を含むことを特徴とする請求項２７に記載の制御方法。
【請求項３４】
前記第１あるいは第２のタッチスクリーンに、縫われたラベル形態で形状化された第１のアプリケーションの領域をさらに表示するステップをさらに含み、
前記第１のアプリケーションの領域は、固定された位置と大きさを有し、前記第１のアプリケーションで提供する情報と所定の機能を実行するための少なくとも１つのショートカットキーを含むことを特徴とする請求項２７に記載の制御方法。
【請求項３５】
前記第２のタッチスクリーンに、第１のアプリケーションの名前とグラフィックシンボルと前記第１のアプリケーションで提供する１行あるいは２行の情報と前記第１のアプリケーションの情報に対するアップデート状態を指示するアップデート指示子をそれぞれ含み、並んで配置される第１のアプリケーション領域を表示するステップと、
前記第１のアプリケーション領域のそれぞれは、財布内のカード収納のためのスリットを形状化したグラフィックイメージにより部分的に隠される収納されたカード形態を有し、前記第１のアプリケーションで提供する情報と所定の機能を実行するためのショートカットキーのうち少なくとも１つを含み、
前記第１のアプリケーション領域上でピンチズームアウトジェスチャーを感知するステップと、
前記ピンチズームアウトジェスチャーに応答して第２のアプリケーション領域を表示するステップと、
前記第２のアプリケーション領域は、前記第１のアプリケーション領域を縮小し、前記縮小された領域により発生される空間に少なくとも１つの第２のアプリケーションに対する縮小された領域を配置することによって構成され、
前記第２のアプリケーション領域のそれぞれは、前記第１のアプリケーション領域のそれぞれより小さいサイズを有し、第２のアプリケーションの名前とグラフィックシンボルと前記第２のアプリケーションのアップデート状態を指示するアップデート指示子をそれぞれ含み、並んで配置され、
前記第２のアプリケーション領域上でタッチドラッグを感知するステップと、
前記タッチドラッグの感知に応答して、前記第２のアプリケーション領域をスクロールしつつ表示するステップと、を含むことを特徴とする請求項２７に記載の制御方法。
【請求項３６】
前記第２のアプリケーション領域上でピンチズームインジェスチャーを感知するステップと、
前記ピンチズームインジェスチャーに応答して第３のアプリケーション領域を表示するステップと、をさらに含み、
前記第３のアプリケーション領域は、前記第２のアプリケーション領域の少なくとも一部を拡張し、前記拡張された第２のアプリケーション領域を配置することによって構成され、
前記第３のアプリケーション領域のそれぞれは、アプリケーション名前とグラフィックシンボルと第３のアプリケーションで提供する簡単情報と前記第３のアプリケーションのアップデート状態を指示するアップデート指示子を含み、並んで配置されることを特徴とする請求項３５に記載の制御方法。
【請求項３７】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに、ホームスクリーンとして指定されたウィジェットあるいはアプリケーションの情報を含む複数の第１の領域を表示するステップと、
前記第２のタッチスクリーンに、前記ホームスクリーンとして指定されたウィジェットあるいはアプリケーションの情報を含む複数の第２の領域を表示するステップと、
前記第１及び第２の領域のそれぞれは、財布内のカード収納のためのスリットを形状化したグラフィックイメージにより部分的に隠される収納されたカード形態を有し、前記ウィジェットあるいはアプリケーションで提供する第１の情報と所定の機能を実行するためのショートカットキーのうち少なくとも１つを含み、
前記第１及び第２の領域のうちいずれか１つである第３の領域で予め定められた第１のタッチジェスチャーを感知するステップと、
前記第１のタッチジェスチャーに応答して、前記第３の領域を前記グラフィックイメージから開始される部分的に引き出されたカード形態で拡張して表示するステップと、
前記拡張された第３の領域は、前記第１の情報に比べてより多くの第２の情報を提供し、予め定められた最大大きさ内で前記第１あるいは第２のタッチスクリーンの上端に到達するまで拡張可能であり、
前記第１及び第２の領域のうちいずれか１つである第４の領域で予め定められた第２のタッチジェスチャーを感知するステップと、
前記第２のタッチジェスチャーの感知に応答して、前記第４の領域に対応するアプリケーションを前記第１及び／又は第２のタッチスクリーンの全体を占有するように表示するステップと、を含むことを特徴とする制御方法。
【請求項３８】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに、ホームスクリーンとして指定されたウィジェットあるいはアプリケーションの情報を含む複数の第１の領域を表示するステップと、
前記第２のタッチスクリーンに、前記ホームスクリーンとして指定されたウィジェットあるいはアプリケーションの情報を含む複数の第２の領域を表示するステップと、
前記第１及び第２の領域のそれぞれは、財布内のカード収納のためのスリットを形状化したグラフィックイメージにより部分的に隠される収納されたカード形態を有し、前記ウィジェットあるいはアプリケーションで提供する第１の情報と所定の機能を実行するためのショートカットキーのうち少なくとも１つを含み、
前記第１及び第２の領域のうちいずれか１つである第３の領域で予め定められた第１のタッチジェスチャーを感知するステップと、
前記第１のタッチジェスチャーに応答して、前記第３の領域を前記グラフィックイメージから開始される部分的に引き出されたカード形態で拡張して表示するステップと、を含み、
前記拡張された第３の領域は、前記第１の情報に比べてより多くの第２の情報を提供し、予め定められた最大大きさ内で前記第１あるいは第２のタッチスクリーンの上端に到達するまで拡張可能であることを特徴とする携帯機器。
【請求項３９】
コンピュータにより実行可能であるように構成されるプログラムを記憶するメモリを含み、
前記プログラムは、
第１のタッチスクリーンに、ホームスクリーンとして指定されたウィジェットあるいはアプリケーションの情報を含む複数の第１の領域を表示するステップと、
第２のタッチスクリーンに、前記ホームスクリーンとして指定されたウィジェットあるいはアプリケーションの情報を含む複数の第２の領域を表示するステップと、
前記第１及び第２の領域のそれぞれは、財布内のカード収納のためのスリットを形状化したグラフィックイメージにより部分的に隠される収納されたカード形態を有し、前記ウィジェットあるいはアプリケーションで提供する第１の情報と所定の機能を実行するためのショートカットキーのうち少なくとも１つを含み、
前記第１及び第２の領域のうちいずれか１つである第３の領域で予め定められた第１のタッチジェスチャーを感知するステップと、
前記第１のタッチジェスチャーに応答して、前記第３の領域を前記グラフィックイメージから開始される部分的に引き出されたカード形態で拡張して表示するステップと、
前記拡張された第３の領域は、前記第１の情報に比べてより多くの第２の情報を提供し、予め定められた最大大きさ内で前記第１あるいは第２のタッチスクリーンの上端に到達するまで拡張可能であり、
前記第１及び第２の領域のうちいずれか１つである第４の領域で予め定められた第２のタッチジェスチャーを感知するステップと、
前記第２のタッチジェスチャーの感知に応答して、前記第４の領域に対応するアプリケーションを前記第１及び／又は第２のタッチスクリーンの全体を占有するように表示するステップと、を含むことを特徴とする、コンピュータ可読媒体。
【請求項４０】
コンピュータにより実行可能であるように構成されるプログラムを記憶するメモリを含み、
前記プログラムは、
第１のタッチスクリーンに、ホームスクリーンとして指定されたウィジェットあるいはアプリケーションの情報を含む複数の第１の領域を表示するステップと、
第２のタッチスクリーンに、前記ホームスクリーンとして指定されたウィジェットあるいはアプリケーションの情報を含む複数の第２の領域を表示するステップと、
前記第１及び第２の領域のそれぞれは、財布内のカード収納のためのスリットを形状化したグラフィックイメージにより部分的に隠される収納されたカード形態を有し、前記ウィジェットあるいはアプリケーションで提供する第１の情報と所定の機能を実行するためのショートカットキーのうち少なくとも１つを含み、
前記第１及び第２の領域のうちいずれか１つである第３の領域で予め定められた第１のタッチジェスチャーを感知するステップと、
前記第１のタッチジェスチャーに応答して、前記第３の領域を前記グラフィックイメージから開始される部分的に引き出されたカード形態で拡張して表示するステップと、を含み、
前記拡張された第３の領域は、前記第１の情報に比べてより多くの第２の情報を提供し、予め定められた最大大きさ内で前記第１あるいは第２のタッチスクリーンの上端に到達するまで拡張可能であることを特徴とする、コンピュータ可読媒体。
【請求項４１】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンに、マップ及び前記マップにリンクされた少なくとも１つのピクチャーイメージを提供するように構成されたギャラリーマップアプリケーションにより提供されるマップ領域を表示するステップと、前記マップ領域は、少なくとも１つのピクチャーイメージが登録された位置を指示する少なくとも１つの位置指示子を含み、
第２のタッチスクリーンに、前記マップ領域に含まれる少なくとも１つの位置指示子に対して登録されたピクチャーイメージのサムネイルイメージを並べたギャラリー領域を表示するステップと、
前記少なくとも１つの位置指示子のうちの１つである第１の位置指示子上でタップジェスチャーを感知するステップと、
前記タップジェスチャーの感知に応答して、前記第１のタッチスクリーン上の前記第１の位置指示子に隣接した領域に、前記第１の位置指示子に対して登録されたピクチャーイメージのサムネイルイメージを少なくとも一部重なるように表示するステップと、を含むことを特徴とする制御方法。
【請求項４２】
タッチスクリーンディスプレイを設ける携帯機器の制御方法であって、
第１のタッチスクリーンにマップ領域を表示するステップと、前記マップ領域は、少なくとも１つのピクチャーイメージが登録された位置を指示する少なくとも１つの位置指示子を含み、
第２のタッチスクリーンに、前記マップ領域に含まれる少なくとも１つの位置指示子に対して登録されたピクチャーイメージのサムネイルイメージを並べたギャラリー領域を表示するステップと、
前記少なくとも１つの位置指示子のうちの１つである第１の位置指示子上で第１のタップジェスチャーを感知するステップと、
前記第１のタップジェスチャーの感知に応答して、前記第１のタッチスクリーン上の前記第１の位置指示子に隣接した領域に、前記第１の位置指示子に対して登録されたピクチャーイメージのサムネイルイメージを表示するステップと、を含むことを特徴とする制御方法。
【請求項４３】
前記第１の位置指示子に対して登録されたピクチャーイメージのサムネイルイメージは、前記第１のタッチスクリーン上の前記第１の位置指示子に隣接した領域内に、少なくとも一部重複された不規則な（disordered）形態で表示されることを特徴とする請求項４２に記載の制御方法。
【請求項４４】
前記ギャラリー領域内の前記サムネイルイメージは、
格子形態で配列されるか、あるいは各位置指示子別にグループ化して表示されることを特徴とする請求項４２に記載の制御方法。
【請求項４５】
前記第２のタッチスクリーンに前記ギャラリー領域のビューモードを選択することができるソフトキーを表示するステップをさらに含み、
前記ソフトキーが格子形態のビューモードを指示すると、前記ギャラリー領域は、前記サムネイルイメージを格子形態で配列し、
前記ソフトキーがグループ形態のビューモードを指示すると、前記ギャラリー領域は、前記サムネイルイメージを各位置指示子別にグループ化して表示することを特徴とする請求項４１に記載の制御方法。
【請求項４６】
前記第１のタッチスクリーン上で前記少なくとも１つの位置指示子のうちの１つである第２の位置指示子を開始位置として指定することを指示する第１の命令を感知するステップと、
前記第１のタッチスクリーン上で前記少なくとも１つの位置指示子のうちの１つである第３の位置指示子を到着位置として指定することを指示する第２の命令を感知するステップと、
前記第１の命令及び前記第２の命令の感知に応答して、前記マップ領域上で前記開始位置から前記到着位置までの経路をグラフィックラインで表示するステップと、
前記第１の命令、前記第２の命令及び前記経路の表示のうちいずれか１つに応答して、前記タッチスクリーン上にスライドショービューキーを含むスライドショー制御領域を表示するステップと、
前記スライドショービューキー上で第２のタップジェスチャーを感知するステップと、
前記第２のタップジェスチャーの感知に応答して、前記第１のタッチスクリーン上から前記マップ領域を除去し、前記経路に含まれる位置指示子に対して登録されたピクチャーイメージのスライドショーを再生するステップと、を含むことを特徴とする請求項４２に記載の制御方法。
【請求項４７】
前記スライドショーを再生するステップは、
前記経路に含まれる位置指示子に対して登録されたピクチャーイメージを前記第１のタッチスクリーンの横幅及び縦幅のうち少なくとも１つを完全に満たしながら順次にスライディングして表示することを特徴とする請求項４６に記載の制御方法。
【請求項４８】
前記スライドショー制御領域は、
現在スライド指示子をさらに含み、
前記現在スライド指示子は、前記開始位置を示す位置指示子と、前記到着位置を示す位置指示子及び前記経路に含まれる少なくとも１つの位置指示子を含み、前記経路上で前記スライドショーのうち、前記第１のタッチスクリーンに現在表示されているピクチャーイメージの位置を表示することを特徴とする請求項４６に記載の制御方法。
【請求項４９】
前記第１の命令を感知するステップは、
前記第２の位置指示子上でタッチアンドホールドを感知するステップと、
前記タッチアンドホールドの感知に応答して、前記第２の位置指示子上に開始キーと到着キーを含むソフトキーメニューを表示するステップと、
前記開始キー上で第３のタップジェスチャーを感知するステップと、
前記第３のタップジェスチャーの感知に応答して、前記第２の位置指示子を前記開始位置として指定し、前記第２の位置指示子を前記経路に含まれない他の位置指示子と視覚的に区別されるように変更するステップと、を含むことを特徴とする請求項４６に記載の制御方法。
【請求項５０】
前記第２の命令を感知するステップは、
第３の位置指示子上でタッチアンドホールドを感知するステップと、
前記タッチアンドホールドの感知に応答して、前記第３の位置指示子上に開始キーと到着キーを含むソフトキーメニューを表示するステップと、
前記到着キー上で第３のタップジェスチャーを感知するステップと、
前記第３のタップジェスチャーの感知に応答して、第２の位置を前記到着位置として指定し、前記第３の位置指示子を前記経路に含まれない他の位置指示子と視覚的に区別されるように変更することを特徴とする請求項４６に記載の制御方法。
【請求項５１】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに、マップ及び前記マップにリンクされた少なくとも１つのピクチャーイメージを提供するように構成されたギャラリーマップアプリケーションにより提供されるマップ領域を表示するステップと、前記マップ領域は、少なくとも１つのピクチャーイメージが登録された位置を指示する少なくとも１つの位置指示子を含み、
前記第２のタッチスクリーンに、前記マップ領域に含まれる少なくとも１つの位置指示子に対して登録されたピクチャーイメージのサムネイルイメージを並べたギャラリー領域を表示するステップと、
前記少なくとも１つの位置指示子のうちの１つである第１の位置指示子上でタップジェスチャーを感知するステップと、
前記タップジェスチャーの感知に応答して、前記第１のタッチスクリーン上の前記第１の位置指示子に隣接した領域に、前記第１の位置指示子に対して登録されたピクチャーイメージのサムネイルイメージを少なくとも一部重なるように表示するステップと、を含むことを特徴とする制御方法。
【請求項５２】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンにマップ領域を表示するステップと、前記マップ領域は、少なくとも１つのピクチャーイメージが登録された位置を指示する少なくとも１つの位置指示子を含み、
前記第２のタッチスクリーンに、前記マップ領域に含まれる少なくとも１つの位置指示子に対して登録されたピクチャーイメージのサムネイルイメージを並べたギャラリー領域を表示するステップと、
前記少なくとも１つの位置指示子のうちの１つである第１の位置指示子上で第１のタップジェスチャーを感知するステップと、
前記第１のタップジェスチャーの感知に応答して、前記第１のタッチスクリーン上の前記第１の位置指示子に隣接した領域に、前記第１の位置指示子に対して登録されたピクチャーイメージのサムネイルイメージを表示するステップと、を含むことを特徴とする携帯機器。
【請求項５３】
コンピュータにより実行可能であるように構成されるプログラムを記憶するメモリを含み、
前記プログラムは、
第１のタッチスクリーンに、マップ及び前記マップにリンクされた少なくとも１つのピクチャーイメージを提供するように構成されたギャラリーマップアプリケーションにより提供されるマップ領域を表示するステップと、前記マップ領域は、少なくとも１つのピクチャーイメージが登録された位置を指示する少なくとも１つの位置指示子を含み、
第２のタッチスクリーンに、前記マップ領域に含まれる少なくとも１つの位置指示子に対して登録されたピクチャーイメージのサムネイルイメージを並べたギャラリー領域を表示するステップと、
前記少なくとも１つの位置指示子のうちの１つである第１の位置指示子上でタップジェスチャーを感知するステップと、
前記タップジェスチャーの感知に応答して、前記第１のタッチスクリーン上の前記第１の位置指示子に隣接した領域に、前記第１の位置指示子に対して登録されたピクチャーイメージのサムネイルイメージを少なくとも一部重なるように表示するステップと、を含むことを特徴とする、コンピュータ可読媒体。
【請求項５４】
コンピュータにより実行可能であるように構成されるプログラムを記憶するメモリを含み、
前記プログラムは、
第１のタッチスクリーンにマップ領域を表示するステップと、前記マップ領域は、少なくとも１つのピクチャーイメージが登録された位置を指示する少なくとも１つの位置指示子を含み、
第２のタッチスクリーンに、前記マップ領域に含まれる少なくとも１つの位置指示子に対して登録されたピクチャーイメージのサムネイルイメージを並べたギャラリー領域を表示するステップと、
前記少なくとも１つの位置指示子のうちの１つである第１の位置指示子上で第１のタップジェスチャーを感知するステップと、
前記第１のタップジェスチャーの感知に応答して、前記第１のタッチスクリーン上の前記第１の位置指示子に隣接した領域に、前記第１の位置指示子に対して登録されたピクチャーイメージのサムネイルイメージを表示するステップと、を含むことを特徴とする、コンピュータ可読媒体。
【請求項５５】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンを含む第１のパネル及び第２のタッチスクリーンを含む第２のパネルのうち、前記第２のパネル上に設けられる物理的なボタンのうちの１つであるホームボタンの入力を感知するステップと、
前記ホームボタンの入力に応答して、第１のタッチスクリーン内の第１の領域及び前記第１の領域に隣接した前記第２のタッチスクリーン内の第２の領域に第１のタスクマネージャパネル及び第２のタスクマネージャパネルをそれぞれ表示するステップと、前記第１及び第２のタスクマネージャパネルは、駆動中であるアプリケーションに対するアイコンのうち少なくとも一部を重ならないように含み、
前記アイコンのうちの１つである第１のアイコン上から開始され、前記第１のタッチスクリーン内に属し、前記第１のタスクマネージャパネルを除外した領域で解除される第１のタッチドラッグを感知するステップと、
前記第１のタッチドラッグによって前記第１のアイコンに関連した第１のアプリケーションの第１のプレビューウィンドウを前記第１のタッチスクリーンに表示するステップと、
前記アイコンのうちの１つである第２のアイコン上から開始され、前記第２のタッチスクリーン内に属し、前記第２のタスクマネージャパネルを除外した領域で解除される第２のタッチドラッグを感知するステップと、
前記第２のタッチドラッグによって前記第２のアイコンに関連した第２のアプリケーションの第２のプレビューウィンドウを前記第２のタッチスクリーンに表示するステップと、を含み、
前記第１及び第２のプレビューウィンドウは、前記第１及び第２のアプリケーションが実行される第１及び第２のタスクスクリーンより小さいサイズを有し、ユーザインターフェースを許容しない非活性状態で表示されることを特徴とする制御方法。
【請求項５６】
タッチスクリーンディスプレイを設ける携帯機器の制御方法であって、
駆動中である少なくとも１つのアプリケーションを管理するためのタスクマネージャの実行のために予め定められる第１の命令を感知するステップと、
前記第１の命令の感知に応答して、第１のタッチスクリーン及び第２のタッチスクリーンに第１のタスクマネージャパネル及び第２のタスクマネージャパネルをそれぞれ表示するステップと、前記第１及び第２のタスクマネージャパネルは、相互連続されるように隣接して配置され、駆動中であるアプリケーションに対するアイコンのうち少なくとも一部を重複しないように含み、
前記アイコンのうちの１つである第１のアイコン上から開始され、前記第１のタッチスクリーン内に属し、前記第１のタスクマネージャパネルを除外した領域内で解除される第１のタッチドラッグを感知するステップと、
前記第１のタッチドラッグによって前記第１のアイコンに関連した第１のアプリケーションの第１のプレビューウィンドウを前記第１のタッチスクリーンに表示するステップと、
前記アイコンのうちの１つである第２のアイコン上から開始され、前記第２のタッチスクリーン内に属し、前記第２のタスクマネージャパネルを除外した領域で解除される第２のタッチドラッグを感知するステップと、
前記第２のタッチドラッグによって前記第２のアイコンに関連した第２のアプリケーションの第２のプレビューウィンドウを前記第２のタッチスクリーンに表示するステップと、を含み、
前記第１のプレビューウィンドウは、前記第１及び第２のアプリケーションが実行される第１及び第２のタスクスクリーンより小さいサイズを有し、ユーザインターフェースを許容しない非活性状態で表示されることを特徴とする制御方法。
【請求項５７】
前記第１及び第２のタッチスクリーンに第３及び第４のアプリケーションを実行する間に前記第１の命令が感知された場合、前記第３及び第４のアプリケーションのプレビューウィンドウを前記第１及び第２のタッチスクリーン内に前記第１及び第２のタスクマネージャパネルと重ならないように表示するステップをさらに含むことを特徴とする請求項５６に記載の制御方法。
【請求項５８】
前記第１のプレビューウィンドウ上から開始され、前記第１及び第２のタスクマネージャパネルのうちいずれか１つ内の第１の位置で解除される第３のタッチドラッグを感知するステップと、
前記第３のタッチドラッグの感知に応答して、前記第１のプレビューウィンドウを前記第１のタッチスクリーンから除去するステップと、
前記第１のプレビューウィンドウに関連した前記第１のアイコンが前記第１及び第２のタスクマネージャパネル内に含まれていない場合、前記第３のタッチドラッグの感知に応答して、前記第１のアイコンを前記第１の位置に表示するステップと、をさらに含み、
前記第１のアイコンは、前記第１及び第２のタスクマネージャパネル内に表示されているアイコン間に挿入され、前記第１及び第２のタスクマネージャパネル内のアイコンは、前記第１のアイコンを含んで再整列されることを特徴とする請求項５６に記載の制御方法。
【請求項５９】
前記第１のプレビューウィンドウを前記第１のタッチスクリーンから除去した後、駆動中である第３のアプリケーションの第３のプレビューウィンドウを前記第１のタッチスクリーンに表示するステップをさらに含むことを特徴とする請求項５８に記載の制御方法。
【請求項６０】
前記第１のプレビューウィンドウを前記第１のタッチスクリーンから除去した後、ホームスクリーンとして指定されたアプリケーションのアイコンを含む１ページを前記第１のタッチスクリーンに表示するステップをさらに含むことを特徴とする請求項５８に記載の制御方法。
【請求項６１】
前記第１及び第２のタスクマネージャパネルのうち少なくとも１つ上で第１の方向の第１のタッチジェスチャーを感知するステップと、
前記第１のタッチジェスチャーにより前記駆動中であるアプリケーションのアイコンを前記第１及び第２のタスクマネージャパネル上でスクロールしつつ表示するステップと、をさらに含むことを特徴とする請求項５６に記載の制御方法。
【請求項６２】
前記第１の命令は、
前記第１及び第２のタッチスクリーンを含む第１及び第２のパネルのうちの１つに設けられる物理的なボタンの予め定められる１つに対する入力と、
前記第１及び第２のタッチスクリーン上の予め定められた領域に対するタッチジェスチャーの感知と、
前記第１及び第２のタッチスクリーンのうち少なくとも１つを通して提供されるソフトキーに対するタッチジェスチャーの感知と、
前記第１及び／又は第２のタッチスクリーンを介して提供されるソフトメニューの操作のうち少なくとも１つを含むことを特徴とする請求項５６に記載の制御方法。
【請求項６３】
前記物理的なボタンのうちの予め定められる１つは、
前記第２のタッチスクリーンを含む第２のパネル上に設けられるホームボタンであることを特徴とする請求項６２に記載の制御方法。
【請求項６４】
前記第１及び第２のタスクマネージャパネルを表示する間に前記タスクマネージャの終了のために予め定められる第２の命令を感知するステップと、
前記第２の命令の感知に応答して、前記第１のタスクマネージャパネル及び第２のタスクマネージャパネルを前記第１及び第２のタッチスクリーン上から除去するステップと、
前記第２の命令の感知に応答して、前記第１及び第２のタッチスクリーン上に表示されている前記第１及び第２のプレビューウィンドウを、前記第１及び第２のアプリケーションが実行される第１及び第２のタスクスクリーンに置き換えるステップと、をさらに含み、
前記第１及び第２のタスクスクリーンは、前記第１及び第２のタッチスクリーンを満たすサイズを有し、前記第１及び第２のアプリケーションの実行中である情報を表示し、ユーザインターフェースを提供することを特徴とする請求項５６に記載の制御方法。
【請求項６５】
前記第２の命令は、
前記第１及び第２のタッチスクリーンを含む第１及び第２のパネルのうちの１つに設けられる物理的なボタンのうちの予め定められる１つに対する入力と、
前記第１及び第２のタッチスクリーン上の予め定められた領域に対するタッチジェスチャーの感知と、
前記第１及び第２のタッチスクリーンのうち少なくとも１つを通して提供されるソフトキーに対するタッチジェスチャーの感知と
前記第１及び第２のタッチスクリーンのうち少なくとも１つを通して提供されるソフトメニューの操作のうち少なくとも１つを含むことを特徴とする請求項６４に記載の制御方法。
【請求項６６】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンを含む第１のパネル及び前記第２のタッチスクリーンを含む第２のパネルのうち、前記第２のパネル上に設けられる物理的なボタンのうちの１つであるホームボタンの入力を感知するステップと、
前記ホームボタンの入力に応答して、第１のタッチスクリーン内の第１の領域及び前記第１の領域に隣接した前記第２のタッチスクリーン内の第２の領域に第１のタスクマネージャパネル及び第２のタスクマネージャパネルをそれぞれ表示するステップと、前記第１及び第２のタスクマネージャパネルは、駆動中であるアプリケーションに対するアイコンのうち少なくとも一部を重複しないように含み、
前記アイコンのうちの１つである第１のアイコン上から開始され、前記第１のタッチスクリーン内に属し、前記第１のタスクマネージャパネルを除外した領域で解除される第１のタッチドラッグを感知するステップと、
前記第１のタッチドラッグによって前記第１のアイコンに関連した第１のアプリケーションの第１のプレビューウィンドウを前記第１のタッチスクリーンに表示するステップと、
前記アイコンのうちの１つである第２のアイコン上から開始され、前記第２のタッチスクリーン内に属し、前記第２のタスクマネージャパネルを除外した領域で解除される第２のタッチドラッグを感知するステップと、
前記第２のタッチドラッグによって前記第２のアイコンに関連した第２のアプリケーションの第２のプレビューウィンドウを前記第２のタッチスクリーンに表示するステップと、を含み、
前記第１及び第２のプレビューウィンドウは、前記第１及び第２のアプリケーションが実行される第１及び第２のタスクスクリーンより小さいサイズを有し、ユーザインターフェースを許容しない非活性状態で表示されることを特徴とする携帯機器。
【請求項６７】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
駆動中である少なくとも１つのアプリケーションを管理するためのタスクマネージャの実行のために予め定められる第１の命令を感知するステップと、
前記第１の命令の感知に応答して、前記第１のタッチスクリーン及び前記第２のタッチスクリーンに第１のタスクマネージャパネル及び第２のタスクマネージャパネルをそれぞれ表示するステップと、前記第１及び第２のタスクマネージャパネルは、相互連続されるように隣接して配置され、駆動中であるアプリケーションに対するアイコンのうち少なくとも一部を重複しないように含み、
前記アイコンのうちの１つである第１のアイコン上から開始され、前記第１のタッチスクリーン内に属し、前記第１のタスクマネージャパネルを除外した領域内で解除される第１のタッチドラッグを感知するステップと、
前記第１のタッチドラッグによって前記第１のアイコンに関連した第１のアプリケーションの第１のプレビューウィンドウを前記第１のタッチスクリーンに表示するステップと、
前記アイコンのうちの１つである第２のアイコン上から開始され、前記第２のタッチスクリーン内に属し、前記第２のタスクマネージャパネルを除外した領域で解除される第２のタッチドラッグを感知するステップと、
前記第２のタッチドラッグによって前記第２のアイコンに関連した第２のアプリケーションの第２のプレビューウィンドウを前記第２のタッチスクリーンに表示するステップと、を含み、
前記第１のプレビューウィンドウは、前記第１及び第２のアプリケーションが実行される第１及び第２のタスクスクリーンより小さいサイズを有し、ユーザインターフェースを許容しない非活性状態で表示されることを特徴とする携帯機器。
【請求項６８】
コンピュータにより実行可能であるように構成されるプログラムを記憶するメモリを含み、
前記プログラムは、
第１のタッチスクリーンを含む第１のパネル及び第２のタッチスクリーンを含む第２のパネルのうち、前記第２のパネル上に設けられる物理的なボタンのうちの１つであるホームボタンの入力を感知するステップと、
前記ホームボタンの入力に応答して、第１のタッチスクリーン内の第１の領域及び前記第１の領域に隣接した前記第２のタッチスクリーン内の第２の領域に第１のタスクマネージャパネル及び第２のタスクマネージャパネルをそれぞれ表示するステップと、前記第１及び第２のタスクマネージャパネルは、駆動中であるアプリケーションに対するアイコンのうち少なくとも一部を重複しないように含み、
前記アイコンのうちの１つである第１のアイコン上から開始され、前記第１のタッチスクリーン内に属し、前記第１のタスクマネージャパネルを除外した領域で解除される第１のタッチドラッグを感知するステップと、
前記第１のタッチドラッグによって前記第１のアイコンに関連した第１のアプリケーションの第１のプレビューウィンドウを前記第１のタッチスクリーンに表示するステップと、
前記アイコンのうちの１つである第２のアイコン上から開始され、前記第２のタッチスクリーン内に属し、前記第２のタスクマネージャパネルを除外した領域で解除される第２のタッチドラッグを感知するステップと、
前記第２のタッチドラッグによって前記第２のアイコンに関連した第２のアプリケーションの第２のプレビューウィンドウを前記第２のタッチスクリーンに表示するステップと、を含み、
前記第１及び第２のプレビューウィンドウは、前記第１及び第２のアプリケーションが実行される第１及び第２のタスクスクリーンより小さいサイズを有し、ユーザインターフェースを許容しない非活性状態で表示されることを特徴とする、コンピュータ可読媒体。
【請求項６９】
コンピュータにより実行可能であるように構成されるプログラムを記憶するメモリを含み、
前記プログラムは、
駆動中である少なくとも１つのアプリケーションを管理するためのタスクマネージャの実行のために予め定められる第１の命令を感知するステップと、
前記第１の命令の感知に応答して、第１のタッチスクリーン及び第２のタッチスクリーンに第１のタスクマネージャパネル及び第２のタスクマネージャパネルをそれぞれ表示するステップと、前記第１及び第２のタスクマネージャパネルは、相互連続されるように隣接して配置され、駆動中であるアプリケーションに対するアイコンのうち少なくとも一部を重複しないように含み、
前記アイコンのうちの１つである第１のアイコン上から開始され、前記第１のタッチスクリーン内に属し、前記第１のタスクマネージャパネルを除外した領域内で解除される第１のタッチドラッグを感知するステップと、
前記第１のタッチドラッグによって前記第１のアイコンに関連した第１のアプリケーションの第１のプレビューウィンドウを前記第１のタッチスクリーンに表示するステップと、
前記アイコンのうちの１つである第２のアイコン上から開始され、前記第２のタッチスクリーン内に属し、前記第２のタスクマネージャパネルを除外した領域で解除される第２のタッチドラッグを感知するステップと、
前記第２のタッチドラッグによって前記第２のアイコンに関連した第２のアプリケーションの第２のプレビューウィンドウを前記第２のタッチスクリーンに表示するステップと、を含み、
前記第１のプレビューウィンドウは、前記第１及び第２のアプリケーションが実行される第１及び第２のタスクスクリーンより小さいサイズを有し、ユーザインターフェースを許容しない非活性状態で表示されることを特徴とする、コンピュータ可読媒体。
【請求項７０】
折り畳み可能な少なくとも１つのパネル上に配置される第１のタッチスクリーンディスプレイ及び第２のタッチスクリーンディスプレイを設ける携帯機器の制御方法であって、
第１のタッチスクリーン上に、個人ユーザにより提供される放送サービスを探索して再生するように構成されたパーソナル放送アプリケーションにより提供されるマップ領域を表示するステップと、前記マップ領域は、少なくとも１つの放送キャスターの位置を指示する少なくとも１つのキャスター指示子を含み、
第２のタッチスクリーン上に、前記少なくとも１つの放送キャスターにより提供される放送コンテンツを示す放送アイテムを並べた放送リストを表示するステップと、前記各放送アイテムは、放送コンテンツからキャッチャーされた映像イメージと放送題目とキャスター名前と放送時間及び視聴回数のうち少なくとも１つを含み、
前記放送リストの放送アイテムのうちの１つである第１の放送アイテム上で第１のタッチジェスチャーを感知するステップと、
前記第１のタッチジェスチャーの感知に応答して、前記第１のタッチスクリーンに前記第１の放送アイテムに該当する放送コンテンツを再生する放送映像を表示し、前記第２のタッチスクリーンに前記第１の放送アイテムを視聴している視聴者が参加することができる討論領域を表示するステップと、前記討論領域は、前記視聴者により入力されたメッセージを表示するメッセージ表示ウィンドウとメッセージを受信することができるメッセージ入力領域を含み、
前記第１及び第２のタッチスクリーン上に前記放送映像と前記討論領域を表示する間に、前記放送コンテンツの再生を中断することを指示する第１の命令を感知するステップと、
前記第１の命令の感知に応答して、前記第１及び第２のタッチスクリーン上で前記放送映像と前記討論領域を、前記マップ領域と前記放送リストに置き換えて表示するステップと、を含むことを特徴とする制御方法。
【請求項７１】
タッチスクリーンディスプレイを設ける携帯機器の制御方法であって、
第１のタッチスクリーン上にマップ領域を表示するステップと、前記マップ領域は、少なくとも１つの放送キャスターの位置を指示する少なくとも１つのキャスター指示子を含み、
第２のタッチスクリーン上に、前記少なくとも１つの放送キャスターにより提供される放送アイテムのうち、少なくとも一部を並べた放送リストを表示するステップと、前記各放送アイテムは、放送コンテンツからキャッチャーされた映像イメージと放送題目とキャスター名前と放送時間及び視聴回数のうち少なくとも１つを含み、
前記放送リストの放送アイテムのうちの１つである第１の放送アイテム上で第１のタッチジェスチャーを感知するステップと、
前記第１のタッチジェスチャーの感知に応答して、前記第１の放送アイテムに該当する放送映像を前記第１のタッチスクリーン上で再生し、前記第２のタッチスクリーンに前記第１の放送アイテムの放送映像を視聴している視聴者が参加することができる討論領域を表示するステップと、を含み、前記討論領域は、前記視聴者により入力されたメッセージを表示するメッセージ表示ウィンドウとメッセージを受信することができるメッセージ入力領域を含むことを特徴とする制御方法。
【請求項７２】
前記第１及び第２のタッチスクリーン上に前記放送映像と前記討論領域を表示する間に、前記第２のタッチスクリーンを含む第２のパネル上に設けられる物理的なボタンのうちの１つであるバックボタンの入力を感知するステップと、
前記バックボタンの入力に応答して、前記第１及び第２のタッチスクリーン上で前記放送映像と前記討論領域を、前記マップ領域と前記放送リストに置き換えて表示するステップと、をさらに含むことを特徴とする請求項７１に記載の制御方法。
【請求項７３】
前記第１及び第２のタッチスクリーン上で放送要請のための第１の命令を感知するステップと、
前記第１の命令の感知に応答して、放送要請ウィンドウを前記第２のタッチスクリーンに表示するステップと、前記放送要請ウィンドウは、放送要請文句を入力するためのメッセージ入力領域と放送カテゴリーを選択するためのカテゴリー選択領域及び完了キーを含み、
前記放送要請ウィンドウを通して放送要請文句が入力されてカテゴリーが選択された後、前記完了キー上でタップジェスチャーが感知されると、他の携帯機器に、前記放送要請文句と前記カテゴリーと要請者名前及び要請者の現在位置を含む放送要請を送信するステップと、を含むことを特徴とする請求項７１に記載の制御方法。
【請求項７４】
前記第１の命令を感知するステップは、
前記第２のタッチスクリーンを含む第２のパネル上に設けられる物理的なボタンのうちの１つであるメニューボタンの入力を感知するステップと、
前記メニューボタンの入力に応答してメニューウィンドウを前記第２のタッチスクリーン内の下部に表示するステップと、前記メニューウィンドウは、放送生成キーと放送要請キーと放送アイテム検索キーと放送アイテム整列キー及び設定キーのうち少なくとも１つを含み、
前記放送要請キー上でタップジェスチャーを感知するステップと、を含むことを特徴とする請求項７３に記載の制御方法。
【請求項７５】
前記放送要請によって生成された新たな放送に関連したキャスター指示子を前記マップ領域に表示し、前記新たな放送に関する第２の放送アイテムを前記放送リストに含めて表示するステップと、
前記第２の放送アイテム上で第２のタッチジェスチャーを感知するステップと、
前記第２のタッチジェスチャーの感知に応答して、前記第２の放送アイテムに該当する放送映像を前記第１のタッチスクリーン上で再生し、前記第２のタッチスクリーンに前記第２の放送アイテムの放送映像を視聴する視聴者が参加することができる討論領域を表示するステップと、をさらに含むことを特徴とする請求項７３に記載の制御方法。
【請求項７６】
予め定められた地理的な領域内に位置する要請者により生成された放送要請を受信し、前記放送要請が存在することを示す要請メッセージを前記第１及び第２のタッチスクリーンのうち少なくとも１つに表示するステップと、
前記要請メッセージを表示した以後に放送の生成のための第２の命令を感知するステップと、
前記第２の命令の感知に応答して前記第１及び第２のタッチスクリーンのうち少なくとも１つに放送生成ウィンドウを表示するステップと、前記放送生成ウィンドウは、前記放送の生成のために要求される情報を受信することができる少なくとも１つの入力領域と完了キーを少なくとも含み、
前記少なくとも１つの入力領域に前記要求される情報が入力された後、前記完了キー上で第３のタッチジェスチャーを感知するステップと、
前記第３のタッチジェスチャーの感知に応答して、前記携帯機器に設けられた少なくとも１つのカメラにより撮影された映像を含んで構成された放送映像と前記入力された情報を無線信号に載せて放送するステップと、を含むことを特徴とする請求項７１に記載の制御方法。
【請求項７７】
前記放送生成ウィンドウは、
前記生成される放送の放送モードを場面モードとキャスターモードと混合モードのうちいずれか１つとして選択することができるモード選択領域と、放送題目を受信する題目入力領域と、放送カテゴリーを選択することができるカテゴリー選択領域を含み、
前記場面モードは、前記携帯機器の後面カメラを通して撮影される場面映像を放送し、前記キャスターモードは、前記携帯機器の前面カメラを通して撮影されるキャスター映像を放送し、前記混合モードは、前記場面映像と前記キャスター映像を結合して放送することを特徴とする請求項７６に記載の制御方法。
【請求項７８】
前記要請者の地理的な位置を示す放送要請指示子を前記マップ領域に表示するステップと、
前記放送要請指示子上でタップジェスチャーが感知されると、前記要請メッセージを表示するステップと、を含むことを特徴とする請求項７６に記載の制御方法。
【請求項７９】
前記第２の命令は、
前記第１及び第２のタッチスクリーンを含む第１及び第２のパネルのうちの１つに設けられる予め定められる物理的なボタンに対する入力と、
前記第１及び第２のタッチスクリーン上の予め定められた領域に対するタッチの感知と、
前記第１及び第２のタッチスクリーンのうち少なくとも１つを通して提供されるソフトキーに対するタッチジェスチャーの感知と、
前記第１及び第２のタッチスクリーンのうち少なくとも１つを通して提供されるソフトメニューの操作のうち少なくとも１つを含むことを特徴とする請求項７６に記載の制御方法。
【請求項８０】
前記各キャスター指示子は、
該当放送キャスターにより提供される放送コンテンツを示す小型化されたイメージ、放送題目、キャスター名前のうち少なくとも１つを含むことを特徴とする請求項７１に記載の制御方法。
【請求項８１】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーン上に、個人ユーザにより提供される放送サービスを探索して再生するように構成されたパーソナル放送アプリケーションにより提供されるマップ領域を表示するステップと、前記マップ領域は、少なくとも１つの放送キャスターの位置を指示する少なくとも１つのキャスター指示子を含み、
前記第２のタッチスクリーン上に、前記少なくとも１つの放送キャスターにより提供される放送コンテンツを示す放送アイテムを並べた放送リストを表示するステップと、前記各放送アイテムは、放送コンテンツからキャッチャーされた映像イメージと放送題目とキャスター名前と放送時間及び視聴回数のうち少なくとも１つを含み、
前記放送リストの放送アイテムのうちの１つである第１の放送アイテム上で第１のタッチジェスチャーを感知するステップと、
前記第１のタッチジェスチャーの感知に応答して、前記第１のタッチスクリーンに前記第１の放送アイテムに該当する放送コンテンツを再生する放送映像を表示し、前記第２のタッチスクリーンに前記第１の放送アイテムを視聴している視聴者が参加することができる討論領域を表示するステップと、前記討論領域は、前記視聴者により入力されたメッセージを表示するメッセージ表示ウィンドウとメッセージを受信することができるメッセージ入力領域を含み、
前記第１及び第２のタッチスクリーン上に前記放送映像と前記討論領域を表示する間に、前記放送コンテンツの再生を中断することを指示する第１の命令を感知するステップと、
前記第１の命令の感知に応答して、前記第１及び第２のタッチスクリーン上で前記放送映像と前記討論領域を、前記マップ領域と前記放送リストに置き換えて表示するステップと、を含むことを特徴とする携帯機器。
【請求項８２】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーン上にマップ領域を表示するステップと、前記マップ領域は、少なくとも１つの放送キャスターの位置を指示する少なくとも１つのキャスター指示子を含み、
前記第２のタッチスクリーン上に、前記少なくとも１つの放送キャスターにより提供される放送アイテムのうち、少なくとも一部を並べた放送リストを表示するステップと、前記各放送アイテムは、放送コンテンツからキャッチャーされた映像イメージと放送題目とキャスター名前と放送時間及び視聴回数のうち少なくとも１つを含み、
前記放送リストの放送アイテムのうちの１つである第１の放送アイテム上で第１のタッチジェスチャーを感知するステップと、
前記第１のタッチジェスチャーの感知に応答して、前記第１の放送アイテムに該当する放送映像を前記第１のタッチスクリーン上で再生し、前記第２のタッチスクリーンに前記第１の放送アイテムの放送映像を視聴している視聴者が参加することができる討論領域を表示するステップと、を含み、前記討論領域は、前記視聴者により入力されたメッセージを表示するメッセージ表示ウィンドウとメッセージを受信することができるメッセージ入力領域を含むことを特徴とする携帯機器。
【請求項８３】
コンピュータにより実行可能であるように構成されるプログラムを記憶するメモリを含み、
前記プログラムは、
第１のタッチスクリーン上に、個人ユーザにより提供される放送サービスを探索して再生するように構成されたパーソナル放送アプリケーションにより提供されるマップ領域を表示するステップと、前記マップ領域は、少なくとも１つの放送キャスターの位置を指示する少なくとも１つのキャスター指示子を含み、
第２のタッチスクリーン上に、前記少なくとも１つの放送キャスターにより提供される放送コンテンツを示す放送アイテムを並べた放送リストを表示するステップと、前記各放送アイテムは、放送コンテンツからキャッチャーされた映像イメージと放送題目とキャスター名前と放送時間及び視聴回数のうち少なくとも１つを含み、
前記放送リストの放送アイテムのうちの１つである第１の放送アイテム上で第１のタッチジェスチャーを感知するステップと、
前記第１のタッチジェスチャーの感知に応答して、前記第１のタッチスクリーンに前記第１の放送アイテムに該当する放送コンテンツを再生する放送映像を表示し、前記第２のタッチスクリーンに前記第１の放送アイテムを視聴している視聴者が参加することができる討論領域を表示するステップと、前記討論領域は、前記視聴者により入力されたメッセージを表示するメッセージ表示ウィンドウとメッセージを受信することができるメッセージ入力領域を含み、
前記第１及び第２のタッチスクリーン上に前記放送映像と前記討論領域を表示する間に、前記放送コンテンツの再生を中断することを指示する第１の命令を感知するステップと、
前記第１の命令の感知に応答して、前記第１及び第２のタッチスクリーン上で前記放送映像と前記討論領域を、前記マップ領域と前記放送リストに置き換えて表示するステップと、を含むことを特徴とする、コンピュータ可読媒体。
【請求項８４】
コンピュータにより実行可能であるように構成されるプログラムを記憶するメモリを含み、
前記プログラムは、
第１のタッチスクリーン上にマップ領域を表示するステップと、前記マップ領域は、少なくとも１つの放送キャスターの位置を指示する少なくとも１つのキャスター指示子を含み、
第２のタッチスクリーン上に、前記少なくとも１つの放送キャスターにより提供される放送アイテムのうち、少なくとも一部を並べた放送リストを表示するステップと、前記各放送アイテムは、放送コンテンツからキャッチャーされた映像イメージと放送題目とキャスター名前と放送時間及び視聴回数のうち少なくとも１つを含み、
前記放送リストの放送アイテムのうちの１つである第１の放送アイテム上で第１のタッチジェスチャーを感知するステップと、
前記第１のタッチジェスチャーの感知に応答して、前記第１の放送アイテムに該当する放送映像を前記第１のタッチスクリーン上で再生して、前記第２のタッチスクリーンに前記第１の放送アイテムの放送映像を視聴している視聴者が参加することができる討論領域を表示するステップと、を含み、前記討論領域は、前記視聴者により入力されたメッセージを表示するメッセージ表示ウィンドウとメッセージを受信することができるメッセージ入力領域を含むことを特徴とする、コンピュータ可読媒体。
【請求項８５】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンを含む第１のパネルと第２のタッチスクリーンを含む第２のパネルが広げられた(unfoled)状態で、前記第１のパネルと前記第２のパネルが折り畳まれた後に、所定の有効時間内に広げられる第１のフォールディングバック命令を感知するステップと、
前記第１のフォールディングバック命令の感知に応答して、カット及び／又はコピーされたオブジェクトを記憶するクリップボードを前記第２のタッチスクリーン内の予め定められる領域に表示するステップと、前記クリップボードは、前記カット及び／又はコピーされたオブジェクトのうち、少なくとも一部の簡単化されたシンボルを含むユーザインターフェース領域であり、
前記第１あるいは第２のタッチスクリーン上で第１のアプリケーションにより表示されるオブジェクトのうちの１つである第１のオブジェクト上で前記クリップボード内の第１の位置に移動する第１のタッチジェスチャーを感知するステップと、
前記第１のタッチジェスチャーの感知に応答して、前記第１のオブジェクトのコピーを前記クリップボード内の前記第１の位置に表示するステップと、前記第１のオブジェクトのコピーは、前記クリップボード内に既存に表示されているオブジェクト間に挿入され、前記クリップボード内に含まれるオブジェクトは、前記第１のオブジェクトのコピーを含んで再整列され、
前記クリップボード内に表示されるオブジェクトのうちの第２のオブジェクト上で前記第１あるいは第２のタッチスクリーン上に表示されている第２のアプリケーション上の第２の位置に移動する第２のタッチジェスチャーを感知するステップと、
前記第２のタッチジェスチャーの感知に応答して、前記第２のアプリケーションに前記第２のオブジェクトを入力するステップと、を含むことを特徴とする制御方法。
【請求項８６】
タッチスクリーンディスプレイを設ける携帯機器の制御方法であって、
第１のタッチスクリーンを含む第１のパネルと第２のタッチスクリーンを含む第２のパネルが広げられている状態で、前記第１のパネルと前記第２のパネルが折り畳まれた後に、所定の有効時間内に復旧される第１のフォールディングバック命令を感知するステップと、
前記第１のフォールディングバック命令の感知に応答して、カット及び／又はコピーされたオブジェクトを記憶するクリップボードを前記第２のタッチスクリーン内の予め定められる領域に表示するステップと、前記クリップボードは、前記カット及び／又はコピーされたオブジェクトのうち、少なくとも一部を含むユーザインターフェース領域であり、
前記第１のタッチスクリーン上に表示される第１のアプリケーションにより提供されるオブジェクトのうちの１つである第１のオブジェクト上で前記クリップボード内の第１の位置に移動する第１のタッチジェスチャーを感知するステップと、
前記第１のタッチジェスチャーの感知に応答して、前記第１のオブジェクトのコピーを前記クリップボード内の前記第１の位置に表示するステップと、を含み、前記第１のオブジェクトのコピーは、前記クリップボード内に既存に表示されているオブジェクト間に挿入され、前記クリップボード内に含まれるオブジェクトは、前記第１のオブジェクトのコピーを含んで再整列されることを特徴とする制御方法。
【請求項８７】
前記クリップボード内に表示されるオブジェクトのうちの第２のオブジェクト上で前記第２のタッチスクリーン上に表示されている第２のアプリケーション内に移動する第２のタッチジェスチャーを感知するステップと、
前記第２のタッチジェスチャーの感知に応答して、前記第２のアプリケーションに前記第２のオブジェクトを入力するステップと、をさらに含むことを特徴とする請求項８６に記載の制御方法。
【請求項８８】
前記第２のタッチジェスチャーは、
前記第２のタッチスクリーン内で前記第２のアプリケーションにより表示される入力ウインドウ内で解除されることを特徴とする請求項８７に記載の制御方法。
【請求項８９】
前記クリップボードが表示されている間に、前記第１及び第２のパネルが折り畳まれた後に広げられる第２のフォールディングバック命令を感知するステップと、
前記第２のフォールディングバック命令の感知に応答して、前記クリップボードを前記第２のタッチスクリーンから除去するステップと、をさらに含むことを特徴とする請求項８６に記載の制御方法。
【請求項９０】
前記第２のタッチスクリーン内の前記クリップボードの境界線上で前記クリップボードの外側の方向に移動する第３のタッチジェスチャーを感知するステップと、
前記第３のタッチジェスチャーの感知に応答して、前記クリップボードを前記第２のタッチスクリーン内で拡張するステップと、前記拡張されたクリップボードは、前記拡張以前に比べてより多くのオブジェクトを含み、表示されるオブジェクトのカテゴリーを変更できるソフトメニューをさらに提供し、
前記拡張されたクリップボードの前記第２のタッチスクリーン内の境界線上で前記拡張されたクリップボードの内側に向かう第４のタッチジェスチャーを感知するステップと、
前記第４のタッチジェスチャーの感知に応答して、前記拡張されたクリップボードを元来のサイズで復旧するステップと、を含むことを特徴とする請求項８６に記載の制御方法。
【請求項９１】
前記拡張されたクリップボードが表示されている間に、前記第１及び第２のパネルが折り畳まれた後に広げられる第３のフォールディングバック命令を感知するステップと、
前記第３のフォールディングバック命令の感知に応答して、前記拡張されたクリップボードを前記第２のタッチスクリーンから除去するステップと、をさらに含むことを特徴とする請求項９０に記載の制御方法。
【請求項９２】
前記クリップボード内で前記オブジェクトが配列された方向に移動するタッチジェスチャーを感知するステップと、
前記タッチジェスチャーの動き方向及び速度に従って前記カット及び／又はコピーされたオブジェクトを前記クリップボード内でスクロールしつつ表示するステップと、を含むことを特徴とする請求項８６に記載の制御方法。
【請求項９３】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンを含む第１のパネルと前記第２のタッチスクリーンを含む第２のパネルが広げられた(unfoled)状態で、前記第１のパネルと前記第２のパネルが折り畳まれた後に、所定の有効時間内に広げられる第１のフォールディングバック命令を感知するステップと、
前記第１のフォールディングバック命令の感知に応答して、カット及び／又はコピーされたオブジェクトを記憶するクリップボードを前記第２のタッチスクリーン内の予め定められる領域に表示するステップと、前記クリップボードは、前記カット及び／又はコピーされたオブジェクトのうち、少なくとも一部の簡単化されたシンボルを含むユーザインターフェース領域であり、
前記第１あるいは第２のタッチスクリーン上で第１のアプリケーションにより表示されるオブジェクトのうちの１つである第１のオブジェクト上で前記クリップボード内の第１の位置に移動する第１のタッチジェスチャーを感知するステップと、
前記第１のタッチジェスチャーの感知に応答して、前記第１のオブジェクトのコピーを前記クリップボード内の前記第１の位置に表示するステップと、前記第１のオブジェクトのコピーは、前記クリップボード内に既存に表示されているオブジェクト間に挿入され、前記クリップボード内に含まれるオブジェクトは、前記第１のオブジェクトのコピーを含んで再整列され、
前記クリップボード内に表示されるオブジェクトのうちの第２のオブジェクト上で前記第１あるいは第２のタッチスクリーン上に表示されている第２のアプリケーション上の第２の位置に移動する第２のタッチジェスチャーを感知するステップと、
前記第２のタッチジェスチャーの感知に応答して、前記第２のアプリケーションに前記第２のオブジェクトを入力するステップと、を含むことを特徴とする携帯機器。
【請求項９４】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンを含む第１のパネルと前記第２のタッチスクリーンを含む第２のパネルが広げられている状態で、前記第１のパネルと前記第２のパネルが折り畳まれた後に、所定の有効時間内に広げられる第１のフォールディングバック命令を感知するステップと、
前記第１のフォールディングバック命令の感知に応答して、カット及び／又はコピーされたオブジェクトを記憶するクリップボードを前記第２のタッチスクリーン内の予め定められる領域に表示するステップと、前記クリップボードは、前記カット及び／又はコピーされたオブジェクトのうち、少なくとも一部を含むユーザインターフェース領域であり、
前記第１のタッチスクリーン上に表示される第１のアプリケーションにより提供されるオブジェクトのうちの１つである第１のオブジェクト上で前記クリップボード内の第１の位置に移動する第１のタッチジェスチャーを感知するステップと、
前記第１のタッチジェスチャーの感知に応答して、前記第１のオブジェクトのコピーを前記クリップボード内の前記第１の位置に表示するステップと、を含み、前記第１のオブジェクトのコピーは、前記クリップボード内に既存に表示されているオブジェクト間に挿入され、前記クリップボード内に含まれるオブジェクトは、前記第１のオブジェクトのコピーを含んで再整列されることを特徴とする携帯機器。
【請求項９５】
コンピュータにより実行可能であるように構成されるプログラムを記憶するメモリを含み、
前記プログラムは、
第１のタッチスクリーンを含む第１のパネルと第２のタッチスクリーンを含む第２のパネルが広げられた(unfoled)状態で、前記第１のパネルと前記第２のパネルが折り畳まれた後に、所定の有効時間内に広げられる第１のフォールディングバック命令を感知するステップと、
前記第１のフォールディングバック命令の感知に応答して、カット及び／又はコピーされたオブジェクトを記憶するクリップボードを前記第２のタッチスクリーン内の予め定められる領域に表示するステップと、前記クリップボードは、前記カット及び／又はコピーされたオブジェクトのうち、少なくとも一部の簡単化されたシンボルを含むユーザインターフェース領域であり、
前記第１あるいは第２のタッチスクリーン上で第１のアプリケーションにより表示されるオブジェクトのうちの１つである第１のオブジェクト上で前記クリップボード内の第１の位置に移動する第１のタッチジェスチャーを感知するステップと、
前記第１のタッチジェスチャーの感知に応答して、前記第１のオブジェクトのコピーを前記クリップボード内の前記第１の位置に表示するステップと、
前記第１のオブジェクトのコピーは、前記クリップボード内に既存に表示されているオブジェクト間に挿入され、前記クリップボード内に含まれるオブジェクトは、前記第１のオブジェクトのコピーを含んで再整列され、前記クリップボード内に表示されるオブジェクトのうちの第２のオブジェクト上で前記第１あるいは第２のタッチスクリーン上に表示されている第２のアプリケーション上の第２の位置に移動する第２のタッチジェスチャーを感知するステップと、
前記第２のタッチジェスチャーの感知に応答して、前記第２のアプリケーションに前記第２のオブジェクトを入力するステップを含むことを特徴とする、コンピュータ可読媒体。
【請求項９６】
コンピュータにより実行可能であるように構成されるプログラムを記憶するメモリを含み、
前記プログラムは、
第１のタッチスクリーンを含む第１のパネルと第２のタッチスクリーンを含む第２のパネルが広げられている状態で、前記第１のパネルと前記第２のパネルが折り畳まれた後に、所定の有効時間内に広げられる第１のフォールディングバック命令を感知するステップと、
前記第１のフォールディングバック命令の感知に応答して、カット及び／又はコピーされたオブジェクトを記憶するクリップボードを前記第２のタッチスクリーン内の予め定められる領域に表示するステップと、前記クリップボードは、前記カット及び／又はコピーされたオブジェクトのうち、少なくとも一部を含むユーザインターフェース領域であり、
前記第１のタッチスクリーン上に表示される第１のアプリケーションにより提供されるオブジェクトのうちの１つである第１のオブジェクト上で前記クリップボード内の第１の位置に移動する第１のタッチジェスチャーを感知するステップと、
前記第１のタッチジェスチャーの感知に応答して、前記第１のオブジェクトのコピーを前記クリップボード内の前記第１の位置に表示するステップと、を含み、前記第１のオブジェクトのコピーは、前記クリップボード内に既存に表示されているオブジェクト間に挿入され、前記クリップボード内に含まれるオブジェクトは、前記第１のオブジェクトのコピーを含んで再整列されることを特徴とする、コンピュータ可読媒体。
【請求項９７】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンに電子ブックアプリケーションにより提供される第１のページ及び前ページのエッジラインを表示し、第２のタッチスクリーンに前記電子ブックアプリケーションにより提供される第２のページ及び後ページのエッジラインを表示するステップと、
前記第１のタッチスクリーンを含む第１のパネルと前記第２のタッチスクリーンを含む第２のパネルが所定の範囲内の第１の角度だけ外側に折り畳まれた後に、所定の有効時間内に復旧される第１のフォールディングバック命令を感知するステップと、
前記第１のフォールディングバック命令の感知に応答して、前記後ページのエッジラインのうち、少なくとも一部のエッジラインに添付されたタグを前記第２のタッチスクリーンに表示するステップと、前記各タグは、ユーザにより指定されたページのエッジラインに位置し、前記ページ及び前記エッジラインと視覚的に区分されるカラーを有し、前記タグが表示されている間に第２のフォールディングバック命令を感知するステップと、
前記第２のフォールディングバック命令の感知に応答して、前記タグを前記第２のタッチスクリーンから除去するステップと、を含むことを特徴とする制御方法。
【請求項９８】
タッチスクリーンディスプレイを設ける携帯機器の制御方法であって、
第１のタッチスクリーンを含む第１のパネルと第２のタッチスクリーンを含む第２のパネルが広げられている状態で、第１のタッチスクリーンに電子ブックコンテンツの第１のページ及び前ページのエッジラインを表示し、第２のタッチスクリーンに前記電子ブックコンテンツの第２のページ及び後ページのエッジラインを表示するステップと、
前記第１及び第２のパネルが所定の範囲内の第１の角度だけ外側に折り畳まれた後に、所定の有効時間内に復旧される第１のフォールディングバック命令を感知するステップと、
前記第１のフォールディングバック命令の感知に応答して、前記後ページのエッジラインのうち、少なくとも一部のエッジラインに添付されたタグを前記第２のタッチスクリーンに表示するステップと、を含み、前記各タグは、ユーザにより指定されたページのエッジラインに位置して、前記ページ及び前記エッジラインと視覚的に区分されることを特徴とする制御方法。
【請求項９９】
前記タグが表示されている間に、前記第１及び第２のパネルが外側に折り畳まれた後に復旧される第２のフォールディングバック命令を感知するステップと、
前記第２のフォールディングバック命令の感知に応答して、前記タグを前記第２のタッチスクリーンから除去するステップと、をさらに含むことを特徴とする請求項９８に記載の制御方法。
【請求項１００】
前記第１及び第２のタッチスクリーンに前記第１及び第２のページが表示されている間に、前記第１のパネルと前記第２のパネルが所定の範囲内の第２の角度だけ外側に折り畳まれたままで所定の有効時間の間に維持されるフォールディングホールド命令を感知するステップと、
前記フォールディングホールド命令の感知に応答して、前記第２のページから後ページに連続してページがめくられるグラフィック効果を前記第１及び第２のタッチスクリーンに表示するステップと、ここで、各ページは、前記第２のタッチスクリーンで前記第１のタッチスクリーンの方向にめくられる時、前記第１及び第２のタッチスクリーンの両側にわたって表示され、
前記フォールディングホールド命令によって連続してページがめくられるグラフィック効果を表示する間に第２のフォールディングバック命令を感知するステップと、
前記第２のフォールディングバック命令の感知に応答して、前記ページがめくられるグラフィック効果を終了し、ページがめくられない第３及び第４のページを前記第１及び第２のタッチスクリーンに表示するステップと、をさらに含むことを特徴とする請求項９７に記載の制御方法。
【請求項１０１】
前記連続してページがめくられるグラフィック効果は、
前記フォールディングホールド命令が維持される間の前記第１及び第２のパネル間の相手角度によって相異なるページめくれ速度で実行されることを特徴とする請求項１００に記載の制御方法。
【請求項１０２】
前記第２のタッチスクリーンに表示されている前記後ページのエッジラインのうちの１つである第１のエッジライン上でタッチを感知するステップと、
前記タッチの感知に応答して、前記第１のエッジラインを他のエッジラインと視覚的に区分される第１のカラーに変更し、前記第１のエッジライン上に、前記第１のエッジラインが位置するページ番号を表示する第１のページ指示子を表示するステップと、
前記タッチが維持されながら前記エッジラインのうち他の１つの第２のエッジラインまで移動すると、前記第２のエッジラインを前記第１のカラーに変更し、前記第２のエッジライン上に、前記第２のエッジラインが位置するページ番号を表示する第２のページ指示子を表示するステップと、
前記タッチが前記第２のエッジラインで解除されると、前記第２のエッジラインが位置するページを含む第３及び第４のページを、前記第１及び第２のページの代わりに表示するステップと、をさらに含み、
前記第１及び第２のページと前記第３及び第４のページ間のページが連続してめくられるグラフィック効果を見せながら前記第３及び第４のページが表示することを特徴とする請求項９８に記載の制御方法。
【請求項１０３】
前記第１あるいは第２のページに含まれるアイテムのうちユーザにより指定された第１のアイテムをハイライトして表示するステップと、
前記第１のアイテムが指定された日付／時間を表示する指示子を前記第１のアイテムと共に表示するステップと、をさらに含むことを特徴とする請求項９８に記載の制御方法。
【請求項１０４】
前記第１及び第２のページに含まれるアイテムのうち第１のアイテムを沿って移動するタッチジェスチャーを感知するステップと、
前記タッチジェスチャーにより前記第１のアイテムをハイライトして表示するステップと、
前記タッチジェスチャーが前記第１のアイテムのエンドである第１の位置で解除されると、前記第１の位置にハイライト機能を制御するためのメニューバーを表示するステップと、前記メニューバーは、ハイライトを制御するためのハイライトキーとハイライトカラーを変更するためのカラーキーとメモを入力するためのメモキーのうち少なくとも１つを含み、
前記メモキー上で第１のタップジェスチャーが感知されることを応答して、前記第１の位置を含む領域に前記第１のアイテムの内容を少なくとも含み、ユーザにより編集可能なメモ入力ウィンドウを表示するステップと、
前記メモ入力ウィンドウに含まれる完了キー上で第２のタップジェスチャーが感知されることに応答して、前記メモ入力ウィンドウに対応するメモウィンドウを前記第１あるいは第２のタッチスクリーン上の予め定められる位置に表示するステップと、をさらに含み、
前記メモウィンドウは、前記メモ入力ウィンドウに比べてより小さいサイズを有し、前記メモ入力ウィンドウの内容中の一部あるいは縮小された内容を含むことを特徴とする請求項９８に記載の制御方法。
【請求項１０５】
前記前及び後ページのエッジラインは、
前記前及び後ページの量に従う広さ及び／又は間隔を有することを特徴とする請求項９８に記載の制御方法。
【請求項１０６】
前記前ページのエッジラインは、前記第１のパネルが所定の範囲内の第２の角度だけ内側に折り畳まれたままで所定の有効時間の間に維持されることを感知した場合に表示され、
前記後ページのエッジラインは、前記第２のパネルが内側に折り畳まれたままで所定の有効時間の間に維持されることを感知した場合に表示されることを特徴とする請求項９８に記載の制御方法。
【請求項１０７】
前記前及び後ページのエッジラインは、
前記第１及び第２のパネルが折り畳まれた角度に従う広さ及び／又は間隔を有することを特徴とする請求項１０６に記載の制御方法。
【請求項１０８】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに電子ブックアプリケーションにより提供される第１のページ及び前ページのエッジラインを表示し、前記第２のタッチスクリーンに前記電子ブックアプリケーションにより提供される第２のページ及び後ページのエッジラインを表示するステップと、
前記第１のタッチスクリーンを含む第１のパネルと前記第２のタッチスクリーンを含む第２のパネルが所定の範囲内の第１の角度だけ外側に折り畳まれた後に、所定の有効時間内に復旧される第１のフォールディングバック命令を感知するステップと、
前記第１のフォールディングバック命令の感知に応答して、前記後ページのエッジラインのうち、少なくとも一部のエッジラインに添付されたタグを前記第２のタッチスクリーンに表示するステップと、前記各タグは、ユーザにより指定されたページのエッジラインに位置し、前記ページ及び前記エッジラインと視覚的に区分されるカラーを有し、
前記タグが表示されている間に第２のフォールディングバック命令を感知するステップと、
前記第２のフォールディングバック命令の感知に応答して、前記タグを前記第２のタッチスクリーンから除去するステップと、を含むことを特徴とする携帯機器。
【請求項１０９】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンを含む第１のパネルと前記第２のタッチスクリーンを含む第２のパネルが広げられている状態で、第１のタッチスクリーンに電子ブックコンテンツの第１のページ及び前ページのエッジラインを表示し、第２のタッチスクリーンに前記電子ブックコンテンツの第２のページ及び後ページのエッジラインを表示するステップと、
前記第１及び第２のパネルが所定の範囲内の第１の角度だけ外側に折り畳まれた後に、所定の有効時間内に復旧される第１のフォールディングバック命令を感知するステップと、
前記第１のフォールディングバック命令の感知に応答して、前記後ページのエッジラインのうち、少なくとも一部のエッジラインに添付されたタグを前記第２のタッチスクリーンに表示するステップと、を含み、前記各タグは、ユーザにより指定されたページのエッジラインに位置して、前記ページ及び前記エッジラインと視覚的に区分されることを特徴とする携帯機器。
【請求項１１０】
コンピュータにより実行可能であるように構成されるプログラムを記憶するメモリを含み、
前記プログラムは、
第１のタッチスクリーンに電子ブックアプリケーションにより提供される第１のページ及び前ページのエッジラインを表示し、第２のタッチスクリーンに前記電子ブックアプリケーションにより提供される第２のページ及び後ページのエッジラインを表示するステップと、
前記第１のタッチスクリーンを含む第１のパネルと前記第２のタッチスクリーンを含む第２のパネルが所定の範囲内の第１の角度だけ外側に折り畳まれた後に、所定の有効時間内に復旧される第１のフォールディングバック命令を感知するステップと、
前記第１のフォールディングバック命令の感知に応答して、前記後ページのエッジラインのうち、少なくとも一部のエッジラインに添付されたタグを前記第２のタッチスクリーンに表示するステップと、前記各タグは、ユーザにより指定されたページのエッジラインに位置して、前記ページ及び前記エッジラインと視覚的に区分されるカラーを有し、
前記タグが表示されている間に第２のフォールディングバック命令を感知するステップと、
前記第２のフォールディングバック命令の感知に応答して、前記タグを前記第２のタッチスクリーンから除去するステップと、を含むことを特徴とする、コンピュータ可読媒体。
【請求項１１１】
コンピュータにより実行可能であるように構成されるプログラムを記憶するメモリを含み、
前記プログラムは、
第１のタッチスクリーンを含む第１のパネルと第２のタッチスクリーンを含む第２のパネルが広げられている状態で、第１のタッチスクリーンに電子ブックコンテンツの第１のページ及び前ページのエッジラインを表示し、第２のタッチスクリーンに前記電子ブックコンテンツの第２のページ及び後ページのエッジラインを表示するステップと、
前記第１及び第２のパネルが所定の範囲内の第１の角度だけ外側に折り畳まれた後に、所定の有効時間内に復旧される第１のフォールディングバック命令を感知するステップと、
前記第１のフォールディングバック命令の感知に応答して、前記後ページのエッジラインのうち、少なくとも一部のエッジラインに添付されたタグを前記第２のタッチスクリーンに表示するステップと、を含み、前記各タグは、ユーザにより指定されたページのエッジラインに位置して、前記ページ及び前記エッジラインと視覚的に区分されることを特徴とする、コンピュータ可読媒体。
【請求項１１２】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンに画像会議アプリケーションにより提供される画像会議に関連した第１の参加者リスト領域と、基本情報領域と、会議リスタートキーと、新たな会議生成キーのうち少なくとも１つを表示するステップと、前記第１の参加者リスト領域は、前記画像会議に参加する参加者の名前とピクチャーイメージを含み、前記基本情報領域は、会議日付と会議開始及び終了時間と前記画像会議に使用される文書ファイルの名前を表示し、
第２のタッチスクリーンに前記画像会議アプリケーションにより提供されることができる複数の画像会議を示す会議アイテムの少なくとも一部を配列する画像会議リストを表示するステップと、前記各会議アイテムは、画像会議の題目、開始時間、発議者、参加者数、進行時間のうち少なくとも１つを含み、
前記会議リスタートキー上で第１のタッチジェスチャーを感知するステップと、
前記第１のタッチジェスチャーの感知に応答して、前記第１のタッチスクリーンに前記第１の参加者リスト領域から拡張された第２の参加者リスト領域を表示し、前記第２のタッチスクリーンに前記画像会議に使用される文書ファイルの内容を含む第１の共有ボード領域を表示するステップと、を含み、
前記第２の参加者リスト領域は、前記参加者に対して前記第１の参加者リスト領域に比べてより大きいピクチャーイメージを含むことを特徴とする制御方法。
【請求項１１３】
タッチスクリーンディスプレイを設ける携帯機器の制御方法であって、
第１のタッチスクリーンに、画像会議に参加する参加者それぞれの名前とピクチャーイメージを含む第１の参加者リスト領域を表示するステップと、
第２のタッチスクリーンに前記画像会議に参照される第１の共有ボード領域を表示するステップと、を含み、
前記第１の共有ボード領域は、前記画像会議に参照される文書ファイルの内容と前記参加者により入力された手描きオブジェクトを表示するホワイトボード領域のうち少なくとも１つを提供することを特徴とする制御方法。
【請求項１１４】
前記第２のタッチスクリーンに、進行中の複数の画像会議を示す会議アイテムの少なくとも一部を配列する画像会議リストを表示するステップと、前記各会議アイテムは、画像会議の題目、開始時間、発議者、参加者数、進行時間のうち少なくとも１つを含み、
前記第１のタッチスクリーンに前記画像会議リストのうち選択された第１の会議アイテムの画像会議に関連した第２の参加者リスト領域と基本情報領域と会議リスタートキー及び新たな会議生成キーのうち少なくとも１つを表示するステップと、
前記第２の参加者リスト領域は、第１の参加者リスト領域に比べて縮小されたサイズのピクチャーイメージを含み、前記基本情報領域は、前記第１の会議アイテムの画像会議に対する会議日付と会議開始及び終了時間と前記画像会議に参照される文書ファイルの名前のうち少なくとも１つを含み、
前記会議リスタートキー上で第１のタッチジェスチャーを感知するステップと、
前記第１のタッチジェスチャーの感知に応答して、前記第１のタッチスクリーンに前記第１の参加者リストを表示し、前記第２のタッチスクリーンに前記第１の共有ボード領域を表示するステップと、をさらに含むことを特徴とする請求項１１３に記載の制御方法。
【請求項１１５】
前記第１及び第２のタッチスクリーンが折り畳み可能な第１及び第２のパネル上に設けられる場合、前記第１のタッチスクリーンを含む第１のパネルが後方に折り畳まれるフォールドアウト命令を感知するステップと、
前記フォールドアウト命令の感知に応答して、前記第２のタッチスクリーンに前記第１の参加者リスト領域から縮小された第２の参加者リスト領域と前記第１の共有ボード領域から縮小された第２の共有ボード領域を表示し、前記第１のタッチスクリーンをターンオフするステップと、を含み、
前記第２の参加者リスト領域は、前記第１の参加者リスト領域に比べて縮小されたサイズのピクチャーイメージを含むことを特徴とする請求項１１３に記載の制御方法。
【請求項１１６】
前記第２の参加者リスト領域及び前記第２の共有ボード領域と共に、前記第２の参加者リスト領域の拡張を選択することができる参加者リスト選択キーと、前記第２の共有ボード領域を表示するか否かを選択することができる共有ボード選択キーを前記第２のタッチスクリーンに表示するステップと、
前記参加者リスト選択キー上で第１のタップジェスチャーを感知するステップと、
前記第１のタップジェスチャーの感知に応答して、前記第２のタッチスクリーンの前記第２の参加者リスト領域と前記第２の共有ボード領域を、前記第２の参加者リスト領域から拡張された第３の参加者リスト領域に置き換えて表示するステップと、を含み、
前記第３の参加者リスト領域は、前記第２の参加者リスト領域に比べてより大きいピクチャーイメージを含むことを特徴とする請求項１１５に記載の制御方法。
【請求項１１７】
前記共有ボード選択キー上で第２のタップジェスチャーを感知するステップと、
前記第２のタップジェスチャーの感知に応答して、前記第２のタッチスクリーンの前記第２の参加者リスト領域と前記第２の共有ボード領域を、前記第２の参加者リスト領域から縮小された第３の参加者リスト領域と前記第２の共有ボード領域から拡張された第３の共有ボード領域に置き換えて表示するステップと、をさらに含み、
前記第３の参加者リスト領域は、各参加者に対する名前と前記第２の参加者リスト領域に比べて小さいピクチャーイメージのうち少なくとも１つを含むことを特徴とする請求項１１５に記載の制御方法。
【請求項１１８】
前記第２のタッチスクリーンに、前記第１の共有ボード領域と共に前記第１の共有ボード領域を文書ファイルの表示で使用するように選択するための文書ファイル選択キーとホワイトボード領域で使用するように選択するためのホワイトボードキーを表示するステップと、
前記ホワイトボードキー上でタップジェスチャーを感知するステップと、
前記タップジェスチャーの感知に応答して、前記第１の共有ボード領域にホワイトボード領域を表示するステップと、を含み、
前記ホワイトボード領域は、ユーザのタッチによる手描きオブジェクトの入力を許容し、ユーザを含む前記参加者により入力された手描きオブジェクトを表示し、前記参加者により入力される手描きオブジェクトは、各参加者別に相異なるカラーを有することを特徴とする請求項１１３に記載の制御方法。
【請求項１１９】
前記第１の参加者リスト領域に含まれる前記参加者に対するピクチャーイメージ上に、該当する手描きオブジェクトのカラーを示すカラー指示子を表示するステップを含み、
前記各カラー指示子は、該当参加者の手描きオブジェクトが入力されている間にちらついて表示されることを特徴とする請求項１１８に記載の制御方法。
【請求項１２０】
前記第１のタッチスクリーンに前記第１の参加者リスト領域と共に新たな参加者を追加するための参加者追加キーをさらに表示するステップと、
前記参加者追加キー上で第１のタップジェスチャーを感知するステップと、
前記第１のタップジェスチャーの感知に応答して、前記画像会議に参席可能な人物の人リストを含む連絡先ウィンドウを前記第１のタッチスクリーンに表示するステップと、前記人リストは、各人物の人物名前とチェックボックスを含み、前記連絡先ウィンドウは、前記人リストと追加キーを含み、
前記人リスト内の少なくとも１つの人物に対するチェックボックスがチェックされた以後に前記追加キー上で第２のタップジェスチャーを感知するステップと、
前記第２のタップジェスチャーの感知に応答して、前記第１の参加者リスト領域に前記連絡先ウィンドウでチェックされた少なくとも１つの人物の名前及びピクチャーイメージを新たな参加者として含めて表示するステップと、を含むことを特徴とする請求項１１３に記載の制御方法。
【請求項１２１】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに画像会議アプリケーションにより提供される画像会議に関連した第１の参加者リスト領域と、基本情報領域と、会議リスタートキーと、新たな会議生成キーのうち少なくとも１つを表示するステップと、前記第１の参加者リスト領域は、前記画像会議に参加する参加者の名前とピクチャーイメージを含み、前記基本情報領域は、会議日付と会議開始及び終了時間と前記画像会議に使用される文書ファイルの名前を表示し、
前記第２のタッチスクリーンに前記画像会議アプリケーションにより提供されることができる複数の画像会議を示す会議アイテムの少なくとも一部を含む画像会議リストを表示するステップと、前記各会議アイテムは、画像会議の題目、開始時間、発議者、参加者数、進行時間のうち少なくとも１つを含み、
前記会議リスタートキー上で第１のタッチジェスチャーを感知するステップと、
前記第１のタッチジェスチャーの感知に応答して、前記第１のタッチスクリーンに前記第１の参加者リスト領域から拡張された第２の参加者リスト領域を表示し、前記第２のタッチスクリーンに前記画像会議に使用される文書ファイルの内容を含む第１の共有ボード領域を表示するステップと、を含み、
前記第２の参加者リスト領域は、前記参加者に対して前記第１の参加者リスト領域に比べてより大きいピクチャーイメージを含むことを特徴とする携帯機器。
【請求項１２２】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに、画像会議に参加する参加者それぞれの名前とピクチャーイメージを含む第１の参加者リスト領域を表示するステップと、
前記第２のタッチスクリーンに前記画像会議に参照される第１の共有ボード領域を表示するステップと、を含み、
前記第１の共有ボード領域は、前記画像会議に参照される文書ファイルの内容と前記参加者により入力された手描きオブジェクトを表示するホワイトボード領域のうち少なくとも１つを提供することを特徴とする携帯機器。
【請求項１２３】
コンピュータにより実行可能であるように構成されるプログラムを記憶するメモリを含み、
前記プログラムは、
第１のタッチスクリーンに画像会議アプリケーションにより提供される画像会議に関連した第１の参加者リスト領域と、基本情報領域と、会議リスタートキーと、新たな会議生成キーのうち少なくとも１つを表示するステップと、前記第１の参加者リスト領域は、前記画像会議に参加する参加者の名前とピクチャーイメージを含み、前記基本情報領域は、会議日付と会議開始及び終了時間と前記画像会議に使用される文書ファイルの名前を表示し、
第２のタッチスクリーンに前記画像会議アプリケーションにより提供されることができる複数の画像会議を示す会議アイテムの少なくとも一部を配列する画像会議リストを表示するステップと、前記各会議アイテムは、画像会議の題目、開始時間、発議者、参加者数、進行時間のうち少なくとも１つを含み、
前記会議リスタートキー上で第１のタッチジェスチャーを感知するステップと、
前記第１のタッチジェスチャーの感知に応答して、前記第１のタッチスクリーンに前記第１の参加者リスト領域から拡張された第２の参加者リスト領域を表示し、前記第２のタッチスクリーンに前記画像会議に使用される文書ファイルの内容を含む第１の共有ボード領域を表示するステップと、を含み、
前記第２の参加者リスト領域は、前記参加者に対して前記第１の参加者リスト領域に比べてより大きいピクチャーイメージを含むことを特徴とする、コンピュータ可読媒体。
【請求項１２４】
コンピュータにより実行可能であるように構成されるプログラムを記憶するメモリを含み、
前記プログラムは、
第１のタッチスクリーンに、画像会議に参加する参加者それぞれの名前とピクチャーイメージを含む第１の参加者リスト領域を表示するステップと、
第２のタッチスクリーンに前記画像会議に参照される第１の共有ボード領域を表示するステップと、を含み、
前記第１の共有ボード領域は、前記画像会議に参照される文書ファイルの内容と前記参加者により入力された手描きオブジェクトを表示するホワイトボード領域のうち少なくとも１つを提供することを特徴とする、コンピュータ可読媒体。
【請求項１２５】
折り畳み可能な少なくとも１つのパネル上に配置される第１のタッチスクリーンディスプレイ及び第２のタッチスクリーンディスプレイを設ける携帯機器の制御方法であって、  
第１のタッチスクリーンに、少なくとも１つの他のユーザの携帯機器と連動されゲームを実行するように構成されたコラボレイティブゲームアプリケーションにより提供されるゲーム準備スクリーンを表示するステップと、
前記ゲーム準備スクリーンは、前記携帯機器のユーザと前記他のユーザを示す参加者識別領域とゲーム準備完了を選択するための準備キーと前記ユーザ及び他のユーザを含む参加者と参加対象者のためのチャッティング領域のうち少なくとも１つを含み、
前記準備キー上で第１のタップジェスチャーが感知され、前記すべての参加者が準備状態となったことを感知すると、前記第１のタッチスクリーンに前記ゲーム準備スクリーンを、前記ユーザのためのゲームムインターフェーススクリーンに置き換えて表示し、第２のタッチスクリーンに前記他のユーザのためのゲーム情報を表示するステップと、を含み、
前記ゲームムインターフェーススクリーンは、前記ユーザのチャッティングメッセージを受信し、前記ユーザ及び前記他のユーザのチャッティングメッセージを表示するチャッティング領域と、前記ユーザに与えられたカードを見せる携帯カード領域と、ベッティング金額を表示するベッティング金額領域と、前記ユーザの携帯金額を表示する携帯金額領域及び参加者に提供されていない閉じたカードを含むカードプールを表示する第１のカードスロット領域のうち少なくとも１つを含み、
前記ゲーム情報は、前記ユーザの識別情報を表示する識別領域と、前記ユーザにより選択されたベッティングアイテムを表示するベッティング表示領域と、前記ユーザが前記他のユーザに見せるように選択したカードを見せるオープンカード領域と、前記ユーザの携帯金額を表示する携帯金額領域と、参加者に提供されていない閉じたカードを含むカードプールを表示する第２のカードスロット領域のうち少なくとも１つを含み、
前記ゲームムインターフェーススクリーン及び前記ゲーム情報は、前記第１及び第２のタッチスクリーンが設けられた前記少なくとも１つのパネルがフォールドアウトされた状態で表示されることを特徴とする制御方法。
【請求項１２６】
タッチスクリーンディスプレイを設ける携帯機器の制御方法であって、
第１のタッチスクリーンにコラボレイティブゲームに参加するユーザのためのゲームムインターフェーススクリーンを表示するステップと、
第２のタッチスクリーンに前記コラボレイティブゲームに参加する少なくとも１つの他のユーザのためのゲーム情報を表示するステップと、を含み、
前記ゲームムインターフェーススクリーンは、前記ユーザのチャッティングメッセージを受信し、前記ユーザ及び前記他のユーザのチャッティングメッセージを表示するチャッティング領域と、前記ユーザに与えられたカード(playing card)を見せる携帯カード領域と、ベッティング金額を表示するベッティング金額領域と、前記ユーザの携帯金額を表示する携帯金額領域及びカードプールを表示する第１のカードスロット領域のうち少なくとも１つを含み、
前記ゲーム情報は、前記ユーザの名前及びピクチャーイメージのうち少なくとも１つを表示する識別領域と、前記ユーザにより選択されたベッティングアイテムを表示するベッティング表示領域と、前記ユーザが前記他のユーザに見せるように選択したカードを見せるオープンカード領域と、前記ユーザの携帯金額を表示する携帯金額領域と、カードプールを表示する第２のカードスロット領域のうち少なくとも１つを含み、
前記ゲームムインターフェーススクリーン及び前記ゲーム情報は、前記第１及び第２のタッチスクリーンを含む第１及び第２のパネルがフォールドアウトされた状態で表示されることを特徴とする制御方法。
【請求項１２７】
前記第１のタッチスクリーンに、少なくとも１つの他のユーザの携帯機器と連動されゲームを実行するように構成されたコラボレイティブゲームアプリケーションにより提供されるゲーム準備スクリーンを表示するステップと、
前記ゲーム準備スクリーンは、前記携帯機器のユーザと前記他のユーザそれぞれの名前及びピクチャーイメージのうち少なくとも１つを示す参加者識別領域とゲーム準備完了を選択するための準備キーと前記ユーザ及び他のユーザを含む参加者と参加対象者のためのチャッティング領域のうち少なくとも１つを含み、
前記準備キー上で第１のタップジェスチャーが感知され、前記すべての参加者が準備状態となったことを感知すると、前記第１のタッチスクリーンに前記ゲーム準備スクリーンを表示し、前記第２のタッチスクリーンに前記ゲーム情報を表示することと決定するステップと、をさらに含むことを特徴とする請求項１２６に記載の制御方法。
【請求項１２８】
前記第１のタッチスクリーンに前記ゲーム準備スクリーンが表示される途中、前記第２のタッチスクリーンに前記第１及び第２のタッチスクリーンが備わる前記第１及び第２のパネルをフォールドアウトすることを要請する案内文句を表示するステップをさらに含むことを特徴とする請求項１２７に記載の制御方法。
【請求項１２９】
前記ゲームムインターフェーススクリーン及び前記ゲーム情報は、前記第１及び第２のタッチスクリーンを含む少なくとも１つのパネルがフォールドアウトされることを感知することに応答して表示されることを特徴とする請求項１２６に記載の制御方法。
【請求項１３０】
前記第１及び第２のタッチスクリーンに前記ゲームムインターフェーススクリーン及び前記ゲーム情報を表示する間に前記コラボレイティブゲームの規則によって前記ユーザの順序に到達することを感知すると、前記第１のタッチスクリーン内の予め定められた領域に前記コラボレイティブゲームのためのベッティングアイテムを入力できるベッティング命令ウィンドウを表示するステップと、
前記ベッティング命令ウィンドウに含まれる前記ベッティングアイテムのうちの１つ上で第１のタップジェスチャーを感知するステップと、
前記第１のタップジェスチャーの感知に応答して、前記第２のタッチスクリーンの前記ベッティング表示領域に前記第１のタップジェスチャーにより選択されたベッティングアイテムを表示するステップと、を含むことを特徴とする請求項１２９に記載の制御方法。
【請求項１３１】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに、少なくとも１つの他のユーザの携帯機器と連動されゲームを実行するように構成されたコラボレイティブゲームアプリケーションにより提供されるゲーム準備スクリーンを表示するステップと、
前記ゲーム準備スクリーンは、前記携帯機器のユーザと前記他のユーザを示す参加者識別領域とゲーム準備完了を選択するための準備キーと前記ユーザ及び他のユーザを含む参加者と参加対象者のためのチャッティング領域のうち少なくとも１つを含み、
前記準備キー上で第１のタップジェスチャーが感知され、前記すべての参加者が準備状態となったことを感知すると、前記第１のタッチスクリーンに前記ゲーム準備スクリーンを、前記ユーザのためのゲームムインターフェーススクリーンに置き換えて表示し、前記第２のタッチスクリーンに前記他のユーザのためのゲーム情報を表示するステップと、を含み、
前記ゲームムインターフェーススクリーンは、前記ユーザのチャッティングメッセージを受信し、前記ユーザ及び前記他のユーザのチャッティングメッセージを表示するチャッティング領域と、前記ユーザに与えられたカードを見せる携帯カード領域と、ベッティング金額を表示するベッティング金額領域と、前記ユーザの携帯金額を表示する携帯金額領域及び参加者に提供されていない閉じたカードを含むカードプールを表示する第１のカードスロット領域のうち少なくとも１つを含み、
前記ゲーム情報は、前記ユーザの識別情報を表示する識別領域と、前記ユーザにより選択されたベッティングアイテムを表示するベッティング表示領域と、前記ユーザが前記他のユーザに見せるように選択したカードを見せるオープンカード領域と、前記ユーザの携帯金額を表示する携帯金額領域と、参加者に提供されていない閉じたカードを含むカードプールを表示する第２のカードスロット領域のうち少なくとも１つを含み、
前記ゲームムインターフェーススクリーン及び前記ゲーム情報は、前記第１及び第２のタッチスクリーンが設けられた前記少なくとも１つのパネルがフォールドアウトされた状態で表示されることを特徴とする携帯機器。
【請求項１３２】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンにコラボレイティブゲームに参加するユーザのためのゲームムインターフェーススクリーンを表示するステップと、
前記第２のタッチスクリーンに前記コラボレイティブゲームに参加する少なくとも１つの他のユーザのためのゲーム情報を表示するステップと、を含み、
前記ゲームムインターフェーススクリーンは、前記ユーザのチャッティングメッセージを受信し、前記ユーザ及び前記他のユーザのチャッティングメッセージを表示するチャッティング領域と、  前記ユーザに与えられたカード(playing card)を見せる携帯カード領域と、ベッティング金額を表示するベッティング金額領域と、前記ユーザの携帯金額を表示する携帯金額領域及びカードプールを表示する第１のカードスロット領域のうち少なくとも１つを含み、
前記ゲーム情報は、前記ユーザの名前及びピクチャーイメージのうち少なくとも１つを表示する識別領域と、前記ユーザにより選択されたベッティングアイテムを表示するベッティング表示領域と、前記ユーザが前記他のユーザに見せるように選択したカードを見せるオープンカード領域と、前記ユーザの携帯金額を表示する携帯金額領域と、カードプールを表示する第２のカードスロット領域のうち少なくとも１つを含み、
前記ゲームムインターフェーススクリーン及び前記ゲーム情報は、前記第１及び第２のタッチスクリーンを含む第１及び第２のパネルがフォールドアウトされた状態で表示されることを特徴とする携帯機器。
【請求項１３３】
コンピュータにより実行可能であるように構成されるプログラムを記憶するメモリを含み、
前記プログラムは、
第１のタッチスクリーンに、少なくとも１つの他のユーザの携帯機器と連動されゲームを実行するように構成されたコラボレイティブゲームアプリケーションにより提供されるゲーム準備スクリーンを表示するステップと、
前記ゲーム準備スクリーンは、前記携帯機器のユーザと前記他のユーザを示す参加者識別領域とゲーム準備完了を選択するための準備キーと前記ユーザ及び他のユーザを含む参加者と参加対象者のためのチャッティング領域のうち少なくとも１つを含み、
前記準備キー上で第１のタップジェスチャーが感知され、前記すべての参加者が準備状態となったことを感知すると、前記第１のタッチスクリーンに前記ゲーム準備スクリーンを、前記ユーザのためのゲームムインターフェーススクリーンに置き換えて表示し、第２のタッチスクリーンに前記他のユーザのためのゲーム情報を表示するステップと、を含み、
前記ゲームムインターフェーススクリーンは、前記ユーザのチャッティングメッセージを受信し、前記ユーザ及び前記他のユーザのチャッティングメッセージを表示するチャッティング領域と、前記ユーザに与えられたカードを見せる携帯カード領域と、ベッティング金額を表示するベッティング金額領域と、前記ユーザの携帯金額を表示する携帯金額領域及び参加者に提供されていない閉じたカードを含むカードプールを表示する第１のカードスロット領域のうち少なくとも１つを含み、
前記ゲーム情報は、前記ユーザの識別情報を表示する識別領域と、前記ユーザにより選択されたベッティングアイテムを表示するベッティング表示領域と、前記ユーザが前記他のユーザに見せるように選択したカードを見せるオープンカード領域と、前記ユーザの携帯金額を表示する携帯金額領域と、参加者に提供されていない閉じたカードを含むカードプールを表示する第２のカードスロット領域のうち少なくとも１つを含み、
前記ゲームムインターフェーススクリーン及び前記ゲーム情報は、前記第１及び第２のタッチスクリーンが設けられた前記少なくとも１つのパネルがフォールドアウトされた状態で表示されることを特徴とする、コンピュータ可読媒体。
【請求項１３４】
コンピュータにより実行可能であるように構成されるプログラムを記憶するメモリを含み、
前記プログラムは、
第１のタッチスクリーンにコラボレイティブゲームに参加するユーザのためのゲームムインターフェーススクリーンを表示するステップと、
第２のタッチスクリーンに前記コラボレイティブゲームに参加する少なくとも１つの他のユーザのためのゲーム情報を表示するステップと、を含み、
前記ゲームムインターフェーススクリーンは、前記ユーザのチャッティングメッセージを受信し、前記ユーザ及び前記他のユーザのチャッティングメッセージを表示するチャッティング領域と、前記ユーザに与えられたカード(playing card)を見せる携帯カード領域と、ベッティング金額を表示するベッティング金額領域と、前記ユーザの携帯金額を表示する携帯金額領域及びカードプールを表示する第１のカードスロット領域のうち少なくとも１つを含み、
前記ゲーム情報は、前記ユーザの名前及びピクチャーイメージのうち少なくとも１つを表示する識別領域と、前記ユーザにより選択されたベッティングアイテムを表示するベッティング表示領域と、前記ユーザが前記他のユーザに見せるように選択したカードを見せるオープンカード領域と、前記ユーザの携帯金額を表示する携帯金額領域と、カードプールを表示する第２のカードスロット領域のうち少なくとも１つを含み、
前記ゲームムインターフェーススクリーン及び前記ゲーム情報は、前記第１及び第２のタッチスクリーンを含む第１及び第２のパネルがフォールドアウトされた状態で表示されることを特徴とする、コンピュータ可読媒体。
【請求項１３５】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンが前面に向けるように、前記第１のタッチスクリーンを含む第１のパネルと第２のタッチスクリーンを含む第２のパネルが折り畳まれた(folded)状態で、前記第１のタッチスクリーンに第１の情報を表示し、前記第２のタッチスクリーンをターンオフするステップと、
前記第１及び第２のパネルが広げられて前記第１及び第２のパネル間の相手角度が予め指定された所定の臨界角度に到達する前まで、前記第１のタッチスクリーンの前記第１の情報と前記第２のタッチスクリーンのターンオフを維持するステップと、
前記第１及び第２のパネルがさらに広げられて前記第１及び第２のパネル間の相手角度が前記所定の臨界角度まで増加すると、前記第２のタッチスクリーンをターンオンするステップと、を含み、
前記第２のタッチスクリーンがターンオンされる時、駆動中である第１のアプリケーションが存在する場合、前記第２のタッチスクリーンは、前記第１のアプリケーションを表示し、
前記第２のタッチスクリーンがターンオンされる時、駆動中である他のアプリケーションが存在しない場合、前記第２のタッチスクリーンは、ホームスクリーンとして指定された少なくとも１つのウィジェット領域及び／又はアプリケーションあるいはアプリケーショングループに関連した少なくとも１つのアイコンを含む第１のページと頻繁に使用されるアプリケーションのアイコンを含むドック領域を表示することを特徴とする制御方法。
【請求項１３６】
前記第１及び第２のタッチスクリーンが前面に向けるように前記第１及び第２のパネルが広げられている状態で、前記第１のタッチスクリーンに第２のアプリケーションの第１の情報を表示し、前記第２のタッチスクリーンに前記第２のアプリケーションの第２の情報を表示するステップと、
前記第２のパネルが後面に向けるように前記第１及び第２のパネルが折り畳まれて前記第１及び第２のパネル間の相手角度が予め指定された所定の臨界角度まで減少されると、前記第２のタッチスクリーンをターンオフするステップと、
前記第２のタッチスクリーンがターンオフされる時、前記第１及び第２の情報の中メインスクリーンとして表示されるように予め指定された第２の情報が前記第１のタッチスクリーンに前記第１の情報の代わりに表示され、
前記第２のタッチスクリーンがターンオフされた以後に前記相手角度が前記臨界角度と実質的に１８０°間の範囲内にある間に、前記第１のタッチスクリーンの前記第１の情報と前記第２のタッチスクリーンのターンオフを維持するステップと、をさらに含むことを特徴とする請求項１３５に記載の制御方法。
【請求項１３７】
前記第１及び第２のタッチスクリーンが前面に向けるように前記第１及び第２のパネルが広げられている状態で、前記第１のタッチスクリーンに第２のアプリケーションを表示し、前記第２のタッチスクリーンに第３のアプリケーションを表示するステップと、
前記第２のパネルが後面に向けるように前記第１及び第２のパネルが折り畳まれて前記第１及び第２のパネル間の相手角度が予め指定された所定の臨界角度まで減少されると、前記第２のタッチスクリーンをターンオフするステップと、
前記第２のタッチスクリーンがターンオフされた以後に前記相手角度が前記臨界角度と実質的に１８０°間の範囲内にある間に、前記第１のタッチスクリーンの前記第２のアプリケーションと前記第２のタッチスクリーンのターンオフを維持するステップと、をさらに含むことを特徴とする請求項１３５に記載の制御方法。
【請求項１３８】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンが前面に向けるように、前記第１のタッチスクリーンを含む第１のパネルと前記第２のタッチスクリーンを含む第２のパネルが折り畳まれた(folded)状態で、前記第１のタッチスクリーンに第１の情報を表示し、前記第２のタッチスクリーンをターンオフするステップと、
前記第１及び第２のパネルが広げられて前記第１及び第２のパネル間の相手角度が予め指定された所定の臨界角度に到達する前まで、前記第１のタッチスクリーンの前記第１の情報と前記第２のタッチスクリーンのターンオフを維持するステップと、
前記第１及び第２のパネルがさらに広げられて前記第１及び第２のパネル間の相手角度が前記所定の臨界角度まで増加すると、前記第２のタッチスクリーンをターンオンするステップと、を含み、
前記第２のタッチスクリーンがターンオンされる時、駆動中である第１のアプリケーションが存在する場合、前記第２のタッチスクリーンは、前記第１のアプリケーションを表示し、
前記第２のタッチスクリーンがターンオンされる時、駆動中である他のアプリケーションが存在しない場合、前記第２のタッチスクリーンは、ホームスクリーンとして指定された少なくとも１つのウィジェット領域及び／又はアプリケーションあるいはアプリケーショングループに関連した少なくとも１つのアイコンを含む第１のページと頻繁に使用されるアプリケーションのアイコンを含むドック領域を表示することを特徴とする携帯機器。
【請求項１３９】
コンピュータにより実行可能であるように構成されるプログラムを記憶するメモリを含み、
前記プログラムは、
第１のタッチスクリーンが前面に向けるように、前記第１のタッチスクリーンを含む第１のパネルと第２のタッチスクリーンを含む第２のパネルが折り畳まれた(folded)状態で、前記第１のタッチスクリーンに第１の情報を表示し、前記第２のタッチスクリーンをターンオフするステップと、
前記第１及び第２のパネルが広げられて前記第１及び第２のパネル間の相手角度が予め指定された所定の臨界角度に到達する前まで、前記第１のタッチスクリーンの前記第１の情報と前記第２のタッチスクリーンのターンオフを維持するステップと、
前記第１及び第２のパネルがさらに広げられて前記第１及び第２のパネル間の相手角度が前記所定の臨界角度まで増加すると、前記第２のタッチスクリーンをターンオンするステップと、を含み、
前記第２のタッチスクリーンがターンオンされる時、駆動中である第１のアプリケーションが存在する場合、前記第２のタッチスクリーンは、前記第１のアプリケーションを表示し、
前記第２のタッチスクリーンがターンオンされる時、駆動中である他のアプリケーションが存在しない場合、前記第２のタッチスクリーンは、ホームスクリーンとして指定された少なくとも１つのウィジェット領域及び／又はアプリケーションあるいはアプリケーショングループに関連した少なくとも１つのアイコンを含む第１のページと頻繁に使用されるアプリケーションのアイコンを含むドック領域を表示することを特徴とする、コンピュータ可読媒体。
【請求項１４０】
折り畳み可能な少なくとも１つのパネル上に配置される第１のタッチスクリーンディスプレイ及び第２のタッチスクリーンディスプレイを設ける携帯機器の制御方法であって、
リスト及び格子のうちいずれか１つに属する複数のアイテムの第１及び第２のページを第１及び第２のタッチスクリーンに表示するステップと、
前記第１及び第２のタッチスクリーンのうちいずれか１つで第１のタッチジェスチャーを感知するステップと、
前記第１のタッチジェスチャーの動き方向及び速度に従って前記第１及び第２のタッチスクリーン上のアイテムを共にスクロールするステップと、
前記第１及び第２のタッチスクリーン間の接続部を通過して前記第２のタッチスクリーンから前記第１のタッチスクリーンの方向に移動する第２のタッチジェスチャーを感知するステップと、
前記第２のタッチジェスチャーの感知に応答して、前記リスト及び格子の最後の２ページに到達するまで、前記第１及び第２のタッチスクリーン上のアイテムを共にスクロールするステップと、を含むことを特徴とする制御方法。
【請求項１４１】
前記第１及び第２のタッチジェスチャーは、フリック、スウィップ及びタッチドラッグのうち少なくとも１つを含むことを特徴とする請求項１４０に記載の制御方法。
【請求項１４２】
前記アイテムは、前記第１のタッチジェスチャーにより１ページあるいは２ページ単位でスクロールされることを特徴とする請求項１４０に記載の制御方法。
【請求項１４３】
前記アイテムは、前記第２のタッチジェスチャーの動き方向及び速度に従ってスクロールされることを特徴とする請求項１４０に記載の制御方法。
【請求項１４４】
前記第１のタッチスクリーンが上側に位置し、前記第２のタッチスクリーンが下側に位置する前記携帯機器の横モードで、前記第１及び第２のタッチスクリーンのうちいずれか１つから水平方向に移動する第３のタッチジェスチャーを感知するステップと、
前記第３のタッチジェスチャーにより前記第１及び第２のタッチスクリーン上のアイテムを水平方向に共にスクロールするステップと、をさらに含むことを特徴とする請求項１４０に記載の制御方法。
【請求項１４５】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
リスト及び格子のうちいずれか１つに属する複数のアイテムの第１及び第２のページを前記第１及び第２のタッチスクリーンに表示するステップと、
前記第１及び第２のタッチスクリーンのうちいずれか１つで第１のタッチジェスチャーを感知するステップと、
前記第１のタッチジェスチャーの動き方向及び速度に従って前記第１及び第２のタッチスクリーン上のアイテムを共にスクロールするステップと、
前記第１及び第２のタッチスクリーン間の接続部を通過して前記第２のタッチスクリーンから前記第１のタッチスクリーンの方向に移動する第２のタッチジェスチャーを感知するステップと、
前記第２のタッチジェスチャーの感知に応答して、前記リスト及び格子の最後の２ページに到達するまで、前記第１及び第２のタッチスクリーン上のアイテムを共にスクロールするステップと、を含むことを特徴とする携帯機器。
【請求項１４６】
コンピュータにより実行可能であるように構成されるプログラムを記憶するメモリを含み、
前記プログラムは、
リスト及び格子のうちいずれか１つに属する複数のアイテムの第１及び第２のページを第１及び第２のタッチスクリーンに表示するステップと、
前記第１及び第２のタッチスクリーンのうちいずれか１つで第１のタッチジェスチャーを感知するステップと、
前記第１のタッチジェスチャーの動き方向及び速度に従って前記第１及び第２のタッチスクリーン上のアイテムを共にスクロールするステップと、
前記第１及び第２のタッチスクリーン間の接続部を通過して前記第２のタッチスクリーンから前記第１のタッチスクリーンの方向に移動する第２のタッチジェスチャーを感知するステップと、
前記第２のタッチジェスチャーの感知に応答して、前記リスト及び格子の最後の２ページに到達するまで、前記第１及び第２のタッチスクリーン上のアイテムを共にスクロールするステップと、を含むことを特徴とする、コンピュータ可読媒体。
【請求項１４７】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンにホームスクリーンとして指定された少なくとも１つのウィジェット領域及び／又はアプリケーションあるいはアプリケーショングループに関連した少なくとも１つのショートカットアイコンを含む第１のページを表示するステップと、
第２のタッチスクリーンに、携帯機器に記憶されて実行可能なアプリケーションのショートカットアイコンのリストを表示するステップと、
前記第２のタッチスクリーンに表示されるショートカットアイコンのうちの１つである第１のショートカットアイコン上から開始され、前記第１のタッチスクリーン上の第１の位置で解除される第１のタッチジェスチャーを感知するステップと、
前記第１のタッチジェスチャーの感知に応答して、前記第１のタッチスクリーン上の前記第１の位置に前記第１のショートカットアイコンのコピーである第２のショートカットアイコンを表示するステップと、
前記第２のショートカットアイコンをホームスクリーンで指定して記憶するステップを表示するステップと、を含むことを特徴とする制御方法。
【請求項１４８】
前記第１のタッチスクリーン上でショートカットアイコン追加のための第１の命令を感知するステップと、
前記第１の命令の感知に応答して、前記第２のタッチスクリーンに前記ショートカットアイコンのリストを表示することと決定するステップと、をさらに含むことを特徴とする請求項１４７に記載の制御方法。
【請求項１４９】
前記第１の命令は、前記第１のタッチスクリーン上の任意の位置で発生するロングタップを含むことを特徴とする請求項１４８に記載の制御方法。
【請求項１５０】
前記第１の命令を感知するステップは、
前記第１のタッチスクリーン上の任意の位置でロングタップを感知するステップと、
前記ロングタップの感知に応答して、前記第１のタッチスクリーンにアイコン追加のためのショートカットアイコンアイテムを少なくとも含むポップアップウィンドウを表示するステップと、
前記ショートカットアイコンアイテム上で第１のタップジェスチャーを感知すると、前記第１のタッチスクリーンにアプリケーションメニューアイテムを少なくとも含むショートカットアイコン選択ウィンドウを表示するステップと、
前記アプリケーションメニューアイテム上で第２のタップジェスチャーが感知されると、前記第１のタッチスクリーンに前記ホームスクリーンの第１のページを表示し、前記第２のタッチスクリーンに前記アプリケーションのショートカットアイコンを表示するステップと、を含むことを特徴とする請求項１４８に記載の制御方法。
【請求項１５１】
前記第１のタッチジェスチャーは、タッチドラッグアンドドロップを含むことを特徴とする請求項１４７に記載の制御方法。
【請求項１５２】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンにホームスクリーンとして指定された少なくとも１つのウィジェット領域及び／又はアプリケーションあるいはアプリケーショングループに関連した少なくとも１つのショートカットアイコンを含む第１のページを表示するステップと、
前記第２のタッチスクリーンに、前記メモリに記憶されて前記プロセッサにより実行可能なアプリケーションのショートカットアイコンのリストを表示するステップと、
前記第２のタッチスクリーンに表示されるショートカットアイコンのうちの１つである第１のショートカットアイコン上から開始され、前記第１のタッチスクリーン上の第１の位置で解除される第１のタッチジェスチャーを感知するステップと、
前記第１のタッチジェスチャーの感知に応答して、前記第１のタッチスクリーン上の前記第１の位置に前記第１のショートカットアイコンのコピーである第２のショートカットアイコンを表示するステップと、
前記第２のショートカットアイコンをホームスクリーンで指定して記憶するステップを表示するステップと、を含むことを特徴とする携帯機器。
【請求項１５３】
コンピュータにより実行可能であるように構成されるプログラムを記憶するメモリを含み、
前記プログラムは、
第１のタッチスクリーンにホームスクリーンとして指定された少なくとも１つのウィジェット領域及び／又はアプリケーションあるいはアプリケーショングループに関連した少なくとも１つのショートカットアイコンを含む第１のページを表示するステップと、
第２のタッチスクリーンに、前記メモリに記憶されてプロセッサにより実行可能なアプリケーションのショートカットアイコンのリストを表示するステップと、
前記第２のタッチスクリーンに表示されるショートカットアイコンのうちの１つである第１のショートカットアイコン上から開始され、前記第１のタッチスクリーン上の第１の位置で解除される第１のタッチジェスチャーを感知するステップと、
前記第１のタッチジェスチャーの感知に応答して、前記第１のタッチスクリーン上の前記第１の位置に前記第１のショートカットアイコンのコピーである第２のショートカットアイコンを表示するステップと、
前記第２のショートカットアイコンをホームスクリーンで指定して記憶するステップを表示するステップと、を含むことを特徴とする、コンピュータ可読媒体。
【請求項１５４】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンにテキスト入力領域を表示し、第２のタッチスクリーンに第１の情報を表示するステップと、
前記第１のタッチスクリーンの前記テキスト入力領域上でタッチジェスチャーが感知されると、第２のタッチスクリーンの一部あるいは全体にテキスト入力のための仮想キーパッドを表示するステップと、を含み、
前記仮想キーパッドは、前記第１のタッチスクリーンが上側に位置し、前記第２のタッチスクリーンが下側に位置する前記携帯機器の横モードで提供されることを特徴とする制御方法。
【請求項１５５】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンにテキスト入力領域を表示し、前記第２のタッチスクリーンに第１の情報を表示するステップと、
前記第１のタッチスクリーンの前記テキスト入力領域上でタッチジェスチャーが感知されると、第２のタッチスクリーンの一部あるいは全体にテキスト入力のための仮想キーパッドを表示するステップと、を含み、
前記仮想キーパッドは、前記第１のタッチスクリーンが上側に位置し、前記第２のタッチスクリーンが下側に位置する携帯機器の横モードで提供されることを特徴とする携帯機器。
【請求項１５６】
コンピュータにより実行可能であるように構成されるプログラムを記憶するメモリを含み、
前記プログラムは、
前記第１のタッチスクリーンにテキスト入力領域を表示し、前記第２のタッチスクリーンに第１の情報を表示するステップと、
前記第１のタッチスクリーンの前記テキスト入力領域上でタッチジェスチャーが感知されると、第２のタッチスクリーンの一部あるいは全体にテキスト入力のための仮想キーパッドを表示するステップと、を含み、
前記仮想キーパッドは、前記第１のタッチスクリーンが上側に位置し、前記第２のタッチスクリーンが下側に位置する携帯機器の横モードで提供されることを特徴とする、コンピュータ可読媒体。
【請求項１５７】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンに第１の情報を表示し、第２のタッチスクリーンにテキスト入力領域を表示するステップと、
前記第２のタッチスクリーンの前記テキスト入力領域上でタッチジェスチャーが感知されると、第２のタッチスクリーンの予め定められる一部領域にテキスト入力のための仮想キーパッドを表示するステップと、を含み、
前記仮想キーパッドは、前記第１のタッチスクリーンが上側に位置し、前記第２のタッチスクリーンが下側に位置する前記携帯機器の横モードで提供されることを特徴とする制御方法。
【請求項１５８】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに第１の情報を表示し、前記第２のタッチスクリーンにテキスト入力領域を表示するステップと、
前記第２のタッチスクリーンの前記テキスト入力領域上でタッチジェスチャーが感知されると、第２のタッチスクリーンの予め定められる一部領域にテキスト入力のための仮想キーパッドを表示するステップと、を含み、
前記仮想キーパッドは、前記第１のタッチスクリーンが上側に位置し、前記第２のタッチスクリーンが下側に位置する携帯機器の横モードで提供されることを特徴とする携帯機器。
【請求項１５９】
コンピュータにより実行可能であるように構成されるプログラムを記憶するメモリを含み、
前記プログラムは、
第１のタッチスクリーンに第１の情報を表示し、第２のタッチスクリーンにテキスト入力領域を表示するステップと、
前記第２のタッチスクリーンの前記テキスト入力領域上でタッチジェスチャーが感知されると、第２のタッチスクリーンの予め定められる一部領域にテキスト入力のための仮想キーパッドを表示するステップと、を含み、
前記仮想キーパッドは、前記第１のタッチスクリーンが上側に位置し、前記第２のタッチスクリーンが下側に位置する携帯機器の横モードで提供されることを特徴とする、コンピュータ可読媒体。
【請求項１６０】
折り畳み可能な少なくとも１つのパネル上に配置される第１のタッチスクリーンディスプレイ及び第２のタッチスクリーンディスプレイを設ける携帯機器の制御方法であって、
第１及び第２のタッチスクリーンのうちの１つのタッチスクリーンにテキスト入力領域を表示するステップと、
前記テキスト入力領域上でタッチジェスチャーが感知されると、前記テキスト入力領域に位置するタッチスクリーンの下側に仮想キーパッドを表示するステップと、をさらに含み、
前記仮想キーパッドは、前記第１及び第２のタッチスクリーンが縦で配置される前記携帯機器の縦モードで提供されることを特徴とする制御方法。
【請求項１６１】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１及び第２のタッチスクリーンのうちの１つのタッチスクリーンにテキスト入力領域を表示するステップと、
前記テキスト入力領域上でタッチジェスチャーが感知されると、前記テキスト入力領域に位置するタッチスクリーンの下側に仮想キーパッドを表示するステップと、をさらに含み、
前記仮想キーパッドは、前記第１及び第２のタッチスクリーンが縦で配置される携帯機器の縦モードで提供されることを特徴とする携帯機器。
【請求項１６２】
コンピュータにより実行可能であるように構成されるプログラムを記憶するメモリを含み、
前記プログラムは、
第１及び第２のタッチスクリーンのうちの１つのタッチスクリーンにテキスト入力領域を表示するステップと、
前記テキスト入力領域上でタッチジェスチャーが感知されると、前記テキスト入力領域に位置するタッチスクリーンの下側に仮想キーパッドを表示するステップと、をさらに含み、
前記仮想キーパッドは、前記第１及び第２のタッチスクリーンが縦で配置される携帯機器の縦モードで提供されることを特徴とする、コンピュータ可読媒体。
【請求項１６３】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンに第１の情報を表示し、第２のタッチスクリーンに第２の情報を表示するステップと、
前記第１のタッチスクリーン上から開始され、前記第２のタッチスクリーン上で解除される複数のタッチで構成されたタッチジェスチャーを感知するステップと、
前記タッチジェスチャーの感知に応答して、前記第１の情報を拡張して前記第１及び第２のタッチスクリーンに表示するステップと、を含むことを特徴とする制御方法。
【請求項１６４】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに第１の情報を表示し、前記第２のタッチスクリーンに第２の情報を表示するステップと、
前記第１のタッチスクリーン上から開始され、前記第２のタッチスクリーン上で解除される複数のタッチで構成されたタッチジェスチャーを感知するステップと、
前記タッチジェスチャーの感知に応答して、前記第１の情報を拡張して前記第１及び第２のタッチスクリーンに表示するステップと、を含むことを特徴とする携帯機器。
【請求項１６５】
コンピュータにより実行可能であるように構成されるプログラムを記憶するメモリを含み、
前記プログラムは、
第１のタッチスクリーンに第１の情報を表示し、第２のタッチスクリーンに第２の情報を表示するステップと、
前記第１のタッチスクリーン上から開始され、前記第２のタッチスクリーン上で解除される複数のタッチで構成されたタッチジェスチャーを感知するステップと、
前記タッチジェスチャーの感知に応答して、前記第１の情報を拡張して前記第１及び第２のタッチスクリーンに表示するステップと、を含むことを特徴とする、コンピュータ可読媒体。
【請求項１６６】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンに第１の情報を表示し、第２のタッチスクリーンに第２の情報を表示するステップと、
前記第１及び第２のタッチスクリーン上でそれぞれ開始され前記第１及び第２のタッチスクリーン間のヒンジで解除される２個のタッチで構成されたタッチジェスチャーを感知するステップと、
前記タッチジェスチャーの感知に応答して、前記第１のタッチスクリーンの前記第１の情報と前記第２のタッチスクリーンの前記第２の情報を交換(swap)するステップと、を含み、
前記第１及び第２の情報は、相異なるアプリケーションにより提供されることを特徴とする制御方法。
【請求項１６７】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに第１の情報を表示し、前記第２のタッチスクリーンに第２の情報を表示するステップと、
前記第１及び第２のタッチスクリーン上でそれぞれ開始され前記第１及び第２のタッチスクリーン間のヒンジで解除される２個のタッチで構成されたタッチジェスチャーを感知するステップと、
前記タッチジェスチャーの感知に応答して、前記第１のタッチスクリーンの前記第１の情報と前記第２のタッチスクリーンの前記第２の情報を交換(swap)するステップと、を含み、
前記第１及び第２の情報は、相異なるアプリケーションにより提供されることを特徴とする携帯機器。
【請求項１６８】
コンピュータにより実行可能であるように構成されるプログラムを記憶するメモリを含み、
前記プログラムは、
第１のタッチスクリーンに第１の情報を表示し、第２のタッチスクリーンに第２の情報を表示するステップと、
前記第１及び第２のタッチスクリーン上でそれぞれ開始され前記第１及び第２のタッチスクリーン間のヒンジで解除される２個のタッチで構成されたタッチジェスチャーを感知するステップと、
前記タッチジェスチャーの感知に応答して、前記第１のタッチスクリーンの前記第１の情報と前記第２のタッチスクリーンの前記第２の情報を交換(swap)するステップと、を含み、
前記第１及び第２の情報は、相異なるアプリケーションにより提供されることを特徴とする、コンピュータ可読媒体。
【請求項１６９】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンに第１の情報を表示し、第２のタッチスクリーンに第２の情報を表示する間に、ピンチズームインジェスチャーを感知するステップと、前記ピンチズームインジェスチャーは、第１及び第２のタッチを含み、前記第１及び第２のタッチは、前記第１のタッチスクリーン上から開始され、前記第１のタッチは、前記第１のタッチスクリーンで解除され、前記第２のタッチは、前記第２のタッチスクリーンで解除され、
前記ピンチズームインジェスチャーの感知に応答して、前記第１のタッチスクリーンの前記第１の情報を前記第１及び第２のタッチスクリーンの両側に表示されるように拡張するステップと、
前記第１及び第２のタッチスクリーンに前記第１の情報を表示する間に、ピンチズームアウトジェスチャーを感知するステップと、前記ピンチズームインジェスチャーは、第３及び第４のタッチを含み、前記第３及び第４のタッチは、前記第１及び第２のタッチスクリーンでそれぞれ開始され、前記第２のタッチスクリーンで解除され、
前記ピンチズームアウトジェスチャーの感知に応答して、前記第１の情報を前記第２のタッチスクリーンに表示されるように縮小するステップと、を含むことを特徴とする制御方法。
【請求項１７０】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに第１の情報を表示し、前記第２のタッチスクリーンに第２の情報を表示する間に、ピンチズームインジェスチャーを感知するステップと、  前記ピンチズームインジェスチャーは、第１及び第２のタッチを含み、前記第１及び第２のタッチは、前記第１のタッチスクリーン上から開始され、前記第１のタッチは、前記第１のタッチスクリーンで解除され、前記第２のタッチは、前記第２のタッチスクリーンで解除され、
前記ピンチズームインジェスチャーの感知に応答して、前記第１のタッチスクリーンの前記第１の情報を前記第１及び第２のタッチスクリーンの両側に表示されるように拡張するステップと、
前記第１及び第２のタッチスクリーンに前記第１の情報を表示する間に、ピンチズームアウトジェスチャーを感知するステップと、前記ピンチズームインジェスチャーは、第３及び第４のタッチを含み、前記第３及び第４のタッチは、前記第１及び第２のタッチスクリーンでそれぞれ開始され、前記第２のタッチスクリーンで解除され、
前記ピンチズームアウトジェスチャーの感知に応答して、前記第１の情報を前記第２のタッチスクリーンに表示されるように縮小するステップと、を含むことを特徴とする携帯機器。
【請求項１７１】
コンピュータにより実行可能であるように構成されるプログラムを記憶するメモリを含み、
前記プログラムは、
第１のタッチスクリーンに第１の情報を表示し、第２のタッチスクリーンに第２の情報を表示する間に、ピンチズームインジェスチャーを感知するステップと、前記ピンチズームインジェスチャーは、第１及び第２のタッチを含み、前記第１及び第２のタッチは、前記第１のタッチスクリーン上から開始され、前記第１のタッチは、前記第１のタッチスクリーンで解除され、前記第２のタッチは、前記第２のタッチスクリーンで解除され、
前記ピンチズームインジェスチャーの感知に応答して、前記第１のタッチスクリーンの前記第１の情報を前記第１及び第２のタッチスクリーンの両側に表示されるように拡張するステップと、
前記第１及び第２のタッチスクリーンに前記第１の情報を表示する間に、ピンチズームアウトジェスチャーを感知するステップと、前記ピンチズームインジェスチャーは、第３及び第４のタッチを含み、前記第３及び第４のタッチは、前記第１及び第２のタッチスクリーンでそれぞれ開始され、前記第２のタッチスクリーンで解除され、
前記ピンチズームアウトジェスチャーの感知に応答して、前記第１の情報を前記第２のタッチスクリーンに表示されるように縮小するステップと、を含むことを特徴とする、コンピュータ可読媒体。
【請求項１７２】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンに、月モード、週モード、日モード、リストモードのうちの１つを選択するためのビューモード選択領域と、月モード、週モード、日モード、リストモードのうち少なくとも１つのカレンダー領域を表示するステップと、
第２のタッチスクリーンに前記カレンダー領域に含まれる少なくとも１つの日付に登録されたイベントアイテムを含むイベントリストを表示するステップと、
前記イベントリスト内の第１のイベントアイテム上で第１のタッチジェスチャーを感知するステップと、
前記第１のタッチジェスチャーの感知に応答して、前記第２のタッチスクリーンの前記イベントリストを、前記第１のイベントアイテムに対する詳細情報に置き換えて表示するステップと、
前記第１のタッチスクリーンに前記カレンダー領域を表示する間に、前記第１のタッチスクリーンを含む第１のパネルに設けられる第１の物理的なボタンに対する入力を感知するステップと、
前記第１の物理的なボタンに対する入力に応答して、前記第１のタッチスクリーン内の予め定められる領域に第１のメニューウィンドウを表示するステップと、前記第１のメニューウィンドウは、新たなイベントの生成のための生成キーと、選択された日付に移動するための移動(Go to)キーと、今日付けに移動するための今日キーと、所望するイベントを検索するための検索キーと、登録されたイベントを削除するための削除キーと、スケジュール管理アプリケーションの設定変更のための設定キーのうち少なくとも１つを含み、
前記第２のタッチスクリーンに前記イベントリストを表示する間に、前記第２のタッチスクリーンを含む第２のパネルに設けられる第２の物理的なボタンに対する入力を感知するステップと、
前記第２の物理的なボタンに対する入力に応答して、前記第２のタッチスクリーン内の予め定められる領域に第２のメニューウィンドウを表示するステップと、を含み、  前記第２のメニューウィンドウは、所望するイベントを検索するための検索キーと、登録されたイベントを削除するための削除キーのうち少なくとも１つを含むことを特徴とする制御方法。
【請求項１７３】
タッチスクリーンディスプレイを設ける携帯機器の制御方法であって、
第１のタッチスクリーンに、月モード、週モード、日モード、リストモードのうちの１つを選択するためのビューモード選択領域と、月モード、週モード、日モード、リストモードのうち選択されたモードのカレンダー領域を表示するステップと、
第２のタッチスクリーンに前記カレンダー領域に登録された少なくとも１つのイベントアイテムを含むイベントリストを表示するステップと、
前記イベントリスト内の第１のイベントアイテム上で第１のタッチジェスチャーを感知するステップと、
前記第１のタッチジェスチャーの感知に応答して、前記第２のタッチスクリーンの前記イベントリストを、前記第１のイベントアイテムに対する詳細情報に置き換えて表示するステップと、を含むことを特徴とする制御方法。
【請求項１７４】
前記第１のタッチスクリーンに前記カレンダー領域を表示する間に、前記第１のタッチスクリーンを含む第１のパネルに設けられる物理的なボタンのうちメニューボタンに対する入力を感知するステップと、
前記メニューボタンに対する入力に応答して、前記第１のタッチスクリーン内の予め定められる領域にメニューウィンドウを表示するステップと、を含み、
前記メニューウィンドウは、新たなイベントの生成のための生成キーと、選択された日付に移動するための移動(Go to)キーと、今日付けに移動するための今日キーと、所望するイベントを検索するための検索キーと、登録されたイベントを削除するための削除キーと、設定キーのうち少なくとも１つを含むことを特徴とする請求項１７３に記載の制御方法。
【請求項１７５】
前記第２のタッチスクリーンに前記イベントリストを表示する間に、前記第２のタッチスクリーンを含む第２のパネルに設けられる物理的なボタンのうちメニューボタンに対する入力を感知するステップと、
前記メニューボタンに対する入力に応答して、前記第２のタッチスクリーン内の予め定められる領域にメニューウィンドウを表示するステップと、を含み、前記メニューウィンドウは、所望するイベントを検索するための検索キーと、登録されたイベントを削除するための削除キーのうち少なくとも１つを含むことを特徴とする請求項１７３に記載の制御方法。
【請求項１７６】
前記第１のタッチジェスチャーの感知に応答して、前記第１のタッチスクリーンの前記カレンダー領域を前記イベントリストに置き換えて表示するステップをさらに含むことを特徴とする請求項１７３に記載の制御方法。
【請求項１７７】
前記第２のタッチスクリーンに前記第１のイベントアイテムの詳細情報を表示する間に、前記第２のタッチスクリーンを含む第２のパネルに設けられる物理的なボタンのうちの１つであるメニューボタンに対する入力を感知するステップと、
前記メニューボタンに対する入力に応答して、前記第２のタッチスクリーン内の予め定められる領域にメニューウィンドウを表示するステップと、をさらに含み、
前記メニューウィンドウは、前記第１のイベントアイテムを編集するための編集キーと、前記第１のイベントアイテムを削除するための削除キーと、前記第１のイベントアイテムを受信者に送信するための送信キーと、所望するイベントアイテムを検索するための検索キーと、前記第１のイベントアイテムに対する情報を前記第１のイベントアイテムに対して登録された関連者に送信するための関連者送信キーと、前記第１のイベントアイテムを複数の受信者に送信するためのエクスポート(Export)キーのうち少なくとも１つを含むことを特徴とする請求項１７３に記載の制御方法。
【請求項１７８】
前記第１及び第２のタッチスクリーンに前記カレンダー領域と前記イベントリストを表示する間に、新たなイベントを登録するための第１の命令を感知するステップと、
前記第１の命令の感知に応答して、前記第１のタッチスクリーンに第１のイベント生成ウィンドウを表示し、前記第２のタッチスクリーンに第２のイベント生成ウィンドウを表示するステップと、
前記第１のイベント生成ウィンドウは、イベント題目入力領域と、開始日付入力領域と、終了日付入力領域と、終日選択領域を含み、前記第２のイベント生成ウィンドウは、前記新たなイベントに関連した位置入力領域と、関連者入力領域と、アラーム選択領域と、反復選択領域と、説明入力領域と記憶キーのうち少なくとも１つを含み、
前記入力領域のうち少なくとも１つでタップジェスチャーが感知されると、前記第１及び第２のタッチスクリーン内の予め定められる領域に仮想キーパッドを表示するステップと、を含むことを特徴とする請求項１７３に記載の制御方法。
【請求項１７９】
前記第１の命令は、
前記第２のタッチスクリーンの前記イベントリストの下部に配置される新たなイベント生成キー上でタップジェスチャーを感知することと、
前記カレンダー領域の選択された日付上でタッチアンドホールドを感知することと、
前記第１のタッチスクリーンを含む第１のパネルに設けられる物理的なボタンのうちの１つであるメニューボタンにより呼び出されるメニューウインドウ内の生成キー上でタップジェスチャーを感知することのうち少なくとも１つを含むことを特徴とする請求項１７８に記載の制御方法。
【請求項１８０】
前記メニューウインドウ内の前記削除キー上で第１のタップジェスチャーを感知するステップと、
前記第１のタップジェスチャーの感知に応答して、前記第１のタッチスクリーンの前記カレンダー領域を、イベント削除ウィンドウと削除命令を実行するための削除キーに置き換えて表示するステップと、前記イベント削除ウィンドウは、前記カレンダー領域に含まれる少なくとも１つの日付に登録されたイベントアイテムと前記登録されたイベントアイテムに対するチェックボックスを含み、
前記第１のタップジェスチャーの感知に応答して、前記第２のタッチスクリーンを非活性化するステップと、を含むことを特徴とする請求項１７４に記載の制御方法。
【請求項１８１】
前記メニューウインドウ内の前記削除キー上で第１のタップジェスチャーを感知するステップと、
前記第１のタップジェスチャーの感知に応答して、前記第２のタッチスクリーンの前記イベントリストを、イベント削除ウィンドウと削除命令を実行するための削除キーに置き換えて表示するステップと、前記イベント削除ウィンドウは、前記イベントリストに含まれる少なくとも１つの日付に登録されたイベントアイテムと前記登録されたイベントアイテムに対するチェックボックスを含み、
前記第１のタップジェスチャーの感知に応答して、前記第１のタッチスクリーンを非活性化するステップと、を含むことを特徴とする請求項１７５に記載の制御方法。
【請求項１８２】
前記第１のタッチスクリーンに前記カレンダー領域を表示する間に、前記カレンダー領域上から開始されるピンチズームインジェスチャーを感知するステップと、前記ピンチズームインジェスチャーの第１及び第２のタッチは、前記第１のタッチスクリーンから開始され、前記第１のタッチは、前記第１のタッチスクリーンで解除され、前記第２のタッチは、前記第２のタッチスクリーンで解除され、
前記ピンチズームインジェスチャーによって前記カレンダー領域を拡張して前記第１のタッチスクリーンと前記第２のタッチスクリーンに表示するステップと、前記拡張されたカレンダー領域は、前記拡張以前に比べてより大きいブロックを含み、各ブロック内に登録されたイベントに対してより多くの情報を表示し、
前記拡張されたカレンダー領域上でピンチズームアウトジェスチャーを感知するステップと、前記ピンチズームアウトジェスチャーの第１及び第２のタッチは、前記第１及び第２のタッチスクリーンでそれぞれ開始され、前記第１及び第２のタッチは、前記第１のタッチスクリーンで解除され、
前記ピンチズームアウトジェスチャーによって前記拡張されたカレンダー領域を縮小して前記第１のタッチスクリーンに表示し、前記第２のタッチスクリーンに以前に表示されていた情報を表示するステップと、を含むことを特徴とする請求項１７３に記載の制御方法。
【請求項１８３】
前記拡張されたカレンダー領域に含まれるブロックのうちの１つである第１のブロック上で第１のタップジェスチャーを感知するステップと、
前記第１のタップジェスチャーの感知に応答して、前記第１のブロックに登録されたイベントアイテムに対する詳細情報を含むポップアップウィンドウを前記第１のブロックに隣接するように表示するステップと、
前記ポップアップウィンドウを表示する間に、前記拡張されたカレンダー領域に含まれるブロックのうち他の１つの第２のブロック上で第２のタップジェスチャーを感知すると、前記ポップアップウィンドウを除去するステップと、
前記ポップアップウィンドウを表示する間に、前記第１のタッチスクリーンを含む第１のパネルに設けられる物理的なボタンのうちの１つであるバックボタンに対する入力を感知すると、前記ポップアップウィンドウを除去するステップと、を含むことを特徴とする請求項１８２に記載の制御方法。
【請求項１８４】
前記第１及び第２のタッチスクリーンに前記拡張されたカレンダー領域を表示する間に、新たなイベントを登録するための第１の命令を感知するステップと、
前記第１の命令の感知に応答して、前記第１のタッチスクリーンに第１のイベント生成ウィンドウを表示し、前記第２のタッチスクリーンに第２のイベント生成ウィンドウを表示するステップと、
前記第１のイベント生成ウィンドウは、イベント題目入力領域と、開始日付入力領域と、終了日付入力領域と、終日選択領域のうち少なくとも１つを含み、前記第２のイベント生成ウィンドウは、位置入力領域と、関連者入力領域と、アラーム選択領域と、反復選択領域と、説明入力領域と記憶キーのうち少なくとも１つを含み、
前記入力領域のうち少なくとも１つでタップジェスチャーが感知されると、前記第１及び第２のタッチスクリーン内の予め定められる領域に仮想キーパッドを表示するステップと、を含むことを特徴とする請求項１８２に記載の制御方法。
【請求項１８５】
前記第１の命令は、
前記拡張されたカレンダー領域に含まれるブロックのうちの１つである第１のブロック上でタッチアンドホールドを感知することと、
前記拡張されたカレンダー領域を表示する間に前記第１のタッチスクリーンを含む第１のパネルに設けられる物理的なボタンのうちの１つであるメニューボタンにより呼び出されるメニューウインドウ内の生成キー上でタップジェスチャーを感知することのうち少なくとも１つを含むことを特徴とする請求項１８４に記載の制御方法。
【請求項１８６】
前記第１及び第２のタッチスクリーンに前記拡張されたカレンダー領域を表示する間に、前記第１のタッチスクリーンを含む第１のパネルに設けられる物理的なボタンのうちの１つであるメニューボタンに対する入力に応答してメニューウィンドウを表示するステップと、
前記メニューウィンドウは、新たなイベントの生成のための生成キーと、選択された日付に移動するための移動(Go to)キーと、今日付けに移動するための今日キーと、所望するイベントを検索するための検索キーと、登録されたイベントを削除するための削除キーと、設定キーのうち少なくとも１つを含み、
前記メニューウインドウ内の前記削除キー上でタップジェスチャーを感知するステップと、
前記タップジェスチャーの感知に応答して、前記第１のタッチスクリーンにイベント削除ウィンドウと削除キーを表示するステップと、前記イベント削除ウィンドウは、前記拡張されたカレンダー領域に含まれる少なくとも１つの日付に登録されたイベントアイテムと前記登録されたイベントアイテムに対するチェックボックスを含み、
前記タップジェスチャーの感知に応答して、前記第２のタッチスクリーンを非活性化するステップと、を含むことを特徴とする請求項１８２に記載の制御方法。
【請求項１８７】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに、月モード、週モード、日モード、リストモードのうちの１つを選択するためのビューモード選択領域と、月モード、週モード、日モード、リストモードのうち少なくとも１つのカレンダー領域を表示するステップと、
前記第２のタッチスクリーンに、前記カレンダー領域に含まれる少なくとも１つの日付に登録されたイベントアイテムを含むイベントリストを表示するステップと、
前記イベントリスト内の第１のイベントアイテム上で第１のタッチジェスチャーを感知するステップと、
前記第１のタッチジェスチャーの感知に応答して、前記第２のタッチスクリーンの前記イベントリストを、前記第１のイベントアイテムに対する詳細情報に置き換えて表示するステップと、
前記第１のタッチスクリーンに前記カレンダー領域を表示する間に、前記第１のタッチスクリーンを含む第１のパネルに設けられる第１の物理的なボタンに対する入力を感知するステップと、
前記第１の物理的なボタンに対する入力に応答して、前記第１のタッチスクリーン内の予め定められる領域に第１のメニューウィンドウを表示するステップと、前記第１のメニューウィンドウは、新たなイベントの生成のための生成キーと、選択された日付に移動するための移動(Go to)キーと、今日付けに移動するための今日キーと、所望するイベントを検索するための検索キーと、登録されたイベントを削除するための削除キーと、スケジュール管理アプリケーションの設定変更のための設定キーのうち少なくとも１つを含み、
前記第２のタッチスクリーンに前記イベントリストを表示する間に、前記第２のタッチスクリーンを含む第２のパネルに設けられる第２の物理的なボタンに対する入力を感知するステップと、
前記第２の物理的なボタンに対する入力に応答して、前記第２のタッチスクリーン内の予め定められる領域に第２のメニューウィンドウを表示するステップと、を含み、前記第２のメニューウィンドウは、所望するイベントを検索するための検索キーと、登録されたイベントを削除するための削除キーのうち少なくとも１つを含むことを特徴とする携帯機器。
【請求項１８８】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに、月モード、週モード、日モード、リストモードのうちの１つを選択するためのビューモード選択領域と、月モード、週モード、日モード、リストモードのうち選択されたモードのカレンダー領域を表示するステップと、
前記第２のタッチスクリーンに、前記カレンダー領域に登録された少なくとも１つのイベントアイテムを含むイベントリストを表示するステップと、
前記イベントリスト内の第１のイベントアイテム上で第１のタッチジェスチャーを感知するステップと、
前記第１のタッチジェスチャーの感知に応答して、前記第２のタッチスクリーンの前記イベントリストを、前記第１のイベントアイテムに対する詳細情報に置き換えて表示するステップと、を含むことを特徴とする携帯機器。
【請求項１８９】
コンピュータにより実行可能であるように構成されるプログラムを記憶するメモリを含み、
前記プログラムは、
第１のタッチスクリーンに、月モード、週モード、日モード、リストモードのうちの１つを選択するためのビューモード選択領域と、月モード、週モード、日モード、リストモードのうち少なくとも１つのカレンダー領域を表示するステップと、
第２のタッチスクリーンに前記カレンダー領域に含まれる少なくとも１つの日付に登録されたイベントアイテムを含むイベントリストを表示するステップと、
前記イベントリスト内の第１のイベントアイテム上で第１のタッチジェスチャーを感知するステップと、
前記第１のタッチジェスチャーの感知に応答して、前記第２のタッチスクリーンの前記イベントリストを、前記第１のイベントアイテムに対する詳細情報に置き換えて表示するステップと、
前記第１のタッチスクリーンに前記カレンダー領域を表示する間に、前記第１のタッチスクリーンを含む第１のパネルに設けられる第１の物理的なボタンに対する入力を感知するステップと、
前記第１の物理的なボタンに対する入力に応答して、前記第１のタッチスクリーン内の予め定められる領域に第１のメニューウィンドウを表示するステップと、前記第１のメニューウィンドウは、新たなイベントの生成のための生成キーと、選択された日付に移動するための移動(Go to)キーと、今日付けに移動するための今日キーと、所望するイベントを検索するための検索キーと、登録されたイベントを削除するための削除キーと、スケジュール管理アプリケーションの設定変更のための設定キーのうち少なくとも１つを含み、
前記第２のタッチスクリーンに前記イベントリストを表示する間に、前記第２のタッチスクリーンを含む第２のパネルに設けられる第２の物理的なボタンに対する入力を感知するステップと、
前記第２の物理的なボタンに対する入力に応答して、前記第２のタッチスクリーン内の予め定められる領域に第２のメニューウィンドウを表示するステップと、を含み、前記第２のメニューウィンドウは、所望するイベントを検索するための検索キーと、登録されたイベントを削除するための削除キーのうち少なくとも１つを含むことを特徴とする、コンピュータ可読媒体。
【請求項１９０】
コンピュータにより実行可能であるように構成されるプログラムを記憶するメモリを含み、
前記プログラムは、
第１のタッチスクリーンに、月モード、週モード、日モード、リストモードのうちの１つを選択するためのビューモード選択領域と、月モード、週モード、日モード、リストモードのうち選択されたモードのカレンダー領域を表示するステップと、
第２のタッチスクリーンに前記カレンダー領域に登録された少なくとも１つのイベントアイテムを含むイベントリストを表示するステップと、
前記イベントリスト内の第１のイベントアイテム上で第１のタッチジェスチャーを感知するステップと、
前記第１のタッチジェスチャーの感知に応答して、前記第２のタッチスクリーンの前記イベントリストを、前記第１のイベントアイテムに対する詳細情報に置き換えて表示するステップと、を含むことを特徴とする、コンピュータ可読媒体。
【請求項１９１】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンを含む第１のパネルと第２のタッチスクリーンを含む第２のパネルが広げられている状態で、前記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、前記第２のタッチスクリーンに第１の情報を表示するステップと、
前記通話アプリケーションのアイコン上で第１のタップジェスチャーを感知するステップと、
前記第１のタップジェスチャーの感知に応答して、前記第１のタッチスクリーンの前記ホームスクリーンの第１のページと前記ドック領域を、通話アプリケーションにより提供される発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは前記第１の情報を維持し、前記キーパッド領域を通して電話番号が入力されて前記通話キー上で第２のタップジェスチャーを感知するステップと、
前記第２のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする制御方法。
【請求項１９２】
タッチスクリーンディスプレイを設ける携帯機器の制御方法であって、
第１のタッチスクリーンに第１の情報を表示し、第２のタッチスクリーンに第２の情報を表示する間に発呼要請を感知するステップと、
前記発呼要請の感知に応答して、前記第１のタッチスクリーンの前記第１の情報を発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは、前記第２の情報を維持し、前記キーパッド領域を通して電話番号が入力されて前記通話キー上で第１のタップジェスチャーを感知するステップと、
前記第１のタップジェスチャーの感知に応答して、前記第１のタッチスクリーンの前記発呼スクリーンをダイヤリングスクリーンに置き換えて表示するステップと、前記ダイヤリングスクリーンは、前記入力された電話番号に対応する相手通話者を示す通話者識別領域と通話中機能を提供する機能キー領域を含み、
前記発呼スクリーンを表示する間に、前記第２のタッチスクリーンの前記第２の情報を非活性化して通話のために携帯機器を折り畳むことを勧告する案内メッセージスクリーンを前記第２のタッチスクリーンに表示するステップと、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする制御方法。
【請求項１９３】
前記第１及び第２のタッチスクリーンのうち少なくとも１つに、通話アプリケーションのアイコンを含むドック領域を表示するステップと、
前記通話アプリケーションのアイコン上で第１のタップジェスチャーを感知すると、前記発呼要請が感知されたことに判断するステップと、をさらに含むことを特徴とする請求項１９２に記載の制御方法。
【請求項１９４】
前記第１のタッチスクリーンを含む第１のパネルと前記第２のタッチスクリーンを含む第２のパネルが広げられている状態で前記相手通話者と通話が接続されると、スピーカーフォンモードで通話を接続するステップをさらに含むことを特徴とする請求項１９２に記載の制御方法。
【請求項１９５】
前記相手通話者と通話が接続した以後に前記第１のタッチスクリーンが前面に向けるように前記第１及び第２のパネルがフォールドアウトされることを感知するステップと、
前記フォールドアウトされることの感知に応答して、前記第２のタッチスクリーンをターンオフし、前記スピーカーフォンモードを非活性化させるステップと、を含むことを特徴とする請求項１９４に記載の制御方法。
【請求項１９６】
前記第１のタッチスクリーンに前記発呼スクリーン及び前記通話中のスクリーンのうちの１つが表示される間に、前記第２のタッチスクリーンに前記第２の情報と共に、頻繁に使用されるアプリケーションのショートカットアイコンを含むドック領域を表示するステップをさらに含み、
前記第２のタッチスクリーンに表示される前記第２の情報は、ホームスクリーンとして指定された第１のページを含むことを特徴とする請求項１９２に記載の制御方法。
【請求項１９７】
前記第１のタッチスクリーンに前記通話中のスクリーンが表示され、前記第２のタッチスクリーンに前記ホームスクリーンの第１のページと前記ドック領域を表示する間に前記第１のタッチスクリーンが前面に向けるように前記第１及び第２のパネルがフォールドアウトされることを感知するステップと、
前記フォールドアウトの感知に応答して、前記第２のタッチスクリーンをターンオフし、前記第１のタッチスクリーンの前記通話中のスクリーンを維持するステップと、
前記相手通話者との通話が終了すると、前記第１のタッチスクリーンの前記通話中のスクリーンを、前記ホームスクリーンの第１のページと前記ドック領域に置き換えて表示するステップと、を含むことを特徴とする請求項１９６に記載の制御方法。
【請求項１９８】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンを含む第１のパネルと前記第２のタッチスクリーンを含む第２のパネルが広げられている状態で、前記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、前記第２のタッチスクリーンに第１の情報を表示するステップと、
前記通話アプリケーションのアイコン上で第１のタップジェスチャーを感知するステップと、
前記第１のタップジェスチャーの感知に応答して、前記第１のタッチスクリーンの前記ホームスクリーンの第１のページと前記ドック領域を、通話アプリケーションにより提供される発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは前記第１の情報を維持し、前記キーパッド領域を通して電話番号が入力されて前記通話キー上で第２のタップジェスチャーを感知するステップと、
前記第２のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする携帯機器。
【請求項１９９】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに第１の情報を表示し、前記第２のタッチスクリーンに第２の情報を表示する間に発呼要請を感知するステップと、
前記発呼要請の感知に応答して、前記第１のタッチスクリーンの前記第１の情報を発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは、前記第２の情報を維持し、前記キーパッド領域を通して電話番号が入力されて前記通話キー上で第１のタップジェスチャーを感知するステップと、
前記第１のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、前記入力された電話番号に対応する相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする携帯機器。
【請求項２００】
コンピュータにより実行可能であるように構成されるプログラムを記憶するメモリを含み、
前記プログラムは、
第１のタッチスクリーンを含む第１のパネルと第２のタッチスクリーンを含む第２のパネルが広げられている状態で、前記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、前記第２のタッチスクリーンに第１の情報を表示するステップと、
前記通話アプリケーションのアイコン上で第１のタップジェスチャーを感知するステップと、
前記第１のタップジェスチャーの感知に応答して、前記第１のタッチスクリーンの前記ホームスクリーンの第１のページと前記ドック領域を、通話アプリケーションにより提供される発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは前記第１の情報を維持し、前記キーパッド領域を通して電話番号が入力されて前記通話キー上で第２のタップジェスチャーを感知するステップと、
前記第２のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする、コンピュータ可読媒体。
【請求項２０１】
コンピュータにより実行可能であるように構成されるプログラムを記憶するメモリを含み、
前記プログラムは、
第１のタッチスクリーンに第１の情報を表示し、第２のタッチスクリーンに第２の情報を表示する間に発呼要請を感知するステップと、
前記発呼要請の感知に応答して、前記第１のタッチスクリーンの前記第１の情報を発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは、前記第２の情報を維持し、
前記キーパッド領域を通して電話番号が入力されて前記通話キー上で第１のタップジェスチャーを感知するステップと、
前記第１のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、前記入力された電話番号に対応する相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする、コンピュータ可読媒体。
【請求項２０２】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンを含む第１のパネルと第２のタッチスクリーンを含む第２のパネルが広げられている状態で、前記第１のタッチスクリーンに第１の情報を表示し、前記第２のタッチスクリーンに第２の情報を表示する間に第１の着呼の発生を感知するステップと、
前記第１の着呼の発生に応答して、前記第１のタッチスクリーンの前記第１の情報を、通話アプリケーションにより提供される前記第１の着呼に関連した第１の着呼スクリーンに置き換えて表示するステップと、前記第１の着呼スクリーンは、相手通話者を示す通話者識別領域と着信キーと拒絶メッセージキーのうち少なくとも１つを含み、
前記第１の着呼スクリーンを表示する間に前記第２のタッチスクリーンの前記第２の情報を非活性化して通話のために携帯機器を折り畳むことを勧告する案内メッセージスクリーンを表示するステップと、
前記第１の着呼スクリーン内の前記着信キー上で予め指定された第１のタッチジェスチャーを感知するステップと、
前記第１のタッチジェスチャーの感知に応答して、前記第１のタッチスクリーンの前記第１の着呼スクリーンを通話中のスクリーンに置き換えて表示し、前記第２のタッチスクリーンの前記案内メッセージスクリーンを除去するステップと、前記通話中のスクリーンは、前記相手通話者を示す通話者識別領域と通話時間と通話中機能を提供する機能キー領域を含み、
前記第１の着呼による通話が終了すると、前記第１のタッチスクリーンの前記通話中のスクリーンを前記第１の情報に置き換えて表示するステップと、を含むことを特徴とする制御方法。
【請求項２０３】
タッチスクリーンディスプレイを設ける携帯機器の制御方法であって、
第１のタッチスクリーンに第１の情報を表示し、第２のタッチスクリーンに第２の情報を表示する間に第１の着呼を感知するステップと、
前記第１の着呼の感知に応答して、前記第１のタッチスクリーンの前記第１の情報を、前記第１の着呼に関連した第１の着呼スクリーンに置き換えて表示するステップと、前記第１の着呼スクリーンは、前記第１の着呼に対応する相手通話者を示す通話者識別領域と着信キーと拒絶メッセージキーのうち少なくとも１つを含み、
前記第１の着呼スクリーンを表示する間に前記第２のタッチスクリーンの前記第２の情報を非活性化して通話のために携帯機器を折り畳むことを勧告する案内メッセージスクリーンを表示するステップと、
前記第１の着呼スクリーン内の前記着信キー上で予め指定された第１のタッチジェスチャーを感知するステップと、
前記第１のタッチジェスチャーの感知に応答して、前記第１のタッチスクリーンの前記第１の着呼スクリーンを通話中のスクリーンに置き換えて表示し、前記第２のタッチスクリーンの前記案内メッセージスクリーンを除去するステップと、を含み、前記通話中のスクリーンは、前記相手通話者を示す通話者識別領域と通話時間と通話中機能を提供する機能キー領域を含むことを特徴とする制御方法。
【請求項２０４】
前記第１の着呼による通話が終了すると、前記第１のタッチスクリーンの前記通話中のスクリーンを前記第１の情報に置き換えて表示するステップをさらに含むことを特徴とする請求項２０３に記載の制御方法。
【請求項２０５】
前記第１及び第２のパネルが広げられている状態で前記第１のタッチジェスチャーが感知されると、スピーカーフォンモードで通話を接続するステップをさらに含むことを特徴とする請求項２０３に記載の制御方法。
【請求項２０６】
前記第１の情報が第１のアプリケーションのテキスト入力領域を含む場合、前記第１のタッチジェスチャーの感知に応答して前記第２のタッチスクリーンに前記第１の情報を表示するステップをさらに含むことを特徴とする請求項２０３に記載の制御方法。
【請求項２０７】
前記第１のタッチスクリーンに前記通話中のスクリーンを表示し、前記第２のタッチスクリーンに前記第２の情報を表示する間に、前記第２のパネルに設けられる物理的なボタンのうちの１つであるホームボタンの入力を感知するステップと、
前記ホームボタンの入力に応答して、前記第２のタッチスクリーンの前記第２の情報を、ホームスクリーンとして指定された少なくとも１つのウィジェット領域及び／又はアプリケーションあるいはアプリケーショングループに関連した少なくとも１つのアイコンを含む第１のページと、頻繁に使用されるアプリケーションのアイコンを含むドック領域に置き換えて表示するステップと、をさらに含むことを特徴とする請求項２０３に記載の制御方法。
【請求項２０８】
前記第１のタッチスクリーンに前記第１の着呼スクリーンを表示し、前記第２のタッチスクリーンに前記案内メッセージスクリーンを表示する間に、前記第１の着呼スクリーンの前記拒絶メッセージキー上で予め指定された第２のタッチジェスチャーを感知するステップと、
前記第２のタッチジェスチャーの感知に応答して、前記第１のタッチスクリーンの前記第１の着呼スクリーンを拒絶メッセージススクリーンに置き換えて表示し、前記第２のタッチスクリーンの前記案内メッセージスクリーンを拒絶メッセージ入力のためのテキスト入力領域と仮想キーパッドに置き換えて表示するステップと、前記拒絶メッセージススクリーンは、予め記憶された複数の拒絶メッセージと各拒絶メッセージのための送信キーを含み、
前記送信キーのうちの１つでタップジェスチャーが感知されると、該当する予め記憶された拒絶メッセージを前記第１の着呼の相手通話者に発送するステップと、
前記仮想キーパッドを通して拒絶メッセージが入力されて前記テキスト入力領域に含まれた送信キー上でタップジェスチャーが感知されると、前記入力された拒絶メッセージを前記第１の着呼の相手通話者に発送するステップと、
前記予め記憶された拒絶メッセージあるいは入力された拒絶メッセージが発送された後、前記第１及び第２のタッチスクリーンに前記第１及び第２の情報を表示するステップと、をさらに含むことを特徴とする請求項２０３に記載の制御方法。
【請求項２０９】
前記第１のタッチスクリーンに前記通話中のスクリーンを表示し、前記第２のタッチスクリーンに前記第２の情報を表示する間に第２の着呼を感知するステップと、
前記第２の着呼の感知に応答して、前記第１のタッチスクリーンの前記通話中のスクリーンを前記第２の着呼に関連した第２の着呼スクリーンに置き換えて表示するステップと、前記第２の着呼スクリーンは、前記第２の着呼に関連した相手通話者を示す通話者識別領域と着信キーと拒絶メッセージキーのうち少なくとも１つを含み、
前記第２の着呼スクリーン内の前記着信キー上で予め指定された第２のタッチジェスチャーを感知するステップと、
前記第２のタッチジェスチャーの感知に応答して、前記第１のタッチスクリーンの前記第２の着呼スクリーン上に多重着信選択メニューウィンドウを表示するステップと、前記多重着信選択メニューウィンドウは、前記第１の着呼の通話のための待機キーと終了キーを含み、
前記待機キー上でタップジェスチャーが感知されると、前記第１の着呼を待機させて前記第２の着呼を接続し、前記第１のタッチスクリーンの前記第２の着呼スクリーンを多重通話中のスクリーンに置き換えて表示するステップと、を含み、前記多重通話中のスクリーンは、前記第１及び第２の着呼の相手通話者それぞれに対する通話者識別領域と通話スワップキーと同時通話キーと通話中機能を提供する機能キー領域を含み、
前記第１のタッチスクリーンに前記第２の着呼スクリーン及び前記多重通話中のスクリーンのうちの１つが表示される間に、前記第２のタッチスクリーンは、前記第２の情報を続けて表示することを特徴とする請求項２０３に記載の制御方法。
【請求項２１０】
前記第１のタッチスクリーンが前面に向けるように前記第１のタッチスクリーンを含む第１のパネルと前記第２のタッチスクリーンを含む第２のパネルが折り畳まれた(folded)状態で、前記第１のタッチスクリーンに第１の情報を表示し、前記第２のタッチスクリーンをターンオフする間に第２の着呼を感知するステップと、
前記第２の着呼の感知に応答して、前記第１のタッチスクリーンの前記第１の情報を、通話アプリケーションにより提供される前記第２の着呼に関連した第２の着呼スクリーンに置き換えて表示するステップと、前記第２の着呼スクリーンは、前記第２の着呼に関連した相手通話者を示す通話者識別領域と着信キーと拒絶メッセージキーのうち少なくとも１つを含み、
前記第２のタッチスクリーンが前面に向けるように前記折り畳まれた第１及び第２のパネルのオーバーターンを感知するステップと、
前記オーバーターンの感知に応答して、前記第１のタッチスクリーンをターンオフし、前記第２のタッチスクリーンに拒絶メッセージススクリーンを表示するステップと、を含み、前記拒絶メッセージススクリーンは、予め記憶された複数の拒絶メッセージと各拒絶メッセージのための送信キーを含むことを特徴とする請求項２０３に記載の制御方法。
【請求項２１１】
前記第２のタッチスクリーンに前記拒絶メッセージススクリーンを表示する間に、前記第１及び第２のパネルが広げられることを感知するステップと、
前記広げられる感知に応答して、前記第１のタッチスクリーンに前記拒絶メッセージススクリーンを表示し、前記第２のタッチスクリーンの前記拒絶メッセージススクリーンを拒絶メッセージ入力のためのテキスト入力領域と仮想キーパッドに置き換えて表示するステップと、  前記拒絶メッセージススクリーンは、予め記憶された複数の拒絶メッセージと各拒絶メッセージのための送信キーを含み、
前記送信キーのうちの１つでタップジェスチャーが感知されると、該当する予め記憶された拒絶メッセージを前記第２の着呼の相手通話者に発送するステップと、
前記仮想キーパッドを通して拒絶メッセージが入力されて前記テキスト入力領域に含まれた送信キー上でタップジェスチャーが感知されると、前記入力された拒絶メッセージを前記第２の着呼の相手通話者に発送するステップと、をさらに含むことを特徴とする請求項２１０に記載の制御方法。
【請求項２１２】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンを含む第１のパネルと前記第２のタッチスクリーンを含む第２のパネルが広げられている状態で、前記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、前記第２のタッチスクリーンに第１の情報を表示するステップと、
前記通話アプリケーションのアイコン上で第１のタップジェスチャーを感知するステップと、
前記第１のタップジェスチャーの感知に応答して、前記第１のタッチスクリーンの前記ホームスクリーンの第１のページと前記ドック領域を、通話アプリケーションにより提供される発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは前記第１の情報を維持し、前記キーパッド領域を通して電話番号が入力されて前記通話キー上で第２のタップジェスチャーを感知するステップと、
前記第２のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする携帯機器。
【請求項２１３】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに第１の情報を表示し、前記第２のタッチスクリーンに第２の情報を表示する間に第１の着呼を感知するステップと、
前記第１の着呼の感知に応答して、前記第１のタッチスクリーンの前記第１の情報を、前記第１の着呼に関連した第１の着呼スクリーンに置き換えて表示するステップと、前記第１の着呼スクリーンは、前記第１の着呼に対応する相手通話者を示す通話者識別領域と着信キーと拒絶メッセージキーのうち少なくとも１つを含み、
前記第１の着呼スクリーンを表示する間に前記第２のタッチスクリーンの前記第２の情報を非活性化して通話のために携帯機器を折り畳むことを勧告する案内メッセージスクリーンを表示するステップと、
前記第１の着呼スクリーン内の前記着信キー上で予め指定された第１のタッチジェスチャーを感知するステップと、
前記第１のタッチジェスチャーの感知に応答して、前記第１のタッチスクリーンの前記第１の着呼スクリーンを通話中のスクリーンに置き換えて表示し、前記第２のタッチスクリーンの前記案内メッセージスクリーンを除去するステップと、を含み、前記通話中のスクリーンは、前記相手通話者を示す通話者識別領域と通話時間と通話中機能を提供する機能キー領域を含むことを特徴とする携帯機器。
【請求項２１４】
コンピュータにより実行可能であるように構成されるプログラムを記憶するメモリを含み、
前記プログラムは、
第１のタッチスクリーンを含む第１のパネルと第２のタッチスクリーンを含む第２のパネルが広げられている状態で、前記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、前記第２のタッチスクリーンに第１の情報を表示するステップと、
前記通話アプリケーションのアイコン上で第１のタップジェスチャーを感知するステップと、
前記第１のタップジェスチャーの感知に応答して、前記第１のタッチスクリーンの前記ホームスクリーンの第１のページと前記ドック領域を、通話アプリケーションにより提供される発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは前記第１の情報を維持し、前記キーパッド領域を通して電話番号が入力されて前記通話キー上で第２のタップジェスチャーを感知するステップと、
前記第２のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする、コンピュータ可読媒体。
【請求項２１５】
コンピュータにより実行可能であるように構成されるプログラムを記憶するメモリを含み、
前記プログラムは、
前記第１のタッチスクリーンに第１の情報を表示し、前記第２のタッチスクリーンに第２の情報を表示する間に第１の着呼を感知するステップと、
前記第１の着呼の感知に応答して、前記第１のタッチスクリーンの前記第１の情報を、前記第１の着呼に関連した第１の着呼スクリーンに置き換えて表示するステップと、前記第１の着呼スクリーンは、前記第１の着呼に対応する相手通話者を示す通話者識別領域と着信キーと拒絶メッセージキーのうち少なくとも１つを含み、
前記第１の着呼スクリーンを表示する間に前記第２のタッチスクリーンの前記第２の情報を非活性化して通話のために携帯機器を折り畳むことを勧告する案内メッセージスクリーンを表示するステップと、
前記第１の着呼スクリーン内の前記着信キー上で予め指定された第１のタッチジェスチャーを感知するステップと、
前記第１のタッチジェスチャーの感知に応答して、前記第１のタッチスクリーンの前記第１の着呼スクリーンを通話中のスクリーンに置き換えて表示し、前記第２のタッチスクリーンの前記案内メッセージスクリーンを除去するステップと、を含み、前記通話中のスクリーンは、前記相手通話者を示す通話者識別領域と通話時間と通話中機能を提供する機能キー領域を含むことを特徴とする、コンピュータ可読媒体。
【請求項２１６】
折り畳み可能な少なくとも１つのパネル上に配置される第１のタッチスクリーンディスプレイ及び第２のタッチスクリーンディスプレイを設ける携帯機器の制御方法であって、
携帯機器に設けられた少なくとも１つのカメラモジュールを駆動するための第１の命令を感知するステップと、
前記第１の命令の感知に応答して、第１のタッチスクリーンに前記カメラモジュールによる撮影映像とカメラメニューを表示するステップと、前記カメラメニューは、シャッターボタン、記憶イメージローディングボタン、モード選択ボタン及びフラッシュ選択ボタン、タイマー撮影ボタンのうち少なくとも１つを含み、
前記第１の命令の感知に応答して、第２のタッチスクリーンにカメラモードを変更するためのカメラモードメニューを表示するステップと、前記カメラモードメニューは、前記カメラモジュールを通して場面あるいはモデルを撮影するための基本カメラモードに対応する基本カメラボタンと、前記カメラモジュールを通して前記携帯機器のユーザ自身を撮影するためのセルフカメラモードに対応するセルフカメラボタンと、前記第１及び第２のタッチスクリーンの両側を通して撮影映像を提供するデュアルカメラモードに対応するデュアルカメラボタンと、撮影対象に見られるタッチスクリーンを介して予め指定されたアニメーションを提供するベビーカメラモードに対応するベビーカメラボタンのうち少なくとも１つを含み、
前記基本カメラボタンと前記セルフカメラボタンと前記デュアルカメラボタンと前記ベビーカメラボタンのうちの１つで第１のタップジェスチャーを感知して該当するカメラモードに転換するステップと、
前記第１及び第２のタッチスクリーンを含む第１及び第２のパネルが広げられている状態で、前記撮影映像が前記基本カメラモードで動作する間に前記第１及び第２のパネルが後方に折り畳まれることを感知すると、前記第２のタッチスクリーンをターンオフし、前記第１のタッチスクリーンの前記撮影映像と前記カメラメニューを維持するステップと、
前記第１及び第２のタッチスクリーンを含む第１及び第２のパネルが広げられている状態で、前記撮影映像が前記セルフカメラモードで動作する間に前記第１及び第２のパネルが後方に折り畳まれることを感知すると、前記第１のタッチスクリーンをターンオフし、前記第２のタッチスクリーンに前記撮影映像と前記カメラメニューを表示するステップと、
前記第１及び第２のタッチスクリーンを含む第１及び第２のパネルが広げられている状態で、前記撮影映像が前記デュアルカメラモードで動作する間に前記第１及び第２のパネルが後方に折り畳まれることを感知すると、前記第２のタッチスクリーンに前記撮影映像を表示し、前記第１のタッチスクリーンの前記撮影映像と前記カメラメニューを維持するステップと、
前記第１及び第２のタッチスクリーンを含む第１及び第２のパネルが広げられている状態で、前記撮影映像が前記ベビーカメラモードで動作する間に前記第１及び第２のパネルが後方に折り畳まれることを感知すると、前記第２のタッチスクリーンに予め指定されたアニメーションを表示し、前記第１のタッチスクリーンの前記撮影映像と前記カメラメニューを維持するステップと、を含むことを特徴とする制御方法。
【請求項２１７】
タッチスクリーンディスプレイを設ける携帯機器の制御方法であって、
携帯機器に設けられた少なくとも１つのカメラモジュールを駆動するための第１の命令を感知するステップと、
前記第１の命令の感知に応答して、第１のタッチスクリーンに前記カメラモジュールによる撮影映像とカメラメニューを表示するステップと、前記カメラメニューは、シャッターボタン、記憶イメージローディングボタン、モード選択ボタン及びフラッシュ選択ボタン、タイマー撮影ボタンのうち少なくとも１つを含み、
前記第１の命令の感知に応答して、第２のタッチスクリーンにカメラモードを変更するためのカメラモードメニューを表示するステップと、前記カメラモードメニューは、前記カメラモジュールを通して場面あるいはモデルを撮影するための基本カメラモードに対応する基本カメラボタンと、前記カメラモジュールを通して前記携帯機器のユーザ自身を撮影するためのセルフカメラモードに対応するセルフカメラボタンと、前記第１及び第２のタッチスクリーンの両側を通して撮影映像を提供するデュアルカメラモードに対応するデュアルカメラボタンと、撮影対象に見られるタッチスクリーンを介して予め指定されたアニメーションを提供するベビーカメラモードに対応するベビーカメラボタンのうち少なくとも１つを含み、
前記基本カメラボタンと前記セルフカメラボタンと前記デュアルカメラボタンと前記ベビーカメラボタンのうちの１つで第１のタップジェスチャーを感知して該当するカメラモードに転換するステップと、を含むことを特徴とする制御方法。
【請求項２１８】
前記第１及び第２のタッチスクリーンを含む第１及び第２のパネルが広げられている状態で、前記撮影映像が前記基本カメラモードで動作する間に前記第１及び第２のパネルが後方に折り畳まれることを感知すると、前記第２のタッチスクリーンをターンオフし、前記第１のタッチスクリーンの前記撮影映像と前記カメラメニューを維持するステップと、
前記第１及び第２のタッチスクリーンを含む第１及び第２のパネルが広げられている状態で、前記撮影映像が前記セルフカメラモードで動作する間に前記第１及び第２のパネルが後方に折り畳まれることを感知すると、前記第１のタッチスクリーンをターンオフし、前記第２のタッチスクリーンに前記撮影映像と前記カメラメニューを表示するステップと、
前記第１及び第２のタッチスクリーンを含む第１及び第２のパネルが広げられている状態で、前記撮影映像が前記デュアルカメラモードで動作する間に前記第１及び第２のパネルが後方に折り畳まれることを感知すると、前記第２のタッチスクリーンに前記撮影映像を表示し、前記第１のタッチスクリーンの前記撮影映像と前記カメラメニューを維持するステップと、
前記第１及び第２のタッチスクリーンを含む第１及び第２のパネルが広げられている状態で、前記撮影映像が前記ベビーカメラモードで動作する間に前記第１及び第２のパネルが後方に折り畳まれることを感知すると、前記第２のタッチスクリーンに予め指定されたアニメーションを表示し、前記第１のタッチスクリーンの前記撮影映像と前記カメラメニューを維持するステップと、をさらに含むことを特徴とする請求項２１７に記載の制御方法。
【請求項２１９】
前記第１のタッチスクリーンに前記撮影映像と前記カメラメニューを表示するステップと、
前記カメラメニュー内の前記モード選択ボタン上で第２のタップジェスチャーを感知するステップと、
前記第２のタップジェスチャーの感知に応答して、前記第１のタッチスクリーンに前記カメラモードを変更するためのカメラモードメニューウィンドウを表示するステップと、前記カメラモードメニューウィンドウは、基本カメラモード、セルフカメラモード、デュアルカメラモード、ベビーカメラモードに対応するチェックボックスを含み、
前記チェックボックスのうちセルフカメラモードに対応するチェックボックス上で第３のタップジェスチャーが感知されると、前記第２のタッチスクリーンに前記撮影映像と前記カメラメニューを表示し、前記第２のタッチスクリーンをターンオフするステップと、をさらに含むことを特徴とする請求項２１７に記載の制御方法。
【請求項２２０】
前記第１のタッチスクリーンに前記撮影映像と前記カメラメニューを表示し、前記第２のタッチスクリーンをターンオフするステップと、
前記ターンオフされた第２のタッチスクリーン上で予め定められたタッチジェスチャーを感知するステップと、
前記タッチジェスチャーの感知に応答して、前記第２のタッチスクリーンに前記カメラモードメニューを表示するステップと、をさらに含むことを特徴とする請求項２１７に記載の制御方法。
【請求項２２１】
前記タッチジェスチャーは、実質的に同時に発生する２個のタッチあるいは２個のタップを含むことを特徴とする請求項２２０に記載の制御方法。
【請求項２２２】
前記第１のタッチスクリーンに前記撮影映像と前記カメラメニューを表示し、前記第２のタッチスクリーンをターンオフするステップと、
前記カメラメニュー内の前記タイマー撮影ボタンによりタイマー撮影が選択されることを感知するステップと、
前記カメラメニュー内の前記シャッターボタン上で第２のタップジェスチャーを感知すると、前記第１のタッチスクリーンに表示される前記撮影映像上に第１のカウントウィンドウを表示し、前記第２のタッチスクリーンに前記撮影映像と第２のカウントウィンドウを表示するステップと、
前記第１及び第２のタッチスクリーン内の前記第１及び第２のカウントウィンドウに、カウントダウンされるタイマー値を同時に表示するステップと、
前記タイマー値が０に到達すれば、前記カメラモジュールによる撮影を遂行するステップと、をさらに含むことを特徴とする請求項２１７に記載の制御方法。
【請求項２２３】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
携帯機器に設けられた少なくとも１つのカメラモジュールを駆動するための第１の命令を感知するステップと、
前記第１の命令の感知に応答して、前記第１のタッチスクリーンに前記カメラモジュールによる撮影映像とカメラメニューを表示するステップと、前記カメラメニューは、シャッターボタン、記憶イメージローディングボタン、モード選択ボタン及びフラッシュ選択ボタン、タイマー撮影ボタンのうち少なくとも１つを含み、
前記第１の命令の感知に応答して、前記第２のタッチスクリーンにカメラモードを変更するためのカメラモードメニューを表示するステップと、前記カメラモードメニューは、前記カメラモジュールを通して場面あるいはモデルを撮影するための基本カメラモードに対応する基本カメラボタンと、前記カメラモジュールを通して前記携帯機器のユーザ自身を撮影するためのセルフカメラモードに対応するセルフカメラボタンと、前記第１及び第２のタッチスクリーンの両側を通して撮影映像を提供するデュアルカメラモードに対応するデュアルカメラボタンと、撮影対象に見られるタッチスクリーンを介して予め指定されたアニメーションを提供するベビーカメラモードに対応するベビーカメラボタンのうち少なくとも１つを含み、
前記基本カメラボタンと前記セルフカメラボタンと前記デュアルカメラボタンと前記ベビーカメラボタンのうちの１つで第１のタップジェスチャーを感知して該当するカメラモードに転換するステップと、
前記第１及び第２のタッチスクリーンを含む第１及び第２のパネルが広げられている状態で、前記撮影映像が前記基本カメラモードで動作する間に前記第１及び第２のパネルが後方に折り畳まれることを感知すると、前記第２のタッチスクリーンをターンオフし、前記第１のタッチスクリーンの前記撮影映像と前記カメラメニューを維持するステップと、
前記第１及び第２のタッチスクリーンを含む第１及び第２のパネルが広げられている状態で、前記撮影映像が前記セルフカメラモードで動作する間に前記第１及び第２のパネルが後方に折り畳まれることを感知すると、前記第１のタッチスクリーンをターンオフし、前記第２のタッチスクリーンに前記撮影映像と前記カメラメニューを表示するステップと、
前記第１及び第２のタッチスクリーンを含む第１及び第２のパネルが広げられている状態で、前記撮影映像が前記デュアルカメラモードで動作する間に前記第１及び第２のパネルが後方に折り畳まれることを感知すると、前記第２のタッチスクリーンに前記撮影映像を表示し、前記第１のタッチスクリーンの前記撮影映像と前記カメラメニューを維持するステップと、
前記第１及び第２のタッチスクリーンを含む第１及び第２のパネルが広げられている状態で、前記撮影映像が前記ベビーカメラモードで動作する間に前記第１及び第２のパネルが後方に折り畳まれることを感知すると、前記第２のタッチスクリーンに予め指定されたアニメーションを表示し、前記第１のタッチスクリーンの前記撮影映像と前記カメラメニューを維持するステップを含むことを特徴とする携帯機器。
【請求項２２４】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
携帯機器に設けられた少なくとも１つのカメラモジュールを駆動するための第１の命令を感知するステップと、
前記第１の命令の感知に応答して、前記第１のタッチスクリーンに前記カメラモジュールによる撮影映像とカメラメニューを表示するステップと、前記カメラメニューは、シャッターボタン、記憶イメージローディングボタン、モード選択ボタン及びフラッシュ選択ボタン、タイマー撮影ボタンのうち少なくとも１つを含み、
前記第１の命令の感知に応答して、前記第２のタッチスクリーンにカメラモードを変更するためのカメラモードメニューを表示するステップと、前記カメラモードメニューは、前記カメラモジュールを通して場面あるいはモデルを撮影するための基本カメラモードに対応する基本カメラボタンと、前記カメラモジュールを通して前記携帯機器のユーザ自身を撮影するためのセルフカメラモードに対応するセルフカメラボタンと、前記第１及び第２のタッチスクリーンの両側を通して撮影映像を提供するデュアルカメラモードに対応するデュアルカメラボタンと、撮影対象に見られるタッチスクリーンを介して予め指定されたアニメーションを提供するベビーカメラモードに対応するベビーカメラボタンのうち少なくとも１つを含み、
前記基本カメラボタンと前記セルフカメラボタンと前記デュアルカメラボタンと前記ベビーカメラボタンのうちの１つで第１のタップジェスチャーを感知して該当するカメラモードに転換するステップを含むことを特徴とする携帯機器。
【請求項２２５】
コンピュータにより実行可能であるように構成されるプログラムを記憶するメモリを含み、
前記プログラムは、
携帯機器に設けられた少なくとも１つのカメラモジュールを駆動するための第１の命令を感知するステップと、
前記第１の命令の感知に応答して、第１のタッチスクリーンに前記カメラモジュールによる撮影映像とカメラメニューを表示するステップと、前記カメラメニューは、シャッターボタン、記憶イメージローディングボタン、モード選択ボタン及びフラッシュ選択ボタン、タイマー撮影ボタンのうち少なくとも１つを含み、
前記第１の命令の感知に応答して、第２のタッチスクリーンにカメラモードを変更するためのカメラモードメニューを表示するステップと、前記カメラモードメニューは、前記カメラモジュールを通して場面あるいはモデルを撮影するための基本カメラモードに対応する基本カメラボタンと、前記カメラモジュールを通して前記携帯機器のユーザ自身を撮影するためのセルフカメラモードに対応するセルフカメラボタンと、前記第１及び第２のタッチスクリーンの両側を通して撮影映像を提供するデュアルカメラモードに対応するデュアルカメラボタンと、撮影対象に見られるタッチスクリーンを介して予め指定されたアニメーションを提供するベビーカメラモードに対応するベビーカメラボタンのうち少なくとも１つを含み、
前記基本カメラボタンと前記セルフカメラボタンと前記デュアルカメラボタンと前記ベビーカメラボタンのうちの１つで第１のタップジェスチャーを感知して該当するカメラモードに転換するステップと、
前記第１及び第２のタッチスクリーンを含む第１及び第２のパネルが広げられている状態で、前記撮影映像が前記基本カメラモードで動作する間に前記第１及び第２のパネルが後方に折り畳まれることを感知すると、前記第２のタッチスクリーンをターンオフし、前記第１のタッチスクリーンの前記撮影映像と前記カメラメニューを維持するステップと、
前記第１及び第２のタッチスクリーンを含む第１及び第２のパネルが広げられている状態で、前記撮影映像が前記セルフカメラモードで動作する間に前記第１及び第２のパネルが後方に折り畳まれることを感知すると、前記第１のタッチスクリーンをターンオフし、前記第２のタッチスクリーンに前記撮影映像と前記カメラメニューを表示するステップと、
前記第１及び第２のタッチスクリーンを含む第１及び第２のパネルが広げられている状態で、前記撮影映像が前記デュアルカメラモードで動作する間に前記第１及び第２のパネルが後方に折り畳まれることを感知すると、前記第２のタッチスクリーンに前記撮影映像を表示し、前記第１のタッチスクリーンの前記撮影映像と前記カメラメニューを維持するステップと、
前記第１及び第２のタッチスクリーンを含む第１及び第２のパネルが広げられている状態で、前記撮影映像が前記ベビーカメラモードで動作する間に前記第１及び第２のパネルが後方に折り畳まれることを感知すると、前記第２のタッチスクリーンに予め指定されたアニメーションを表示し、前記第１のタッチスクリーンの前記撮影映像と前記カメラメニューを維持するステップを含むことを特徴とする、コンピュータ可読媒体。
【請求項２２６】
コンピュータにより実行可能であるように構成されるプログラムを記憶するメモリを含み、
前記プログラムは、
携帯機器に設けられた少なくとも１つのカメラモジュールを駆動するための第１の命令を感知するステップと、
前記第１の命令の感知に応答して、第１のタッチスクリーンに前記カメラモジュールによる撮影映像とカメラメニューを表示するステップと、前記カメラメニューは、シャッターボタン、記憶イメージローディングボタン、モード選択ボタン及びフラッシュ選択ボタン、タイマー撮影ボタンのうち少なくとも１つを含み、
前記第１の命令の感知に応答して、第２のタッチスクリーンにカメラモードを変更するためのカメラモードメニューを表示するステップと、前記カメラモードメニューは、前記カメラモジュールを通して場面あるいはモデルを撮影するための基本カメラモードに対応する基本カメラボタンと、前記カメラモジュールを通して前記携帯機器のユーザ自身を撮影するためのセルフカメラモードに対応するセルフカメラボタンと、前記第１及び第２のタッチスクリーンの両側を通して撮影映像を提供するデュアルカメラモードに対応するデュアルカメラボタンと、撮影対象に見られるタッチスクリーンを介して予め指定されたアニメーションを提供するベビーカメラモードに対応するベビーカメラボタンのうち少なくとも１つを含み、
前記基本カメラボタンと前記セルフカメラボタンと前記デュアルカメラボタンと前記ベビーカメラボタンのうちの１つで第１のタップジェスチャーを感知して該当するカメラモードに転換するステップを含むことを特徴とする、コンピュータ可読媒体。
【発明の詳細な説明】
【技術分野】
【０００１】
本発明は、携帯機器に関し、特に、タッチスクリーンディスプレイを通して複数のタスクスクリーンを表示し、上記複数のタスクスクリーン上で感知されるユーザのタッチジェスチャーによりアプリケーションを実行する携帯機器及びその制御方法に関する。
【背景技術】
【０００２】
ユーザにより直接制御される電子機器は、少なくとも１つのディスプレイ装置を備え、ユーザは、ディスプレイ装置上で電子機器で実行されるアプリケーションの動作を見ながら入力装置を通して電子機器を制御することができる。特にユーザにより携帯可能であるように製造される携帯型電子機器(以下、携帯機器と称する)は、その制限された大きさによってタッチスクリーン形態のユーザインターフェースを使用するディスプレイ装置を有するように開発される場合が多い。
【０００３】
タッチスクリーンディスプレイで使用されるためのグラフィックユーザインターフェース(Graphical User Interface:ＧＵＩ）は、駆動中の(running)アプリケーションの動作をユーザが直観的に分かるように最適化された形状を提供しながら、同時にユーザが携帯機器及び実行されるアプリケーションをより容易であり、かつ速く多様に制御できなければならない。これによって、適用されるアプリケーションやディスプレイ装置の形態によって多様なユーザインターフェースが開発されている。
【０００４】
特に、ＣＰＵ(Central Processor Unit)及びソフトウェア技術の発達によって、携帯機器は、１つ又は複数のアプリケーションを表示する複数のタスクスクリーン(task screens）を提供できるようになった。上記複数のタスクスクリーンは、物理的あるいはグラフィック的に区分される１つ又はそれ以上のタッチスクリーンを介して提供されることができる。したがって、複数のタスクスクリーンを提供する携帯機器で、ユーザがより直観的であり、便利に携帯機器を使用できるようにするためのタッチスクリーン用グラフィックユーザインターフェースが必要となった。
【０００５】
なお、より発達した携帯機器は、ハードあるいはソフトキーの入力やタッチジェスチャーだけでなく、携帯機器自体の動きあるいは姿勢、ユーザの動きあるいは形状を入力として感知することが可能になった。したがって、このような多様な入力を通して携帯機器をより便利に使用するためのユーザインターフェースがまた必要となった。
【発明の概要】
【発明が解決しようとする課題】
【０００６】
本発明は、タッチスクリーンディスプレイを設ける携帯機器及びその制御方法を提供する。
【０００７】
本発明は、１つ又は複数のアプリケーションによる複数のタスクスクリーンを提供する複数のタッチスクリーンディスプレイを設ける携帯機器及びその制御方法を提供する。
【０００８】
本発明は、連接された複数のタッチスクリーンディスプレイ上でユーザのタッチジェスチャーを感知し、それに応答する情報を表示する携帯機器及びその制御方法を提供する。
【０００９】
本発明は、少なくとも１つのタッチスクリーンディスプレイ上に縦モード(portrait view mode)あるいは横モード(landscape view mode)に対応する最適化されたユーザインターフェースを提供する携帯機器及びその制御方法を提供する。
【００１０】
本発明は、少なくとも１つのタッチスクリーンディスプレイ上に複数のアプリケーションあるいは１つのアプリケーションのための複数のタスクスクリーンを提供する携帯機器及びその制御方法を提供する。
【００１１】
本発明は、複数のアプリケーションの一部情報を収納されたカード形態で部分的に隠されるように表示し、ユーザのタッチ動きによって該当アプリケーションのより詳細な情報を拡張して表示する携帯機器及びその制御方法を提供する。
【００１２】
本発明は、第１のタッチスクリーンディスプレイに地図アプリケーションに従う地図を表示し、上記地図上でユーザのタッチジェスチャーにより選択された位置あるいは経路に対応する少なくとも１つのイメージを第２のタッチスクリーンディスプレイに表示する携帯機器及びその制御方法を提供する。
【００１３】
本発明は、駆動中である少なくとも１つのアプリケーションのショートカットアイコンを配列する作業管理領域を指定された位置に表示し、ユーザのタッチジェスチャーにより選択されたアプリケーションを複数のタッチスクリーンディスプレイのうちの１つに表示する携帯機器及びその制御方法を提供する。
【００１４】
本発明は、第１のタッチスクリーンディスプレイ上の地図に複数のパーソナル放送キャスターの位置を表示し、第２のタッチスクリーンディスプレイ上に上記パーソナル放送キャスターの簡単な情報を配列して表示し、ユーザのタッチジェスチャーに応答して所望のパーソナル放送キャスターに放送を要請することができる携帯機器及びその制御方法を提供する。
【００１５】
本発明は、ヒンジで結合されるデュアルディスプレイの折り畳みあるいはフレキシブル型ディスプレイの折り曲げに応答して、クリップボードを指定された位置に表示する携帯機器及びその制御方法を提供する。
【００１６】
本発明は、ヒンジで結合されるデュアルディスプレイの折り畳みあるいはフレキシブル型ディスプレイの折り曲げに応答して、上記ディスプレイ上に表示される電子ブック(e-Book）のブックマークを設定するか、ページを移動して表示する携帯機器及びその制御方法を提供する。
【００１７】
本発明は、第１のタッチスクリーンディスプレイに画像会議のための画像を提供し、第２のタッチスクリーンディスプレイに画像会議の参加者により共有される文書ファイルあるいはホワイトボードを表示する携帯機器及びその制御方法を提供する。
【００１８】
本発明は、第１のタッチスクリーンディスプレイに第１のユーザのためのゲームインターフェースを提供し、第２のタッチスクリーンディスプレイに他のユーザのためのゲーム情報を表示する携帯機器及びその制御方法を提供する。
【００１９】
本発明は、デュアルタッチスクリーンディスプレイを通してカレンダーアプリケーションのためのユーザインターフェースを提供する携帯機器及びその制御方法を提供する。
【００２０】
本発明は、デュアルタッチスクリーンディスプレイを通して通話(Call)アプリケーションのためのユーザインターフェースを提供する携帯機器及びその制御方法を提供する。
【００２１】
本発明は、デュアルタッチスクリーンディスプレイを通してカメラアプリケーションのためのユーザインターフェースを提供する携帯機器及びその制御方法を提供する。
【００２２】
本発明は、デュアルタッチスクリーンディスプレイで携帯機器の動きを通してビューモードを制御する携帯機器及びその制御方法を提供する。
【００２３】
本発明は、デュアルタッチスクリーンディスプレイで２個のタッチスクリーン上に表示される情報をナビゲイトするための携帯機器及びその制御方法を提供する。
【００２４】
本発明は、デュアルタッチスクリーンディスプレイでサブタッチスクリーンに表示されるリストを利用してホームスクリーンを修正するための携帯機器及びその制御方法を提供する。
【００２５】
本発明は、デュアルタッチスクリーンディスプレイの横モードで下端に位置するタッチスクリーンを利用して仮想キーパッドを表示するための携帯機器及びその制御方法を提供する。
【課題を解決するための手段】
【００２６】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンにホームスクリーンとして指定された少なくとも１つのウィジェット領域及び／又はアプリケーションあるいはアプリケーショングループに関連した少なくとも１つのショートカットアイコンを含む第１のページを表示するステップと、第２のタッチスクリーンに上記ホームスクリーンとして指定された少なくとも１つのウィジェット領域及び／又はアプリケーションあるいはアプリケーショングループに関連した少なくとも１つのショートカットアイコンを含む第２のページを表示するステップと、上記第１及び第２のタッチスクリーンのうち少なくとも１つで予め指定された第１のタッチジェスチャーを感知するステップと、上記第１のタッチジェスチャーの感知に応答して、上記第１及び第２のタッチスクリーンに上記ホームスクリーンとして指定された第３のページ及び第４のページをそれぞれ表示するステップと、を含み、上記第３及び第４のページは、上記第１のタッチジェスチャーにより上記第２のタッチスクリーンから上記第１のタッチスクリーンの方向にスライディングされつつ表示され、上記スライディングの間に上記第３のページは、上記第１及び第２のタッチスクリーンの両側にわたって表示されることを特徴とする。
【００２７】
本発明の一実施形態による方法は、タッチスクリーンディスプレイを設ける携帯機器の制御方法を提供する。上記方法は、複数のページで構成されたアプリケーションの第１及び第２のページを表示している第１のタッチスクリーン及び第２のタッチスクリーンのうち少なくとも１つで予め指定された第１のタッチジェスチャーを感知するステップと、上記第１のタッチジェスチャーの感知に応答して、上記第１及び第２のタッチスクリーンの上記第１及び第２のページを、上記アプリケーションの第３のページ及び第４のページに置き換えて表示するステップと、を含み、上記第３及び第４のページは、上記第１のタッチジェスチャーにより上記第２のタッチスクリーンから上記第１のタッチスクリーンの方向にスライディングされつつ表示され、上記スライディングの間に上記第３のページは、上記第１及び第２のタッチスクリーンの両側にわたって表示されることを特徴とする。
【００２８】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能なプログラムを記憶するメモリと、を含む。上記プログラムは、上記第１のタッチスクリーンにホームスクリーンとして指定された少なくとも１つのウィジェット領域及び／又はアプリケーションあるいはアプリケーショングループに関連した少なくとも１つのショートカットアイコンを含む第１のページを表示するステップと、上記第２のタッチスクリーンに上記ホームスクリーンとして指定された少なくとも１つのウィジェット領域及び／又はアプリケーションあるいはアプリケーショングループに関連した少なくとも１つのショートカットアイコンを含む第２のページを表示するステップと、上記第１及び第２のタッチスクリーンのうち少なくとも１つで予め指定された第１のタッチジェスチャーを感知するステップと、上記第１のタッチジェスチャーの感知に応答して、上記第１及び第２のタッチスクリーンに上記ホームスクリーンとして指定された第３のページ及び第４のページをそれぞれ表示するステップと、を含み、上記第３及び第４のページは、上記第１のタッチジェスチャーにより上記第２のタッチスクリーンから上記第１のタッチスクリーンの方向にスライディングされつつ表示され、上記スライディングの間に上記第３のページは、上記第１及び第２のタッチスクリーンの両側にわたって表示されることを特徴とする。
【００２９】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能なプログラムを記憶するメモリと、を含む。上記プログラムは、複数のページで構成されたアプリケーションの第１及び第２のページを上記第１及び第２のタッチスクリーンに表示し、上記第１及び第２のタッチスクリーンのうち少なくとも１つで予め指定された第１のタッチジェスチャーを感知するステップと、上記第１のタッチジェスチャーの感知に応答して、上記第１及び第２のタッチスクリーンに上記アプリケーションの第３のページ及び第４のページをそれぞれ表示するステップと、を含み、上記第３及び第４のページは、上記第１のタッチジェスチャーにより上記第２のタッチスクリーンから上記第１のタッチスクリーンの方向にスライディングされつつ表示され、上記スライディングの間に上記第３のページは、上記第１及び第２のタッチスクリーンの両側にわたって表示されることを特徴とする。
【００３０】
本発明の一実施形態による媒体は、コンピュータにより実行可能なプログラムを記憶するメモリを含む。上記プログラムは、第１のタッチスクリーンにホームスクリーンとして指定された少なくとも１つのウィジェット領域及び／又はアプリケーションあるいはアプリケーショングループに関連した少なくとも１つのショートカットアイコンを含む第１のページを表示するステップと、第２のタッチスクリーンに上記ホームスクリーンとして指定された少なくとも１つのウィジェット領域及び／又はアプリケーションあるいはアプリケーショングループに関連した少なくとも１つのショートカットアイコンを含む第２のページを表示するステップと、上記第１及び第２のタッチスクリーンのうち少なくとも１つで予め指定された第１のタッチジェスチャーを感知するステップと、上記第１のタッチジェスチャーの感知に応答して、上記第１及び第２のタッチスクリーンに上記ホームスクリーンとして指定された第３のページ及び第４のページをそれぞれ表示するステップと、を含み、上記第３及び第４のページは、上記第１のタッチジェスチャーにより上記第２のタッチスクリーンから上記第１のタッチスクリーンの方向にスライディングされつつ表示され、上記スライディングの間に上記第３のページは、上記第１及び第２のタッチスクリーンの両側にわたって表示されることを特徴とする。
【００３１】
本発明の一実施形態による媒体は、コンピュータにより実行可能なプログラムを記憶するメモリを含む。上記プログラムは、複数のページで構成されたアプリケーションの第１及び第２のページを第１及び第２のタッチスクリーンに表示し、上記第１及び第２のタッチスクリーンのうち少なくとも１つで予め指定された第１のタッチジェスチャーを感知するステップと、上記第１のタッチジェスチャーの感知に応答して、上記第１及び第２のタッチスクリーンに上記アプリケーションの第３のページ及び第４のページをそれぞれ表示するステップと、を含み、上記第３及び第４のページは、上記第１のタッチジェスチャーにより上記第２のタッチスクリーンから上記第１のタッチスクリーンの方向にスライディングされつつ表示され、上記スライディングの間に上記第３のページは、上記第１及び第２のタッチスクリーンの両側にわたって表示されることを特徴とする。
【００３２】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンに、少なくとも１つのピクチャーイメージを探索して表示するように構成された第１のアプリケーションにより提供される複数のサムネイルイメージで構成された複数のページのうち第１のページを表示するステップと、第２のタッチスクリーンに第２のアプリケーションを表示するステップと、上記第１及び第２のタッチスクリーンのうち少なくとも１つで予め指定された第１のタッチジェスチャーを感知するステップと、上記第１のタッチジェスチャーの感知に応答して、上記第１のアプリケーションにより提供される複数のサムネイルイメージを含む上記第１のページ及び第２のページを上記第１及び第２のタッチスクリーンに表示するステップと、上記第１のページに含まれる第１のサムネイルイメージ上でタップジェスチャーを感知するステップと、上記タップジェスチャーの感知に応答して、上記第１のサムネイルイメージに対する第１のピクチャーイメージを、上記第２のタッチスクリーンに完全に満たすように表示するステップと、を含むことを特徴とする。
【００３３】
本発明の一実施形態による方法は、タッチスクリーンディスプレイを設ける携帯機器の制御方法を提供する。上記方法は、第１のタッチスクリーンに第１のアプリケーションにより提供される複数のサムネイルイメージで構成された複数のページのうち第１のページを表示するステップと、第２のタッチスクリーンに第２のアプリケーションを表示するステップと、上記第１及び第２のタッチスクリーンのうち少なくとも１つで予め指定された第１のタッチジェスチャーを感知するステップと、上記第１のタッチジェスチャーの感知に応答して、上記第１のアプリケーションにより提供される複数のサムネイルイメージで構成された上記第１のページ及び第２のページを上記第１及び第２のタッチスクリーンに表示するステップと、を含むことを特徴とする。
【００３４】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに、少なくとも１つのピクチャーイメージを探索して表示するように構成された第１のアプリケーションにより提供される複数のサムネイルイメージで構成された複数のページのうち第１のページを表示するステップと、上記第２のタッチスクリーンに第２のアプリケーションを表示するステップと、上記第１及び第２のタッチスクリーンのうち少なくとも１つで予め指定された第１のタッチジェスチャーを感知するステップと、上記第１のタッチジェスチャーの感知に応答して、上記第１のアプリケーションにより提供される複数のサムネイルイメージを含む上記第１のページ及び第２のページを上記第１及び第２のタッチスクリーンに表示するステップと、上記第１のページに含まれる第１のサムネイルイメージ上でタップジェスチャーを感知するステップと、上記タップジェスチャーの感知に応答して、上記第１のサムネイルイメージに対する第１のピクチャーイメージを、上記第２のタッチスクリーンに完全に満たすように表示するステップと、を含むことを特徴とする。
【００３５】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに第１のアプリケーションにより提供される複数のサムネイルイメージで構成された複数のページのうち第１のページを表示するステップと、上記第２のタッチスクリーンに第２のアプリケーションを表示するステップと、上記第１及び第２のタッチスクリーンのうち少なくとも１つで予め指定された第１のタッチジェスチャーを感知するステップと、上記第１のタッチジェスチャーの感知に応答して、上記第１のアプリケーションにより提供される複数のサムネイルイメージで構成された上記第１のページ及び第２のページを上記第１及び第２のタッチスクリーンに表示するステップと、を含むことを特徴とする。
【００３６】
本発明の一実施形態による媒体は、コンピュータにより実行可能なプログラムを記憶するメモリを含む。上記プログラムは、第１のタッチスクリーンに、少なくとも１つのピクチャーイメージを探索して表示するように構成された第１のアプリケーションにより提供される複数のサムネイルイメージで構成された複数のページのうち第１のページを表示するステップと、第２のタッチスクリーンに第２のアプリケーションを表示するステップと、上記第１及び第２のタッチスクリーンのうち少なくとも１つで予め指定された第１のタッチジェスチャーを感知するステップと、上記第１のタッチジェスチャーの感知に応答して、上記第１のアプリケーションにより提供される複数のサムネイルイメージを含む上記第１のページ及び第２のページを上記第１及び第２のタッチスクリーンに表示するステップと、上記第１のページに含まれる第１のサムネイルイメージ上でタップジェスチャーを感知するステップと、上記タップジェスチャーの感知に応答して、上記第１のサムネイルイメージに対する第１のピクチャーイメージを、上記第２のタッチスクリーンに完全に満たすように表示するステップと、を含むことを特徴とする。
【００３７】
本発明の一実施形態による媒体は、コンピュータにより実行可能なプログラムを記憶するメモリを含む。上記プログラムは、上記第１のタッチスクリーンに第１のアプリケーションにより提供される複数のサムネイルイメージで構成された複数のページのうち第１のページを表示するステップと、上記第２のタッチスクリーンに第２のアプリケーションを表示するステップと、上記第１及び第２のタッチスクリーンのうち少なくとも１つで予め指定された第１のタッチジェスチャーを感知するステップと、上記第１のタッチジェスチャーの感知に応答して、上記第１のアプリケーションにより提供される複数のサムネイルイメージで構成された上記第１のページ及び第２のページを上記第１及び第２のタッチスクリーンに表示するステップと、を含むことを特徴とする。
【００３８】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンに、ホームスクリーンとして指定されたウィジェットあるいはアプリケーションの情報を含む複数の第１の領域を表示するステップと、第２のタッチスクリーンに、上記ホームスクリーンとして指定されたウィジェットあるいはアプリケーションの情報を含む複数の第２の領域を表示するステップと、上記第１及び第２の領域のそれぞれは、財布内のカード収納のためのスリット（slit）を形状化したグラフィックイメージにより部分的に隠される収納されたカード形態を有し、上記ウィジェットあるいはアプリケーションで提供する第１の情報と所定の機能を実行するためのショートカットキーのうち少なくとも１つを含み、上記第１及び第２の領域のうちいずれか１つである第３の領域で予め定められた第１のタッチジェスチャーを感知するステップと、上記第１のタッチジェスチャーに応答して、上記第３の領域を上記グラフィックイメージから開始される部分的に引き出されたカード形態で拡張して表示するステップと、上記拡張された第３の領域は、上記第１の情報に比べてより多くの第２の情報を提供し、予め定められた最大大きさ内で上記第１あるいは第２のタッチスクリーンの上端に到達するまで拡張可能であり、上記第１及び第２の領域のうちいずれか１つである第４の領域で予め定められた第２のタッチジェスチャーを感知するステップと、上記第２のタッチジェスチャーの感知に応答して、上記第４の領域に対応するアプリケーションを上記第１及び／又は第２のタッチスクリーンの全体を占有するように表示するステップと、を含むことを特徴とする。
【００３９】
本発明の一実施形態による方法は、タッチスクリーンディスプレイを設ける携帯機器の制御方法を提供する。上記方法は、第１のタッチスクリーンに、ホームスクリーンとして指定されたウィジェットあるいはアプリケーションの情報を含む複数の第１の領域を表示するステップと、第２のタッチスクリーンに、上記ホームスクリーンとして指定されたウィジェットあるいはアプリケーションの情報を含む複数の第２の領域を表示するステップと、上記第１及び第２の領域のそれぞれは、財布内のカード収納のためのスリットを形状化したグラフィックイメージにより部分的に隠される収納されたカード形態を有し、上記ウィジェットあるいはアプリケーションで提供する第１の情報と所定の機能を実行するためのショートカットキーのうち少なくとも１つを含み、上記第１及び第２の領域のうちいずれか１つである第３の領域で予め定められた第１のタッチジェスチャーを感知するステップと、上記第１のタッチジェスチャーに応答して、上記第３の領域を上記グラフィックイメージから開始される部分的に引き出されたカード形態で拡張して表示するステップと、を含み、上記拡張された第３の領域は、上記第１の情報に比べてより多くの第２の情報を提供し、予め定められた最大大きさ内で上記第１あるいは第２のタッチスクリーンの上端に到達するまで拡張可能であることを特徴とする。
【００４０】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに、ホームスクリーンとして指定されたウィジェットあるいはアプリケーションの情報を含む複数の第１の領域を表示するステップと、上記第２のタッチスクリーンに、上記ホームスクリーンとして指定されたウィジェットあるいはアプリケーションの情報を含む複数の第２の領域を表示するステップと、上記第１及び第２の領域のそれぞれは、財布内のカード収納のためのスリットを形状化したグラフィックイメージにより部分的に隠される収納されたカード形態を有し、上記ウィジェットあるいはアプリケーションで提供する第１の情報と所定の機能を実行するためのショートカットキーのうち少なくとも１つを含み、上記第１及び第２の領域のうちいずれか１つである第３の領域で予め定められた第１のタッチジェスチャーを感知するステップと、上記第１のタッチジェスチャーに応答して、上記第３の領域を上記グラフィックイメージから開始される部分的に引き出されたカード形態で拡張して表示するステップと、上記拡張された第３の領域は、上記第１の情報に比べてより多くの第２の情報を提供し、予め定められた最大大きさ内で上記第１あるいは第２のタッチスクリーンの上端に到達するまで拡張可能であり、上記第１及び第２の領域のうちいずれか１つである第４の領域で予め定められた第２のタッチジェスチャーを感知するステップと、上記第２のタッチジェスチャーの感知に応答して、上記第４の領域に対応するアプリケーションを上記第１及び／又は第２のタッチスクリーンの全体を占有するように表示するステップと、を含むことを特徴とする。
【００４１】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに、ホームスクリーンとして指定されたウィジェットあるいはアプリケーションの情報を含む複数の第１の領域を表示するステップと、上記第２のタッチスクリーンに、上記ホームスクリーンとして指定されたウィジェットあるいはアプリケーションの情報を含む複数の第２の領域を表示するステップと、上記第１及び第２の領域のそれぞれは、財布内のカード収納のためのスリットを形状化したグラフィックイメージにより部分的に隠される収納されたカード形態を有し、上記ウィジェットあるいはアプリケーションで提供する第１の情報と所定の機能を実行するためのショートカットキーのうち少なくとも１つを含み、上記第１及び第２の領域のうちいずれか１つである第３の領域で予め定められた第１のタッチジェスチャーを感知するステップと、上記第１のタッチジェスチャーに応答して、上記第３の領域を上記グラフィックイメージから開始される部分的に引き出されたカード形態で拡張して表示するステップと、を含み、上記拡張された第３の領域は、上記第１の情報に比べてより多くの第２の情報を提供し、予め定められた最大大きさ内で上記第１あるいは第２のタッチスクリーンの上端に到達するまで拡張可能であることを特徴とする。
【００４２】
本発明の一実施形態による媒体は、コンピュータにより実行可能であるように構成されるプログラムを記憶するメモリを含む。上記プログラムは、第１のタッチスクリーンに、ホームスクリーンとして指定されたウィジェットあるいはアプリケーションの情報を含む複数の第１の領域を表示するステップと、第２のタッチスクリーンに、上記ホームスクリーンとして指定されたウィジェットあるいはアプリケーションの情報を含む複数の第２の領域を表示するステップと、上記第１及び第２の領域のそれぞれは、財布内のカード収納のためのスリットを形状化したグラフィックイメージにより部分的に隠される収納されたカード形態を有し、上記ウィジェットあるいはアプリケーションで提供する第１の情報と所定の機能を実行するためのショートカットキーのうち少なくとも１つを含み、上記第１及び第２の領域のうちいずれか１つである第３の領域で予め定められた第１のタッチジェスチャーを感知するステップと、上記第１のタッチジェスチャーに応答して、上記第３の領域を上記グラフィックイメージから開始される部分的に引き出されたカード形態で拡張して表示するステップと、上記拡張された第３の領域は、上記第１の情報に比べてより多くの第２の情報を提供し、予め定められた最大大きさ内で上記第１あるいは第２のタッチスクリーンの上端に到達するまで拡張可能であり、上記第１及び第２の領域のうちいずれか１つである第４の領域で予め定められた第２のタッチジェスチャーを感知するステップと、上記第２のタッチジェスチャーの感知に応答して、上記第４の領域に対応するアプリケーションを上記第１及び／又は第２のタッチスクリーンの全体を占有するように表示するステップと、を含むことを特徴とする。
【００４３】
本発明の一実施形態による媒体は、コンピュータにより実行可能であるように構成されるプログラムを記憶するメモリを含む。上記プログラムは、第１のタッチスクリーンに、ホームスクリーンとして指定されたウィジェットあるいはアプリケーションの情報を含む複数の第１の領域を表示するステップと、第２のタッチスクリーンに、上記ホームスクリーンとして指定されたウィジェットあるいはアプリケーションの情報を含む複数の第２の領域を表示するステップと、上記第１及び第２の領域のそれぞれは、財布内のカード収納のためのスリットを形状化したグラフィックイメージにより部分的に隠される収納されたカード形態を有し、上記ウィジェットあるいはアプリケーションで提供する第１の情報と所定の機能を実行するためのショートカットキーのうち少なくとも１つを含み、上記第１及び第２の領域のうちいずれか１つである第３の領域で予め定められた第１のタッチジェスチャーを感知するステップと、上記第１のタッチジェスチャーに応答して、上記第３の領域を上記グラフィックイメージから開始される部分的に引き出されたカード形態で拡張して表示するステップと、を含み、上記拡張された第３の領域は、上記第１の情報に比べてより多くの第２の情報を提供し、予め定められた最大大きさ内で上記第１あるいは第２のタッチスクリーンの上端に到達するまで拡張可能であることを特徴とする。
【００４４】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンに、マップ及び上記マップにリンクされた少なくとも１つのピクチャーイメージを提供するように構成されたギャラリーマップアプリケーションにより提供されるマップ領域を表示するステップと、上記マップ領域は、少なくとも１つのピクチャーイメージが登録された位置を指示する少なくとも１つの位置指示子を含み、第２のタッチスクリーンに、上記マップ領域に含まれる少なくとも１つの位置指示子に対して登録されたピクチャーイメージのサムネイルイメージを並べたギャラリー領域を表示するステップと、上記少なくとも１つの位置指示子のうちの１つである第１の位置指示子上でタップジェスチャーを感知するステップと、上記タップジェスチャーの感知に応答して、上記第１のタッチスクリーン上の上記第１の位置指示子に隣接した領域に、上記第１の位置指示子に対して登録されたピクチャーイメージのサムネイルイメージを少なくとも一部重なるように表示するステップと、を含むことを特徴とする。
【００４５】
本発明の一実施形態による方法は、タッチスクリーンディスプレイを設ける携帯機器の制御方法を提供する。上記方法は、第１のタッチスクリーンにマップ領域を表示するステップと、上記マップ領域は、少なくとも１つのピクチャーイメージが登録された位置を指示する少なくとも１つの位置指示子を含み、第２のタッチスクリーンに、上記マップ領域に含まれる少なくとも１つの位置指示子に対して登録されたピクチャーイメージのサムネイルイメージを並べたギャラリー領域を表示するステップと、上記少なくとも１つの位置指示子のうちの１つである第１の位置指示子上で第１のタップジェスチャーを感知するステップと、上記第１のタップジェスチャーの感知に応答して、上記第１のタッチスクリーン上の上記第１の位置指示子に隣接した領域に、上記第１の位置指示子に対して登録されたピクチャーイメージのサムネイルイメージを表示するステップと、を含むことを特徴とする。
【００４６】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに、マップ及び上記マップにリンクされた少なくとも１つのピクチャーイメージを提供するように構成されたギャラリーマップアプリケーションにより提供されるマップ領域を表示するステップと、上記マップ領域は、少なくとも１つのピクチャーイメージが登録された位置を指示する少なくとも１つの位置指示子を含み、上記第２のタッチスクリーンに、上記マップ領域に含まれる少なくとも１つの位置指示子に対して登録されたピクチャーイメージのサムネイルイメージを並べたギャラリー領域を表示するステップと、上記少なくとも１つの位置指示子のうちの１つである第１の位置指示子上でタップジェスチャーを感知するステップと、上記タップジェスチャーの感知に応答して、上記第１のタッチスクリーン上の上記第１の位置指示子に隣接した領域に、上記第１の位置指示子に対して登録されたピクチャーイメージのサムネイルイメージを少なくとも一部重なるように表示するステップと、を含むことを特徴とする。
【００４７】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンにマップ領域を表示するステップと、上記マップ領域は、少なくとも１つのピクチャーイメージが登録された位置を指示する少なくとも１つの位置指示子を含み、上記第２のタッチスクリーンに、上記マップ領域に含まれる少なくとも１つの位置指示子に対して登録されたピクチャーイメージのサムネイルイメージを並べたギャラリー領域を表示するステップと、上記少なくとも１つの位置指示子のうちの１つである第１の位置指示子上で第１のタップジェスチャーを感知するステップと、上記第１のタップジェスチャーの感知に応答して、上記第１のタッチスクリーン上の上記第１の位置指示子に隣接した領域に、上記第１の位置指示子に対して登録されたピクチャーイメージのサムネイルイメージを表示するステップと、を含むことを特徴とする。
【００４８】
本発明の一実施形態による媒体は、コンピュータにより実行可能であるように構成されるプログラムを記憶するメモリを含む。上記プログラムは、第１のタッチスクリーンに、マップ及び上記マップにリンクされた少なくとも１つのピクチャーイメージを提供するように構成されたギャラリーマップアプリケーションにより提供されるマップ領域を表示するステップと、上記マップ領域は、少なくとも１つのピクチャーイメージが登録された位置を指示する少なくとも１つの位置指示子を含み、第２のタッチスクリーンに、上記マップ領域に含まれる少なくとも１つの位置指示子に対して登録されたピクチャーイメージのサムネイルイメージを並べたギャラリー領域を表示するステップと、上記少なくとも１つの位置指示子のうちの１つである第１の位置指示子上でタップジェスチャーを感知するステップと、上記タップジェスチャーの感知に応答して、上記第１のタッチスクリーン上の上記第１の位置指示子に隣接した領域に、上記第１の位置指示子に対して登録されたピクチャーイメージのサムネイルイメージを少なくとも一部重なるように表示するステップと、を含むことを特徴とする。
【００４９】
本発明の一実施形態による媒体は、コンピュータにより実行可能であるように構成されるプログラムを記憶するメモリを含む。上記プログラムは、第１のタッチスクリーンにマップ領域を表示するステップと、上記マップ領域は、少なくとも１つのピクチャーイメージが登録された位置を指示する少なくとも１つの位置指示子を含み、第２のタッチスクリーンに、上記マップ領域に含まれる少なくとも１つの位置指示子に対して登録されたピクチャーイメージのサムネイルイメージを並べたギャラリー領域を表示するステップと、上記少なくとも１つの位置指示子のうちの１つである第１の位置指示子上で第１のタップジェスチャーを感知するステップと、上記第１のタップジェスチャーの感知に応答して、上記第１のタッチスクリーン上の上記第１の位置指示子に隣接した領域に、上記第１の位置指示子に対して登録されたピクチャーイメージのサムネイルイメージを表示するステップと、を含むことを特徴とする。
【００５０】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンを含む第１のパネル及び第２のタッチスクリーンを含む第２のパネルのうち、上記第２のパネル上に設けられる物理的なボタンのうちの１つであるホームボタンの入力を感知するステップと、上記ホームボタンの入力に応答して、第１のタッチスクリーン内の第１の領域及び上記第１の領域に隣接した上記第２のタッチスクリーン内の第２の領域に第１のタスクマネージャパネル及び第２のタスクマネージャパネルをそれぞれ表示するステップと、上記第１及び第２のタスクマネージャパネルは、駆動中であるアプリケーションに対するアイコンのうち少なくとも一部を重ならないように含み、上記アイコンのうちの１つである第１のアイコン上から開始され、上記第１のタッチスクリーン内に属し、上記第１のタスクマネージャパネルを除外した領域で解除される第１のタッチドラッグを感知するステップと、上記第１のタッチドラッグによって上記第１のアイコンに関連した第１のアプリケーションの第１のプレビューウィンドウを上記第１のタッチスクリーンに表示するステップと、上記アイコンのうちの１つである第２のアイコン上から開始され、上記第２のタッチスクリーン内に属し、上記第２のタスクマネージャパネルを除外した領域で解除される第２のタッチドラッグを感知するステップと、
【００５１】
上記第２のタッチドラッグによって上記第２のアイコンに関連した第２のアプリケーションの第２のプレビューウィンドウを上記第２のタッチスクリーンに表示するステップと、を含み、上記第１及び第２のプレビューウィンドウは、上記第１及び第２のアプリケーションが実行される第１及び第２のタスクスクリーンより小さいサイズを有し、ユーザインターフェースを許容しない非活性状態で表示されることを特徴とする。
【００５２】
本発明の一実施形態による方法は、タッチスクリーンディスプレイを設ける携帯機器の制御方法を提供する。上記方法は、駆動中である少なくとも１つのアプリケーションを管理するためのタスクマネージャの実行のために予め定められる第１の命令を感知するステップと、上記第１の命令の感知に応答して、第１のタッチスクリーン及び第２のタッチスクリーンに第１のタスクマネージャパネル及び第２のタスクマネージャパネルをそれぞれ表示するステップと、上記第１及び第２のタスクマネージャパネルは、相互連続されるように隣接して配置され、駆動中であるアプリケーションに対するアイコンのうち少なくとも一部を重複しないように含み、上記アイコンのうちの１つである第１のアイコン上から開始され、上記第１のタッチスクリーン内に属し、上記第１のタスクマネージャパネルを除外した領域内で解除される第１のタッチドラッグを感知するステップと、上記第１のタッチドラッグによって上記第１のアイコンに関連した第１のアプリケーションの第１のプレビューウィンドウを上記第１のタッチスクリーンに表示するステップと、上記アイコンのうちの１つである第２のアイコン上から開始され、上記第２のタッチスクリーン内に属し、上記第２のタスクマネージャパネルを除外した領域で解除される第２のタッチドラッグを感知するステップと、上記第２のタッチドラッグによって上記第２のアイコンに関連した第２のアプリケーションの第２のプレビューウィンドウを上記第２のタッチスクリーンに表示するステップと、を含み、上記第１のプレビューウィンドウは、上記第１及び第２のアプリケーションが実行される第１及び第２のタスクスクリーンより小さいサイズを有し、ユーザインターフェースを許容しない非活性状態で表示されることを特徴とする。
【００５３】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンを含む第１のパネル及び上記第２のタッチスクリーンを含む第２のパネルのうち、上記第２のパネル上に設けられる物理的なボタンのうちの１つであるホームボタンの入力を感知するステップと、上記ホームボタンの入力に応答して、第１のタッチスクリーン内の第１の領域及び上記第１の領域に隣接した上記第２のタッチスクリーン内の第２の領域に第１のタスクマネージャパネル及び第２のタスクマネージャパネルをそれぞれ表示するステップと、上記第１及び第２のタスクマネージャパネルは、駆動中であるアプリケーションに対するアイコンのうち少なくとも一部を重複しないように含み、上記アイコンのうちの１つである第１のアイコン上から開始され、上記第１のタッチスクリーン内に属し、上記第１のタスクマネージャパネルを除外した領域で解除される第１のタッチドラッグを感知するステップと、上記第１のタッチドラッグによって上記第１のアイコンに関連した第１のアプリケーションの第１のプレビューウィンドウを上記第１のタッチスクリーンに表示するステップと、上記アイコンのうちの１つである第２のアイコン上から開始され、上記第２のタッチスクリーン内に属し、上記第２のタスクマネージャパネルを除外した領域で解除される第２のタッチドラッグを感知するステップと、上記第２のタッチドラッグによって上記第２のアイコンに関連した第２のアプリケーションの第２のプレビューウィンドウを上記第２のタッチスクリーンに表示するステップと、を含み、上記第１及び第２のプレビューウィンドウは、上記第１及び第２のアプリケーションが実行される第１及び第２のタスクスクリーンより小さいサイズを有し、ユーザインターフェースを許容しない非活性状態で表示されることを特徴とする。
【００５４】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、駆動中である少なくとも１つのアプリケーションを管理するためのタスクマネージャの実行のために予め定められる第１の命令を感知するステップと、上記第１の命令の感知に応答して、上記第１のタッチスクリーン及び上記第２のタッチスクリーンに第１のタスクマネージャパネル及び第２のタスクマネージャパネルをそれぞれ表示するステップと、上記第１及び第２のタスクマネージャパネルは、相互連続されるように隣接して配置され、駆動中であるアプリケーションに対するアイコンのうち少なくとも一部を重複しないように含み、上記アイコンのうちの１つである第１のアイコン上から開始され、上記第１のタッチスクリーン内に属し、上記第１のタスクマネージャパネルを除外した領域内で解除される第１のタッチドラッグを感知するステップと、上記第１のタッチドラッグによって上記第１のアイコンに関連した第１のアプリケーションの第１のプレビューウィンドウを上記第１のタッチスクリーンに表示するステップと、上記アイコンのうちの１つである第２のアイコン上から開始され、上記第２のタッチスクリーン内に属し、上記第２のタスクマネージャパネルを除外した領域で解除される第２のタッチドラッグを感知するステップと、上記第２のタッチドラッグによって上記第２のアイコンに関連した第２のアプリケーションの第２のプレビューウィンドウを上記第２のタッチスクリーンに表示するステップと、を含み、上記第１のプレビューウィンドウは、上記第１及び第２のアプリケーションが実行される第１及び第２のタスクスクリーンより小さいサイズを有し、ユーザインターフェースを許容しない非活性状態で表示されることを特徴とする。
【００５５】
本発明の一実施形態による媒体は、コンピュータにより実行可能であるように構成されるプログラムを記憶するメモリを含む。上記プログラムは、第１のタッチスクリーンを含む第１のパネル及び第２のタッチスクリーンを含む第２のパネルのうち、上記第２のパネル上に設けられる物理的なボタンのうちの１つであるホームボタンの入力を感知するステップと、上記ホームボタンの入力に応答して、第１のタッチスクリーン内の第１の領域及び上記第１の領域に隣接した上記第２のタッチスクリーン内の第２の領域に第１のタスクマネージャパネル及び第２のタスクマネージャパネルをそれぞれ表示するステップと、上記第１及び第２のタスクマネージャパネルは、駆動中であるアプリケーションに対するアイコンのうち少なくとも一部を重複しないように含み、上記アイコンのうちの１つである第１のアイコン上から開始され、上記第１のタッチスクリーン内に属し、上記第１のタスクマネージャパネルを除外した領域で解除される第１のタッチドラッグを感知するステップと、上記第１のタッチドラッグによって上記第１のアイコンに関連した第１のアプリケーションの第１のプレビューウィンドウを上記第１のタッチスクリーンに表示するステップと、上記アイコンのうちの１つである第２のアイコン上から開始され、上記第２のタッチスクリーン内に属し、上記第２のタスクマネージャパネルを除外した領域で解除される第２のタッチドラッグを感知するステップと、上記第２のタッチドラッグによって上記第２のアイコンに関連した第２のアプリケーションの第２のプレビューウィンドウを上記第２のタッチスクリーンに表示するステップと、を含み、上記第１及び第２のプレビューウィンドウは、上記第１及び第２のアプリケーションが実行される第１及び第２のタスクスクリーンより小さいサイズを有し、ユーザインターフェースを許容しない非活性状態で表示されることを特徴とする。
【００５６】
本発明の一実施形態による媒体は、コンピュータにより実行可能であるように構成されるプログラムを記憶するメモリを含む。上記プログラムは、
【００５７】
駆動中である少なくとも１つのアプリケーションを管理するためのタスクマネージャの実行のために予め定められる第１の命令を感知するステップと、上記第１の命令の感知に応答して、第１のタッチスクリーン及び第２のタッチスクリーンに第１のタスクマネージャパネル及び第２のタスクマネージャパネルをそれぞれ表示するステップと、上記第１及び第２のタスクマネージャパネルは、相互連続されるように隣接して配置され、駆動中であるアプリケーションに対するアイコンのうち少なくとも一部を重複しないように含み、上記アイコンのうちの１つである第１のアイコン上から開始され、上記第１のタッチスクリーン内に属し、上記第１のタスクマネージャパネルを除外した領域内で解除される第１のタッチドラッグを感知するステップと、上記第１のタッチドラッグによって上記第１のアイコンに関連した第１のアプリケーションの第１のプレビューウィンドウを上記第１のタッチスクリーンに表示するステップと、上記アイコンのうちの１つである第２のアイコン上から開始され、上記第２のタッチスクリーン内に属し、上記第２のタスクマネージャパネルを除外した領域で解除される第２のタッチドラッグを感知するステップと、上記第２のタッチドラッグによって上記第２のアイコンに関連した第２のアプリケーションの第２のプレビューウィンドウを上記第２のタッチスクリーンに表示するステップと、を含み、上記第１のプレビューウィンドウは、上記第１及び第２のアプリケーションが実行される第１及び第２のタスクスクリーンより小さいサイズを有し、ユーザインターフェースを許容しない非活性状態で表示されることを特徴とする。
【００５８】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーン上に、個人ユーザにより提供される放送サービスを探索して再生するように構成されたパーソナル放送アプリケーションにより提供されるマップ領域を表示するステップと、上記マップ領域は、少なくとも１つの放送キャスターの位置を指示する少なくとも１つのキャスター指示子を含み、第２のタッチスクリーン上に、上記少なくとも１つの放送キャスターにより提供される放送コンテンツを示す放送アイテムを並べた放送リストを表示するステップと、上記各放送アイテムは、放送コンテンツからキャッチャーされた映像イメージと放送題目とキャスター名前と放送時間及び視聴回数のうち少なくとも１つを含み、上記放送リストの放送アイテムのうちの１つである第１の放送アイテム上で第１のタッチジェスチャーを感知するステップと、上記第１のタッチジェスチャーの感知に応答して、上記第１のタッチスクリーンに上記第１の放送アイテムに該当する放送コンテンツを再生する放送映像を表示し、上記第２のタッチスクリーンに上記第１の放送アイテムを視聴している視聴者が参加することができる討論領域を表示するステップと、上記討論領域は、上記視聴者により入力されたメッセージを表示するメッセージ表示ウィンドウとメッセージを受信することができるメッセージ入力領域を含み、上記第１及び第２のタッチスクリーン上に上記放送映像と上記討論領域を表示する間に、上記放送コンテンツの再生を中断することを指示する第１の命令を感知するステップと、上記第１の命令の感知に応答して、上記第１及び第２のタッチスクリーン上で上記放送映像と上記討論領域を、上記マップ領域と上記放送リストに置き換えて表示するステップと、を含むことを特徴とする。
【００５９】
本発明の一実施形態による方法は、タッチスクリーンディスプレイを設ける携帯機器の制御方法を提供する。上記方法は、第１のタッチスクリーン上にマップ領域を表示するステップと、上記マップ領域は、少なくとも１つの放送キャスターの位置を指示する少なくとも１つのキャスター指示子を含み、第２のタッチスクリーン上に、上記少なくとも１つの放送キャスターにより提供される放送アイテムのうち、少なくとも一部を並べた放送リストを表示するステップと、上記各放送アイテムは、放送コンテンツからキャッチャーされた映像イメージと放送題目とキャスター名前と放送時間及び視聴回数のうち少なくとも１つを含み、上記放送リストの放送アイテムのうちの１つである第１の放送アイテム上で第１のタッチジェスチャーを感知するステップと、上記第１のタッチジェスチャーの感知に応答して、上記第１の放送アイテムに該当する放送映像を上記第１のタッチスクリーン上で再生し、上記第２のタッチスクリーンに上記第１の放送アイテムの放送映像を視聴している視聴者が参加することができる討論領域を表示するステップと、を含み、上記討論領域は、上記視聴者により入力されたメッセージを表示するメッセージ表示ウィンドウとメッセージを受信することができるメッセージ入力領域を含むことを特徴とする。
【００６０】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーン上に、個人ユーザにより提供される放送サービスを探索して再生するように構成されたパーソナル放送アプリケーションにより提供されるマップ領域を表示するステップと、上記マップ領域は、少なくとも１つの放送キャスターの位置を指示する少なくとも１つのキャスター指示子を含み、上記第２のタッチスクリーン上に、上記少なくとも１つの放送キャスターにより提供される放送コンテンツを示す放送アイテムを並べた放送リストを表示するステップと、上記各放送アイテムは、放送コンテンツからキャッチャーされた映像イメージと放送題目とキャスター名前と放送時間及び視聴回数のうち少なくとも１つを含み、上記放送リストの放送アイテムのうちの１つである第１の放送アイテム上で第１のタッチジェスチャーを感知するステップと、上記第１のタッチジェスチャーの感知に応答して、上記第１のタッチスクリーンに上記第１の放送アイテムに該当する放送コンテンツを再生する放送映像を表示し、上記第２のタッチスクリーンに上記第１の放送アイテムを視聴している視聴者が参加することができる討論領域を表示するステップと、上記討論領域は、上記視聴者により入力されたメッセージを表示するメッセージ表示ウィンドウとメッセージを受信することができるメッセージ入力領域を含み、上記第１及び第２のタッチスクリーン上に上記放送映像と上記討論領域を表示する間に、上記放送コンテンツの再生を中断することを指示する第１の命令を感知するステップと、上記第１の命令の感知に応答して、上記第１及び第２のタッチスクリーン上で上記放送映像と上記討論領域を、上記マップ領域と上記放送リストに置き換えて表示するステップと、を含むことを特徴とする。
【００６１】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーン上にマップ領域を表示するステップと、上記マップ領域は、少なくとも１つの放送キャスターの位置を指示する少なくとも１つのキャスター指示子を含み、上記第２のタッチスクリーン上に、上記少なくとも１つの放送キャスターにより提供される放送アイテムのうち、少なくとも一部を並べた放送リストを表示するステップと、上記各放送アイテムは、放送コンテンツからキャッチャーされた映像イメージと放送題目とキャスター名前と放送時間及び視聴回数のうち少なくとも１つを含み、上記放送リストの放送アイテムのうちの１つである第１の放送アイテム上で第１のタッチジェスチャーを感知するステップと、上記第１のタッチジェスチャーの感知に応答して、上記第１の放送アイテムに該当する放送映像を上記第１のタッチスクリーン上で再生し、上記第２のタッチスクリーンに上記第１の放送アイテムの放送映像を視聴している視聴者が参加することができる討論領域を表示するステップと、を含み、上記討論領域は、上記視聴者により入力されたメッセージを表示するメッセージ表示ウィンドウとメッセージを受信することができるメッセージ入力領域を含むことを特徴とする。
【００６２】
本発明の一実施形態による媒体は、コンピュータにより実行可能であるように構成されるプログラムを記憶するメモリを含む。上記プログラムは、第１のタッチスクリーン上に、個人ユーザにより提供される放送サービスを探索して再生するように構成されたパーソナル放送アプリケーションにより提供されるマップ領域を表示するステップと、上記マップ領域は、少なくとも１つの放送キャスターの位置を指示する少なくとも１つのキャスター指示子を含み、第２のタッチスクリーン上に、上記少なくとも１つの放送キャスターにより提供される放送コンテンツを示す放送アイテムを並べた放送リストを表示するステップと、上記各放送アイテムは、放送コンテンツからキャッチャーされた映像イメージと放送題目とキャスター名前と放送時間及び視聴回数のうち少なくとも１つを含み、上記放送リストの放送アイテムのうちの１つである第１の放送アイテム上で第１のタッチジェスチャーを感知するステップと、上記第１のタッチジェスチャーの感知に応答して、上記第１のタッチスクリーンに上記第１の放送アイテムに該当する放送コンテンツを再生する放送映像を表示し、上記第２のタッチスクリーンに上記第１の放送アイテムを視聴している視聴者が参加することができる討論領域を表示するステップと、上記討論領域は、上記視聴者により入力されたメッセージを表示するメッセージ表示ウィンドウとメッセージを受信することができるメッセージ入力領域を含み、上記第１及び第２のタッチスクリーン上に上記放送映像と上記討論領域を表示する間に、上記放送コンテンツの再生を中断することを指示する第１の命令を感知するステップと、上記第１の命令の感知に応答して、上記第１及び第２のタッチスクリーン上で上記放送映像と上記討論領域を、上記マップ領域と上記放送リストに置き換えて表示するステップと、を含むことを特徴とする。
【００６３】
本発明の一実施形態による媒体は、コンピュータにより実行可能であるように構成されるプログラムを記憶するメモリを含む。上記プログラムは、第１のタッチスクリーン上にマップ領域を表示するステップと、上記マップ領域は、少なくとも１つの放送キャスターの位置を指示する少なくとも１つのキャスター指示子を含み、第２のタッチスクリーン上に、上記少なくとも１つの放送キャスターにより提供される放送アイテムのうち、少なくとも一部を並べた放送リストを表示するステップと、上記各放送アイテムは、放送コンテンツからキャッチャーされた映像イメージと放送題目とキャスター名前と放送時間及び視聴回数のうち少なくとも１つを含み、上記放送リストの放送アイテムのうちの１つである第１の放送アイテム上で第１のタッチジェスチャーを感知するステップと、上記第１のタッチジェスチャーの感知に応答して、上記第１の放送アイテムに該当する放送映像を上記第１のタッチスクリーン上で再生して、上記第２のタッチスクリーンに上記第１の放送アイテムの放送映像を視聴している視聴者が参加することができる討論領域を表示するステップと、を含み、上記討論領域は、上記視聴者により入力されたメッセージを表示するメッセージ表示ウィンドウとメッセージを受信することができるメッセージ入力領域を含むことを特徴とする。
【００６４】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンを含む第１のパネルと第２のタッチスクリーンを含む第２のパネルが広げられた(unfoled)状態で、上記第１のパネルと上記第２のパネルが折り畳まれた後に、所定の有効時間内に広げられる第１のフォールディングバック命令を感知するステップと、上記第１のフォールディングバック命令の感知に応答して、カット及び／又はコピーされたオブジェクトを記憶するクリップボードを上記第２のタッチスクリーン内の予め定められる領域に表示するステップと、上記クリップボードは、上記カット及び／又はコピーされたオブジェクトのうち、少なくとも一部の簡単化されたシンボルを含むユーザインターフェース領域であり、上記第１あるいは第２のタッチスクリーン上で第１のアプリケーションにより表示されるオブジェクトのうちの１つである第１のオブジェクト上で上記クリップボード内の第１の位置に移動する第１のタッチジェスチャーを感知するステップと、上記第１のタッチジェスチャーの感知に応答して、上記第１のオブジェクトのコピーを上記クリップボード内の上記第１の位置に表示するステップと、上記第１のオブジェクトのコピーは、上記クリップボード内に既存に表示されているオブジェクト間に挿入され、上記クリップボード内に含まれるオブジェクトは、上記第１のオブジェクトのコピーを含んで再整列され、上記クリップボード内に表示されるオブジェクトのうちの第２のオブジェクト上で上記第１あるいは第２のタッチスクリーン上に表示されている第２のアプリケーション上の第２の位置に移動する第２のタッチジェスチャーを感知するステップと、上記第２のタッチジェスチャーの感知に応答して、上記第２のアプリケーションに上記第２のオブジェクトを入力するステップと、を含むことを特徴とする。
【００６５】
本発明の一実施形態による方法は、タッチスクリーンディスプレイを設ける携帯機器の制御方法を提供する。上記方法は、第１のタッチスクリーンを含む第１のパネルと第２のタッチスクリーンを含む第２のパネルが広げられている状態で、上記第１のパネルと上記第２のパネルが折り畳まれた後に、所定の有効時間内に復旧される第１のフォールディングバック命令を感知するステップと、上記第１のフォールディングバック命令の感知に応答して、カット及び／又はコピーされたオブジェクトを記憶するクリップボードを上記第２のタッチスクリーン内の予め定められる領域に表示するステップと、上記クリップボードは、上記カット及び／又はコピーされたオブジェクトのうち、少なくとも一部を含むユーザインターフェース領域であり、上記第１のタッチスクリーン上に表示される第１のアプリケーションにより提供されるオブジェクトのうちの１つである第１のオブジェクト上で上記クリップボード内の第１の位置に移動する第１のタッチジェスチャーを感知するステップと、上記第１のタッチジェスチャーの感知に応答して、上記第１のオブジェクトのコピーを上記クリップボード内の上記第１の位置に表示するステップと、を含み、上記第１のオブジェクトのコピーは、上記クリップボード内に既存に表示されているオブジェクト間に挿入され、上記クリップボード内に含まれるオブジェクトは、上記第１のオブジェクトのコピーを含んで再整列されることを特徴とする。
【００６６】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンを含む第１のパネルと上記第２のタッチスクリーンを含む第２のパネルが広げられた(unfoled)状態で、上記第１のパネルと上記第２のパネルが折り畳まれた後に、所定の有効時間内に広げられる第１のフォールディングバック命令を感知するステップと、上記第１のフォールディングバック命令の感知に応答して、カット及び／又はコピーされたオブジェクトを記憶するクリップボードを上記第２のタッチスクリーン内の予め定められる領域に表示するステップと、上記クリップボードは、上記カット及び／又はコピーされたオブジェクトのうち、少なくとも一部の簡単化されたシンボルを含むユーザインターフェース領域であり、上記第１あるいは第２のタッチスクリーン上で第１のアプリケーションにより表示されるオブジェクトのうちの１つである第１のオブジェクト上で上記クリップボード内の第１の位置に移動する第１のタッチジェスチャーを感知するステップと、上記第１のタッチジェスチャーの感知に応答して、上記第１のオブジェクトのコピーを上記クリップボード内の上記第１の位置に表示するステップと、上記第１のオブジェクトのコピーは、上記クリップボード内に既存に表示されているオブジェクト間に挿入され、上記クリップボード内に含まれるオブジェクトは、上記第１のオブジェクトのコピーを含んで再整列され、上記クリップボード内に表示されるオブジェクトのうちの第２のオブジェクト上で上記第１あるいは第２のタッチスクリーン上に表示されている第２のアプリケーション上の第２の位置に移動する第２のタッチジェスチャーを感知するステップと、上記第２のタッチジェスチャーの感知に応答して、上記第２のアプリケーションに上記第２のオブジェクトを入力するステップと、を含むことを特徴とする。
【００６７】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンを含む第１のパネルと上記第２のタッチスクリーンを含む第２のパネルが広げられている状態で、上記第１のパネルと上記第２のパネルが折り畳まれた後に、所定の有効時間内に広げられる第１のフォールディングバック命令を感知するステップと、上記第１のフォールディングバック命令の感知に応答して、カット及び／又はコピーされたオブジェクトを記憶するクリップボードを上記第２のタッチスクリーン内の予め定められる領域に表示するステップと、上記クリップボードは、上記カット及び／又はコピーされたオブジェクトのうち、少なくとも一部を含むユーザインターフェース領域であり、上記第１のタッチスクリーン上に表示される第１のアプリケーションにより提供されるオブジェクトのうちの１つである第１のオブジェクト上で上記クリップボード内の第１の位置に移動する第１のタッチジェスチャーを感知するステップと、上記第１のタッチジェスチャーの感知に応答して、上記第１のオブジェクトのコピーを上記クリップボード内の上記第１の位置に表示するステップと、を含み、上記第１のオブジェクトのコピーは、上記クリップボード内に既存に表示されているオブジェクト間に挿入され、上記クリップボード内に含まれるオブジェクトは、上記第１のオブジェクトのコピーを含んで再整列されることを特徴とする。
【００６８】
本発明の一実施形態による媒体は、コンピュータにより実行可能であるように構成されるプログラムを記憶するメモリを含む。上記プログラムは、第１のタッチスクリーンを含む第１のパネルと第２のタッチスクリーンを含む第２のパネルが広げられた(unfoled)状態で、上記第１のパネルと上記第２のパネルが折り畳まれた後に、所定の有効時間内に広げられる第１のフォールディングバック命令を感知するステップと、上記第１のフォールディングバック命令の感知に応答して、カット及び／又はコピーされたオブジェクトを記憶するクリップボードを上記第２のタッチスクリーン内の予め定められる領域に表示するステップと、上記クリップボードは、上記カット及び／又はコピーされたオブジェクトのうち、少なくとも一部の簡単化されたシンボルを含むユーザインターフェース領域であり、上記第１あるいは第２のタッチスクリーン上で第１のアプリケーションにより表示されるオブジェクトのうちの１つである第１のオブジェクト上で上記クリップボード内の第１の位置に移動する第１のタッチジェスチャーを感知するステップと、上記第１のタッチジェスチャーの感知に応答して、上記第１のオブジェクトのコピーを上記クリップボード内の上記第１の位置に表示するステップと、上記第１のオブジェクトのコピーは、上記クリップボード内に既存に表示されているオブジェクト間に挿入され、上記クリップボード内に含まれるオブジェクトは、上記第１のオブジェクトのコピーを含んで再整列され、上記クリップボード内に表示されるオブジェクトのうちの第２のオブジェクト上で上記第１あるいは第２のタッチスクリーン上に表示されている第２のアプリケーション上の第２の位置に移動する第２のタッチジェスチャーを感知するステップと、上記第２のタッチジェスチャーの感知に応答して、上記第２のアプリケーションに上記第２のオブジェクトを入力するステップを含むことを特徴とする。
【００６９】
本発明の一実施形態による媒体は、コンピュータにより実行可能であるように構成されるプログラムを記憶するメモリを含む。上記プログラムは、第１のタッチスクリーンを含む第１のパネルと第２のタッチスクリーンを含む第２のパネルが広げられている状態で、上記第１のパネルと上記第２のパネルが折り畳まれた後に、所定の有効時間内に広げられる第１のフォールディングバック命令を感知するステップと、上記第１のフォールディングバック命令の感知に応答して、カット及び／又はコピーされたオブジェクトを記憶するクリップボードを上記第２のタッチスクリーン内の予め定められる領域に表示するステップと、上記クリップボードは、上記カット及び／又はコピーされたオブジェクトのうち、少なくとも一部を含むユーザインターフェース領域であり、上記第１のタッチスクリーン上に表示される第１のアプリケーションにより提供されるオブジェクトのうちの１つである第１のオブジェクト上で上記クリップボード内の第１の位置に移動する第１のタッチジェスチャーを感知するステップと、上記第１のタッチジェスチャーの感知に応答して、上記第１のオブジェクトのコピーを上記クリップボード内の上記第１の位置に表示するステップと、を含み、上記第１のオブジェクトのコピーは、上記クリップボード内に既存に表示されているオブジェクト間に挿入され、上記クリップボード内に含まれるオブジェクトは、上記第１のオブジェクトのコピーを含んで再整列されることを特徴とする。
【００７０】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンに電子ブックアプリケーションにより提供される第１のページ及び前ページのエッジラインを表示し、第２のタッチスクリーンに上記電子ブックアプリケーションにより提供される第２のページ及び後ページのエッジラインを表示するステップと、上記第１のタッチスクリーンを含む第１のパネルと上記第２のタッチスクリーンを含む第２のパネルが所定の範囲内の第１の角度だけ外側に折り畳まれた後に、所定の有効時間内に復旧される第１のフォールディングバック命令を感知するステップと、上記第１のフォールディングバック命令の感知に応答して、上記後ページのエッジラインのうち、少なくとも一部のエッジラインに添付されたタグを上記第２のタッチスクリーンに表示するステップと、上記各タグは、ユーザにより指定されたページのエッジラインに位置し、上記ページ及び上記エッジラインと視覚的に区分されるカラーを有し、上記タグが表示されている間に第２のフォールディングバック命令を感知するステップと、上記第２のフォールディングバック命令の感知に応答して、上記タグを上記第２のタッチスクリーンから除去するステップと、を含むことを特徴とする。
【００７１】
本発明の一実施形態による方法は、タッチスクリーンディスプレイを設ける携帯機器の制御方法を提供する。上記方法は、第１のタッチスクリーンを含む第１のパネルと第２のタッチスクリーンを含む第２のパネルが広げられている状態で、第１のタッチスクリーンに電子ブックコンテンツの第１のページ及び前ページのエッジラインを表示し、第２のタッチスクリーンに上記電子ブックコンテンツの第２のページ及び後ページのエッジラインを表示するステップと、上記第１及び第２のパネルが所定の範囲内の第１の角度だけ外側に折り畳まれた後に、所定の有効時間内に復旧される第１のフォールディングバック命令を感知するステップと、上記第１のフォールディングバック命令の感知に応答して、上記後ページのエッジラインのうち、少なくとも一部のエッジラインに添付されたタグを上記第２のタッチスクリーンに表示するステップと、を含み、上記各タグは、ユーザにより指定されたページのエッジラインに位置して、上記ページ及び上記エッジラインと視覚的に区分されることを特徴とする。
【００７２】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに電子ブックアプリケーションにより提供される第１のページ及び前ページのエッジラインを表示し、上記第２のタッチスクリーンに上記電子ブックアプリケーションにより提供される第２のページ及び後ページのエッジラインを表示するステップと、上記第１のタッチスクリーンを含む第１のパネルと上記第２のタッチスクリーンを含む第２のパネルが所定の範囲内の第１の角度だけ外側に折り畳まれた後に、所定の有効時間内に復旧される第１のフォールディングバック命令を感知するステップと、上記第１のフォールディングバック命令の感知に応答して、上記後ページのエッジラインのうち、少なくとも一部のエッジラインに添付されたタグを上記第２のタッチスクリーンに表示するステップと、上記各タグは、ユーザにより指定されたページのエッジラインに位置し、上記ページ及び上記エッジラインと視覚的に区分されるカラーを有し、上記タグが表示されている間に第２のフォールディングバック命令を感知するステップと、上記第２のフォールディングバック命令の感知に応答して、上記タグを上記第２のタッチスクリーンから除去するステップと、を含むことを特徴とする。
【００７３】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンを含む第１のパネルと上記第２のタッチスクリーンを含む第２のパネルが広げられている状態で、第１のタッチスクリーンに電子ブックコンテンツの第１のページ及び前ページのエッジラインを表示し、第２のタッチスクリーンに上記電子ブックコンテンツの第２のページ及び後ページのエッジラインを表示するステップと、上記第１及び第２のパネルが所定の範囲内の第１の角度だけ外側に折り畳まれた後に、所定の有効時間内に復旧される第１のフォールディングバック命令を感知するステップと、上記第１のフォールディングバック命令の感知に応答して、上記後ページのエッジラインのうち、少なくとも一部のエッジラインに添付されたタグを上記第２のタッチスクリーンに表示するステップと、を含み、上記各タグは、ユーザにより指定されたページのエッジラインに位置して、上記ページ及び上記エッジラインと視覚的に区分されることを特徴とする。
【００７４】
本発明の一実施形態による媒体は、コンピュータにより実行可能であるように構成されるプログラムを記憶するメモリを含む。上記プログラムは、第１のタッチスクリーンに電子ブックアプリケーションにより提供される第１のページ及び前ページのエッジラインを表示し、第２のタッチスクリーンに上記電子ブックアプリケーションにより提供される第２のページ及び後ページのエッジラインを表示するステップと、上記第１のタッチスクリーンを含む第１のパネルと上記第２のタッチスクリーンを含む第２のパネルが所定の範囲内の第１の角度だけ外側に折り畳まれた後に、所定の有効時間内に復旧される第１のフォールディングバック命令を感知するステップと、上記第１のフォールディングバック命令の感知に応答して、上記後ページのエッジラインのうち、少なくとも一部のエッジラインに添付されたタグを上記第２のタッチスクリーンに表示するステップと、上記各タグは、ユーザにより指定されたページのエッジラインに位置して、上記ページ及び上記エッジラインと視覚的に区分されるカラーを有し、上記タグが表示されている間に第２のフォールディングバック命令を感知するステップと、上記第２のフォールディングバック命令の感知に応答して、上記タグを上記第２のタッチスクリーンから除去するステップと、を含むことを特徴とする。
【００７５】
本発明の一実施形態による媒体は、コンピュータにより実行可能であるように構成されるプログラムを記憶するメモリを含む。上記プログラムは、第１のタッチスクリーンを含む第１のパネルと第２のタッチスクリーンを含む第２のパネルが広げられている状態で、第１のタッチスクリーンに電子ブックコンテンツの第１のページ及び前ページのエッジラインを表示し、第２のタッチスクリーンに上記電子ブックコンテンツの第２のページ及び後ページのエッジラインを表示するステップと、上記第１及び第２のパネルが所定の範囲内の第１の角度だけ外側に折り畳まれた後に、所定の有効時間内に復旧される第１のフォールディングバック命令を感知するステップと、上記第１のフォールディングバック命令の感知に応答して、上記後ページのエッジラインのうち、少なくとも一部のエッジラインに添付されたタグを上記第２のタッチスクリーンに表示するステップと、を含み、上記各タグは、ユーザにより指定されたページのエッジラインに位置して、上記ページ及び上記エッジラインと視覚的に区分されることを特徴とする。
【００７６】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンに画像会議アプリケーションにより提供される画像会議に関連した第１の参加者リスト領域と、基本情報領域と、会議リスタートキーと、新たな会議生成キーのうち少なくとも１つを表示するステップと、上記第１の参加者リスト領域は、上記画像会議に参加する参加者の名前とピクチャーイメージを含み、上記基本情報領域は、会議日付と会議開始及び終了時間と上記画像会議に使用される文書ファイルの名前を表示し、第２のタッチスクリーンに上記画像会議アプリケーションにより提供されることができる複数の画像会議を示す会議アイテムの少なくとも一部を配列する画像会議リストを表示するステップと、上記各会議アイテムは、画像会議の題目、開始時間、発議者、参加者数、進行時間のうち少なくとも１つを含み、上記会議リスタートキー上で第１のタッチジェスチャーを感知するステップと、上記第１のタッチジェスチャーの感知に応答して、上記第１のタッチスクリーンに上記第１参加者リスト領域から拡張された第２の参加者リスト領域を表示し、上記第２のタッチスクリーンに上記画像会議に使用される文書ファイルの内容を含む第１の共有ボード領域を表示するステップと、を含み、上記第２の参加者リスト領域は、上記参加者に対して上記第１の参加者リスト領域に比べてより大きいピクチャーイメージを含むことを特徴とする。
【００７７】
本発明の一実施形態による方法は、タッチスクリーンディスプレイを設ける携帯機器の制御方法を提供する。上記方法は、第１のタッチスクリーンに、画像会議に参加する参加者それぞれの名前とピクチャーイメージを含む第１の参加者リスト領域を表示するステップと、第２のタッチスクリーンに上記画像会議に参照される第１の共有ボード領域を表示するステップと、を含み、上記第１の共有ボード領域は、上記画像会議に参照される文書ファイルの内容と上記参加者により入力された手描きオブジェクトを表示するホワイトボード領域のうち少なくとも１つを提供することを特徴とする。
【００７８】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに画像会議アプリケーションにより提供される画像会議に関連した第１の参加者リスト領域と、基本情報領域と、会議リスタートキーと、新たな会議生成キーのうち少なくとも１つを表示するステップと、上記第１の参加者リスト領域は、上記画像会議に参加する参加者の名前とピクチャーイメージを含み、上記基本情報領域は、会議日付と会議開始及び終了時間と上記画像会議に使用される文書ファイルの名前を表示し、上記第２のタッチスクリーンに上記画像会議アプリケーションにより提供されることができる複数の画像会議を示す会議アイテムの少なくとも一部を含む画像会議リストを表示するステップと、上記各会議アイテムは、画像会議の題目、開始時間、発議者、参加者数、進行時間のうち少なくとも１つを含み、上記会議リスタートキー上で第１のタッチジェスチャーを感知するステップと、上記第１のタッチジェスチャーの感知に応答して、上記第１のタッチスクリーンに上記第１参加者リスト領域から拡張された第２の参加者リスト領域を表示し、上記第２のタッチスクリーンに上記画像会議に使用される文書ファイルの内容を含む第１の共有ボード領域を表示するステップと、を含み、上記第２の参加者リスト領域は、上記参加者に対して上記第１の参加者リスト領域に比べてより大きいピクチャーイメージを含むことを特徴とする。
【００７９】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに、画像会議に参加する参加者それぞれの名前とピクチャーイメージを含む第１の参加者リスト領域を表示するステップと、上記第２のタッチスクリーンに上記画像会議に参照される第１の共有ボード領域を表示するステップと、を含み、上記第１の共有ボード領域は、上記画像会議に参照される文書ファイルの内容と上記参加者により入力された手描きオブジェクトを表示するホワイトボード領域のうち少なくとも１つを提供することを特徴とする。
【００８０】
本発明の一実施形態による媒体は、コンピュータにより実行可能であるように構成されるプログラムを記憶するメモリを含む。上記プログラムは、第１のタッチスクリーンに画像会議アプリケーションにより提供される画像会議に関連した第１の参加者リスト領域と、基本情報領域と、会議リスタートキーと、新たな会議生成キーのうち少なくとも１つを表示するステップと、上記第１の参加者リスト領域は、上記画像会議に参加する参加者の名前とピクチャーイメージを含み、上記基本情報領域は、会議日付と会議開始及び終了時間と上記画像会議に使用される文書ファイルの名前を表示し、第２のタッチスクリーンに上記画像会議アプリケーションにより提供されることができる複数の画像会議を示す会議アイテムの少なくとも一部を配列する画像会議リストを表示するステップと、上記各会議アイテムは、画像会議の題目、開始時間、発議者、参加者数、進行時間のうち少なくとも１つを含み、上記会議リスタートキー上で第１のタッチジェスチャーを感知するステップと、上記第１のタッチジェスチャーの感知に応答して、上記第１のタッチスクリーンに上記第１参加者リスト領域から拡張された第２の参加者リスト領域を表示し、上記第２のタッチスクリーンに上記画像会議に使用される文書ファイルの内容を含む第１の共有ボード領域を表示するステップと、を含み、上記第２の参加者リスト領域は、上記参加者に対して上記第１の参加者リスト領域に比べてより大きいピクチャーイメージを含むことを特徴とする。
【００８１】
本発明の一実施形態による媒体は、コンピュータにより実行可能であるように構成されるプログラムを記憶するメモリを含む。上記プログラムは、第１のタッチスクリーンに、画像会議に参加する参加者それぞれの名前とピクチャーイメージを含む第１の参加者リスト領域を表示するステップと、第２のタッチスクリーンに上記画像会議に参照される第１の共有ボード領域を表示するステップと、を含み、上記第１の共有ボード領域は、上記画像会議に参照される文書ファイルの内容と上記参加者により入力された手描きオブジェクトを表示するホワイトボード領域のうち少なくとも１つを提供することを特徴とする。
【００８２】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンに、少なくとも１つの他のユーザの携帯機器と連動されゲームを実行するように構成されたコラボレイティブゲームアプリケーションにより提供されるゲーム準備スクリーンを表示するステップと、上記ゲーム準備スクリーンは、上記携帯機器のユーザと上記他のユーザを示す参加者識別領域とゲーム準備完了を選択するための準備キーと上記ユーザ及び他のユーザを含む参加者と参加対象者のためのチャッティング領域のうち少なくとも１つを含み、上記準備キー上で第１のタップジェスチャーが感知され、上記すべての参加者が準備状態となったことを感知すると、上記第１のタッチスクリーンに上記ゲーム準備スクリーンを、上記ユーザのためのゲームムインターフェーススクリーンに置き換えて表示し、第２のタッチスクリーンに上記他のユーザのためのゲーム情報を表示するステップと、を含み、上記ゲームムインターフェーススクリーンは、上記ユーザのチャッティングメッセージを受信し、上記ユーザ及び上記他のユーザのチャッティングメッセージを表示するチャッティング領域と、上記ユーザに与えられたカードを見せる携帯カード領域と、ベッティング金額を表示するベッティング金額領域と、上記ユーザの携帯金額を表示する携帯金額領域及び参加者に提供されていない閉じたカードを含むカードプールを表示する第１のカードスロット領域のうち少なくとも１つを含み、上記ゲーム情報は、上記ユーザの識別情報を表示する識別領域と、上記ユーザにより選択されたベッティングアイテムを表示するベッティング表示領域と、上記ユーザが上記他のユーザに見せるように選択したカードを見せるオープンカード領域と、上記ユーザの携帯金額を表示する携帯金額領域と、参加者に提供されていない閉じたカードを含むカードプールを表示する第２のカードスロット領域のうち少なくとも１つを含み、上記ゲームムインターフェーススクリーン及び上記ゲーム情報は、上記第１及び第２のタッチスクリーンが設けられた上記少なくとも１つのパネルがフォールドアウトされた状態で表示されることを特徴とする。
【００８３】
本発明の一実施形態による方法は、タッチスクリーンディスプレイを設ける携帯機器の制御方法を提供する。上記方法は、第１のタッチスクリーンにコラボレイティブゲームに参加するユーザのためのゲームムインターフェーススクリーンを表示するステップと、第２のタッチスクリーンに上記コラボレイティブゲームに参加する少なくとも１つの他のユーザのためのゲーム情報を表示するステップと、を含み、上記ゲームムインターフェーススクリーンは、上記ユーザのチャッティングメッセージを受信し、上記ユーザ及び上記他のユーザのチャッティングメッセージを表示するチャッティング領域と、上記ユーザに与えられたカード(playing card)を見せる携帯カード領域と、ベッティング金額を表示するベッティング金額領域と、上記ユーザの携帯金額を表示する携帯金額領域及びカードプールを表示する第１のカードスロット領域のうち少なくとも１つを含み、上記ゲーム情報は、上記ユーザの名前及びピクチャーイメージのうち少なくとも１つを表示する識別領域と、上記ユーザにより選択されたベッティングアイテムを表示するベッティング表示領域と、上記ユーザが上記他のユーザに見せるように選択したカードを見せるオープンカード領域と、上記ユーザの携帯金額を表示する携帯金額領域と、カードプールを表示する第２のカードスロット領域のうち少なくとも１つを含み、上記ゲームムインターフェーススクリーン及び上記ゲーム情報は、上記第１及び第２のタッチスクリーンを含む第１及び第２のパネルがフォールドアウトされた状態で表示されることを特徴とする。
【００８４】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに、少なくとも１つの他のユーザの携帯機器と連動されゲームを実行するように構成されたコラボレイティブゲームアプリケーションにより提供されるゲーム準備スクリーンを表示するステップと、上記ゲーム準備スクリーンは、上記携帯機器のユーザと上記他のユーザを示す参加者識別領域とゲーム準備完了を選択するための準備キーと上記ユーザ及び他のユーザを含む参加者と参加対象者のためのチャッティング領域のうち少なくとも１つを含み、上記準備キー上で第１のタップジェスチャーが感知され、上記すべての参加者が準備状態となったことを感知すると、上記第１のタッチスクリーンに上記ゲーム準備スクリーンを、上記ユーザのためのゲームムインターフェーススクリーンに置き換えて表示し、上記第２のタッチスクリーンに上記他のユーザのためのゲーム情報を表示するステップと、を含み、上記ゲームムインターフェーススクリーンは、上記ユーザのチャッティングメッセージを受信し、上記ユーザ及び上記他のユーザのチャッティングメッセージを表示するチャッティング領域と、上記ユーザに与えられたカードを見せる携帯カード領域と、ベッティング金額を表示するベッティング金額領域と、上記ユーザの携帯金額を表示する携帯金額領域及び参加者に提供されていない閉じたカードを含むカードプールを表示する第１のカードスロット領域のうち少なくとも１つを含み、上記ゲーム情報は、上記ユーザの識別情報を表示する識別領域と、上記ユーザにより選択されたベッティングアイテムを表示するベッティング表示領域と、上記ユーザが上記他のユーザに見せるように選択したカードを見せるオープンカード領域と、上記ユーザの携帯金額を表示する携帯金額領域と、参加者に提供されていない閉じたカードを含むカードプールを表示する第２のカードスロット領域のうち少なくとも１つを含み、上記ゲームムインターフェーススクリーン及び上記ゲーム情報は、上記第１及び第２のタッチスクリーンが設けられた上記少なくとも１つのパネルがフォールドアウトされた状態で表示されることを特徴とする。
【００８５】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンにコラボレイティブゲームに参加するユーザのためのゲームムインターフェーススクリーンを表示するステップと、上記第２のタッチスクリーンに上記コラボレイティブゲームに参加する少なくとも１つの他のユーザのためのゲーム情報を表示するステップと、を含み、上記ゲームムインターフェーススクリーンは、上記ユーザのチャッティングメッセージを受信し、上記ユーザ及び上記他のユーザのチャッティングメッセージを表示するチャッティング領域と、上記ユーザに与えられたカード(playing card)を見せる携帯カード領域と、ベッティング金額を表示するベッティング金額領域と、上記ユーザの携帯金額を表示する携帯金額領域及びカードプールを表示する第１のカードスロット領域のうち少なくとも１つを含み、上記ゲーム情報は、上記ユーザの名前及びピクチャーイメージのうち少なくとも１つを表示する識別領域と、上記ユーザにより選択されたベッティングアイテムを表示するベッティング表示領域と、上記ユーザが上記他のユーザに見せるように選択したカードを見せるオープンカード領域と、上記ユーザの携帯金額を表示する携帯金額領域と、カードプールを表示する第２のカードスロット領域のうち少なくとも１つを含み、上記ゲームムインターフェーススクリーン及び上記ゲーム情報は、上記第１及び第２のタッチスクリーンを含む第１及び第２のパネルがフォールドアウトされた状態で表示されることを特徴とする。
【００８６】
本発明の一実施形態による媒体は、コンピュータにより実行可能であるように構成されるプログラムを記憶するメモリを含む。上記プログラムは、第１のタッチスクリーンに、少なくとも１つの他のユーザの携帯機器と連動されゲームを実行するように構成されたコラボレイティブゲームアプリケーションにより提供されるゲーム準備スクリーンを表示するステップと、上記ゲーム準備スクリーンは、上記携帯機器のユーザと上記他のユーザを示す参加者識別領域とゲーム準備完了を選択するための準備キーと上記ユーザ及び他のユーザを含む参加者と参加対象者のためのチャッティング領域のうち少なくとも１つを含み、上記準備キー上で第１のタップジェスチャーが感知され、上記すべての参加者が準備状態となったことを感知すると、上記第１のタッチスクリーンに上記ゲーム準備スクリーンを、上記ユーザのためのゲームムインターフェーススクリーンに置き換えて表示し、第２のタッチスクリーンに上記他のユーザのためのゲーム情報を表示するステップと、を含み、上記ゲームムインターフェーススクリーンは、上記ユーザのチャッティングメッセージを受信し、上記ユーザ及び上記他のユーザのチャッティングメッセージを表示するチャッティング領域と、上記ユーザに与えられたカードを見せる携帯カード領域と、ベッティング金額を表示するベッティング金額領域と、上記ユーザの携帯金額を表示する携帯金額領域及び参加者に提供されていない閉じたカードを含むカードプールを表示する第１のカードスロット領域のうち少なくとも１つを含み、上記ゲーム情報は、上記ユーザの識別情報を表示する識別領域と、上記ユーザにより選択されたベッティングアイテムを表示するベッティング表示領域と、上記ユーザが上記他のユーザに見せるように選択したカードを見せるオープンカード領域と、上記ユーザの携帯金額を表示する携帯金額領域と、参加者に提供されていない閉じたカードを含むカードプールを表示する第２のカードスロット領域のうち少なくとも１つを含み、上記ゲームムインターフェーススクリーン及び上記ゲーム情報は、上記第１及び第２のタッチスクリーンが設けられた上記少なくとも１つのパネルがフォールドアウトされた状態で表示されることを特徴とする。
【００８７】
本発明の一実施形態による媒体は、コンピュータにより実行可能であるように構成されるプログラムを記憶するメモリを含む。上記プログラムは、第１のタッチスクリーンにコラボレイティブゲームに参加するユーザのためのゲームムインターフェーススクリーンを表示するステップと、第２のタッチスクリーンに上記コラボレイティブゲームに参加する少なくとも１つの他のユーザのためのゲーム情報を表示するステップと、を含み、上記ゲームムインターフェーススクリーンは、上記ユーザのチャッティングメッセージを受信し、上記ユーザ及び上記他のユーザのチャッティングメッセージを表示するチャッティング領域と、上記ユーザに与えられたカード(playing card)を見せる携帯カード領域と、ベッティング金額を表示するベッティング金額領域と、上記ユーザの携帯金額を表示する携帯金額領域及びカードプールを表示する第１のカードスロット領域のうち少なくとも１つを含み、上記ゲーム情報は、上記ユーザの名前及びピクチャーイメージのうち少なくとも１つを表示する識別領域と、上記ユーザにより選択されたベッティングアイテムを表示するベッティング表示領域と、上記ユーザが上記他のユーザに見せるように選択したカードを見せるオープンカード領域と、上記ユーザの携帯金額を表示する携帯金額領域と、カードプールを表示する第２のカードスロット領域のうち少なくとも１つを含み、上記ゲームムインターフェーススクリーン及び上記ゲーム情報は、上記第１及び第２のタッチスクリーンを含む第１及び第２のパネルがフォールドアウトされた状態で表示されることを特徴とする。
【００８８】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンが前面に向けるように、上記第１のタッチスクリーンを含む第１のパネルと第２のタッチスクリーンを含む第２のパネルが折り畳まれた(folded)状態で、上記第１のタッチスクリーンに第１の情報を表示し、上記第２のタッチスクリーンをターンオフするステップと、上記第１及び第２のパネルが広げられて上記第１及び第２のパネル間の相手角度が予め指定された所定の臨界角度に到達する前まで、上記第１のタッチスクリーンの上記第１の情報と上記第２のタッチスクリーンのターンオフを維持するステップと、上記第１及び第２のパネルがさらに広げられて上記第１及び第２のパネル間の相手角度が上記所定の臨界角度まで増加すると、上記第２のタッチスクリーンをターンオンするステップと、を含み、上記第２のタッチスクリーンがターンオンされる時、駆動中である第１のアプリケーションが存在する場合、上記第２のタッチスクリーンは、上記第１のアプリケーションを表示し、上記第２のタッチスクリーンがターンオンされる時、駆動中である他のアプリケーションが存在しない場合、上記第２のタッチスクリーンは、ホームスクリーンとして指定された少なくとも１つのウィジェット領域及び／又はアプリケーションあるいはアプリケーショングループに関連した少なくとも１つのアイコンを含む第１のページと頻繁に使用されるアプリケーションのアイコンを含むドック領域を表示することを特徴とする。
【００８９】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンが前面に向けるように、上記第１のタッチスクリーンを含む第１のパネルと上記第２のタッチスクリーンを含む第２のパネルが折り畳まれた(folded)状態で、上記第１のタッチスクリーンに第１の情報を表示し、上記第２のタッチスクリーンをターンオフするステップと、上記第１及び第２のパネルが広げられて上記第１及び第２のパネル間の相手角度が予め指定された所定の臨界角度に到達する前まで、上記第１のタッチスクリーンの上記第１の情報と上記第２のタッチスクリーンのターンオフを維持するステップと、上記第１及び第２のパネルがさらに広げられて上記第１及び第２のパネル間の相手角度が上記所定の臨界角度まで増加すると、上記第２のタッチスクリーンをターンオンするステップと、を含み、上記第２のタッチスクリーンがターンオンされる時、駆動中である第１のアプリケーションが存在する場合、上記第２のタッチスクリーンは、上記第１のアプリケーションを表示し、上記第２のタッチスクリーンがターンオンされる時、駆動中である他のアプリケーションが存在しない場合、上記第２のタッチスクリーンは、ホームスクリーンとして指定された少なくとも１つのウィジェット領域及び／又はアプリケーションあるいはアプリケーショングループに関連した少なくとも１つのアイコンを含む第１のページと頻繁に使用されるアプリケーションのアイコンを含むドック領域を表示することを特徴とする。
【００９０】
本発明の一実施形態による媒体は、コンピュータにより実行可能であるように構成されるプログラムを記憶するメモリを含む。上記プログラムは、第１のタッチスクリーンが前面に向けるように、上記第１のタッチスクリーンを含む第１のパネルと第２のタッチスクリーンを含む第２のパネルが折り畳まれた(folded)状態で、上記第１のタッチスクリーンに第１の情報を表示し、上記第２のタッチスクリーンをターンオフするステップと、上記第１及び第２のパネルが広げられて上記第１及び第２のパネル間の相手角度が予め指定された所定の臨界角度に到達する前まで、上記第１のタッチスクリーンの上記第１の情報と上記第２のタッチスクリーンのターンオフを維持するステップと、上記第１及び第２のパネルがさらに広げられて上記第１及び第２のパネル間の相手角度が上記所定の臨界角度まで増加すると、上記第２のタッチスクリーンをターンオンするステップと、を含み、上記第２のタッチスクリーンがターンオンされる時、駆動中である第１のアプリケーションが存在する場合、上記第２のタッチスクリーンは、上記第１のアプリケーションを表示し、上記第２のタッチスクリーンがターンオンされる時、駆動中である他のアプリケーションが存在しない場合、上記第２のタッチスクリーンは、ホームスクリーンとして指定された少なくとも１つのウィジェット領域及び／又はアプリケーションあるいはアプリケーショングループに関連した少なくとも１つのアイコンを含む第１のページと頻繁に使用されるアプリケーションのアイコンを含むドック領域を表示することを特徴とする。
【００９１】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、リスト及び格子のうちいずれか１つに属する複数のアイテムの第１及び第２のページを第１及び第２のタッチスクリーンに表示するステップと、上記第１及び第２のタッチスクリーンのうちいずれか１つで第１のタッチジェスチャーを感知するステップと、上記第１のタッチジェスチャーの動き方向及び速度に従って上記第１及び第２のタッチスクリーン上のアイテムを共にスクロールするステップと、上記第１及び第２のタッチスクリーン間の接続部を通過して上記第２のタッチスクリーンから上記第１のタッチスクリーンの方向に移動する第２のタッチジェスチャーを感知するステップと、上記第２のタッチジェスチャーの感知に応答して、上記リスト及び格子の最後の２ページに到達するまで、上記第１及び第２のタッチスクリーン上のアイテムを共にスクロールするステップと、を含むことを特徴とする。
【００９２】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、リスト及び格子のうちいずれか１つに属する複数のアイテムの第１及び第２のページを上記第１及び第２のタッチスクリーンに表示するステップと、上記第１及び第２のタッチスクリーンのうちいずれか１つで第１のタッチジェスチャーを感知するステップと、上記第１のタッチジェスチャーの動き方向及び速度に従って上記第１及び第２のタッチスクリーン上のアイテムを共にスクロールするステップと、上記第１及び第２のタッチスクリーン間の接続部を通過して上記第２のタッチスクリーンから上記第１のタッチスクリーンの方向に移動する第２のタッチジェスチャーを感知するステップと、上記第２のタッチジェスチャーの感知に応答して、上記リスト及び格子の最後の２ページに到達するまで、上記第１及び第２のタッチスクリーン上のアイテムを共にスクロールするステップと、を含むことを特徴とする。
【００９３】
本発明の一実施形態による媒体は、コンピュータにより実行可能であるように構成されるプログラムを記憶するメモリを含む。上記プログラムは、リスト及び格子のうちいずれか１つに属する複数のアイテムの第１及び第２のページを第１及び第２のタッチスクリーンに表示するステップと、上記第１及び第２のタッチスクリーンのうちいずれか１つで第１のタッチジェスチャーを感知するステップと、上記第１のタッチジェスチャーの動き方向及び速度に従って上記第１及び第２のタッチスクリーン上のアイテムを共にスクロールするステップと、上記第１及び第２のタッチスクリーン間の接続部を通過して上記第２のタッチスクリーンから上記第１のタッチスクリーンの方向に移動する第２のタッチジェスチャーを感知するステップと、上記第２のタッチジェスチャーの感知に応答して、上記リスト及び格子の最後の２ページに到達するまで、上記第１及び第２のタッチスクリーン上のアイテムを共にスクロールするステップと、を含むことを特徴とする。
【００９４】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンにホームスクリーンとして指定された少なくとも１つのウィジェット領域及び／又はアプリケーションあるいはアプリケーショングループに関連した少なくとも１つのショートカットアイコンを含む第１のページを表示するステップと、第２のタッチスクリーンに、携帯機器に記憶されて実行可能なアプリケーションのショートカットアイコンのリストを表示するステップと、上記第２のタッチスクリーンに表示されるショートカットアイコンのうちの１つである第１のショートカットアイコン上から開始され、上記第１のタッチスクリーン上の第１の位置で解除される第１のタッチジェスチャーを感知するステップと、上記第１のタッチジェスチャーの感知に応答して、上記第１のタッチスクリーン上の上記第１の位置に上記第１のショートカットアイコンのコピーである第２のショートカットアイコンを表示するステップと、上記第２のショートカットアイコンをホームスクリーンで指定して記憶するステップを表示するステップと、を含むことを特徴とする。
【００９５】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンにホームスクリーンとして指定された少なくとも１つのウィジェット領域及び／又はアプリケーションあるいはアプリケーショングループに関連した少なくとも１つのショートカットアイコンを含む第１のページを表示するステップと、上記第２のタッチスクリーンに、上記メモリに記憶されて上記プロセッサにより実行可能なアプリケーションのショートカットアイコンのリストを表示するステップと、上記第２のタッチスクリーンに表示されるショートカットアイコンのうちの１つである第１のショートカットアイコン上から開始され、上記第１のタッチスクリーン上の第１の位置で解除される第１のタッチジェスチャーを感知するステップと、上記第１のタッチジェスチャーの感知に応答して、上記第１のタッチスクリーン上の上記第１の位置に上記第１のショートカットアイコンのコピーである第２のショートカットアイコンを表示するステップと、上記第２のショートカットアイコンをホームスクリーンで指定して記憶するステップを表示するステップと、を含むことを特徴とする。
【００９６】
本発明の一実施形態による媒体は、コンピュータにより実行可能であるように構成されるプログラムを記憶するメモリを含む。上記プログラムは、第１のタッチスクリーンにホームスクリーンとして指定された少なくとも１つのウィジェット領域及び／又はアプリケーションあるいはアプリケーショングループに関連した少なくとも１つのショートカットアイコンを含む第１のページを表示するステップと、第２のタッチスクリーンに、上記メモリに記憶されて上記プロセッサにより実行可能なアプリケーションのショートカットアイコンのリストを表示するステップと、上記第２のタッチスクリーンに表示されるショートカットアイコンのうちの１つである第１のショートカットアイコン上から開始され、上記第１のタッチスクリーン上の第１の位置で解除される第１のタッチジェスチャーを感知するステップと、上記第１のタッチジェスチャーの感知に応答して、上記第１のタッチスクリーン上の上記第１の位置に上記第１のショートカットアイコンのコピーである第２のショートカットアイコンを表示するステップと、上記第２のショートカットアイコンをホームスクリーンで指定して記憶するステップを表示するステップと、を含むことを特徴とする。
【００９７】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンにテキスト入力領域を表示し、第２のタッチスクリーンに第１の情報を表示するステップと、上記第１のタッチスクリーンの上記テキスト入力領域上でタッチジェスチャーが感知されると、第２のタッチスクリーンの一部あるいは全体にテキスト入力のための仮想キーパッドを表示するステップと、を含み、上記仮想キーパッドは、上記第１のタッチスクリーンが上側に位置し、上記第２のタッチスクリーンが下側に位置する上記携帯機器の横モードで提供されることを特徴とする。
【００９８】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンにテキスト入力領域を表示し、上記第２のタッチスクリーンに第１の情報を表示するステップと、上記第１のタッチスクリーンの上記テキスト入力領域上でタッチジェスチャーが感知されると、第２のタッチスクリーンの一部あるいは全体にテキスト入力のための仮想キーパッドを表示するステップと、を含み、上記仮想キーパッドは、上記第１のタッチスクリーンが上側に位置し、上記第２のタッチスクリーンが下側に位置する上記携帯機器の横モードで提供されることを特徴とする。
【００９９】
本発明の一実施形態による媒体は、コンピュータにより実行可能であるように構成されるプログラムを記憶するメモリを含む。上記プログラムは、上記第１のタッチスクリーンにテキスト入力領域を表示し、上記第２のタッチスクリーンに第１の情報を表示するステップと、上記第１のタッチスクリーンの上記テキスト入力領域上でタッチジェスチャーが感知されると、第２のタッチスクリーンの一部あるいは全体にテキスト入力のための仮想キーパッドを表示するステップと、を含み、上記仮想キーパッドは、上記第１のタッチスクリーンが上側に位置し、上記第２のタッチスクリーンが下側に位置する上記携帯機器の横モードで提供されることを特徴とする。
【０１００】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンに第１の情報を表示し、第２のタッチスクリーンにテキスト入力領域を表示するステップと、上記第２のタッチスクリーンの上記テキスト入力領域上でタッチジェスチャーが感知されると、第２のタッチスクリーンの予め定められる一部領域にテキスト入力のための仮想キーパッドを表示するステップと、を含み、上記仮想キーパッドは、上記第１のタッチスクリーンが上側に位置し、上記第２のタッチスクリーンが下側に位置する上記携帯機器の横モードで提供されることを特徴とする。
【０１０１】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに第１の情報を表示し、上記第２のタッチスクリーンにテキスト入力領域を表示するステップと、上記第２のタッチスクリーンの上記テキスト入力領域上でタッチジェスチャーが感知されると、第２のタッチスクリーンの予め定められる一部領域にテキスト入力のための仮想キーパッドを表示するステップと、を含み、上記仮想キーパッドは、上記第１のタッチスクリーンが上側に位置し、上記第２のタッチスクリーンが下側に位置する上記携帯機器の横モードで提供されることを特徴とする。
【０１０２】
本発明の一実施形態による媒体は、コンピュータにより実行可能であるように構成されるプログラムを記憶するメモリを含む。上記プログラムは、第１のタッチスクリーンに第１の情報を表示し、第２のタッチスクリーンにテキスト入力領域を表示するステップと、上記第２のタッチスクリーンの上記テキスト入力領域上でタッチジェスチャーが感知されると、第２のタッチスクリーンの予め定められる一部領域にテキスト入力のための仮想キーパッドを表示するステップと、を含み、上記仮想キーパッドは、上記第１のタッチスクリーンが上側に位置し、上記第２のタッチスクリーンが下側に位置する上記携帯機器の横モードで提供されることを特徴とする。
【０１０３】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１及び第２のタッチスクリーンのうちの１つのタッチスクリーンにテキスト入力領域を表示するステップと、上記テキスト入力領域上でタッチジェスチャーが感知されると、上記テキスト入力領域に位置するタッチスクリーンの下側に仮想キーパッドを表示するステップと、をさらに含み、上記仮想キーパッドは、上記第１及び第２のタッチスクリーンが縦で配置される上記携帯機器の縦モードで提供されることを特徴とする。
【０１０４】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１及び第２のタッチスクリーンのうちの１つのタッチスクリーンにテキスト入力領域を表示するステップと、上記テキスト入力領域上でタッチジェスチャーが感知されると、上記テキスト入力領域に位置するタッチスクリーンの下側に仮想キーパッドを表示するステップと、をさらに含み、上記仮想キーパッドは、上記第１及び第２のタッチスクリーンが縦で配置される上記携帯機器の縦モードで提供されることを特徴とする。
【０１０５】
本発明の一実施形態による媒体は、コンピュータにより実行可能であるように構成されるプログラムを記憶するメモリを含む。上記プログラムは、第１及び第２のタッチスクリーンのうちの１つのタッチスクリーンにテキスト入力領域を表示するステップと、上記テキスト入力領域上でタッチジェスチャーが感知されると、上記テキスト入力領域に位置するタッチスクリーンの下側に仮想キーパッドを表示するステップと、をさらに含み、上記仮想キーパッドは、上記第１及び第２のタッチスクリーンが縦で配置される上記携帯機器の縦モードで提供されることを特徴とする。
【０１０６】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンに第１の情報を表示し、第２のタッチスクリーンに第２の情報を表示するステップと、上記第１のタッチスクリーン上から開始され、上記第２のタッチスクリーン上で解除される複数のタッチで構成されたタッチジェスチャーを感知するステップと、上記タッチジェスチャーの感知に応答して、上記第１の情報を拡張して上記第１及び第２のタッチスクリーンに表示するステップと、を含むことを特徴とする。
【０１０７】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに第１の情報を表示し、上記第２のタッチスクリーンに第２の情報を表示するステップと、上記第１のタッチスクリーン上から開始され、上記第２のタッチスクリーン上で解除される複数のタッチで構成されたタッチジェスチャーを感知するステップと、上記タッチジェスチャーの感知に応答して、上記第１の情報を拡張して上記第１及び第２のタッチスクリーンに表示するステップと、を含むことを特徴とする。
【０１０８】
本発明の一実施形態による媒体は、コンピュータにより実行可能であるように構成されるプログラムを記憶するメモリを含む。上記プログラムは、第１のタッチスクリーンに第１の情報を表示し、第２のタッチスクリーンに第２の情報を表示するステップと、上記第１のタッチスクリーン上から開始され、上記第２のタッチスクリーン上で解除される複数のタッチで構成されたタッチジェスチャーを感知するステップと、上記タッチジェスチャーの感知に応答して、上記第１の情報を拡張して上記第１及び第２のタッチスクリーンに表示するステップと、を含むことを特徴とする。
【０１０９】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンに第１の情報を表示し、第２のタッチスクリーンに第２の情報を表示するステップと、上記第１及び第２のタッチスクリーン上でそれぞれ開始され上記第１及び第２のタッチスクリーン間のヒンジで解除される２個のタッチで構成されたタッチジェスチャーを感知するステップと、上記タッチジェスチャーの感知に応答して、上記第１のタッチスクリーンの上記第１の情報と上記第２のタッチスクリーンの上記第２の情報を交換(swap)するステップと、を含み、
【０１１０】
上記第１及び第２の情報は、相異なるアプリケーションにより提供されることを特徴とする。
【０１１１】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに第１の情報を表示し、上記第２のタッチスクリーンに第２の情報を表示するステップと、上記第１及び第２のタッチスクリーン上でそれぞれ開始され上記第１及び第２のタッチスクリーン間のヒンジで解除される２個のタッチで構成されたタッチジェスチャーを感知するステップと、上記タッチジェスチャーの感知に応答して、上記第１のタッチスクリーンの上記第１の情報と上記第２のタッチスクリーンの上記第２の情報を交換(swap)するステップと、を含み、上記第１及び第２の情報は、相異なるアプリケーションにより提供されることを特徴とする。
【０１１２】
本発明の一実施形態による媒体は、コンピュータにより実行可能であるように構成されるプログラムを記憶するメモリを含む。上記プログラムは、第１のタッチスクリーンに第１の情報を表示し、第２のタッチスクリーンに第２の情報を表示するステップと、上記第１及び第２のタッチスクリーン上でそれぞれ開始され上記第１及び第２のタッチスクリーン間のヒンジで解除される２個のタッチで構成されたタッチジェスチャーを感知するステップと、上記タッチジェスチャーの感知に応答して、上記第１のタッチスクリーンの上記第１の情報と上記第２のタッチスクリーンの上記第２の情報を交換(swap)するステップと、を含み、上記第１及び第２の情報は、相異なるアプリケーションにより提供されることを特徴とする。
【０１１３】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンに第１の情報を表示し、第２のタッチスクリーンに第２の情報を表示する間に、ピンチズームインジェスチャーを感知するステップと、上記ピンチズームインジェスチャーは、第１及び第２のタッチを含み、上記第１及び第２のタッチは、上記第１のタッチスクリーン上から開始され、上記第１のタッチは、上記第１のタッチスクリーンで解除され、上記第２のタッチは、上記第２のタッチスクリーンで解除され、上記ピンチズームインジェスチャーの感知に応答して、上記第１のタッチスクリーンの上記第１の情報を上記第１及び第２のタッチスクリーンの両側に表示されるように拡張するステップと、上記第１及び第２のタッチスクリーンに上記第１の情報を表示する間に、ピンチズームアウトジェスチャーを感知するステップと、上記ピンチズームインジェスチャーは、第３及び第４のタッチを含み、上記第３及び第４のタッチは、上記第１及び第２のタッチスクリーンでそれぞれ開始され、上記第２のタッチスクリーンで解除され、上記ピンチズームアウトジェスチャーの感知に応答して、上記第１の情報を上記第２のタッチスクリーンに表示されるように縮小するステップと、を含むことを特徴とする。
【０１１４】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに第１の情報を表示し、上記第２のタッチスクリーンに第２の情報を表示する間に、ピンチズームインジェスチャーを感知するステップと、上記ピンチズームインジェスチャーは、第１及び第２のタッチを含み、上記第１及び第２のタッチは、上記第１のタッチスクリーン上から開始され、上記第１のタッチは、上記第１のタッチスクリーンで解除され、上記第２のタッチは、上記第２のタッチスクリーンで解除され、上記ピンチズームインジェスチャーの感知に応答して、上記第１のタッチスクリーンの上記第１の情報を上記第１及び第２のタッチスクリーンの両側に表示されるように拡張するステップと、上記第１及び第２のタッチスクリーンに上記第１の情報を表示する間に、ピンチズームアウトジェスチャーを感知するステップと、上記ピンチズームインジェスチャーは、第３及び第４のタッチを含み、上記第３及び第４のタッチは、上記第１及び第２のタッチスクリーンでそれぞれ開始され、上記第２のタッチスクリーンで解除され、上記ピンチズームアウトジェスチャーの感知に応答して、上記第１の情報を上記第２のタッチスクリーンに表示されるように縮小するステップと、を含むことを特徴とする。
【０１１５】
本発明の一実施形態による媒体は、コンピュータにより実行可能であるように構成されるプログラムを記憶するメモリを含む。上記プログラムは、第１のタッチスクリーンに第１の情報を表示し、第２のタッチスクリーンに第２の情報を表示する間に、ピンチズームインジェスチャーを感知するステップと、上記ピンチズームインジェスチャーは、第１及び第２のタッチを含み、上記第１及び第２のタッチは、上記第１のタッチスクリーン上から開始され、上記第１のタッチは、上記第１のタッチスクリーンで解除され、上記第２のタッチは、上記第２のタッチスクリーンで解除され、上記ピンチズームインジェスチャーの感知に応答して、上記第１のタッチスクリーンの上記第１の情報を上記第１及び第２のタッチスクリーンの両側に表示されるように拡張するステップと、上記第１及び第２のタッチスクリーンに上記第１の情報を表示する間に、ピンチズームアウトジェスチャーを感知するステップと、上記ピンチズームインジェスチャーは、第３及び第４のタッチを含み、上記第３及び第４のタッチは、上記第１及び第２のタッチスクリーンでそれぞれ開始され、上記第２のタッチスクリーンで解除され、上記ピンチズームアウトジェスチャーの感知に応答して、上記第１の情報を上記第２のタッチスクリーンに表示されるように縮小するステップと、を含むことを特徴とする。
【０１１６】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンに、月モード、週モード、日モード、リストモードのうちの１つを選択するためのビューモード選択領域と、月モード、週モード、日モード、リストモードのうち少なくとも１つのカレンダー領域を表示するステップと、第２のタッチスクリーンに上記カレンダー領域に含まれる少なくとも１つの日付に登録されたイベントアイテムを含むイベントリストを表示するステップと、上記イベントリスト内の第１のイベントアイテム上で第１のタッチジェスチャーを感知するステップと、上記第１のタッチジェスチャーの感知に応答して、上記第２のタッチスクリーンの上記イベントリストを、上記第１のイベントアイテムに対する詳細情報に置き換えて表示するステップと、上記第１のタッチスクリーンに上記カレンダー領域を表示する間に、上記第１のタッチスクリーンを含む第１のパネルに設けられる第１の物理的なボタンに対する入力を感知するステップと、上記第１の物理的なボタンに対する入力に応答して、上記第１のタッチスクリーン内の予め定められる領域に第１のメニューウィンドウを表示するステップと、上記第１のメニューウィンドウは、新たなイベントの生成のための生成キーと、選択された日付に移動するための移動(Go to)キーと、今日付けに移動するための今日キーと、所望するイベントを検索するための検索キーと、登録されたイベントを削除するための削除キーと、スケジュール管理アプリケーションの設定変更のための設定キーのうち少なくとも１つを含み、上記第２のタッチスクリーンに上記イベントリストを表示する間に、上記第２のタッチスクリーンを含む第２のパネルに設けられる第２の物理的なボタンに対する入力を感知するステップと、
【０１１７】
上記第２の物理的なボタンに対する入力に応答して、上記第２のタッチスクリーン内の予め定められる領域に第２のメニューウィンドウを表示するステップと、を含み、上記第２のメニューウィンドウは、所望するイベントを検索するための検索キーと、登録されたイベントを削除するための削除キーのうち少なくとも１つを含むことを特徴とする。
【０１１８】
本発明の一実施形態による方法は、タッチスクリーンディスプレイを設ける携帯機器の制御方法を提供する。上記方法は、第１のタッチスクリーンに、月モード、週モード、日モード、リストモードのうちの１つを選択するためのビューモード選択領域と、月モード、週モード、日モード、リストモードのうち選択されたモードのカレンダー領域を表示するステップと、第２のタッチスクリーンに上記カレンダー領域に登録された少なくとも１つのイベントアイテムを含むイベントリストを表示するステップと、上記イベントリスト内の第１のイベントアイテム上で第１のタッチジェスチャーを感知するステップと、上記第１のタッチジェスチャーの感知に応答して、上記第２のタッチスクリーンの上記イベントリストを、上記第１のイベントアイテムに対する詳細情報に置き換えて表示するステップと、を含むことを特徴とする。
【０１１９】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに、月モード、週モード、日モード、リストモードのうちの１つを選択するためのビューモード選択領域と、月モード、週モード、日モード、リストモードのうち少なくとも１つのカレンダー領域を表示するステップと、上記第２のタッチスクリーンに、上記カレンダー領域に含まれる少なくとも１つの日付に登録されたイベントアイテムを含むイベントリストを表示するステップと、上記イベントリスト内の第１のイベントアイテム上で第１のタッチジェスチャーを感知するステップと、上記第１のタッチジェスチャーの感知に応答して、上記第２のタッチスクリーンの上記イベントリストを、上記第１のイベントアイテムに対する詳細情報に置き換えて表示するステップと、上記第１のタッチスクリーンに上記カレンダー領域を表示する間に、上記第１のタッチスクリーンを含む第１のパネルに設けられる第１の物理的なボタンに対する入力を感知するステップと、上記第１の物理的なボタンに対する入力に応答して、上記第１のタッチスクリーン内の予め定められる領域に第１のメニューウィンドウを表示するステップと、上記第１のメニューウィンドウは、新たなイベントの生成のための生成キーと、選択された日付に移動するための移動(Go to)キーと、今日付けに移動するための今日キーと、所望するイベントを検索するための検索キーと、登録されたイベントを削除するための削除キーと、スケジュール管理アプリケーションの設定変更のための設定キーのうち少なくとも１つを含み、上記第２のタッチスクリーンに上記イベントリストを表示する間に、上記第２のタッチスクリーンを含む第２のパネルに設けられる第２の物理的なボタンに対する入力を感知するステップと、上記第２の物理的なボタンに対する入力に応答して、上記第２のタッチスクリーン内の予め定められる領域に第２のメニューウィンドウを表示するステップと、を含み、上記第２のメニューウィンドウは、所望するイベントを検索するための検索キーと、登録されたイベントを削除するための削除キーのうち少なくとも１つを含むことを特徴とする。
【０１２０】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに、月モード、週モード、日モード、リストモードのうちの１つを選択するためのビューモード選択領域と、月モード、週モード、日モード、リストモードのうち選択されたモードのカレンダー領域を表示するステップと、上記第２のタッチスクリーンに、上記カレンダー領域に登録された少なくとも１つのイベントアイテムを含むイベントリストを表示するステップと、上記イベントリスト内の第１のイベントアイテム上で第１のタッチジェスチャーを感知するステップと、上記第１のタッチジェスチャーの感知に応答して、上記第２のタッチスクリーンの上記イベントリストを、上記第１のイベントアイテムに対する詳細情報に置き換えて表示するステップと、を含むことを特徴とする。
【０１２１】
本発明の一実施形態による媒体は、コンピュータにより実行可能であるように構成されるプログラムを記憶するメモリを含む。上記プログラムは、第１のタッチスクリーンに、月モード、週モード、日モード、リストモードのうちの１つを選択するためのビューモード選択領域と、月モード、週モード、日モード、リストモードのうち少なくとも１つのカレンダー領域を表示するステップと、第２のタッチスクリーンに上記カレンダー領域に含まれる少なくとも１つの日付に登録されたイベントアイテムを含むイベントリストを表示するステップと、上記イベントリスト内の第１のイベントアイテム上で第１のタッチジェスチャーを感知するステップと、上記第１のタッチジェスチャーの感知に応答して、上記第２のタッチスクリーンの上記イベントリストを、上記第１のイベントアイテムに対する詳細情報に置き換えて表示するステップと、上記第１のタッチスクリーンに上記カレンダー領域を表示する間に、上記第１のタッチスクリーンを含む第１のパネルに設けられる第１の物理的なボタンに対する入力を感知するステップと、上記第１の物理的なボタンに対する入力に応答して、上記第１のタッチスクリーン内の予め定められる領域に第１のメニューウィンドウを表示するステップと、上記第１のメニューウィンドウは、新たなイベントの生成のための生成キーと、選択された日付に移動するための移動(Go to)キーと、今日付けに移動するための今日キーと、所望するイベントを検索するための検索キーと、登録されたイベントを削除するための削除キーと、スケジュール管理アプリケーションの設定変更のための設定キーのうち少なくとも１つを含み、上記第２のタッチスクリーンに上記イベントリストを表示する間に、上記第２のタッチスクリーンを含む第２のパネルに設けられる第２の物理的なボタンに対する入力を感知するステップと、上記第２の物理的なボタンに対する入力に応答して、上記第２のタッチスクリーン内の予め定められる領域に第２のメニューウィンドウを表示するステップと、を含み、上記第２のメニューウィンドウは、所望するイベントを検索するための検索キーと、登録されたイベントを削除するための削除キーのうち少なくとも１つを含むことを特徴とする。
【０１２２】
本発明の一実施形態による媒体は、コンピュータにより実行可能であるように構成されるプログラムを記憶するメモリを含む。上記プログラムは、第１のタッチスクリーンに、月モード、週モード、日モード、リストモードのうちの１つを選択するためのビューモード選択領域と、月モード、週モード、日モード、リストモードのうち選択されたモードのカレンダー領域を表示するステップと、第２のタッチスクリーンに上記カレンダー領域に登録された少なくとも１つのイベントアイテムを含むイベントリストを表示するステップと、上記イベントリスト内の第１のイベントアイテム上で第１のタッチジェスチャーを感知するステップと、上記第１のタッチジェスチャーの感知に応答して、上記第２のタッチスクリーンの上記イベントリストを、上記第１のイベントアイテムに対する詳細情報に置き換えて表示するステップと、を含むことを特徴とする。
【０１２３】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンを含む第１のパネルと第２のタッチスクリーンを含む第２のパネルが広げられている状態で、上記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、上記第２のタッチスクリーンに第１の情報を表示するステップと、上記通話アプリケーションのアイコン上で第１のタップジェスチャーを感知するステップと、上記第１のタップジェスチャーの感知に応答して、上記第１のタッチスクリーンの上記ホームスクリーンの第１のページと上記ドック領域を、通話アプリケーションにより提供される発呼スクリーンに置き換えて表示するステップと、上記発呼スクリーンは、ダイヤルされた番号を表示する番号表示領域とキーパッド領域と通話キーと映像通話キーとメッセージ発信キーのうち少なくとも１つを含み、上記発呼スクリーンが上記第１のタッチスクリーンに表示される間に、上記第２のタッチスクリーンは上記第１の情報を維持し、上記キーパッド領域を通して電話番号が入力されて上記通話キー上で第２のタップジェスチャーを感知するステップと、上記第２のタップジェスチャーの感知に応答して、上記第１のタッチスクリーンの上記発呼スクリーンをダイヤリングスクリーンに置き換えて表示し、上記第２のタッチスクリーンに通話のために携帯機器を折り畳むことを勧告する案内メッセージスクリーンを表示するステップと、上記ダイヤリングスクリーンは、相手通話者を示す通話者識別領域と通話中機能を提供する機能キー領域を含み、上記相手通話者と通話が接続されると、上記第１のタッチスクリーンの上記ダイヤリングスクリーンを通話中のスクリーンに置き換えて表示し、上記第２のタッチスクリーンの上記案内メッセージスクリーンを除去して上記第１の情報を表示するステップと、を含み、上記通話中のスクリーンは、上記相手通話者を示す通話者識別領域と通話時間と通話中機能を提供する機能キー領域を含むことを特徴とする。
【０１２４】
本発明の一実施形態による方法は、タッチスクリーンディスプレイを設ける携帯機器の制御方法を提供する。上記方法は、第１のタッチスクリーンに第１の情報を表示し、第２のタッチスクリーンに第２の情報を表示する間に発呼要請を感知するステップと、上記発呼要請の感知に応答して、上記第１のタッチスクリーンの上記第１の情報を発呼スクリーンに置き換えて表示するステップと、上記発呼スクリーンは、ダイヤルされた番号を表示する番号表示領域とキーパッド領域と通話キーと映像通話キーとメッセージ発信キーのうち少なくとも１つを含み、上記発呼スクリーンが上記第１のタッチスクリーンに表示される間に、上記第２のタッチスクリーンは、上記第２の情報を維持し、上記キーパッド領域を通して電話番号が入力されて上記通話キー上で第１のタップジェスチャーを感知するステップと、上記第１のタップジェスチャーの感知に応答して、上記第１のタッチスクリーンの上記発呼スクリーンをダイヤリングスクリーンに置き換えて表示するステップと、上記ダイヤリングスクリーンは、上記入力された電話番号に対応する相手通話者を示す通話者識別領域と通話中機能を提供する機能キー領域を含み、上記発呼スクリーンを表示する間に、上記第２のタッチスクリーンの上記第２の情報を非活性化して通話のために携帯機器を折り畳むことを勧告する案内メッセージスクリーンを上記第２のタッチスクリーンに表示するステップと、上記相手通話者と通話が接続されると、上記第１のタッチスクリーンの上記ダイヤリングスクリーンを通話中のスクリーンに置き換えて表示し、上記第２のタッチスクリーンの上記案内メッセージスクリーンを除去して上記第１の情報を表示するステップと、を含み、上記通話中のスクリーンは、上記相手通話者を示す通話者識別領域と通話時間と通話中機能を提供する機能キー領域を含むことを特徴とする。
【０１２５】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンを含む第１のパネルと上記第２のタッチスクリーンを含む第２のパネルが広げられている状態で、上記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、上記第２のタッチスクリーンに第１の情報を表示するステップと、上記通話アプリケーションのアイコン上で第１のタップジェスチャーを感知するステップと、上記第１のタップジェスチャーの感知に応答して、上記第１のタッチスクリーンの上記ホームスクリーンの第１のページと上記ドック領域を、通話アプリケーションにより提供される発呼スクリーンに置き換えて表示するステップと、上記発呼スクリーンは、ダイヤルされた番号を表示する番号表示領域とキーパッド領域と通話キーと映像通話キーとメッセージ発信キーのうち少なくとも１つを含み、上記発呼スクリーンが上記第１のタッチスクリーンに表示される間に、上記第２のタッチスクリーンは上記第１の情報を維持し、上記キーパッド領域を通して電話番号が入力されて上記通話キー上で第２のタップジェスチャーを感知するステップと、上記第２のタップジェスチャーの感知に応答して、上記第１のタッチスクリーンの上記発呼スクリーンをダイヤリングスクリーンに置き換えて表示し、上記第２のタッチスクリーンに通話のために携帯機器を折り畳むことを勧告する案内メッセージスクリーンを表示するステップと、上記ダイヤリングスクリーンは、相手通話者を示す通話者識別領域と通話中機能を提供する機能キー領域を含み、上記相手通話者と通話が接続されると、上記第１のタッチスクリーンの上記ダイヤリングスクリーンを通話中のスクリーンに置き換えて表示し、上記第２のタッチスクリーンの上記案内メッセージスクリーンを除去して上記第１の情報を表示するステップと、を含み、上記通話中のスクリーンは、上記相手通話者を示す通話者識別領域と通話時間と通話中機能を提供する機能キー領域を含むことを特徴とする。
【０１２６】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに第１の情報を表示し、上記第２のタッチスクリーンに第２の情報を表示する間に発呼要請を感知するステップと、上記発呼要請の感知に応答して、上記第１のタッチスクリーンの上記第１の情報を発呼スクリーンに置き換えて表示するステップと、上記発呼スクリーンは、ダイヤルされた番号を表示する番号表示領域とキーパッド領域と通話キーと映像通話キーとメッセージ発信キーのうち少なくとも１つを含み、上記発呼スクリーンが上記第１のタッチスクリーンに表示される間に、上記第２のタッチスクリーンは、上記第２の情報を維持し、上記キーパッド領域を通して電話番号が入力されて上記通話キー上で第１のタップジェスチャーを感知するステップと、上記第１のタップジェスチャーの感知に応答して、上記第１のタッチスクリーンの上記発呼スクリーンをダイヤリングスクリーンに置き換えて表示し、上記第２のタッチスクリーンに通話のために携帯機器を折り畳むことを勧告する案内メッセージスクリーンを表示するステップと、上記ダイヤリングスクリーンは、上記入力された電話番号に対応する相手通話者を示す通話者識別領域と通話中機能を提供する機能キー領域を含み、上記相手通話者と通話が接続されると、上記第１のタッチスクリーンの上記ダイヤリングスクリーンを通話中のスクリーンに置き換えて表示し、上記第２のタッチスクリーンの上記案内メッセージスクリーンを除去して上記第１の情報を表示するステップと、を含み、上記通話中のスクリーンは、上記相手通話者を示す通話者識別領域と通話時間と通話中機能を提供する機能キー領域を含むことを特徴とする。
【０１２７】
本発明の一実施形態による媒体は、コンピュータにより実行可能であるように構成されるプログラムを記憶するメモリを含む。上記プログラムは、第１のタッチスクリーンを含む第１のパネルと第２のタッチスクリーンを含む第２のパネルが広げられている状態で、上記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、上記第２のタッチスクリーンに第１の情報を表示するステップと、上記通話アプリケーションのアイコン上で第１のタップジェスチャーを感知するステップと、上記第１のタップジェスチャーの感知に応答して、上記第１のタッチスクリーンの上記ホームスクリーンの第１のページと上記ドック領域を、通話アプリケーションにより提供される発呼スクリーンに置き換えて表示するステップと、上記発呼スクリーンは、ダイヤルされた番号を表示する番号表示領域とキーパッド領域と通話キーと映像通話キーとメッセージ発信キーのうち少なくとも１つを含み、上記発呼スクリーンが上記第１のタッチスクリーンに表示される間に、上記第２のタッチスクリーンは上記第１の情報を維持し、上記キーパッド領域を通して電話番号が入力されて上記通話キー上で第２のタップジェスチャーを感知するステップと、上記第２のタップジェスチャーの感知に応答して、上記第１のタッチスクリーンの上記発呼スクリーンをダイヤリングスクリーンに置き換えて表示し、上記第２のタッチスクリーンに通話のために携帯機器を折り畳むことを勧告する案内メッセージスクリーンを表示するステップと、上記ダイヤリングスクリーンは、相手通話者を示す通話者識別領域と通話中機能を提供する機能キー領域を含み、上記相手通話者と通話が接続されると、上記第１のタッチスクリーンの上記ダイヤリングスクリーンを通話中のスクリーンに置き換えて表示し、上記第２のタッチスクリーンの上記案内メッセージスクリーンを除去して上記第１の情報を表示するステップと、を含み、上記通話中のスクリーンは、上記相手通話者を示す通話者識別領域と通話時間と通話中機能を提供する機能キー領域を含むことを特徴とする。
【０１２８】
本発明の一実施形態による媒体は、コンピュータにより実行可能であるように構成されるプログラムを記憶するメモリを含む。上記プログラムは、第１のタッチスクリーンに第１の情報を表示し、第２のタッチスクリーンに第２の情報を表示する間に発呼要請を感知するステップと、上記発呼要請の感知に応答して、上記第１のタッチスクリーンの上記第１の情報を発呼スクリーンに置き換えて表示するステップと、上記発呼スクリーンは、ダイヤルされた番号を表示する番号表示領域とキーパッド領域と通話キーと映像通話キーとメッセージ発信キーのうち少なくとも１つを含み、上記発呼スクリーンが上記第１のタッチスクリーンに表示される間に、上記第２のタッチスクリーンは、上記第２の情報を維持し、上記キーパッド領域を通して電話番号が入力されて上記通話キー上で第１のタップジェスチャーを感知するステップと、上記第１のタップジェスチャーの感知に応答して、上記第１のタッチスクリーンの上記発呼スクリーンをダイヤリングスクリーンに置き換えて表示し、上記第２のタッチスクリーンに通話のために携帯機器を折り畳むことを勧告する案内メッセージスクリーンを表示するステップと、上記ダイヤリングスクリーンは、上記入力された電話番号に対応する相手通話者を示す通話者識別領域と通話中機能を提供する機能キー領域を含み、上記相手通話者と通話が接続されると、上記第１のタッチスクリーンの上記ダイヤリングスクリーンを通話中のスクリーンに置き換えて表示し、上記第２のタッチスクリーンの上記案内メッセージスクリーンを除去して上記第１の情報を表示するステップと、を含み、上記通話中のスクリーンは、上記相手通話者を示す通話者識別領域と通話時間と通話中機能を提供する機能キー領域を含むことを特徴とする。
【０１２９】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、第１のタッチスクリーンを含む第１のパネルと第２のタッチスクリーンを含む第２のパネルが広げられている状態で、上記第１のタッチスクリーンに第１の情報を表示し、上記第２のタッチスクリーンに第２の情報を表示する間に第１の着呼の発生を感知するステップと、上記第１の着呼の発生に応答して、上記第１のタッチスクリーンの上記第１の情報を、通話アプリケーションにより提供される上記第１の着呼に関連した第１の着呼スクリーンに置き換えて表示するステップと、上記第１の着呼スクリーンは、相手通話者を示す通話者識別領域と着信キーと拒絶メッセージキーのうち少なくとも１つを含み、上記第１の着呼スクリーンを表示する間に上記第２のタッチスクリーンの上記第２の情報を非活性化して通話のために携帯機器を折り畳むことを勧告する案内メッセージスクリーンを表示するステップと、上記第１の着呼スクリーン内の上記着信キー上で予め指定された第１のタッチジェスチャーを感知するステップと、上記第１のタッチジェスチャーの感知に応答して、上記第１のタッチスクリーンの上記着呼スクリーンを通話中のスクリーンに置き換えて表示し、上記第２のタッチスクリーンの上記案内メッセージスクリーンを除去するステップと、上記通話中のスクリーンは、上記相手通話者を示す通話者識別領域と通話時間と通話中機能を提供する機能キー領域を含み、上記第１の着呼による通話が終了すると、上記第１のタッチスクリーンの上記通話中のスクリーンを上記第１の情報に置き換えて表示するステップと、を含むことを特徴とする。
【０１３０】
本発明の一実施形態による方法は、タッチスクリーンディスプレイを設ける携帯機器の制御方法を提供する。上記方法は、第１のタッチスクリーンに第１の情報を表示し、第２のタッチスクリーンに第２の情報を表示する間に第１の着呼を感知するステップと、上記第１の着呼の感知に応答して、上記第１のタッチスクリーンの上記第１の情報を、上記第１の着呼に関連した第１の着呼スクリーンに置き換えて表示するステップと、上記第１の着呼スクリーンは、上記第１の着呼に対応する相手通話者を示す通話者識別領域と着信キーと拒絶メッセージキーのうち少なくとも１つを含み、上記第１の着呼スクリーンを表示する間に上記第２のタッチスクリーンの上記第２の情報を非活性化して通話のために携帯機器を折り畳むことを勧告する案内メッセージスクリーンを表示するステップと、上記第１の着呼スクリーン内の上記着信キー上で予め指定された第１のタッチジェスチャーを感知するステップと、上記第１のタッチジェスチャーの感知に応答して、上記第１のタッチスクリーンの上記第１の着呼スクリーンを通話中のスクリーンに置き換えて表示し、上記第２のタッチスクリーンの上記案内メッセージスクリーンを除去するステップと、を含み、上記通話中のスクリーンは、上記相手通話者を示す通話者識別領域と通話時間と通話中機能を提供する機能キー領域を含むことを特徴とする。
【０１３１】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンを含む第１のパネルと上記第２のタッチスクリーンを含む第２のパネルが広げられている状態で、上記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、上記第２のタッチスクリーンに第１の情報を表示するステップと、上記通話アプリケーションのアイコン上で第１のタップジェスチャーを感知するステップと、上記第１のタップジェスチャーの感知に応答して、上記第１のタッチスクリーンの上記ホームスクリーンの第１のページと上記ドック領域を、通話アプリケーションにより提供される発呼スクリーンに置き換えて表示するステップと、上記発呼スクリーンは、ダイヤルされた番号を表示する番号表示領域とキーパッド領域と通話キーと映像通話キーとメッセージ発信キーのうち少なくとも１つを含み、上記発呼スクリーンが上記第１のタッチスクリーンに表示される間に、上記第２のタッチスクリーンは上記第１の情報を維持し、上記キーパッド領域を通して電話番号が入力されて上記通話キー上で第２のタップジェスチャーを感知するステップと、上記第２のタップジェスチャーの感知に応答して、上記第１のタッチスクリーンの上記発呼スクリーンをダイヤリングスクリーンに置き換えて表示し、上記第２のタッチスクリーンに通話のために携帯機器を折り畳むことを勧告する案内メッセージスクリーンを表示するステップと、上記ダイヤリングスクリーンは、相手通話者を示す通話者識別領域と通話中機能を提供する機能キー領域を含み、上記相手通話者と通話が接続されると、上記第１のタッチスクリーンの上記ダイヤリングスクリーンを通話中のスクリーンに置き換えて表示し、上記第２のタッチスクリーンの上記案内メッセージスクリーンを除去して上記第１の情報を表示するステップと、を含み、上記通話中のスクリーンは、上記相手通話者を示す通話者識別領域と通話時間と通話中機能を提供する機能キー領域を含むことを特徴とする。
【０１３２】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、上記第１のタッチスクリーンに第１の情報を表示し、上記第２のタッチスクリーンに第２の情報を表示する間に第１の着呼を感知するステップと、上記第１の着呼の感知に応答して、上記第１のタッチスクリーンの上記第１の情報を、上記第１の着呼に関連した第１の着呼スクリーンに置き換えて表示するステップと、上記第１の着呼スクリーンは、上記第１の着呼に対応する相手通話者を示す通話者識別領域と着信キーと拒絶メッセージキーのうち少なくとも１つを含み、上記第１の着呼スクリーンを表示する間に上記第２のタッチスクリーンの上記第２の情報を非活性化して通話のために携帯機器を折り畳むことを勧告する案内メッセージスクリーンを表示するステップと、上記第１の着呼スクリーン内の上記着信キー上で予め指定された第１のタッチジェスチャーを感知するステップと、上記第１のタッチジェスチャーの感知に応答して、上記第１のタッチスクリーンの上記第１の着呼スクリーンを通話中のスクリーンに置き換えて表示し、上記第２のタッチスクリーンの上記案内メッセージスクリーンを除去するステップと、を含み、上記通話中のスクリーンは、上記相手通話者を示す通話者識別領域と通話時間と通話中機能を提供する機能キー領域を含むことを特徴とする。
【０１３３】
本発明の一実施形態による媒体は、コンピュータにより実行可能であるように構成されるプログラムを記憶するメモリを含む。上記プログラムは、第１のタッチスクリーンを含む第１のパネルと第２のタッチスクリーンを含む第２のパネルが広げられている状態で、上記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、上記第２のタッチスクリーンに第１の情報を表示するステップと、上記通話アプリケーションのアイコン上で第１のタップジェスチャーを感知するステップと、上記第１のタップジェスチャーの感知に応答して、上記第１のタッチスクリーンの上記ホームスクリーンの第１のページと上記ドック領域を、通話アプリケーションにより提供される発呼スクリーンに置き換えて表示するステップと、上記発呼スクリーンは、ダイヤルされた番号を表示する番号表示領域とキーパッド領域と通話キーと映像通話キーとメッセージ発信キーのうち少なくとも１つを含み、上記発呼スクリーンが上記第１のタッチスクリーンに表示される間に、上記第２のタッチスクリーンは上記第１の情報を維持し、上記キーパッド領域を通して電話番号が入力されて上記通話キー上で第２のタップジェスチャーを感知するステップと、上記第２のタップジェスチャーの感知に応答して、上記第１のタッチスクリーンの上記発呼スクリーンをダイヤリングスクリーンに置き換えて表示し、上記第２のタッチスクリーンに通話のために携帯機器を折り畳むことを勧告する案内メッセージスクリーンを表示するステップと、上記ダイヤリングスクリーンは、相手通話者を示す通話者識別領域と通話中機能を提供する機能キー領域を含み、上記相手通話者と通話が接続されると、上記第１のタッチスクリーンの上記ダイヤリングスクリーンを通話中のスクリーンに置き換えて表示し、上記第２のタッチスクリーンの上記案内メッセージスクリーンを除去して上記第１の情報を表示するステップと、を含み、上記通話中のスクリーンは、上記相手通話者を示す通話者識別領域と通話時間と通話中機能を提供する機能キー領域を含むことを特徴とする。
【０１３４】
本発明の一実施形態による媒体は、コンピュータにより実行可能であるように構成されるプログラムを記憶するメモリを含む。上記プログラムは、上記第１のタッチスクリーンに第１の情報を表示し、上記第２のタッチスクリーンに第２の情報を表示する間に第１の着呼を感知するステップと、上記第１の着呼の感知に応答して、上記第１のタッチスクリーンの上記第１の情報を、上記第１の着呼に関連した第１の着呼スクリーンに置き換えて表示するステップと、上記第１の着呼スクリーンは、上記第１の着呼に対応する相手通話者を示す通話者識別領域と着信キーと拒絶メッセージキーのうち少なくとも１つを含み、上記第１の着呼スクリーンを表示する間に上記第２のタッチスクリーンの上記第２の情報を非活性化して通話のために携帯機器を折り畳むことを勧告する案内メッセージスクリーンを表示するステップと、上記第１の着呼スクリーン内の上記着信キー上で予め指定された第１のタッチジェスチャーを感知するステップと、上記第１のタッチジェスチャーの感知に応答して、上記第１のタッチスクリーンの上記第１の着呼スクリーンを通話中のスクリーンに置き換えて表示し、上記第２のタッチスクリーンの上記案内メッセージスクリーンを除去するステップと、を含み、上記通話中のスクリーンは、上記相手通話者を示す通話者識別領域と通話時間と通話中機能を提供する機能キー領域を含むことを特徴とする。
【０１３５】
本発明の一実施形態による方法は、折り畳み可能な少なくとも１つのパネル上に配置される第１のタッチスクリーンディスプレイ及び第２のタッチスクリーンディスプレイを設ける携帯機器の制御方法を提供する。上記方法は、携帯機器に設けられた少なくとも１つのカメラモジュールを駆動するための第１の命令を感知するステップと、上記第１の命令の感知に応答して、第１のタッチスクリーンに上記カメラモジュールによる撮影映像とカメラメニューを表示するステップと、上記カメラメニューは、シャッターボタン、記憶イメージローディングボタン、モード選択ボタン及びフラッシュ選択ボタン、タイマー撮影ボタンのうち少なくとも１つを含み、上記第１の命令の感知に応答して、第２のタッチスクリーンにカメラモードを変更するためのカメラモードメニューを表示するステップと、上記カメラモードメニューは、上記カメラモジュールを通して場面あるいはモデルを撮影するための基本カメラモードに対応する基本カメラボタンと、上記カメラモジュールを通して上記携帯機器のユーザ自身を撮影するためのセルフカメラモードに対応するセルフカメラボタンと、上記第１及び第２のタッチスクリーンの両側を通して撮影映像を提供するデュアルカメラモードに対応するデュアルカメラボタンと、撮影対象に見られるタッチスクリーンを介して予め指定されたアニメーションを提供するベビーカメラモードに対応するベビーカメラボタンのうち少なくとも１つを含み、上記基本カメラボタンと上記セルフカメラボタンと上記デュアルカメラボタンと上記ベビーカメラボタンのうちの１つで第１のタップジェスチャーを感知して該当するカメラモードに転換するステップと、上記第１及び第２のタッチスクリーンを含む第１及び第２のパネルが広げられている状態で、上記撮影映像が上記基本カメラモードで動作する間に上記第１及び第２のパネルが後方に折り畳まれることを感知すると、上記第２のタッチスクリーンをターンオフし、上記第１のタッチスクリーンの上記撮影映像と上記カメラメニューを維持するステップと、上記第１及び第２のタッチスクリーンを含む第１及び第２のパネルが広げられている状態で、上記撮影映像が上記セルフカメラモードで動作する間に上記第１及び第２のパネルが後方に折り畳まれることを感知すると、上記第１のタッチスクリーンをターンオフし、上記第２のタッチスクリーンに上記撮影映像と上記カメラメニューを表示するステップと、上記第１及び第２のタッチスクリーンを含む第１及び第２のパネルが広げられている状態で、上記撮影映像が上記デュアルカメラモードで動作する間に上記第１及び第２のパネルが後方に折り畳まれることを感知すると、上記第２のタッチスクリーンに上記撮影映像を表示し、上記第１のタッチスクリーンの上記撮影映像と上記カメラメニューを維持するステップと、上記第１及び第２のタッチスクリーンを含む第１及び第２のパネルが広げられている状態で、上記撮影映像が上記ベビーカメラモードで動作する間に上記第１及び第２のパネルが後方に折り畳まれることを感知すると、上記第２のタッチスクリーンに予め指定されたアニメーションを表示し、上記第１のタッチスクリーンの上記撮影映像と上記カメラメニューを維持するステップと、を含むことを特徴とする。
【０１３６】
本発明の一実施形態による方法は、タッチスクリーンディスプレイを設ける携帯機器の制御方法を提供する。上記方法は、携帯機器に設けられた少なくとも１つのカメラモジュールを駆動するための第１の命令を感知するステップと、上記第１の命令の感知に応答して、第１のタッチスクリーンに上記カメラモジュールによる撮影映像とカメラメニューを表示するステップと、上記カメラメニューは、シャッターボタン、記憶イメージローディングボタン、モード選択ボタン及びフラッシュ選択ボタン、タイマー撮影ボタンのうち少なくとも１つを含み、上記第１の命令の感知に応答して、第２のタッチスクリーンにカメラモードを変更するためのカメラモードメニューを表示するステップと、上記カメラモードメニューは、上記カメラモジュールを通して場面あるいはモデルを撮影するための基本カメラモードに対応する基本カメラボタンと、上記カメラモジュールを通して上記携帯機器のユーザ自身を撮影するためのセルフカメラモードに対応するセルフカメラボタンと、上記第１及び第２のタッチスクリーンの両側を通して撮影映像を提供するデュアルカメラモードに対応するデュアルカメラボタンと、撮影対象に見られるタッチスクリーンを介して予め指定されたアニメーションを提供するベビーカメラモードに対応するベビーカメラボタンのうち少なくとも１つを含み、上記基本カメラボタンと上記セルフカメラボタンと上記デュアルカメラボタンと上記ベビーカメラボタンのうちの１つで第１のタップジェスチャーを感知して該当するカメラモードに転換するステップと、を含むことを特徴とする。
【０１３７】
本発明の一実施形態による装置は、折り畳み可能な少なくとも１つのパネル上に配置される第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、携帯機器に設けられた少なくとも１つのカメラモジュールを駆動するための第１の命令を感知するステップと、上記第１の命令の感知に応答して、上記第１のタッチスクリーンに上記カメラモジュールによる撮影映像とカメラメニューを表示するステップと、上記カメラメニューは、シャッターボタン、記憶イメージローディングボタン、モード選択ボタン及びフラッシュ選択ボタン、タイマー撮影ボタンのうち少なくとも１つを含み、上記第１の命令の感知に応答して、上記第２のタッチスクリーンにカメラモードを変更するためのカメラモードメニューを表示するステップと、上記カメラモードメニューは、上記カメラモジュールを通して場面あるいはモデルを撮影するための基本カメラモードに対応する基本カメラボタンと、上記カメラモジュールを通して上記携帯機器のユーザ自身を撮影するためのセルフカメラモードに対応するセルフカメラボタンと、上記第１及び第２のタッチスクリーンの両側を通して撮影映像を提供するデュアルカメラモードに対応するデュアルカメラボタンと、撮影対象に見られるタッチスクリーンを介して予め指定されたアニメーションを提供するベビーカメラモードに対応するベビーカメラボタンのうち少なくとも１つを含み、上記基本カメラボタンと上記セルフカメラボタンと上記デュアルカメラボタンと上記ベビーカメラボタンのうちの１つで第１のタップジェスチャーを感知して該当するカメラモードに転換するステップと、上記第１及び第２のタッチスクリーンを含む第１及び第２のパネルが広げられている状態で、上記撮影映像が上記基本カメラモードで動作する間に上記第１及び第２のパネルが後方に折り畳まれることを感知すると、上記第２のタッチスクリーンをターンオフし、上記第１のタッチスクリーンの上記撮影映像と上記カメラメニューを維持するステップと、上記第１及び第２のタッチスクリーンを含む第１及び第２のパネルが広げられている状態で、上記撮影映像が上記セルフカメラモードで動作する間に上記第１及び第２のパネルが後方に折り畳まれることを感知すると、上記第１のタッチスクリーンをターンオフし、上記第２のタッチスクリーンに上記撮影映像と上記カメラメニューを表示するステップと、上記第１及び第２のタッチスクリーンを含む第１及び第２のパネルが広げられている状態で、上記撮影映像が上記デュアルカメラモードで動作する間に上記第１及び第２のパネルが後方に折り畳まれることを感知すると、上記第２のタッチスクリーンに上記撮影映像を表示し、上記第１のタッチスクリーンの上記撮影映像と上記カメラメニューを維持するステップと、上記第１及び第２のタッチスクリーンを含む第１及び第２のパネルが広げられている状態で、上記撮影映像が上記ベビーカメラモードで動作する間に上記第１及び第２のパネルが後方に折り畳まれることを感知すると、上記第２のタッチスクリーンに予め指定されたアニメーションを表示し、上記第１のタッチスクリーンの上記撮影映像と上記カメラメニューを維持するステップを含むことを特徴とする。
【０１３８】
本発明の一実施形態による装置は、第１のタッチスクリーン及び第２のタッチスクリーンと、上記第１及び第２のタッチスクリーンを介してユーザインターフェースを提供する少なくとも１つのプロセッサと、上記プロセッサにより実行可能であるように構成されるプログラムを記憶するメモリと、を含む。上記プログラムは、携帯機器に設けられた少なくとも１つのカメラモジュールを駆動するための第１の命令を感知するステップと、上記第１の命令の感知に応答して、上記第１のタッチスクリーンに上記カメラモジュールによる撮影映像とカメラメニューを表示するステップと、上記カメラメニューは、シャッターボタン、記憶イメージローディングボタン、モード選択ボタン及びフラッシュ選択ボタン、タイマー撮影ボタンのうち少なくとも１つを含み、上記第１の命令の感知に応答して、上記第２のタッチスクリーンにカメラモードを変更するためのカメラモードメニューを表示するステップと、上記カメラモードメニューは、上記カメラモジュールを通して場面あるいはモデルを撮影するための基本カメラモードに対応する基本カメラボタンと、上記カメラモジュールを通して上記携帯機器のユーザ自身を撮影するためのセルフカメラモードに対応するセルフカメラボタンと、上記第１及び第２のタッチスクリーンの両側を通して撮影映像を提供するデュアルカメラモードに対応するデュアルカメラボタンと、撮影対象に見られるタッチスクリーンを介して予め指定されたアニメーションを提供するベビーカメラモードに対応するベビーカメラボタンのうち少なくとも１つを含み、上記基本カメラボタンと上記セルフカメラボタンと上記デュアルカメラボタンと上記ベビーカメラボタンのうちの１つで第１のタップジェスチャーを感知して該当するカメラモードに転換するステップを含むことを特徴とする。
【０１３９】
本発明の一実施形態による媒体は、コンピュータにより実行可能であるように構成されるプログラムを記憶するメモリを含む。上記プログラムは、携帯機器に設けられた少なくとも１つのカメラモジュールを駆動するための第１の命令を感知するステップと、上記第１の命令の感知に応答して、上記第１のタッチスクリーンに上記カメラモジュールによる撮影映像とカメラメニューを表示するステップと、上記カメラメニューは、シャッターボタン、記憶イメージローディングボタン、モード選択ボタン及びフラッシュ選択ボタン、タイマー撮影ボタンのうち少なくとも１つを含み、上記第１の命令の感知に応答して、上記第２のタッチスクリーンにカメラモードを変更するためのカメラモードメニューを表示するステップと、上記カメラモードメニューは、上記カメラモジュールを通して場面あるいはモデルを撮影するための基本カメラモードに対応する基本カメラボタンと、上記カメラモジュールを通して上記携帯機器のユーザ自身を撮影するためのセルフカメラモードに対応するセルフカメラボタンと、上記第１及び第２のタッチスクリーンの両側を通して撮影映像を提供するデュアルカメラモードに対応するデュアルカメラボタンと、撮影対象に見られるタッチスクリーンを介して予め指定されたアニメーションを提供するベビーカメラモードに対応するベビーカメラボタンのうち少なくとも１つを含み、上記基本カメラボタンと上記セルフカメラボタンと上記デュアルカメラボタンと上記ベビーカメラボタンのうちの１つで第１のタップジェスチャーを感知して該当するカメラモードに転換するステップと、上記第１及び第２のタッチスクリーンを含む第１及び第２のパネルが広げられている状態で、上記撮影映像が上記基本カメラモードで動作する間に上記第１及び第２のパネルが後方に折り畳まれることを感知すると、上記第２のタッチスクリーンをターンオフし、上記第１のタッチスクリーンの上記撮影映像と上記カメラメニューを維持するステップと、上記第１及び第２のタッチスクリーンを含む第１及び第２のパネルが広げられている状態で、上記撮影映像が上記セルフカメラモードで動作する間に上記第１及び第２のパネルが後方に折り畳まれることを感知すると、上記第１のタッチスクリーンをターンオフし、上記第２のタッチスクリーンに上記撮影映像と上記カメラメニューを表示するステップと、上記第１及び第２のタッチスクリーンを含む第１及び第２のパネルが広げられている状態で、上記撮影映像が上記デュアルカメラモードで動作する間に上記第１及び第２のパネルが後方に折り畳まれることを感知すると、上記第２のタッチスクリーンに上記撮影映像を表示し、上記第１のタッチスクリーンの上記撮影映像と上記カメラメニューを維持するステップと、上記第１及び第２のタッチスクリーンを含む第１及び第２のパネルが広げられている状態で、上記撮影映像が上記ベビーカメラモードで動作する間に上記第１及び第２のパネルが後方に折り畳まれることを感知すると、上記第２のタッチスクリーンに予め指定されたアニメーションを表示し、上記第１のタッチスクリーンの上記撮影映像と上記カメラメニューを維持するステップを含むことを特徴とする。
【０１４０】
本発明の一実施形態による媒体は、コンピュータにより実行可能であるように構成されるプログラムを記憶するメモリを含む。上記プログラムは、携帯機器に設けられた少なくとも１つのカメラモジュールを駆動するための第１の命令を感知するステップと、上記第１の命令の感知に応答して、上記第１のタッチスクリーンに上記カメラモジュールによる撮影映像とカメラメニューを表示するステップと、上記カメラメニューは、シャッターボタン、記憶イメージローディングボタン、モード選択ボタン及びフラッシュ選択ボタン、タイマー撮影ボタンのうち少なくとも１つを含み、上記第１の命令の感知に応答して、上記第２のタッチスクリーンにカメラモードを変更するためのカメラモードメニューを表示するステップと、上記カメラモードメニューは、上記カメラモジュールを通して場面あるいはモデルを撮影するための基本カメラモードに対応する基本カメラボタンと、上記カメラモジュールを通して上記携帯機器のユーザ自身を撮影するためのセルフカメラモードに対応するセルフカメラボタンと、上記第１及び第２のタッチスクリーンの両側を通して撮影映像を提供するデュアルカメラモードに対応するデュアルカメラボタンと、撮影対象に見られるタッチスクリーンを介して予め指定されたアニメーションを提供するベビーカメラモードに対応するベビーカメラボタンのうち少なくとも１つを含み、上記基本カメラボタンと上記セルフカメラボタンと上記デュアルカメラボタンと上記ベビーカメラボタンのうちの１つで第１のタップジェスチャーを感知して該当するカメラモードに転換するステップを含むことを特徴とする。
【図面の簡単な説明】
【０１４１】
【図１】本発明の一実施形態による携帯機器の概略的な構成を示すブロック図である。
【図２】本発明の一実施形態による携帯機器を示した斜視図である。
【図３Ａ】携帯機器の第１のパネルと第２のパネル間の相手角度に従うスクリーンモードを示した図である。
【図３Ｂ】携帯機器の第１のパネルと第２のパネル間の相手角度に従うスクリーンモードを示した図である。
【図３Ｃ】携帯機器の第１のパネルと第２のパネル間の相手角度に従うスクリーンモードを示した図である。
【図３Ｄ】携帯機器の第１のパネルと第２のパネル間の相手角度に従うスクリーンモードを示した図である。
【図４】本発明の他の実施形態による携帯機器を示した斜視図である。
【図５】本発明のさらに他の実施形態による携帯機器を示した斜視図である。
【図６Ａ】本発明の一実施形態によるホームスクリーンのユーザインターフェースを示した図である。
【図６Ｂ】本発明の一実施形態によるホームスクリーンのユーザインターフェースを示した図である。
【図６Ｃ】本発明の一実施形態によるホームスクリーンのユーザインターフェースを示した図である。
【図６Ｄ】本発明の一実施形態によるホームスクリーンのユーザインターフェースを示した図である。
【図６Ｅ】本発明の一実施形態によるホームスクリーンのユーザインターフェースを示した図である。
【図６Ｆ】本発明の一実施形態によるホームスクリーンのユーザインターフェースを示した図である。
【図６Ｇ】本発明の一実施形態によるホームスクリーンのユーザインターフェースを示した図である。
【図７Ａ】第１及び第２のタッチスクリーン１２、１４に表示されるホームスクリーンにアプリケーションのアイコンを追加するシナリオを示した図である。
【図７Ｂ】第１及び第２のタッチスクリーン１２、１４に表示されるホームスクリーンにアプリケーションのアイコンを追加するシナリオを示した図である。
【図７Ｃ】第１及び第２のタッチスクリーン１２、１４に表示されるホームスクリーンにアプリケーションのアイコンを追加するシナリオを示した図である。
【図７Ｄ】第１及び第２のタッチスクリーン１２、１４に表示されるホームスクリーンにアプリケーションのアイコンを追加するシナリオを示した図である。
【図７Ｅ】第１及び第２のタッチスクリーン１２、１４に表示されるホームスクリーンにアプリケーションのアイコンを追加するシナリオを示した図である。
【図７Ｆ】第１及び第２のタッチスクリーン１２、１４に表示されるホームスクリーンにアプリケーションのアイコンを追加するシナリオを示した図である。
【図７Ｇ】第１及び第２のタッチスクリーン１２、１４に表示されるホームスクリーンにアプリケーションのアイコンを追加するシナリオを示した図である。
【図７Ｈ】第１及び第２のタッチスクリーン１２、１４に表示されるホームスクリーンにアプリケーションのアイコンを追加するシナリオを示した図である。
【図７Ｉ】第１及び第２のタッチスクリーン１２、１４に表示されるホームスクリーンにアプリケーションのアイコンを追加するシナリオを示した図である。
【図７Ｊ】第１及び第２のタッチスクリーン１２、１４に表示されるホームスクリーンにアプリケーションのアイコンを追加するシナリオを示した図である。
【図８Ａ】本発明の一実施形態によるアプリケーションメニューのユーザインターフェースを示した図である。
【図８Ｂ】本発明の一実施形態によるアプリケーションメニューのユーザインターフェースを示した図である。
【図８Ｃ】本発明の一実施形態によるアプリケーションメニューのユーザインターフェースを示した図である。
【図９Ａ】本発明の一実施形態によってタッチジェスチャーに従うビューモードの変更を例示した図である。
【図９Ｂ】本発明の一実施形態によってタッチジェスチャーに従うビューモードの変更を例示した図である。
【図９Ｃ】本発明の一実施形態によってタッチジェスチャーに従うビューモードの変更を例示した図である。
【図９Ｄ】本発明の一実施形態によってタッチジェスチャーに従うビューモードの変更を例示した図である。
【図９Ｅ】本発明の一実施形態によってタッチジェスチャーに従うビューモードの変更を例示した図である。
【図９Ｆ】本発明の一実施形態によってタッチジェスチャーに従うビューモードの変更を例示した図である。
【図９Ｇ】本発明の一実施形態によってタッチジェスチャーに従うビューモードの変更を例示した図である。
【図９Ｈ】本発明の一実施形態によってタッチジェスチャーに従うビューモードの変更を例示した図である。
【図９Ｉ】本発明の一実施形態によってタッチジェスチャーに従うビューモードの変更を例示した図である。
【図９Ｊ】本発明の一実施形態によってタッチジェスチャーに従うビューモードの変更を例示した図である。
【図１０Ａ】本発明の一実施形態によるポケットモードホームスクリーンのユーザインターフェースを示した図である。
【図１０Ｂ】本発明の一実施形態によるポケットモードホームスクリーンのユーザインターフェースを示した図である。
【図１０Ｃ】本発明の一実施形態によるポケットモードホームスクリーンのユーザインターフェースを示した図である。
【図１０Ｄ】本発明の一実施形態によるポケットモードホームスクリーンのユーザインターフェースを示した図である。
【図１０Ｅ】本発明の一実施形態によるポケットモードホームスクリーンのユーザインターフェースを示した図である。
【図１０Ｆ】本発明の一実施形態によるポケットモードホームスクリーンのユーザインターフェースを示した図である。
【図１０Ｇ】本発明の一実施形態によるポケットモードホームスクリーンのユーザインターフェースを示した図である。
【図１０Ｈ】本発明の一実施形態によるポケットモードホームスクリーンのユーザインターフェースを示した図である。
【図１１Ａ】本発明の他の実施形態によるポケットモードホームスクリーンのユーザインターフェースを示した図である。
【図１１Ｂ】本発明の他の実施形態によるポケットモードホームスクリーンのユーザインターフェースを示した図である。
【図１１Ｃ】本発明の他の実施形態によるポケットモードホームスクリーンのユーザインターフェースを示した図である。
【図１１Ｄ】本発明の他の実施形態によるポケットモードホームスクリーンのユーザインターフェースを示した図である。
【図１１Ｅ】本発明の他の実施形態によるポケットモードホームスクリーンのユーザインターフェースを示した図である。
【図１１Ｆ】本発明の他の実施形態によるポケットモードホームスクリーンのユーザインターフェースを示した図である。
【図１２Ａ】本発明の一実施形態によるギャラリーマップアプリケーションのユーザインターフェースを示した図である。
【図１２Ｂ】本発明の一実施形態によるギャラリーマップアプリケーションのユーザインターフェースを示した図である。
【図１２Ｃ】本発明の一実施形態によるギャラリーマップアプリケーションのユーザインターフェースを示した図である。
【図１２Ｄ】本発明の一実施形態によるギャラリーマップアプリケーションのユーザインターフェースを示した図である。
【図１２Ｅ】本発明の一実施形態によるギャラリーマップアプリケーションのユーザインターフェースを示した図である。
【図１２Ｆ】本発明の一実施形態によるギャラリーマップアプリケーションのユーザインターフェースを示した図である。
【図１２Ｇ】本発明の一実施形態によるギャラリーマップアプリケーションのユーザインターフェースを示した図である。
【図１２Ｈ】本発明の一実施形態によるギャラリーマップアプリケーションのユーザインターフェースを示した図である。
【図１２Ｉ】本発明の一実施形態によるギャラリーマップアプリケーションのユーザインターフェースを示した図である。
【図１３Ａ】本発明の一実施形態によるタスクマネージャパネルのユーザインターフェースを示した図である。
【図１３Ｂ】本発明の一実施形態によるタスクマネージャパネルのユーザインターフェースを示した図である。
【図１３Ｃ】本発明の一実施形態によるタスクマネージャパネルのユーザインターフェースを示した図である。
【図１３Ｄ】本発明の一実施形態によるタスクマネージャパネルのユーザインターフェースを示した図である。
【図１３Ｅ】本発明の一実施形態によるタスクマネージャパネルのユーザインターフェースを示した図である。
【図１３Ｆ】本発明の一実施形態によるタスクマネージャパネルのユーザインターフェースを示した図である。
【図１３Ｇ】本発明の一実施形態によるタスクマネージャパネルのユーザインターフェースを示した図である。
【図１３Ｈ】本発明の一実施形態によるタスクマネージャパネルのユーザインターフェースを示した図である。
【図１３Ｉ】本発明の一実施形態によるタスクマネージャパネルのユーザインターフェースを示した図である。
【図１３Ｊ】本発明の一実施形態によるタスクマネージャパネルのユーザインターフェースを示した図である。
【図１４Ａ】本発明の一実施形態によるパーソナル放送アプリケーションのユーザインターフェースを示した図である。
【図１４Ｂ】本発明の一実施形態によるパーソナル放送アプリケーションのユーザインターフェースを示した図である。
【図１４Ｃ】本発明の一実施形態によるパーソナル放送アプリケーションのユーザインターフェースを示した図である。
【図１４Ｄ】本発明の一実施形態によるパーソナル放送アプリケーションのユーザインターフェースを示した図である。
【図１４Ｅ】本発明の一実施形態によるパーソナル放送アプリケーションのユーザインターフェースを示した図である。
【図１４Ｆ】本発明の一実施形態によるパーソナル放送アプリケーションのユーザインターフェースを示した図である。
【図１４Ｇ】本発明の一実施形態によるパーソナル放送アプリケーションのユーザインターフェースを示した図である。
【図１４Ｈ】本発明の一実施形態によるパーソナル放送アプリケーションのユーザインターフェースを示した図である。
【図１４Ｉ】本発明の一実施形態によるパーソナル放送アプリケーションのユーザインターフェースを示した図である。
【図１４Ｊ】本発明の一実施形態によるパーソナル放送アプリケーションのユーザインターフェースを示した図である。
【図１４Ｋ】本発明の一実施形態によるパーソナル放送アプリケーションのユーザインターフェースを示した図である。
【図１４Ｌ】本発明の一実施形態によるパーソナル放送アプリケーションのユーザインターフェースを示した図である。
【図１４Ｍ】本発明の一実施形態によるパーソナル放送アプリケーションのユーザインターフェースを示した図である。
【図１５】本発明の一実施形態によるフォールディングバック命令の感知を説明するための図である。
【図１６】本発明の一実施形態によるフォールディングホールド命令の感知を説明するための図である。
【図１７Ａ】本発明の一実施形態によるクリップボード機能のためのユーザインターフェースを示した図である。
【図１７Ｂ】本発明の一実施形態によるクリップボード機能のためのユーザインターフェースを示した図である。
【図１７Ｃ】本発明の一実施形態によるクリップボード機能のためのユーザインターフェースを示した図である。
【図１７Ｄ】本発明の一実施形態によるクリップボード機能のためのユーザインターフェースを示した図である。
【図１７Ｅ】本発明の一実施形態によるクリップボード機能のためのユーザインターフェースを示した図である。
【図１７Ｆ】本発明の一実施形態によるクリップボード機能のためのユーザインターフェースを示した図である。
【図１７Ｇ】本発明の一実施形態によるクリップボード機能のためのユーザインターフェースを示した図である。
【図１７Ｈ】本発明の一実施形態によるクリップボード機能のためのユーザインターフェースを示した図である。
【図１７Ｉ】本発明の一実施形態によるクリップボード機能のためのユーザインターフェースを示した図である。
【図１７Ｊ】本発明の一実施形態によるクリップボード機能のためのユーザインターフェースを示した図である。
【図１７Ｋ】本発明の一実施形態によるクリップボード機能のためのユーザインターフェースを示した図である。
【図１８Ａ】本発明の一実施形態による電子ブック機能のためのユーザインターフェースを示した図である。
【図１８Ｂ】本発明の一実施形態による電子ブック機能のためのユーザインターフェースを示した図である。
【図１８Ｃ】本発明の一実施形態による電子ブック機能のためのユーザインターフェースを示した図である。
【図１８Ｄ】本発明の一実施形態による電子ブック機能のためのユーザインターフェースを示した図である。
【図１８Ｅ】本発明の一実施形態による電子ブック機能のためのユーザインターフェースを示した図である。
【図１８Ｆ】本発明の一実施形態による電子ブック機能のためのユーザインターフェースを示した図である。
【図１８Ｇ】本発明の一実施形態による電子ブック機能のためのユーザインターフェースを示した図である。
【図１８Ｈ】本発明の一実施形態による電子ブック機能のためのユーザインターフェースを示した図である。
【図１８Ｉ】本発明の一実施形態による電子ブック機能のためのユーザインターフェースを示した図である。
【図１８Ｊ】本発明の一実施形態による電子ブック機能のためのユーザインターフェースを示した図である。
【図１８Ｋ】本発明の一実施形態による電子ブック機能のためのユーザインターフェースを示した図である。
【図１８Ｌ】本発明の一実施形態による電子ブック機能のためのユーザインターフェースを示した図である。
【図１８Ｍ】本発明の一実施形態による電子ブック機能のためのユーザインターフェースを示した図である。
【図１８Ｎ】本発明の一実施形態による電子ブック機能のためのユーザインターフェースを示した図である。
【図１８Ｏ】本発明の一実施形態による電子ブック機能のためのユーザインターフェースを示した図である。
【図１８Ｐ】本発明の一実施形態による電子ブック機能のためのユーザインターフェースを示した図である。
【図１９Ａ】本発明の一実施形態による画像会議アプリケーションのユーザインターフェースを示した図である。
【図１９Ｂ】本発明の一実施形態による画像会議アプリケーションのユーザインターフェースを示した図である。
【図１９Ｃ】本発明の一実施形態による画像会議アプリケーションのユーザインターフェースを示した図である。
【図１９Ｄ】本発明の一実施形態による画像会議アプリケーションのユーザインターフェースを示した図である。
【図１９Ｅ】本発明の一実施形態による画像会議アプリケーションのユーザインターフェースを示した図である。
【図１９Ｆ】本発明の一実施形態による画像会議アプリケーションのユーザインターフェースを示した図である。
【図１９Ｇ】本発明の一実施形態による画像会議アプリケーションのユーザインターフェースを示した図である。
【図２０Ａ】本発明の一実施形態によるコラボレイティブゲームアプリケーションのユーザインターフェースを示した図である。
【図２０Ｂ】本発明の一実施形態によるコラボレイティブゲームアプリケーションのユーザインターフェースを示した図である。
【図２０Ｃ】本発明の一実施形態によるコラボレイティブゲームアプリケーションのユーザインターフェースを示した図である。
【図２０Ｄ】本発明の一実施形態によるコラボレイティブゲームアプリケーションのユーザインターフェースを示した図である。
【図２０Ｅ】本発明の一実施形態によるコラボレイティブゲームアプリケーションのユーザインターフェースを示した図である。
【図２０Ｆ】本発明の一実施形態によるコラボレイティブゲームアプリケーションのユーザインターフェースを示した図である。
【図２０Ｇ】本発明の一実施形態によるコラボレイティブゲームアプリケーションのユーザインターフェースを示した図である。
【図２０Ｈ】本発明の一実施形態によるコラボレイティブゲームアプリケーションのユーザインターフェースを示した図である。
【図２１Ａ】本発明の一実施形態によるスケジュール管理アプリケーションのユーザインターフェースを示した図である。
【図２１Ｂ】本発明の一実施形態によるスケジュール管理アプリケーションのユーザインターフェースを示した図である。
【図２１Ｃ】本発明の一実施形態によるスケジュール管理アプリケーションのユーザインターフェースを示した図である。
【図２１Ｄ】本発明の一実施形態によるスケジュール管理アプリケーションのユーザインターフェースを示した図である。
【図２１Ｅ】本発明の一実施形態によるスケジュール管理アプリケーションのユーザインターフェースを示した図である。
【図２１Ｆ】本発明の一実施形態によるスケジュール管理アプリケーションのユーザインターフェースを示した図である。
【図２１Ｇ】本発明の一実施形態によるスケジュール管理アプリケーションのユーザインターフェースを示した図である。
【図２１Ｈ】本発明の一実施形態によるスケジュール管理アプリケーションのユーザインターフェースを示した図である。
【図２１Ｉ】本発明の一実施形態によるスケジュール管理アプリケーションのユーザインターフェースを示した図である。
【図２１Ｊ】本発明の一実施形態によるスケジュール管理アプリケーションのユーザインターフェースを示した図である。
【図２１Ｋ】本発明の一実施形態によるスケジュール管理アプリケーションのユーザインターフェースを示した図である。
【図２１Ｌ】本発明の一実施形態によるスケジュール管理アプリケーションのユーザインターフェースを示した図である。
【図２１Ｍ】本発明の一実施形態によるスケジュール管理アプリケーションのユーザインターフェースを示した図である。
【図２１Ｎ】本発明の一実施形態によるスケジュール管理アプリケーションのユーザインターフェースを示した図である。
【図２１Ｏ】本発明の一実施形態によるスケジュール管理アプリケーションのユーザインターフェースを示した図である。
【図２２Ａ】本発明の一実施形態によってスケジュール管理アプリケーションでカレンダー領域を拡張して表示するシナリオを示した図である。
【図２２Ｂ】本発明の一実施形態によってスケジュール管理アプリケーションでカレンダー領域を拡張して表示するシナリオを示した図である。
【図２２Ｃ】本発明の一実施形態によってスケジュール管理アプリケーションでカレンダー領域を拡張して表示するシナリオを示した図である。
【図２２Ｄ】本発明の一実施形態によってスケジュール管理アプリケーションでカレンダー領域を拡張して表示するシナリオを示した図である。
【図２２Ｅ】本発明の一実施形態によってスケジュール管理アプリケーションでカレンダー領域を拡張して表示するシナリオを示した図である。
【図２２Ｆ】本発明の一実施形態によってスケジュール管理アプリケーションでカレンダー領域を拡張して表示するシナリオを示した図である。
【図２２Ｇ】本発明の一実施形態によってスケジュール管理アプリケーションでカレンダー領域を拡張して表示するシナリオを示した図である。
【図２２Ｈ】本発明の一実施形態によってスケジュール管理アプリケーションでカレンダー領域を拡張して表示するシナリオを示した図である。
【図２２Ｉ】本発明の一実施形態によってスケジュール管理アプリケーションでカレンダー領域を拡張して表示するシナリオを示した図である。
【図２２Ｊ】本発明の一実施形態によってスケジュール管理アプリケーションでカレンダー領域を拡張して表示するシナリオを示した図である。
【図２２Ｋ】本発明の一実施形態によってスケジュール管理アプリケーションでカレンダー領域を拡張して表示するシナリオを示した図である。
【図２２Ｌ】本発明の一実施形態によってスケジュール管理アプリケーションでカレンダー領域を拡張して表示するシナリオを示した図である。
【図２２Ｍ】本発明の一実施形態によってスケジュール管理アプリケーションでカレンダー領域を拡張して表示するシナリオを示した図である。
【図２３Ａ】本発明の一実施形態による通話アプリケーションのユーザインターフェースを示した図である。
【図２３Ｂ】本発明の一実施形態による通話アプリケーションのユーザインターフェースを示した図である。
【図２３Ｃ】本発明の一実施形態による通話アプリケーションのユーザインターフェースを示した図である。
【図２３Ｄ】本発明の一実施形態による通話アプリケーションのユーザインターフェースを示した図である。
【図２３Ｅ】本発明の一実施形態による通話アプリケーションのユーザインターフェースを示した図である。
【図２３Ｆ】本発明の一実施形態による通話アプリケーションのユーザインターフェースを示した図である。
【図２３Ｇ】本発明の一実施形態による通話アプリケーションのユーザインターフェースを示した図である。
【図２３Ｈ】本発明の一実施形態による通話アプリケーションのユーザインターフェースを示した図である。
【図２３Ｉ】本発明の一実施形態による通話アプリケーションのユーザインターフェースを示した図である。
【図２３Ｊ】本発明の一実施形態による通話アプリケーションのユーザインターフェースを示した図である。
【図２３Ｋ】本発明の一実施形態による通話アプリケーションのユーザインターフェースを示した図である。
【図２３Ｌ】本発明の一実施形態による通話アプリケーションのユーザインターフェースを示した図である。
【図２３Ｍ】本発明の一実施形態による通話アプリケーションのユーザインターフェースを示した図である。
【図２３Ｎ】本発明の一実施形態による通話アプリケーションのユーザインターフェースを示した図である。
【図２３Ｏ】本発明の一実施形態による通話アプリケーションのユーザインターフェースを示した図である。
【図２３Ｐ】本発明の一実施形態による通話アプリケーションのユーザインターフェースを示した図である。
【図２４Ａ】本発明の他の実施形態による通話アプリケーションのユーザインターフェースを示した図である。
【図２４Ｂ】本発明の他の実施形態による通話アプリケーションのユーザインターフェースを示した図である。
【図２４Ｃ】本発明の他の実施形態による通話アプリケーションのユーザインターフェースを示した図である。
【図２４Ｄ】本発明の他の実施形態による通話アプリケーションのユーザインターフェースを示した図である。
【図２４Ｅ】本発明の他の実施形態による通話アプリケーションのユーザインターフェースを示した図である。
【図２４Ｆ】本発明の他の実施形態による通話アプリケーションのユーザインターフェースを示した図である。
【図２４Ｇ】本発明の他の実施形態による通話アプリケーションのユーザインターフェースを示した図である。
【図２４Ｈ】本発明の他の実施形態による通話アプリケーションのユーザインターフェースを示した図である。
【図２４Ｉ】本発明の他の実施形態による通話アプリケーションのユーザインターフェースを示した図である。
【図２４Ｊ】本発明の他の実施形態による通話アプリケーションのユーザインターフェースを示した図である。
【図２４Ｋ】本発明の他の実施形態による通話アプリケーションのユーザインターフェースを示した図である。
【図２４Ｌ】本発明の他の実施形態による通話アプリケーションのユーザインターフェースを示した図である。
【図２４Ｍ】本発明の他の実施形態による通話アプリケーションのユーザインターフェースを示した図である。
【図２４Ｎ】本発明の他の実施形態による通話アプリケーションのユーザインターフェースを示した図である。
【図２４Ｏ】本発明の他の実施形態による通話アプリケーションのユーザインターフェースを示した図である。
【図２４Ｐ】本発明の他の実施形態による通話アプリケーションのユーザインターフェースを示した図である。
【図２４Ｑ】本発明の他の実施形態による通話アプリケーションのユーザインターフェースを示した図である。
【図２４Ｒ】本発明の他の実施形態による通話アプリケーションのユーザインターフェースを示した図である。
【図２５Ａ】本発明の一実施形態によるカメラアプリケーションのユーザインターフェースを示した図である。
【図２５Ｂ】本発明の一実施形態によるカメラアプリケーションのユーザインターフェースを示した図である。
【図２５Ｃ】本発明の一実施形態によるカメラアプリケーションのユーザインターフェースを示した図である。
【図２５Ｄ】本発明の一実施形態によるカメラアプリケーションのユーザインターフェースを示した図である。
【図２５Ｅ】本発明の一実施形態によるカメラアプリケーションのユーザインターフェースを示した図である。
【図２５Ｆ】本発明の一実施形態によるカメラアプリケーションのユーザインターフェースを示した図である。
【図２５Ｇ】本発明の一実施形態によるカメラアプリケーションのユーザインターフェースを示した図である。
【図２５Ｈ】本発明の一実施形態によるカメラアプリケーションのユーザインターフェースを示した図である。
【図２５Ｉ】本発明の一実施形態によるカメラアプリケーションのユーザインターフェースを示した図である。
【図２５Ｊ】本発明の一実施形態によるカメラアプリケーションのユーザインターフェースを示した図である。
【図２５Ｋ】本発明の一実施形態によるカメラアプリケーションのユーザインターフェースを示した図である。
【図２５Ｌ】本発明の一実施形態によるカメラアプリケーションのユーザインターフェースを示した図である。
【図２６Ａ】本発明の一実施形態によるカメラアプリケーションのユーザインターフェースを示した図である。
【図２６Ｂ】本発明の一実施形態によるカメラアプリケーションのユーザインターフェースを示した図である。
【図２６Ｃ】本発明の一実施形態によるカメラアプリケーションのユーザインターフェースを示した図である。
【図２６Ｄ】本発明の一実施形態によるカメラアプリケーションのユーザインターフェースを示した図である。
【図２６Ｅ】本発明の一実施形態によるカメラアプリケーションのユーザインターフェースを示した図である。
【図２６Ｆ】本発明の一実施形態によるカメラアプリケーションのユーザインターフェースを示した図である。
【図２６Ｇ】本発明の一実施形態によるカメラアプリケーションのユーザインターフェースを示した図である。
【図２６Ｈ】本発明の一実施形態によるカメラアプリケーションのユーザインターフェースを示した図である。
【図２６Ｉ】本発明の一実施形態によるカメラアプリケーションのユーザインターフェースを示した図である。
【図２６Ｊ】本発明の一実施形態によるカメラアプリケーションのユーザインターフェースを示した図である。
【図２６Ｋ】本発明の一実施形態によるカメラアプリケーションのユーザインターフェースを示した図である。
【図２７Ａ】本発明の一実施形態によって携帯機器の物理的な動きに従うビューモードの変更を例示した図である。
【図２７Ｂ】本発明の一実施形態によって携帯機器の物理的な動きに従うビューモードの変更を例示した図である。
【図２７Ｃ】本発明の一実施形態によって携帯機器の物理的な動きに従うビューモードの変更を例示した図である。
【図２７Ｄ】本発明の一実施形態によって携帯機器の物理的な動きに従うビューモードの変更を例示した図である。
【図２７Ｅ】本発明の一実施形態によって携帯機器の物理的な動きに従うビューモードの変更を例示した図である。
【図２７Ｆ】本発明の一実施形態によって携帯機器の物理的な動きに従うビューモードの変更を例示した図である。
【図２７Ｇ】本発明の一実施形態によって携帯機器の物理的な動きに従うビューモードの変更を例示した図である。
【図２７Ｈ】本発明の一実施形態によって携帯機器の物理的な動きに従うビューモードの変更を例示した図である。
【図２７Ｉ】本発明の一実施形態によって携帯機器の物理的な動きに従うビューモードの変更を例示した図である。
【図２７Ｊ】本発明の一実施形態によって携帯機器の物理的な動きに従うビューモードの変更を例示した図である。
【図２７Ｋ】本発明の一実施形態によって携帯機器の物理的な動きに従うビューモードの変更を例示した図である。
【図２７Ｌ】本発明の一実施形態によって携帯機器の物理的な動きに従うビューモードの変更を例示した図である。
【図２７Ｍ】本発明の一実施形態によって携帯機器の物理的な動きに従うビューモードの変更を例示した図である。
【図２７Ｎ】本発明の一実施形態によって携帯機器の物理的な動きに従うビューモードの変更を例示した図である。
【図２７Ｏ】本発明の一実施形態によって携帯機器の物理的な動きに従うビューモードの変更を例示した図である。
【図２７Ｐ】本発明の一実施形態によって携帯機器の物理的な動きに従うビューモードの変更を例示した図である。
【図２７Ｑ】本発明の一実施形態によって携帯機器の物理的な動きに従うビューモードの変更を例示した図である。
【発明を実施するための形態】
【０１４２】
以下、本発明の望ましい実施形態を添付の図面を参照して詳細に説明する。また、本発明を説明するにあたって、関連した公知機能又は構成についての具体的な説明が本発明の要旨を不必要に不明瞭にすると判断された場合、その詳細な説明は省略する。また、後述する用語は、本発明の機能を考慮して定義されたものであって、ユーザ、運用者の意図、又は慣例によって変わり得る。したがって、上記用語は、本明細書の全体内容に基づいて定義されなければならない。
【０１４３】
本明細書において、携帯機器は、１つ又はそれ以上のタッチスクリーンで構成されたディスプレイを備え、アプリケーションを実行するか又はコンテンツを表示可能であるように構成される装置であり、例えば、タブレット（Tablet）個人コンピュータ（Personal Computer：ＰＣ）、携帯用マルチメディア再生装置（Portable Multimedia Player：ＰＭＰ）、個人情報端末機（Personal Digital Assistant：ＰＤＡ）、スマートフォン（Smart Phone）、携帯電話、又はディジタルフレーム（Digital Frame）などを含む。下記では、セルラーフォン又はスマートフォンで構成される携帯機器について本発明の実施形態を説明するが、本発明がこのような構成に限定されないことに留意すべきである。
【０１４４】
図１は、本発明の一実施形態による携帯機器の概略的な構成を示すブロック図である。携帯機器１００は、セルラー通信モジュール１２０、サブ通信モジュール１３０、及びコネクター１６５のうちの少なくとも１つを用いて外部装置（図示せず）に接続されることができる。“外部装置”は、他の装置、携帯電話、スマートフォン、タブレットＰＣ、及びコンピュータサーバのうちの少なくとも１つを含むことができる。
【０１４５】
図１を参照すると、携帯機器１００は、少なくとも１つのタッチスクリーンディスプレイ１９０ａ及び１９０ｂとタッチスクリーンコントローラ１９５とを含む。また、携帯機器１００は、制御部１１０、セルラー通信モジュール１２０、サブ通信モジュール１３０、マルチメディアモジュール１４０、カメラモジュール１５０、ＧＰＳ（Global Positioning System）モジュール１５５、入出力モジュール１６０、センサーモジュール１７０、記憶部１７５、及び電源供給部１８０を含む。サブ通信モジュール１３０は、無線ＬＡＮモジュール１３１及び近距離通信モジュール１３２のうちの少なくとも１つを含み、マルチメディアモジュール１４０は、放送通信モジュール１４１、オーディオ再生モジュール１４２、及び動映像再生モジュール１４３のうちの少なくとも１つを含む。カメラモジュール１５０は、第１のカメラ１５１及び第２のカメラ１５２のうちの少なくとも１つを含み、入出力モジュール１６０は、ボタンセット（button set）１６１、マイク１６２、スピーカー１６３、振動モーター１６４、コネクター１６５、及びキーパッド１６６のうちの少なくとも１つを含む。
【０１４６】
制御部１１０は、ＣＰＵ１１１と、携帯機器１００の制御のための制御プログラムが記憶された読出し専用メモリ（Read-Only Memory：ＲＯＭ）１１２と、携帯機器１００の外部から入力される信号又はデータを記憶するか、あるいは携帯機器１００で実行される作業のための記憶領域として使用されるランダムアクセスメモリ（Random Access Memory：ＲＡＭ）１１３とを含む。ＣＰＵ１１１は、シングルコアプロセッサ、デュアルコアプロセッサ、トリプルコアプロセッサ、及びクアドコアプロセッサのうちの少なくとも１つを含んでもよい。ＣＰＵ１１１、ＲＯＭ１１２、及びＲＡＭ１１３は、内部バス（bus）を通して相互に接続される。
【０１４７】
制御部１１０は、セルラー通信モジュール１２０、サブ通信モジュール１３０、マルチメディアモジュール１４０、カメラモジュール１５０、ＧＰＳモジュール１５５、入出力モジュール１６０、センサーモジュール１７０、記憶部１７５、電源供給部１８０、タッチスクリーン１９０ａ、１９０ｂ、及びタッチスクリーンコントローラ１９５を制御する。
【０１４８】
セルラー通信モジュール１２０は、制御部１１０の制御によりセルラー通信プロトコルに従う無線アクセス技術を使用して携帯機器１００が少なくとも１本又は複数のアンテナ（図示せず）を通して外部の装置（特に、セルラーシステムの基地局）に接続されるようにする。セルラー通信モジュール１２０は、携帯機器１００に入力される電話番号を有する携帯電話、スマートフォン、タブレットＰＣ又は他の装置のような通信可能な他の機器と、音声通話、画像通話、ショートメッセージングサービス（Short Messaging Service：ＳＭＳ）又はマルチメディアメッセージングサービス（Multimedia Messaging Service：ＭＭＳ）を含む無線信号を送受信する。
【０１４９】
サブ通信モジュール１３０は、無線ＬＡＮモジュール１３１及び近距離通信モジュール１３２のうちの少なくとも１つを含む。例えば、無線ＬＡＮモジュール１３１だけを含むか、近距離通信モジュール１３２だけを含むか、又は無線ＬＡＮモジュール１３１及び近距離通信モジュール１３２をすべて含む。
【０１５０】
無線ＬＡＮモジュール１３１は、制御部１１０の制御により無線アクセスポイント（access point：ＡＰ）（図示せず）が設置された場所でインターネットに接続される。無線ＬＡＮモジュール１３１は、米国電機電子学会（ＩＥＥＥ）の無線ＬＡＮ規格（ＩＥＥＥ８０２．１１ｘ）をサポートする。近距離通信モジュール１３２は、制御部１１０の制御により携帯機器１００と外部機器との間で近距離通信を無線で実行することがきる。近距離通信方式は、ブルートゥース（bluetooth）、赤外線通信（infrared data association：ＩｒＤＡ）などを含むことができる。
【０１５１】
携帯機器１００は、性能に従ってセルラー通信モジュール１２０、無線ＬＡＮモジュール１３１、及び近距離通信モジュール１３２のうちの少なくとも１つを含むことができる。例えば、携帯機器１００は、性能に従ってセルラー通信モジュール１２０、無線ＬＡＮモジュール１３１、及び近距離通信モジュール１３２の組み合わせを含むことができる。
【０１５２】
マルチメディアモジュール１４０は、放送通信モジュール１４１、オーディオ再生モジュール１４２、及び動映像再生モジュール１４３のうちの少なくとも１つを含むことができる。放送通信モジュール１４１は、制御部１１０の制御により放送通信アンテナ（図示せず）を通して放送局から送出される放送信号（例えば、ＴＶ放送信号、ラジオ放送信号、又はデータ放送信号）及び放送付加情報（例えば、電子プログラムガイド（Electric Program Guide：ＥＰＧ）又は電子サービスガイド（Electric Service Guide：ＥＳＧ））を受信することができる。オーディオ再生モジュール１４２は、制御部１１０の制御により記憶されるか又は受信されるディジタルオーディオファイル（例えば、ファイル拡張子がｍｐ３、ｗｍａ、ｏｇｇ、又はｗａｖであるファイル）を再生することができる。動映像再生モジュール１４３は、制御部１１０の制御により記憶されるか又は受信されるディジタル動映像ファイル（例えば、ファイル拡張子がｍｐｅｇ、ｍｐｇ、ｍｐ４、ａｖｉ、ｍｏｖ、又はｍｋｖであるファイル）を再生することができる。動映像再生モジュール１４３は、ディジタルオーディオファイルを再生することができる。
【０１５３】
マルチメディアモジュール１４０は、放送通信モジュール１４１を除外し、オーディオ再生モジュール１４２及び動映像再生モジュール１４３を含む。また、マルチメディアモジュール１４０のオーディオ再生モジュール１４２又は動映像再生モジュール１４３は制御部１１０に含まれる。
【０１５４】
カメラモジュール１５０は、制御部１１０の制御により静止イメージ又は動映像を撮影する第１のカメラ１５１及び第２のカメラ１５２のうちの少なくとも１つを含む。第１のカメラ１５１及び第２のカメラ１５２は、携帯機器１００のハウジングに備えられるか又は個別の接続手段を使用して携帯機器１００に配置されることができる。第１のカメラ１５１及び第２のカメラ１５２のうちの少なくとも１つは、撮影に必要な光量を提供する補助光源（例えば、フラッシュ（図示せず））を含むことができる。一実施形態において、第１のカメラ１５１は携帯機器１００の前面に配置され、第２のカメラ１５２は携帯機器１００の後面に配置されることができる。他の実施形態において、第１のカメラ１５１及び第２のカメラ１５２は隣接して（例えば、第１のカメラ１５１と第２のカメラ１５２との間隔が１ｃｍより大きく、８ｃｍより小さく）配置されることにより３次元静止イメージ又は３次元動映像を撮影することができる。
【０１５５】
カメラモジュール１５０は、第１のカメラ１５１及び第２のカメラ１５２のうちの少なくとも１つを通してユーザの動き又は形状を感知（detect）し、これをアプリケーションの実行又は制御のための入力として制御部１１０に伝達することができる。例えば、ユーザの動きとは、第１又は第２のカメラを通して感知されるユーザの手の動きを意味し、ユーザの形状とは、第１又は第２のカメラを通して感知されるユーザの顔形状を意味することができる。他の１つの実施形態において、携帯機器１００は、赤外線感知器のような他の手段を使用してユーザの動きを感知し、この動きに応答してアプリケーションの実行又は制御を行うことができる。
【０１５６】
ＧＰＳモジュール１５５は、地球軌道上にある複数のＧＰＳ衛星（図示せず）から電波を受信し、ＧＰＳ衛星（図示せず）から携帯機器１００まで電波到達時間（Time of Arrival）及びＧＰＳパラメータを用いて携帯機器１００の位置を算出することができる。
【０１５７】
入出力モジュール１６０は、少なくとも１つの物理的なボタンセット１６１、マイク１６２、スピーカー１６３、振動モーター１６４、コネクター１６５、及びキーパッド１６６のうちの少なくとも１つを含むことができる。少なくとも１つの物理的なボタンセット１６１は、携帯機器１００のハウジングの前面、側面、又は後面にプッシュ型又はタッチ型で形成されることができ、電源／ロックボタン、ボリューム調節ボタン、メニューボタン、ホームボタン、バックボタン（back button）及び検索ボタンのうちの少なくとも１つを含むことができる。マイク１６２は、制御部１１０の制御により音声（voice）又はサウンド（sound）を受信し電気的な信号を生成する。
【０１５８】
スピーカー１６３は、制御部１１０の制御によりセルラー通信モジュール１２０、サブ通信モジュール１３０、マルチメディアモジュール１４０、又はカメラモジュール１５０の様々な信号（例えば、無線信号、放送信号、ディジタルオーディオファイル、ディジタル動映像ファイル又は写真撮影など）に対応するサウンドを携帯機器１００の外部に出力することができる。スピーカー１６３は、携帯機器１００が実行する機能に対応するサウンド（例えば、電話通話に対応するボタン操作音又は通話接続音）を出力することができる。スピーカー１６３は、携帯機器１００のハウジングの適切な位置又は複数の位置に１つ又は複数で形成されることができる。例えば、スピーカー１６３は、通話中にユーザの耳に近接するのに適合した位置に配置される内部スピーカーモジュールと、オーディオ／ビデオファイルの再生又は放送の視聴の時に使用されるのに適合したより高い出力を有し、携帯機器１００のハウジングの適切な位置に配置される外部スピーカーモジュールとを含む。
【０１５９】
振動モーター１６４は、制御部１１０の制御により電気的な信号を機械的な振動に変換することができる。例えば、振動モードにある携帯機器１００は、他の装置（図示せず）から音声通話が受信される場合に振動モーター１６４が動作する。振動モーター１６４は、携帯機器１００のハウジング内に１つ又は複数で形成されることができる。振動モーター１６４は、第１及び第２のタッチスクリーン１９０ａ、１９０ｂ上で感知されるユーザのタッチジェスチャー及び第１及び第２のタッチスクリーン１９０ａ、１９０ｂ上で感知されるタッチの連続的な動きに応答して動作することができる。
【０１６０】
コネクター１６５は、外部装置又は電源ソースを携帯機器１００に接続するためのインターフェースとして使用されることができる。制御部１１０の制御によりコネクター１６５に接続された有線ケーブルを通して携帯機器１００の記憶部１７５に記憶されているデータを外部装置に送信するか又は外部装置からデータを受信することができる。コネクター１６５に接続された有線ケーブルを通して電源が電源ソースから入力されるか又はバッテリー（図示せず）を充電することができる。
【０１６１】
キーパッド１６６は、携帯機器１００の制御のためにユーザからキー入力を受信することができる。キーパッド１６６は、携帯機器１００に備えられるか又は接続される物理的なキーパッド及び／又は第１及び第２のタッチスクリーン１９０ａ、１９０ｂに表示されることができる仮想キーパッドを含む。携帯機器１００に形成される物理的なキーパッドは、携帯機器１００の性能又は構造により除外されることができる。
【０１６２】
センサーモジュール１７０は、携帯機器１００の状態を感知する少なくとも１つのセンサーを含む。例えば、センサーモジュール１７０は、ユーザの携帯機器１００に対するアクセスが可能であるか否かを検出する近接センサー、携帯機器１００の周辺の光の量を検出する照度センサー、及び携帯機器１００の動作（例えば、携帯機器１００の回転、携帯機器１００を構成する少なくとも１つのパネルの絶対的／相対的な移動、及び携帯機器１００に加えられる加速度又は振動）を検出するモーションセンサーのうちの少なくとも１つを含むことができる。センサーモジュール１７０の各センサーは、状態を検出し、検出に対応する信号を生成して制御部１１０に送信することができる。センサーモジュール１７０のセンサーは、携帯機器１００の性能に従って追加されるか又は削除されてもよい。
【０１６３】
記憶部１７５は、制御部１１０の制御によりセルラー通信モジュール１２０、サブ通信モジュール１３０、マルチメディアモジュール１４０、カメラモジュール１５０、ＧＰＳモジュール１５５、入出力モジュール１６０、センサーモジュール１７０、及び第１及び第２のタッチスクリーン１９０ａ、１９０ｂの動作に対応するように入出力される信号、情報又はデータを記憶することができる。記憶部１７５は、携帯機器１００又は制御部１１０の制御のための制御プログラム及びアプリケーションを記憶することができる。以下、“記憶部”とは、記憶部１７５、ＲＯＭ１１２、ＲＡＭ１１３、又は携帯機器１００に脱着／装着可能なメモリカード（例えば、ＳＤカード、メモリスティック）を含むことができる。また、記憶部は、非揮発性メモリ、揮発性メモリ、ハードディスクドライブ（ＨＤＤ）又はソリッドステートドライブ（ＳＳＤ）を含んでもよい。
【０１６４】
電源供給部１８０は、制御部１１０の制御により携帯機器１００のハウジング内に配置される１つ又は複数のバッテリーに電源を供給することができる。１つ又は複数のバッテリーは、携帯機器１００の制御部１１０及び各構成モジュールに電源を供給する。また、電源供給部１８０は、コネクター１６５に接続された有線ケーブルを通して外部の電源ソースから入力される電源を携帯機器１００に供給することができる。
【０１６５】
第１及び第２のタッチスクリーン１９０ａ及び１９０ｂは、制御部１１０により実行されることができる様々なアプリケーション（例えば、通話、データ送信、放送、カメラなど）を表示し、それに適応するように構成されたユーザインターフェースを提供するディスプレイ装置であり、ユーザの身体（例えば、親指を含む指）又は感知可能な入力手段（例えば、スタイラスペン）を通して少なくとも１つのタッチジェスチャーを受信することができる。ユーザインターフェースは、所定のタッチ領域、ソフトキー、及びソフトメニューを含むことができる。第１及び第２のタッチスクリーン１９０ａ及び１９０ｂは、ユーザインターフェースを通して入力される少なくとも１つのタッチジェスチャーに対応する電子信号をタッチスクリーンコントローラ１９５に送信することができる。また、第１及び第２のタッチスクリーン１９０ａ及び１９０ｂは、タッチの連続的な動きを感知し、タッチの連続的な又は不連続的な動きに対応する電子信号をタッチスクリーンコントローラ１９５に送信することができる。このような第１及び第２のタッチスクリーン１９０ａ及び１９０ｂは、例えば、抵抗膜（resistive）方式、静電容量（capacitive）方式、赤外線（infrared）方式、又は超音波（acoustic wave）方式で実現されることができる。
【０１６６】
タッチスクリーンコントローラ１９５は、第１及び第２のタッチスクリーン１９０ａ及び１９０ｂから受信された電子信号をディジタル信号（例えば、Ｘ及びＹ座標）に変換して制御部１１０に送信する。制御部１１０は、タッチスクリーンコントローラ１９５から受信されたディジタル信号を用いて第１及び第２のタッチスクリーン１９０ａ及び１９０ｂを制御することができる。例えば、制御部１１０は、タッチジェスチャーに応答して第１及び第２のタッチスクリーン１９０ａ及び１９０ｂに表示されたソフトキーが選択されるようにするか又はソフトキーに対応するアプリケーションを実行することができる。また、タッチスクリーンコントローラ１９５は、制御部１１０に含まれることもある。
【０１６７】
本明細書において、タッチジェスチャーは、第１及び第２のタッチスクリーン１９０ａ、１９０ｂとユーザの身体又はタッチ可能な入力手段との直接的な接触に限定されず、非接触（例えば、第１及び第２のタッチスクリーン１９０ａ、１９０ｂとユーザの身体又はタッチ可能な入力手段との間の検出可能な間隔が１ｍｍ以下）を含むことを意味する。第１及び第２のタッチスクリーン１９０ａ及び１９０ｂで検出可能な間隔は、携帯機器１００の性能又は構造により変更されることがある。
【０１６８】
本発明の実施形態において、タッチジェスチャーは、タッチスクリーンに直接接触するか又は近くに接近することにより携帯機器が感知可能であるようにするすべてのタイプのユーザジェスチャーを含むことができる。例えば、タッチジェスチャーは、左手及び右手の指（finger）（特に、人差し指）、親指（thumb）、又はタッチスクリーンにより感知可能なオブジェクト（例えば、スタイラスペン）を用いてタッチスクリーン上で１つの位置又は連続した複数の位置を選択するユーザの動作として、タッチ（touch）、接触（contact）、タッチの解除（release）、タップ（tap）、接触（contact）、及び回転（rotate）、ピンチ（pinch）、スプレッド（spread）、タッチドラッグ（touch drag）などの動作を含むことができる。ここで、タッチドラッグは、タッチスクリーン上に指、親指、又はスタイラスペンを接触した状態で一定の方向に指又は親指を移動するジェスチャーとして、例えば、タッチアンドドラッグ（touch and drag）、フリック（flick）、スワイプ（swipe）、スライド（slide）、及びスイープ（sweep）などのジェスチャーを含むことができる。タッチスクリーンに接触した状態とは、タッチスクリーン上に指、親指又はスタイラスペンが直接的に触れたか又は実際に触れなかったとしても近くに接近した状態を含むことができる。
【０１６９】
携帯機器１００は、記憶部に記憶され、制御部１１０により実行可能なアプリケーション、ウィジェット（widget）、及び機能（function）をタッチスクリーンを通して実行する機器である。通常、タッチスクリーンは、ホームスクリーン又はアプリケーションメニューなどを通してアプリケーション、ウィジェット、機能、及びそのグループに対応するグラフィックオブジェクト（すなわち、ソフトキー又はショートカットアイコン）を提供し、携帯機器は、各グラフィックオブジェクト上でのユーザのタッチジェスチャーの検出に応答して対応するアプリケーション、ウィジェット、又は機能を実行する。
【０１７０】
ここで、ウィジェットとは、ユーザによりダウンロードされ使用されるか、又はユーザにより生成され得るミニアプリケーションを意味し、例えば、天気ウィジェット、株式ウィジェット、計算機ウィジェット、アラーム時計ウィジェット、及び辞書ウィジェットなどを含む。ウィジェットの実行のためのショートカットアイコンは、対応するウィジェットアプリケーションを通して簡素な事前情報を提供することができる。例えば、天気ウィジェットのアイコンは、現在の気温及び天気のシンボルを簡単に提供し、アイコンのタッチを通して実行されるウィジェットアプリケーションは、期間別／地域別天気のようなさらに多い量の情報を提供する。本明細書において、アプリケーションとは、ウィジェットベースのアプリケーション及び非ウィジェットベースのアプリケーションを含む。
【０１７１】
一実施形態において、タッチスクリーンは、１つのパネル（又はタブレット）で構成され、制御部の制御下に１つ又は複数のアプリケーションに対応する１つ又は複数のタスクスクリーンを表示する。他の実施形態において、タッチスクリーンディスプレイは、物理的に区分され、所定の接続部により相互接続される２個のパネルで構成され、このパネルは、この接続部を中心に一定の角度だけ折り畳まれる（fold-in）か又は広げられる（fold-out）ことが可能である。ここで、この接続部は、ヒンジ、フレキシブルな（Flexible）接続部、又はフレキシブルなタッチスクリーンの一部となることができる。もう１つの実施形態において、タッチスクリーンディスプレイは、曲げられるか又は少なくとも１回以上折り畳まれることができるフレキシブルなタッチスクリーンで構成されることができる。タッチスクリーンディスプレイは、制御部の制御の下に１つ又は複数のアプリケーションに関連した１つ又は複数のタスクスクリーンを表示する。
【０１７２】
図２は、本発明の一実施形態による携帯機器を示す斜視図である。図２は、携帯機器がヒンジで結合される２つのタッチスクリーンを含むディスプレイ装置を備える場合の構成を示す。
【０１７３】
図２を参照すると、携帯機器１００は、第１のパネル２及び第２のパネル４を含み、第１のパネル２及び第２のパネル４は、ヒンジ６により接続されることにより相対的に移動可能である。第１のパネル２の１つの表面は、第１のタッチスクリーン（first touch screen）１２を有し、第１のタッチスクリーン１２の下端には、少なくとも１つの物理的なボタン５が配置されることができる。第２のパネル４の１つの表面は、第１のタッチスクリーン１２と並べて配置される第２のタッチスクリーン（second touch screen）１４とを有し、第２のタッチスクリーン１４の下端には、少なくとも１つの物理的なボタン５’が配置されることができる。物理的なボタン５及び５’は、プッシュボタン及びタッチボタンのうちの少なくとも１つを含む。一実施形態において、スピーカー２０及びマイク２２を備える第１のパネル２に配置される第１のタッチスクリーン１２は、メインスクリーンとして動作し、そうでない第２のパネル４に配置される第２のタッチスクリーン１４は、サブスクリーンとして動作する。一実施形態において、第１のパネル２は前方カメラ２４を含み、第２のパネル４は後方カメラ２６を含む。他の実施形態において、前方カメラ２４は、第２のパネル４の第２のタッチスクリーン１４と同一の面に配置されることにより、第１のパネル２及び第２のパネル４が広げられた（unfolded）状態では前方カメラとして動作し、第１のパネル２及び第２のパネル４が折り畳まれた状態では後方カメラとして動作することができる。
【０１７４】
携帯機器１００は、第１のパネル２及び第２のパネル４がヒンジ６により接続されることにより相対的に移動可能である場合に、携帯電話、ノートブック型パソコン、タブレットＰＣ、及びＰＭＰなどのようないずれの機器であり得る。上述したように、第１のタッチスクリーン１２及び第２のタッチスクリーン１４が第１のパネル２及び第２のパネル４にそれぞれ含まれるものと説明したが、後述する説明は、タッチスクリーンディスプレイが２つのパネルのうちのいずれか１つのパネルのみに提供される機器にも適用可能である。また、各タッチスクリーンの下端の機能ボタン５及び５'のうちの少なくとも１つは省略されてもよい。さらに、第１のパネル２と第２のパネル４との接続は、ヒンジ６によるものを例を挙げて図示したが、第１のパネル２及び第２のパネル４が相対的な移動を通して折り畳まれることができる限り、他の構成要素に置き換えられることができる。
【０１７５】
携帯機器は、物理的又はグラフィック的に分離される第１のタッチスクリーン及び第２のタッチスクリーンで構成されたディスプレイ装置を含み、２つのタッチスクリーンを用いて図３に示すような様々なスクリーンモード（Screen Mode）をサポートすることができる。
【０１７６】
図３（図３Ａ乃至図３Ｄを含む）は、携帯機器１００の第１のパネル２と第２のパネル４との間の相対角度に従うスクリーンモードを示す図である。相対角度θは、第１のパネル２に対して所定の方向（例えば、反時計方向）に回転した第２のパネル４の回転角度である。
【０１７７】
図３Ａは、折り畳まれた携帯機器１００を示す斜視図であり、第１のパネル２及び第２のパネル４上のタッチスクリーン１２及び１４がそれぞれ外側に向かいながら第１のパネル２と第２のパネル４とが互いに接している状態、すなわち、外側に完全に折り畳まれた状態を示し、デュアルスクリーン（Dual Screen）と呼ぶ。この時の相対角度θは０°である。例えば、第１のパネル２と第２のパネル４との間の相対角度が０°から６０°までである時に、携帯機器は、デュアルスクリーンモードを認識する。デュアルスクリーンモードは、携帯機器が使用されないロック状態である時及び通話（call）アプリケーションで有用に使用されることができる。デュアルスクリーンモードにおいて、前方の第１のタッチスクリーン１２は、少なくとも１つのアプリケーションによるタスクスクリーンを表示し、後面のタッチスクリーン１４はターンオフ状態となることができる。一部のアプリケーションは、オプションメニューを使用して後面タッチスクリーン１４をターンオンすることができる。
【０１７８】
図３Ｂは、第１のパネル２及び第２のパネル４が平行した状態で相対角度θが１８０°又は所定の範囲内で１８０°に近接した状態、すなわち、広げられた状態を示し、ダブルスクリーン（Double Screen）であると呼ぶ。例えば、第１のパネル２と第２のパネル４との間の相対角度が１７５°〜１８５°の範囲にある時に、携帯機器は、第１のパネル２及び第２のパネル４が広げられているものと見なすことができる。ダブルスクリーンモードは、２つのアプリケーションに対する２つのタスクスクリーンを２つのタッチスクリーン１２及び１４にそれぞれ表示するか、または１つのアプリケーションに対する２つのタスクスクリーンを２つのタッチスクリーン１２及び１４にそれぞれ表示するか又は１つのアプリケーションに対する１つのタスクスクリーンを２つのタッチスクリーン１２及び１４にわたって広く表示するなどの様々なビューモード（View Mode）を提供することができる。いずれか１つのタッチスクリーン内で実行されるアプリケーションが存在しない場合に、対応するタッチスクリーンはホームスクリーンを表示することができる。
【０１７９】
図３Ｃは、第１のパネル２に対する第２のパネル４の相対角度θが１８０°を超過する状態、すなわち、２つのタッチスクリーン１２及び１４が内側に若干折り畳まれた状態を示し、インフォールデッドスクリーン（In-Folded Screen）であると呼ぶ。例えば、第１のパネル２と第２のパネル４との間の相対角度が１８０°乃至２１０°の範囲にある場合に、携帯機器は、インフォールデッドスクリーンモードを認識する。インフォールデッドスクリーンモードは、２つのタッチスクリーン１２及び１４が内側に向かうように若干折り畳まれた状態で携帯機器がノートブック又は電子ブックと類似した形態で使用される時に有用である。インフォールデッドスクリーンモードは、ダブルスクリーンモードと類似して使用されることができる。
【０１８０】
図３Ｄは、第１のパネル２に対する第２のパネル４の相対角度θが１８０°未満である状態、すなわち、２つのタッチスクリーン１２及び１４が相互にほぼ反対方向に向かうように外側にほぼ折り畳まれた状態を示し、アウトフォールデッドスクリーン（Out-Folded Screen）であると呼ぶ。例えば、第１のパネル２と第２のパネル４との間の相対角度が３０°乃至９０°の範囲にある場合に、携帯機器は、アウトフォールデッドスクリーンモードを認識する。アウトフォールデッドスクリーンモードは、２つのタッチスクリーン１２及び１４が外側に向かうように折り畳まれた構造であり、携帯機器を三角形状で平面上に立てておくことができるので、充電の時に携帯機器をディジタル時計又はフレームとして使用する場合に、個人放送、映画、及び動映像などを長時間視聴の時に有用に使用することができる。他の実施形態において、アウトフォールデッドスクリーンモードは、２人以上のユーザによる協力又は相互作用を必要とするアプリケーション、例えば、画像会議、コラボレイティブゲーム（Collaborative Game）などに適用されることができる。一部のアプリケーションは、デュアルスクリーンモードで前面タッチスクリーン１２のみにタスクスクリーンを表示し、後面のタッチスクリーン１４をターンオフすることができる。一部のアプリケーションは、オプションメニューを使用して後面タッチスクリーン１４をターンオンすることができる。
【０１８１】
図４は、本発明の他の実施形態による携帯機器を示す斜視図である。携帯機器１００は、フレキシブルな２つのタッチスクリーン１２及び１４で構成されたディスプレイを有する。２つのタッチスクリーン１２及び１４は、フレキシブルな接続部１８により相互に接続され、フレキシブルな接続部２０により自由に曲げられるか又は折り畳まれることができる。
【０１８２】
図５は、本発明の他の１つの実施形態による携帯機器を示す斜視図である。図５Ａ、図５Ｂ、及び図５Ｃは、携帯機器１００のディスプレイ装置が開放された構成、部分的に閉じている構成、完全に閉じている構成である場合をそれぞれ示す。ここでは、携帯機器１００が３重に折り畳まれた（tri-folded）構成を有するものと図示したが、２重に折り畳まれるか、３重以上に折り畳まれるか、又は部分的に折り畳まれる構成を有することができることはもちろんである。図５において、携帯機器１００のディスプレイ装置は、少なくとも１つ以上の折り畳まれた境界線１２ａ及び１２ｂにより区分され、折り畳まれることができる２つ又はそれ以上のタッチスクリーン１２、１４、及び１６で構成されることができる。
【０１８３】
携帯機器がターンオンされ、完全にブーティングされる場合に、携帯機器は、タッチスクリーンを通してホームスクリーンを提供する。また、携帯機器は、駆動中のアプリケーションが存在しない場合又は外部のホームボタンの入力によってもホームスクリーンを提供する。ホームスクリーンは、マニュファクチャラーにより基本的に指定され、ユーザにより編集可能であり、携帯機器が実行可能な様々なアプリケーション、ウィジェット、及び機能に容易に移動することができるように案内する。
【０１８４】
携帯機器は、折り畳まれることができるように構成された少なくとも１つのパネル上に備えられる第１のタッチスクリーン及び第２のタッチスクリーンで構成されたタッチスクリーンディスプレイ装置を通してホームスクリーンとして指定された２枚のページを提供するホームスクリーン機能を含み、ホームスクリーン上でユーザのタッチジェスチャーに応答してページをナビゲートする（navigate）。
【０１８５】
図６（図６Ａ乃至図６Ｇを含む）は、本発明の一実施形態によるホームスクリーンのユーザインターフェースを示す図である。
【０１８６】
図６Ａを参照すると、第１のタッチスクリーン１２は、ホームスクリーンの第１のページ２０２を表示し、第２のタッチスクリーン１４は、ホームスクリーンの第２のページ２０４を表示する。第１のタッチスクリーン１２及び第２のタッチスクリーン１４は、物理的又はグラフィック的に区分されることができる。
【０１８７】
ホームスクリーンの第１のページ２０２は、ホームスクリーンとして指定された少なくとも１つのウィジェット領域（widget Area）２１２及び／又は少なくとも１つのショートカットアイコン（shortcut icon）２１４でなされた第１のグループを含み、第２のページ２０４は、ホームスクリーンとして指定された少なくとも１つのウィジェット領域２１８及び／又は少なくとも１つのショートカットアイコンでなされた第２のグループを含む。第１のページ２０２及び第２のページ２０４は、背景スクリーン（background screen）として指定された共通の背景イメージ又はそれぞれの背景イメージ上にウィジェット領域２１２、２１８及び／又はショートカットアイコン２１４を表示することができる。選択可能な実施形態において、１つの背景イメージが第１のタッチスクリーン１２及び第２のタッチスクリーン１４にわたって表示されることができる。
【０１８８】
各ショートカットアイコンは、アプリケーション又はアプリケーショングループにそれぞれ対応し、対応するアプリケーションは、ユーザのタッチの感知を通して実行されるか又は対応するアプリケーショングループに含まれているショートカットアイコンが表示される。各ウィジェット領域又は各ショートカットアイコンは、携帯機器の製造の時に基本的に提供されるか又はユーザにより構成されることができる。
【０１８９】
追加で、第１のタッチスクリーン１２は、第１のページ２０２とともにホームスクリーンのページを示すカウンター２０２ａと、頻りに使用されるアプリケーション、例えば、通話アプリケーション、連絡先（contacts）アプリケーション、メッセージアプリケーション、及びアプリケーションリスト（Application List）を提供するアプリケーションメニューのショートカットアイコンを含むドック領域（Dock Area）２１６と、セルラー又はＷｉＦｉのような無線通信のための信号強度指示子、ブルートゥース接続モード、受信メッセージ、バッテリー状態指示子、及び現在の時間などを提供する状態バー（status bar）２０６とをさらに表示することができる。また、第２のタッチスクリーン１４は、ページカウンター２０４ａ及び状態バー２０８をさらに表示することができる。第２のタッチスクリーン１４上の状態バーは、第１のタッチスクリーン１２とは異なる情報を提供することができる。状態バー２０６及び２０８は、ホームスクリーン又はアプリケーションとともに表示されるか又は省略されることができ、ページの置き換えと関係なく第１のタッチスクリーン１２及び第２のタッチスクリーン１４内に保持される。下記の説明では、状態バー２０６及び２０８が表示されるか否かに関する説明を省略する。
【０１９０】
ホームスクリーンは、予め定められる最大ページの個数内で１つ以上のウィジェット領域及び／又は１つ以上のアイコンで構成された追加のページをさらに提供することができ、ページは、予め指定されたタッチジェスチャーにより置き換えられる。
【０１９１】
携帯機器は、第１のタッチスクリーン１２及び第２のタッチスクリーン１４のうちの少なくとも１つでホームスクリーンのページ置き換えのために予め指定されたタッチジェスチャー２００ａを感知し、図６Ｂに進む。
【０１９２】
図６Ｂを参照すると、第１のタッチスクリーン１２及び第２のタッチスクリーン１４は、タッチジェスチャー２００ａの感知に応答してホームスクリーンとして指定された次の２枚のページ、すなわち、第３のページ２３２及び第４のページ２３４とページカウンター２３２ａ及び２３４ａとを表示する。第３のページ２３２及び第４のページ２３４は、第１のページ２０２及び第２のページ２０４とは異なるウィジェット領域及び／又はアイコンを含むことができる。第３のページ２３２及び第４のページ２３４は、タッチジェスチャー２００ａに従って第２のタッチスクリーン１４から第１のタッチスクリーン１２にページカウンター２３２ａ、２３４ａとともにスライディングされつつ表示され、第３のページ２３２及びページカウンター２３２ａは、スライディングの間に第１のタッチスクリーン１２及び第２のタッチスクリーン１４の両側にわたって表示されることができる。一実施形態において、頻りに使用されるアプリケーションリストを提供するドック領域２１６は、ページ置き換えに関係なく（すなわち、独立して）、第１のタッチスクリーン１２内の指定された位置に固定的に表示されることができる。
【０１９３】
例えば、タッチジェスチャー２００ａは、第２のタッチスクリーン１４上の１つの位置から第１のタッチスクリーン１２への（又は反対方向への）タッチドラッグを含む。他の例において、タッチジェスチャー２００ａは、第２のタッチスクリーン１４上の１つの位置から第１のタッチスクリーン１２上の任意の位置への（又は反対方向への）タッチドラッグを含む。他の例において、タッチジェスチャー２００ａは、第１のタッチスクリーン１２と第２のタッチスクリーン１４との間のヒンジ又は接続部を通過するタッチドラッグを含む。選択可能な実施形態において、ホームスクリーンのページ置き換えのためのタッチジェスチャー２００ａは、所定の距離以上移動することが好ましい。もう１つの例において、タッチジェスチャー２００ａは、第１のタッチスクリーン１２又は第２のタッチスクリーン１４上で第２のタッチスクリーン１４から第１のタッチスクリーン１２に向かうフリックを含む。
【０１９４】
第３のページ２３２及び第４のページ２３４が第１のタッチスクリーン１２及び第２のタッチスクリーン１４に表示される間に第１のタッチスクリーン１２及び第２のタッチスクリーン１４のうちの１つで予め指定されたタッチジェスチャー２００ｂが感知される場合に、携帯機器は、図６Ｃに進む。
【０１９５】
図６Ｃを参照すると、第１のタッチスクリーン１２及び第２のタッチスクリーン１４は、タッチジェスチャー２００ｂに応答して次の２枚のページ、すなわち第５のページ２４２、第６のページ２４４、及びページカウンター２４２ａ、ページカウンター２４４ａをそれぞれ表示する。図６Ｂと同様に、第５のページ２４２及び第６のページ２４４は、タッチジェスチャー２００ｂに従って第２のタッチスクリーン１４から第１のタッチスクリーン１２にスライディングされつつ表示されることができ、ドック領域２１６は、タッチジェスチャー２００ｂに関係なく第１のタッチスクリーン１２内の指定された位置に固定される。
【０１９６】
図示していないが、第５のページ２４２及び第６のページ２４４が表示される間に第１のタッチスクリーン１２上の１つの位置から第２のタッチスクリーン１４へのタッチドラッグが感知される場合に、携帯機器１００は、前のページ、すなわち、第３のページ２３２及び第４のページ２３４をタッチドラッグに応答して第１及び第２のタッチスクリーン上に表示する。同様に、第３のページ２３２及び第４のページ２３４は、このタッチドラッグに従って第１のタッチスクリーン１２から第２のタッチスクリーン１４にヒンジを通してスライディングされつつ表示されることができる。
【０１９７】
第１のタッチスクリーン１２及び第２のタッチスクリーン１４がヒンジ又は個別の接続部により連続されないように接続される場合に、図６Ｃに示すように、ホームスクリーンの各ページは、ヒンジ又は接続部を通してスライディングされる時に第１のタッチスクリーン１２及び第２のタッチスクリーン１４の両側にわたって表示されることができる。
【０１９８】
携帯機器は、相互に異なって定義される２種類のタッチジェスチャーによりホームスクリーンを１ページ単位又は２ページ単位で置き換えることができる。例えば、図６Ａにおいて、タッチジェスチャー２００ａは、ホームスクリーン上で所定の距離以上移動するタッチドラッグとして定義され、携帯機器は、タッチジェスチャー２００ａの感知に応答して第１のタッチスクリーン１２及び第２のタッチスクリーン１４の第１のページ２０２及び第２のページ２０４を第３のページ２３２及び第４のページ２３４に、すなわち２ページ単位で置き換える。また、短い距離を移動するタッチジェスチャーによりホームスクリーンを１ページ単位で置き換えることができる。すなわち、図６Ａにおいて、第１のタッチスクリーン１２及び第２のタッチスクリーン１４のうちの少なくとも１つでホームスクリーンの短いページの置き換えのために予め指定されたタッチジェスチャー、例えば、第２のタッチスクリーン１４から第１のタッチスクリーン１２へのフリックが感知される場合には、携帯機器は、図６Ｄに進む。
【０１９９】
図６Ｄを参照すると、第１のページ２０２及び第２のページ２０４を表示している第１のタッチスクリーン１２及び第２のタッチスクリーン１４のうちのいずれか１つで感知されたフリックに応答して、携帯機器は、第２のページ２０４を第１のタッチスクリーン１２に表示し、第３のページ２３２を第２のタッチスクリーン１４に表示する。第２のページ２０４及び第３のページ２３２は、フリックに従って第２のタッチスクリーン１４から第１のタッチスクリーン１２にスライディングされつつ表示され、スライディングの間に、第２のページ２０４は、第１のタッチスクリーン１２及び第２のタッチスクリーン１４の両方にわたって表示されることができる。
【０２００】
図６Ｅ乃至図６Ｇは、ホームスクリーン及び他のアプリケーションが第１のタッチスクリーン１２及び第２のタッチスクリーン１４に表示されている間にホームスクリーンのページを置き換えるシナリオを示す図である。
【０２０１】
図６Ｅを参照すると、第１のタッチスクリーン１２は、ホームスクリーンの第１のページ２０２、ページカウンター２０２ａ、及びドック領域２１６を表示し、第２のタッチスクリーン１４は、他のアプリケーション２４０を表示している。図示する例において、アプリケーション２４０は、音楽再生アプリケーションである。第１のタッチスクリーン１２上でホームスクリーンのページ置き換えのために予め指定されたタッチジェスチャー２００ｃが感知される場合に、携帯機器は、図６Ｈに進む。例えば、タッチジェスチャー２００ｃは、第１のタッチスクリーン１２内で発生し、第２のタッチスクリーン１４から第１のタッチスクリーン１２に移動するフリック又はタッチドラッグである。
【０２０２】
図６Ｆを参照すると、携帯機器は、タッチジェスチャー２００ｃの感知に応答して、第１のタッチスクリーン１２の第１のページ２０２及びページカウンター２０２ａをホームスクリーンの第２のページ２０４及び第２のページ２０４のページカウンター２０４ａに置き換えた後に、置き換えられた第２のページ２０４及びページカウンター２０４ａを表示する。ここで、第１のタッチスクリーン１２のドック領域２１６及び第２のタッチスクリーン１４のアプリケーション２４０は、タッチジェスチャー２００ｃにもかかわらず保持される。一実施形態において、第２のページ２０４は、タッチジェスチャー２００ｃの動き方向及び速度に従って第２のタッチスクリーン１４から第１のタッチスクリーン１２にスライディングされつつ表示されることができる。
【０２０３】
第２のページ２０４を表示している第１のタッチスクリーン１２から第２のタッチスクリーン１４へのタッチジェスチャー２００ｅが感知される場合に、携帯機器は、図６Ｅに戻って、前のページである第１のページ２０２を第１のタッチスクリーン１２に表示し、第１のタッチスクリーン１２のドック領域２１６及び第２のタッチスクリーン１４のアプリケーション２４０を保持する。第２のページ２０４を表示している第１のタッチスクリーン１２上で第２のタッチスクリーン１４から第１のタッチスクリーン１２へのタッチジェスチャー２００ｄが感知される場合に、携帯機器は、次のページを表示するために図６Ｇに進む。
【０２０４】
図６Ｇを参照すると、携帯機器は、タッチジェスチャー２００ｄの感知に応答して、第１のタッチスクリーン１２の第２のページ２０４及びページカウンター２０４ａをホームスクリーンの第３のページ２３２及びページカウンター２３２ａに置き換え、置き換えられた第３のページ２３２及びページカウンター２３２ａを表示する。同様に、第１のタッチスクリーン１２のドック領域２１６及び第２のタッチスクリーン１４のアプリケーション２４０は、タッチジェスチャー２００ｄにもかかわらず維持される。第３のページ２３２を表示している第１のタッチスクリーン１２上で第２のタッチスクリーン１４へのタッチジェスチャー２００ｆが感知される場合に、携帯機器は、図６Ｆに戻って第２のページ２０４を表示する。
【０２０５】
図７（図７Ａ乃至図７Ｊを含む）は、第１のタッチスクリーン１２及び第２のタッチスクリーン１４に表示されるホームスクリーンにアプリケーションのアイコンを追加するシナリオを示す図である。
【０２０６】
図７Ａを参照すると、第１のタッチスクリーン１２は、ホームスクリーンの第１のページ２０２を表示し、第２のタッチスクリーン１４は、ホームスクリーンの第２のページ２０４を表示する。図示していないが、ホームスクリーンでない他のアプリケーション又は情報が第２のタッチスクリーン１４に表示されている場合にも、アイコンを追加する次のシナリオが類似して適用されることができる。ホームスクリーンを表示している第１のタッチスクリーン１２及び第２のタッチスクリーン１４のうちのいずれか１つ、図示している例では、第１のタッチスクリーン１２上で予め定められたタッチジェスチャー２１０ａ、例えば、所定の有効時間以上保持されるタッチ、すなわち、ロングタップ（long-tap）が感知される場合には、携帯機器は、図７Ｃに進む。
【０２０７】
選択可能な実施形態において、図７Ｂに示すように、第１のタッチスクリーン１２を有する第１のパネルに配置された物理的なボタンのうちの１つであるメニューボタン２５２を使用してアイコンを追加することができる。携帯機器は、第１のパネルに配置されたメニューボタン２５２の入力２１０ｂ、例えば、タッチ感知型メニューボタン上のタップジェスチャー又はタッチアンドホールドを感知し、第１のタッチスクリーン１２の下端にホームスクリーンのためのメニューウィンドウ２５０を表示する。メニューウィンドウ２５０は、アイコン追加キー、背景スクリーン設定キー、検索キー、お知らせ（Notification）設定キー、アイコン編集キー、及びホームスクリーンの設定（setting）キーのうちの少なくとも１つを含む。メニューウィンドウ２５０内のアイコン追加キー上で予め定められたタッチジェスチャー２１０ｃ、例えば、タップジェスチャーを感知する場合には、携帯機器は、図７Ｃに進む。
【０２０８】
図７Ｃを参照すると、第１のタッチスクリーン１２は、タッチジェスチャー２１０ａ及び２１０ｃの感知に応答して第１のページ２０２上にホームスクリーンのアイテムを追加するためのアイコン追加ポップアップウィンドウ２５２を表示する。ポップアップウィンドウ２５２は、ショートカットアイコンアイテムを少なくとも含み、ショートカットアイコンアイテム上でタップジェスチャー２１０ｄが感知される場合には、携帯機器は、図７Ｄに進む。
【０２０９】
図７Ｄを参照すると、携帯機器は、タップジェスチャー２１０ｄの感知に応答して、アイコン追加ポップアップウィンドウ２５２をショートカットアイコン選択ウィンドウ２５４に置き換え、置き換えられたショートカットアイコン選択ウィンドウ２５４を表示する。他の実施形態において、アイコン追加ポップアップウィンドウ２５２上にショートカットアイコン選択ウィンドウ２５４がオーバーライトされるように表示されることができる。ショートカットアイコン選択ウィンドウ２５４は、アプリケーションメニューアイテムを少なくとも含み、アプリケーションメニューアイテム上でタップジェスチャー２１０ｅが感知される場合には、携帯機器は、図７Ｅに進む。
【０２１０】
図７Ｅを参照すると、携帯機器は、タップジェスチャー２１０ｅの感知に応答して、既存の情報、すなわち、ホームスクリーンの第１のページ２０２を第１のタッチスクリーン１２に表示し、アプリケーションメニューの第１のページ２６０を第２のタッチスクリーン１４に表示する。アプリケーションメニューは、携帯機器に記憶され、実行可能なアプリケーションメニューを提供するように構成されたものであり、第１のページ２６０は、アプリケーションメニューに登録されたアプリケーションのショートカットアイコンのうちの少なくとも一部を含む。アプリケーションメニューが複数のページで構成される場合に、第２のタッチスクリーン１４は、第１のページ２６０とともにページカウンター２６０ａを表示することができる。
【０２１１】
第２のタッチスクリーン１４に表示されているアプリケーションメニューの第１のページ２６０に含まれたアイコンのうちの１つである２６０ｂ、図示している例において、“ＩＣＯＮ７”から開始して第１のタッチスクリーン１２で解除されるタッチジェスチャー２１０ｄ、例えば、タッチドラッグアンドドロップが感知される場合には、携帯機器は、図７Ｆに進む。
【０２１２】
図７Ｆを参照すると、携帯機器は、タッチジェスチャー２１０ｄの感知に応答して、タッチジェスチャー２１０ｄにより選択されたアイコン２６０ｂのコピーであるアイコン２６０ｃを第１のタッチスクリーン１２に表示する。例えば、アイコン２６０ｃは、タッチジェスチャー２１０ｄが解除された位置に配置されることができる。
【０２１３】
アプリケーションメニューの第１のページ２６０を第２のタッチスクリーン１４に表示する間に、ページ置き換えのために予め定められたタッチジェスチャー２１０ｅ、例えば、第２のタッチスクリーン１４上の任意の位置から開始して第１のタッチスクリーン１２に向かうフリックを感知する場合に、携帯機器は、図７Ｇに進む。タッチジェスチャー２１０ｅは、第２のタッチスクリーン１４内で開始し解除される。
【０２１４】
図７Ｇを参照すると、携帯機器は、タッチジェスチャー２１０ｅの感知に応答して、アプリケーションメニューの第２のページ２６２を第２のタッチスクリーン１４に表示する。第１のページ２６０は、第２のページ２６２と置き換えられ、第２のページ２６２は、第１のタッチスクリーン１２の方向にスライディングされつつ表示されることができる。アプリケーションメニューが複数のページで構成される場合に、第２のタッチスクリーン１４は、第２のページ２６２とともにページカウンター２６２ａを表示することができる。
【０２１５】
第２のタッチスクリーン１４に表示されているアプリケーションメニューの第２のページ２６２に含まれたアイコンのうちの１つである２６２ｂ、図示している例において“ＩＣＯＮ２３”で開始して第１のタッチスクリーン１２で解除されるタッチジェスチャー２１０ｆ、例えば、タッチドラッグアンドドロップが感知される場合には、携帯機器は、図７Ｈに進む。
【０２１６】
図７Ｈを参照すると、携帯機器は、タッチジェスチャー２１０ｆの感知に応答して、タッチジェスチャー２１０ｆにより選択されたアイコン２６２ｂのコピーであるアイコン２６２ｃを第１のタッチスクリーン１２に表示する。例えば、アイコン２６２ｃは、タッチジェスチャー２１０ｆが解除された位置に配置されることができる。
【０２１７】
図７Ｆ及び図７Ｈに示すように、ホームスクリーンを第１のタッチスクリーン１２に表示し、アプリケーションリストを第２のタッチスクリーン１４に表示する間に、第１のパネルに配置された物理的なボタンのうちの１つであるバックボタン又はホームボタンが入力される場合に、図７Ｉに示すように、携帯機器は、第１のタッチスクリーン１２に表示されているアイコンをホームスクリーンとして記憶し、第２のタッチスクリーン１４からアプリケーションリストを除去する代わりにホームスクリーンの次のページ２０４を表示する。
【０２１８】
他の実施形態において、ホームスクリーンを第１のタッチスクリーン１２に表示し、ホームスクリーンの編集のためのアプリケーションメニューを第２のタッチスクリーン１４に表示する間に、第１のパネルに配置された物理的なボタンのうちの１つであるメニューボタンが入力される場合に、携帯機器は、ホームスクリーンの編集を完了するためのメニューウィンドウ２５６を表示する。メニューウィンドウ２５６は、記憶キー及び無視キーのうちの少なくとも１つを含む。メニューウィンドウ２５６内の記憶キー上でタップジェスチャー２１０ｈが感知される場合に、図７Ｊに示すように、携帯機器は、アプリケーションリスト２６０及び２６２からコピーされたアイコン２６０ｃ及び２６２ｃを含む、第１のタッチスクリーン１２に表示されているアイコンをホームスクリーンとして記憶し、第２のタッチスクリーン１４からアプリケーションメニューを除去する代わりに、前の情報、すなわち、ホームスクリーンの第２のページ２０４を表示する。
【０２１９】
図示していないが、メニューウィンドウ２５６内の無視キー上でタップジェスチャーが感知される場合に、携帯機器は、追加されたアイコン２６０ｃ及び２６２ｃを第１のタッチスクリーン１２から除去し、図７Ａに戻る。
【０２２０】
上述したデュアルホームスクリーン機能は、携帯機器の基本アプリケーションであるアプリケーションメニューにも類似して適用されることができる。アプリケーションメニューは、ホームスクリーン上に表示されるアイコン又はメニューにより、あるいは外部のボタンによりローディングされることができ、ホームスクリーンに比べてさらに多くのアプリケーションリスト、すなわち、アイコンを提供する。アプリケーションメニューは、アプリケーションメニューとして指定された複数のアイコングループを含む複数のページを提供する。
【０２２１】
携帯機器は、折り畳み可能な少なくとも１つのパネル上に配置される第１のタッチスクリーン及び第２のタッチスクリーンを含むディスプレイ装置を通してアプリケーションメニューとして指定された２枚のページを提供し、ユーザのタッチジェスチャーに応答して２ページの単位で移動しナビゲートする。
【０２２２】
図８Ａ及び図８Ｂは、本発明の一実施形態によるアプリケーションメニューのユーザインターフェースを示す図である。
【０２２３】
図８Ａを参照すると、ホームスクリーンで提供されるアプリケーションリストのアイコンからタップジェスチャーが感知されるか又は物理的に構成されたホームボタンが入力される場合に、アプリケーションメニューが実行されることにより第１のタッチスクリーン１２及び第２のタッチスクリーン１４上にアプリケーションメニューとして指定された第１のページ２７２及び第２のページ２７４が表示される。各ページ２７２及び２７４は、アプリケーション又はアプリケーショングループにそれぞれ対応する１つ又はそれ以上のアイコンを含む。アプリケーションメニューが複数のページを含む場合に、第１のタッチスクリーン１２及び第２のタッチスクリーン１４は、第１のページ２７２及び第２のページ２７４とともにページカウンター２７２ａ及び２７４ａをさらに表示することができる。
【０２２４】
第２のタッチスクリーン１４上の１つの位置で第１のタッチスクリーン１２に向かう予め指定されたタッチジェスチャー２８０ａ、例えば、フリック又はタッチドラッグが感知される場合に、図８Ｂに示すように、携帯機器は、タッチジェスチャー２８０ａに応答して、後のアプリケーションメニューのページ、すなわち、第３のアイコングループを含む第３のページ２７６及び第４のアイコングループを含む第４のページ２７８を第１のタッチスクリーン１２及び第２のタッチスクリーン１４に表示する。ここで、第３のページ２７６及び第４のページ２７８は、タッチジェスチャー２８０ａの動き方向及び速度に従って第２のタッチスクリーン１４から第１のタッチスクリーン１２にスライディングされつつ表示されることができる。同様に、第１のタッチスクリーン１２及び第２のタッチスクリーン１４は、第３のページ２７６及び第４のページ２７８とともにページカウンター２７６ａ及び２７８ａをさらに表示することができる。
【０２２５】
図示していないが、第１のタッチスクリーン１２又は第２のタッチスクリーン１４上で第１のタッチスクリーン１２から第２のタッチスクリーン１４へのタッチジェスチャーが感知される場合に、携帯機器は、タッチジェスチャーに応答して、アプリケーションメニューの前のページ、すなわち、第１のアイコングループを含む第１のページ２７２及び第２のアイコングループを含む第２のページ２７４を第１のタッチスクリーン１２及び第２のタッチスクリーン１４に表示する。同様に、第１のページ２７２及び第２のページ２７４は、タッチジェスチャーに従って第１のタッチスクリーン１２から第２のタッチスクリーン１４にスライディングされつつ表示されることができる。
【０２２６】
第１のタッチスクリーン１２及び第２のタッチスクリーン１４がヒンジ又は個別の接続部により、連続されないように接続される場合に、各ページは、ヒンジ又は接続部を通してスライディングされる際に第１のタッチスクリーン１２及び第２のタッチスクリーン１４の両方にわたって表示されることができる。選択可能な実施形態において、各ページ内の各アイコンは、第１のタッチスクリーン１２及び第２のタッチスクリーン１４の両方にわたって表示されず、ヒンジ又は接続部を迅速に通過して表示されることができる。
【０２２７】
ホームスクリーン又はアプリケーションメニューのアイコン又はフォトギャラリーアプリケーションのサムネイルイメージのような複数のアイテムがリスト又は格子形態で２つのタッチスクリーンにわたって表示されている場合に、アイテムは、タッチジェスチャーによりともにスクロール（又は平行移動（translate））されることができる。タッチジェスチャーは、フリック、スイープ、又はタッチドラッグであり得る。
【０２２８】
一実施形態において、タッチジェスチャーは、第１のタッチスクリーン１２内の１つの位置から開始し、第１のタッチスクリーン１２内の他の位置（第２のタッチスクリーン１４からより遠い）で解除されることができる。他の実施形態において、タッチジェスチャーは、第２のタッチスクリーン１４内の１つの位置から開始し、第２のタッチスクリーン１４内の他の位置（第１のタッチスクリーン１２により近い）で解除されるか又は第１のタッチスクリーン１２内の１つの位置で解除されることができる。
【０２２９】
タッチジェスチャーが第１のタッチスクリーン１２及び第２のタッチスクリーン１４のうちのいずれか１つのタッチスクリーン内で開始され解除される場合に、携帯機器は、第１のタッチスクリーン１２及び第２のタッチスクリーン１４に表示されているアイテムの２枚のページをタッチジェスチャーの動き方向に従って次のページ又は前の２枚のページに置き換えて表示する。他の実施形態において、第１のタッチスクリーン１２及び第２のタッチスクリーン１４に表示されているアイテムは、タッチジェスチャーの動き方向、動き距離、及び速度に従ってスクロールされることができる。例えば、携帯機器は、タッチジェスチャーが動いた距離又は速度だけのアイテムをスクロールする。
【０２３０】
他の実施形態において、タッチジェスチャーが第１のタッチスクリーン１２及び第２のタッチスクリーン１４のうちのいずれか１つ上で発生し、ヒンジ（又は接続部）を通して移動するフリックである場合に、携帯機器は、第１のタッチスクリーン１２及び第２のタッチスクリーン１４に表示されている２枚のページをタッチジェスチャーの動き方向に従って最初の又は最後の２枚のページまでスクロールする。もう１つの実施形態において、タッチジェスチャーが第１のタッチスクリーン１２及び第２のタッチスクリーン１４のうちのいずれか１つで発生し、ヒンジ（又は接続部）を通して移動するスイープである場合に、携帯機器は、第１のタッチスクリーン１２及び第２のタッチスクリーン１４に表示されている２枚のページをタッチジェスチャーの速度だけスクロールし表示する。
【０２３１】
アイテムがスクロールされる時に、各アイテムは、２つのタッチスクリーンにわたって表示されない。すなわち、各アイテムは、ヒンジ（又は接続部）に到達する時にヒンジを飛ばした後に次のタッチスクリーンに表示される。
【０２３２】
携帯機器のタッチスクリーンは、１つ又はそれ以上の加速度計（accelerometers）から受信される感知信号に基づいて、縦モード（portrait view mode）又は横モード（landscape view mode）に置き換えた後に、置き換えられたモードに従って情報を表示することができる。すなわち、加速度計は、センサーモジュール１７０に含まれることができ、携帯機器の回転を感知する。加速度計は、携帯機器のタッチスクリーンが左側及び右側に配置される縦モードとタッチスクリーンが上側及び下側に配置される横モードとの間の置き換えを感知し、この感知された信号を発生する。
【０２３３】
携帯機器が格子形態のアイテムを表示する間に、実質的に９０°だけ（右方又は左方に）回転することにより縦モードから横モードに転換された時に、格子内のアイテムは、水平方向（horizontal direction）に回転されスクロールされることができる。アイテムが水平配置（horizontal layout）された場合に、格子上のアイテムは、マニュファクチャラー又はユーザの選択に従って垂直方向にスクロールされるか又は上部スクリーン及び下部スクリーンのすべてで同時に水平方向にスクロールされることができる。同様に、各格子の移動は、タッチジェスチャーの動き方向及び速度に従う。
【０２３４】
選択可能な他の実施形態において、携帯機器が縦モードでいずれか１つのタッチスクリーンにリストを表示しており、他のタッチスクリーンにリストを表示していない場合には、携帯機器が９０°回転すると、マニュファクチャラー又はユーザの設定に従ってリストが２つのタッチスクリーンにわたって表示されるか又は他のタッチスクリーンの情報が２つのタッチスクリーンに拡張されて表示される。
【０２３５】
ホームスクリーン又はアプリケーションメニューを表示する間に、携帯機器が右方又は左方に９０°回転することにより縦モードから横モードに転換する場合に、携帯機器は、検索ウィンドウ又は予め指定されたアプリケーション（例えば、インターネットサーチ（Internet Browsing）アプリケーションの検索ウィンドウ）をタッチスクリーンのうちの少なくとも１つに表示するように動作することができる。
【０２３６】
図８Ｃは、本発明の一実施形態によるホームスクリーンの横モードの使用のためのユーザインターフェースの一例を示す図である。図８Ｃは、携帯機器が左側に９０°回転した場合のタッチスクリーン配置を図示したが、携帯機器が右側に９０°回転した場合にも同様の説明が適用されることはもちろんである。横モードでは、上部に位置するタッチスクリーンが第１のタッチスクリーン１２であることを説明する。
【０２３７】
図８Ｃを参照すると、図６Ａ又は図８Ａに示すように、第１のタッチスクリーン１２及び第２のタッチスクリーン１４を通してホームスクリーン又はアプリケーションメニューのページを提供している間に、携帯機器が縦モードから横モードに転換、すなわち、携帯機器が約９０°だけ回転する場合に、第１のタッチスクリーン１２は、インターネットブラウジングアプリケーションにリンクと連動される検索ウィンドウ２８２又は予め指定されたアプリケーションを表示する。一実施形態において、検索ウィンドウ２８２は、前に表示されていたホームスクリーン又はアプリケーションメニューの横モードに転換されたページとともに又はその上に表示されることができる。他の実施形態において、検索ウィンドウ２８２は、第２のタッチスクリーン１４の上部に表示されることができる。選択可能な実施形態において、ドック領域２１６は、横モードで第１のタッチスクリーン１２及び第２のタッチスクリーン１４のうちのいずれか１つの定められた位置、例えば、第１のタッチスクリーン１２の右端に表示され、ドック領域内のショートカットアイコンは、垂直に配列されることができる。
【０２３８】
選択可能な実施形態において、横モードに転換する時に、第２のタッチスクリーン１４は、ホームスクリーンのページを予め指定された少なくとも１つのアプリケーション、図示している例において、実行中（running）である少なくとも１つのアプリケーション２８６を含むタスクマネージャ（Task Manger）スクリーンに置き換えて表示する。この時に、第２のタッチスクリーン１４のタスクマネージャスクリーンには、それぞれの実行アプリケーション２８６に関する簡単な情報又は最近に実行された情報を含むプレビューウィンドウが非活性状態で、例えば、陰影されて表示されるか、又はそれぞれの実行アプリケーション２８６のショートカットアイコンが格子又はリスト形態で表示されることができる。また、それぞれの実行アプリケーション２８６のプレビューウィンドウは、相互に一部重なるように表示されるか又は重ならないように格子（Grid）形態で表示されることができる。プレビューウィンドウは、アプリケーションが実際に実行され、タッチ入力のようなユーザインターフェースを提供するタスクスクリーンに比べてタッチ入力を許容しない非活性状態の領域を意味する。
【０２３９】
他の実施形態において、横モードに転換する時に、第２のタッチスクリーン１４は、前に表示されていたホームスクリーン又はアプリケーションメニューの横モードに転換されたページ及び検索ウィンドウ２８２を表示するか、又は予め指定されたアプリケーション及び検索ウィンドウ２８２を表示する。この予め指定されたアプリケーションは、マニュファクチャラー又はユーザにより指定されることができ、例えば、即時検索（Quick Search）アプリケーション、インターネットブラウジングアプリケーション、携帯機器で提供する横モードの推薦アプリケーションリスト、及びユーザにより指定された他のアプリケーションであり得る。
【０２４０】
選択可能な実施形態において、それぞれの実行アプリケーションのプレビューウィンドウ（又はショートカットアイコン）のうちの１つでユーザのタッチジェスチャー（例えば、タップジェスチャー）が感知されると、第２のタッチスクリーン１４は、対応するアプリケーションの実行によるタスクスクリーン（活性化されたユーザインターフェースを提供する）を表示することができる。
【０２４１】
第１のタッチスクリーン１２が上部に位置し、第２のタッチスクリーン１４が下部に位置する横モードにおいて、第１のタッチスクリーン１２に表示される検索ウィンドウ２８２に含まれる入力領域２８２ａでユーザのタッチジェスチャー（例えば、タップジェスチャー）が感知されると、予め定められた領域、例えば、第１のタッチスクリーン１２の下部、第２のタッチスクリーン１４の下部、又は第２のタッチスクリーン１４の全体に、テキスト入力のための仮想キーパッド、すなわちキーパッド領域が表示される（図示せず）。キーパッド領域を通した検索を希望するキーワードがユーザにより入力された後に、検索ウィンドウ２８２内又は検索ウィンドウ２８２のそばに表示された検索実行キー２８２ｂ上でユーザのタッチジェスチャー（例えば、タップジェスチャー）が感知されると、検索ウィンドウ２８２と連動する検索アプリケーションにより提供されるキーワードに対応する検索結果が第１のタッチスクリーン１２に表示されるか、第２のタッチスクリーン１４に表示されるか、又は第１のタッチスクリーン１２及び第２のタッチスクリーン１４を含む全領域に表示される。
【０２４２】
携帯機器は、折り畳み可能な少なくとも１つのパネル上に配置される第１のタッチスクリーン及び第２のタッチスクリーンを含むディスプレイ装置を含み、２つのタッチスクリーンを用いて下記のような様々なビューモード（View Mode）をサポートする。
【０２４３】
マルチモード（Multi-Mode）又はマルチタスキングモード（Multi-Tasking Mode）は、異なるアプリケーションを２つのタッチスクリーンにそれぞれ表示するモードを意味し、それぞれのアプリケーションは、対応するタッチスクリーン上で感知されるタッチジェスチャーに応答することができる。例えば、第１のタッチスクリーンは、フォトギャラリーアプリケーションを表示し、第２のタッチスクリーンは、インターネットブラウジングアプリケーションを表示する。携帯機器は、予め指定されたタッチジェスチャーにより２つのタッチスクリーン上の情報を交換（swap）することができる。例えば、タッチジェスチャーは、２つのタッチスクリーンでそれぞれ発生し、ヒンジ（又は接続部）に移動する２つのタッチを含む。携帯機器は、２つのタッチの感知に応答して、第１のタッチスクリーンのフォトギャラリーアプリケーションをインターネットブラウジングアプリケーションに置き換え、第２のタッチスクリーンのインターネットブラウジングアプリケーションをフォトギャラリーアプリケーションに置き換えることができる。
【０２４４】
メインサブモード（Main-Sub Mode）又はスプリットモード（Split Mode）は、１つのアプリケーションに対する２つのタスクスクリーンを２つのタッチスクリーンにそれぞれ表示する。２つのタスクスクリーンは、アプリケーションに対する異なる深さ（又はレベル）のタスクスクリーンをそれぞれ提供するか又は異なる機能のタスクスクリーンを提供する。すなわち、一部のアプリケーションは、複数のタスクスクリーンを提供するように構成され、タスクスクリーンは、異なる深さを有し得る。
【０２４５】
例えば、フォトギャラリーアプリケーションは、複数のサムネイルイメージを含む探索スクリーンと、このサムネイルイメージのうちで選択された１つのサムネイルイメージに対するピクチャーイメージをより大きいサイズ、すなわち、全サイズ（full size）で表示するフルイメージスクリーンを異なるタッチスクリーンを通して提供することができる。この場合に、フルイメージスクリーンは、最終深さ（Final depth）を有するように指定されることができる。他の例において、音楽再生アプリケーションは、複数の音楽をリストした音楽リスト（Play List）スクリーン及びこの音楽のうちの１つを再生する音楽再生スクリーンを異なるタッチスクリーンを通して提供し、この場合に、音楽再生スクリーンは、最終深さを有するように指定されることができる。
【０２４６】
フルモード（Full Mode）又は拡張モード（Expand mode）は、１つのアプリケーションに対する１つのタスクスクリーンをヒンジ（又は接続部）に関係なく２つのタッチスクリーンに拡張して表示する。例えば、第１のタッチスクリーンは、フォトギャラリーアプリケーションを通して提供されるサムネイルイメージの第１のページを表示し、第２のタッチスクリーンは、サムネイルイメージの第２のページを表示する。他の例において、１つのピクチャーイメージが第１のタッチスクリーン及び第２のタッチスクリーンの全体に満たされるように表示される。ここで、“満たされるように表示される”ということは、ピクチャーイメージが第１及び第２のタッチスクリーンの横幅及び／又は縦高さを満たすように表示されることを意味する。もう１つの例において、第１のタッチスクリーンは、マップアプリケーションの第１のスケールのマップ領域を表示し、第２のタッチスクリーンは、より詳細なスケールのマップ領域を表示する。
【０２４７】
ビューモード間の変更は、実行アプリケーションに従って第１及び／又は第２のタッチスクリーン上のタッチジェスチャーの感知、携帯機器の動きジェスチャーなどに従ってなされることができる。動きジェスチャーは、例えば、携帯機器の回転のような物理的な動きと、第１及び／又は第２のタッチスクリーンの折り曲げ／折り畳みとを含む。ここで、タッチスクリーンの折り曲げ／折り畳みは、所定の相対角度内の折り曲げ／折り畳みを意味し得る。選択可能な実施形態において、ビューモード間の変更は、携帯機器の設定メニュー、メインタッチスクリーン又は２つのタッチスクリーンの上部状態バーを拡張することによりローディングされ、携帯機器の状態及びモード変更に対する迅速な制御を可能にするクイックパネル内に配置されたビューモード変更ボタンを使用してなされることができる。
【０２４８】
図９（図９Ａ乃至図９Ｊを含む）は、本発明の一実施形態によるタッチジェスチャーに従うビューモードの変更を示す図である。
【０２４９】
図９Ａに示すように、第１のタッチスクリーン１２は、第１のアプリケーション３０２を表示し、第２のタッチスクリーン１４は、第２のアプリケーション３０４を表示する。例えば、第１のタッチスクリーン１２は、フォトギャラリーアプリケーションを表示し、第２のタッチスクリーン１４は、インターネットブラウジングアプリケーションを表示する。
【０２５０】
携帯機器１００は、図９Ｂに示すように、第１のタッチスクリーン１２及び／又は第２のタッチスクリーン１４上で予め定められたタッチジェスチャー３０６を感知すると、第１のタッチスクリーン１２の第１のアプリケーション３０２を第１のタッチスクリーン１２及び第２のタッチスクリーン１４にわたって表示する。この時に、例えば、第１のアプリケーション３０２は、フルモードで２つのタッチスクリーン１２及び１４に表示されるか又はメインサブモードで２つのタスクスクリーンに分離されることにより２つのタッチスクリーン１２及び１４に表示されることができる。
【０２５１】
例えば、タッチジェスチャー３０６は、第１のタッチスクリーン１２から第２のタッチスクリーン１４に移動する、実質的に同時に発生する２つ又はそれ以上のフリックを含む。他の例において、タッチジェスチャー３０６は、第１のタッチスクリーン１２から第２のタッチスクリーン１４に移動する、実質的に同時に発生する２つ又はそれ以上のタッチドラッグを含む。具体的に、携帯機器１００は、第１のタッチスクリーン１２上で開始する複数のタッチを検出し、この検出されたタッチが第１のタッチスクリーン１２から第２のタッチスクリーン１４に同時に連続して動くことを検出する場合に、第１のアプリケーション３０２を第１のタッチスクリーン１２及び第２のタッチスクリーン１４に表示する。一実施形態において、フリック又はタッチドラッグは、第１のタッチスクリーン１２と第２のタッチスクリーン１４との間のヒンジ又は接続部を通して移動することができる。
【０２５２】
ここでは、フリック又はタッチドラッグが並べて発生するものと図示したが、フリック又はタッチドラッグが不規則に発生することがあることはもちろんである。選択可能な実施形態において、フリック又はタッチドラッグ間の間隔が予め定められる値、例えば、２ｃｍ以下である時に、携帯機器は、ビューモードの変更のためのタッチジェスチャーを認識することができる。他の選択可能な実施形態において、タッチが最初に検出される第１のタッチスクリーン１２の位置は、水平又は垂直に並んで配列されることができる。
【０２５３】
もう１つの実施形態において、タッチジェスチャー３０６は、選択された領域を拡大するピンチジェスチャー、すなわちピンチズームインジェスチャーを含む。一実施形態において、ピンチズームインジェスチャーの２つのタッチは、第１のタッチスクリーン１２で開始し、第１のタッチは、第１のタッチスクリーン１２内で解除され、第２のタッチは、第２のタッチスクリーン１４内で解除される。
【０２５４】
この時に、第１のアプリケーション３０２のタスクスクリーンは、タッチジェスチャー３０６の動き（及び速度）に従って第１のタッチスクリーン１２から第２のタッチスクリーン１４にスライディングされつつ表示されることができる。第１のタッチスクリーン１２及び第２のタッチスクリーン１４がヒンジ又は個別の接続部により連続されないように接続される場合に、第１のアプリケーション３０２のタスクスクリーンは、ヒンジ又は接続部を通してスライディングされる時に第１のタッチスクリーン１２及び第２のタッチスクリーン１４の両側にわたって表示されることができる。
【０２５５】
図示していないが、タッチジェスチャー３０６により第１のタッチスクリーン１２及び第２のタッチスクリーン１４にわたって拡張された第１のアプリケーション３０２は、予め指定された他のタッチジェスチャーにより第１のタッチスクリーン１２内に縮小されることができる。例えば、第１のタッチスクリーン１２及び第２のタッチスクリーン１４のそれぞれから開始し、いずれか１つのタッチスクリーン、例えば、第２のタッチスクリーン１４で解除される２つのタッチを含むピンチズームアウトジェスチャーが感知されると、携帯機器は、第１のアプリケーション３０２を縮小し、第２のタッチスクリーン１４で第１のアプリケーション３０２を表示する。この時に、第１のタッチスクリーン１２は、第２のアプリケーション３０４を表示するか又はホームスクリーンを表示することができる。
【０２５６】
［２−２．フルモードからメインサブモードに］
【０２５７】
第１のアプリケーション３０２がフォトギャラリーアプリケーションである場合に、フォトギャラリーアプリケーション３０２は、図９Ａに示すように、複数のサムネイルイメージの第１のページを第１のタッチスクリーン１２に表示する。図９Ｂのタッチジェスチャー３０６の感知に応答して、図９Ｃに示すように、携帯機器は、複数のサムネイルイメージの第１のページ３０２ｂ及び第２のページ３０２ａを第１のタッチスクリーン１２及び第２のタッチスクリーン１４にそれぞれ表示する。この時に、タッチジェスチャー３０６の動きに従って第１のタッチスクリーン１２に表示されているサムネイルイメージの第１のページ３０２ｂは、第２のタッチスクリーン１４にスライディングされ、サムネイルイメージの第２のページ３０２ａは、第１のページ３０２ｂに後続して第１のタッチスクリーン１２にスライディングされる。
【０２５８】
サムネイルイメージのような複数のアイテムが格子形態で第１のタッチスクリーン１２及び第２のタッチスクリーン１４に表示されている時に、図８Ａ及び図８Ｂに示すように、アイテムは、タッチジェスチャーの動き及び速度に従ってスクロール（すなわち、平行移動（translate））されることができる。すなわち、第１のタッチスクリーン１２及び第２のタッチスクリーン１４のうちのいずれか１つでフリック又はスイープのようなタッチジェスチャーが発生する際に、サムネイルイメージは、タッチジェスチャーの動き方向及び速度に従ってスクロールされる。この時に、サムネイルイメージは、第１のタッチスクリーン１２と第２のタッチスクリーン１４との間のヒンジ（又は接続部）を通してスクロールされることができる。
【０２５９】
図９Ｄを参照すると、携帯機器１００は、第１のタッチスクリーン１２のサムネイルイメージ３０２ａのうちの１つである第１のサムネイルイメージ３０６、すなわち“ｔｈｕｍｂｎａｉｌ２１”上でユーザのタッチジェスチャー３１０（例えば、タップジェスチャー）を感知する。図９Ｅに示すように、第２のタッチスクリーン１４は、タッチジェスチャー３１０の感知に応答して、サムネイルイメージの第１のページ３０２ｂを第１のサムネイルイメージ３０６に対するピクチャーイメージ３０６ａに置き換えて表示する。ピクチャーイメージ３０６ａは、第１のサムネイルイメージ３０６より大きいサイズを有し、第２のタッチスクリーン１４の横幅及び縦高さのうちのいずれか１つを満たすように表示されることができる。図９Ｆに示すように、第１のタッチスクリーン１２のサムネイルイメージ３０２ａのうち、第２のサムネイルイメージ３０８でユーザのタッチジェスチャー３１２（例えば、タップジェスチャー）が感知されると、第１のサムネイルイメージ３０６のピクチャーイメージ３０６ａは、タッチジェスチャー３１２の感知に応答して、第２のサムネイルイメージ３０８のピクチャーイメージ３０８ａに置き換えられ、置き換えられたピクチャーイメージ３０８ａは、第２のタッチスクリーン１４に表示される。
【０２６０】
図９Ｇを参照すると、第１のタッチスクリーン１２は、フォトギャラリーアプリケーションを通して提供される複数のサムネイルイメージ３０２ａを表示し、第２のタッチスクリーン１４は、複数のサムネイルイメージ３０２ａのうちで選択された第１のサムネイルイメージに対する第１のピクチャーイメージ３０８ａを表示している状態で、携帯機器１００は、第２のタッチスクリーン１４に表示された第１のピクチャーイメージ３０８ａで予め定められたタッチジェスチャー３２０を感知する。図９Ｈに示すように、携帯機器１００は、第１のピクチャーイメージ３０８ａを拡張し、拡張された第１のピクチャーイメージ３０８ａを第１のタッチスクリーン１２及び第２のタッチスクリーン１４に完全に満たすように表示する。第１のピクチャーイメージ３０８ｂは、第１のタッチスクリーン１２のサムネイルイメージ３０２ａを覆いつつ第１のタッチスクリーン１２まで拡張される。拡張が完了すると、第１のピクチャーイメージ３０８ｂの一部（例えば、左半分）は、第１のタッチスクリーン１２に表示され、第１のピクチャーイメージ３０８ｂの残り（例えば、右半分）は、第２のタッチスクリーン１４に表示される。選択可能な実施形態において、第１のピクチャーイメージ３０８ｂが縦モードで生成されたイメージ（垂直に長いイメージ）である場合に、第１のピクチャーイメージ３０８ｂは、第１のタッチスクリーン１２及び第２のタッチスクリーン１４のうちのいずれか１つに表示されることができる。
【０２６１】
一実施形態において、タッチジェスチャー３２０は、選択された領域を拡大するピンチジェスチャー、すなわち、ピンチズームイン（pinch zoom in）を含む。ピンチズームインジェスチャーの第１及び第２のタッチは、すべて第２のタッチスクリーン１４で発生し、第１のタッチは、第２のタッチスクリーン１４内で解除され、第２のタッチは、第１のタッチスクリーン１２内で解除される。他の実施形態において、タッチジェスチャー３２０は、第２のタッチスクリーン１４で同時に発生し、ほぼ反対の方向に相互に離れる２つのタッチドラッグを含む。１つの例において、タッチドラッグのうちの少なくとも１つは、第２のタッチスクリーン１４の１つの位置で開始し、第２のタッチスクリーン１４の他の位置で終了することができる。他の例において、タッチドラッグのうちの少なくとも１つは、第２のタッチスクリーン１４の１つの位置で開始し、第１のタッチスクリーン１２の１つの位置で終了することができる。
【０２６２】
携帯機器１００は、第２のタッチスクリーン１４から２つのタッチを実質的に同時に又は順次に検出し、この検出されたタッチが相互に反対の方向に又はほぼ反対の方向に連続してより離れることを実質的に同時に検出する場合に、第１のピクチャーイメージ３０８ａを拡張し、この拡張された第１のピクチャーイメージ３０８ａを第１のタッチスクリーン１２及び第２のタッチスクリーン１４に完全に満たすように表示する。
【０２６３】
図示していないが、第１のタッチスクリーン１２及び第２のタッチスクリーン１４に第１のピクチャーイメージ３０８ａが表示される間に、第１のタッチスクリーン１２及び第２のタッチスクリーン１４のそれぞれで開始し、いずれか１つのタッチスクリーン、例えば、第１のタッチスクリーン１２で解除される２つのタッチを含むピンチズームアウトジェスチャーが感知されると、携帯機器は、第１のピクチャーイメージ３０８ａを縮小し、縮小された第１のタッチスクリーン１２に完全に満たすように表示する。
【０２６４】
図９Ｉに示すように、携帯機器１００は、第１のタッチスクリーン１２及び第２のタッチスクリーン１４のすべてで表示された第１のピクチャーイメージ３０８ｃから所定の方向へのタッチジェスチャー３２２、例えば、第２のタッチスクリーン１４から第１のタッチスクリーン１２への（又は反対の方向への）フリック又はタッチドラッグを感知する。図９Ｊに示すように、携帯機器１００は、タッチジェスチャー３２２に応答して第１のタッチスクリーン１２及び第２のタッチスクリーン１４に表示された第１のピクチャーイメージ３０８ｃを第１のピクチャーイメージ３０８ｃに連続する第２のピクチャーイメージ３２４に置き換え、置き換えられた第２のピクチャーイメージ３２４を表示する。この時に、第１のピクチャーイメージ３０８ｃは、タッチドラッグ３２２の動き方向及び速度に従って第２のタッチスクリーン１４から第１のタッチスクリーン１２に（又は反対の方向に）スライディングされつつ除去されることができる。第２のピクチャーイメージ３２４は、第１のピクチャーイメージ３０８ｃに後続し、第１のタッチスクリーン１２及び第２のタッチスクリーン１４内にスライディングされる。
【０２６５】
選択可能な実施形態において、タッチドラッグ３２２は、いずれか１つのタッチスクリーン上でなされることができる。他の選択可能な実施形態において、タッチドラッグ３２２は、２つのタッチスクリーン１２及び１４にわたって、すなわち、ヒンジを通してなされることができる。
【０２６６】
携帯機器は、折り畳み可能な少なくとも１つのパネル上に配置される第１のタッチスクリーン及び第２のタッチスクリーンを含むディスプレイ装置を通して折り畳み可能な財布又はコンパクトパウダーのような親しく新たなホームユーザインターフェースを提供することができる。ここでは、ポケットモードホームスクリーンであると呼ぶ。携帯機器は、製造の時の設定又はユーザの設定に従って図６のようなホームスクリーンを提供するか又は後述するポケットモードホームスクリーンを提供することができる。一実施形態において、ポケットモードホームスクリーンは、ダブルスクリーンモード又はインフォルデッドスクリーンモードで有用に使用されることができる。
【０２６７】
図１０（図１０Ａ乃至図１０Ｈを含む）は、本発明の一実施形態によるポケットモードホームスクリーンのユーザインターフェースを示す図である。
【０２６８】
図１０Ａを参照すると、第１のタッチスクリーン１２は、ホームスクリーンとして指定されたウィジェット又はアプリケーションの一部の情報を含む、財布内に収まったクレジットカード（credit card）形態の領域４０２、４０４、４０６、及び４０８を表示し、追加で頻りに使用されるアプリケーションのアイコンを含むドック領域４１０をさらに表示することができる。各領域４０２、４０４、４０６、及び４０８は、財布内のカード収納のためのスリット（slit）を形状化したグラフィックイメージにより部分的に隠される収納されたカード形態を有し、収納されたカードと類似して垂直方向に並んで配置されることができる。領域４０２乃至４０８は、ウィジェット又はアプリケーションで提供する簡単情報及び所定の機能を実行するためのショートカットキーのうちの少なくとも１つを表示する。簡単情報は、ユーザがアプリケーションを通して最初に知ることを希望する情報を含み、アプリケーションに従ってリアルタイムで自動でアップデートされることができる。例えば、メッセージアプリケーションに関連した領域は、新たに受信されたメッセージが存在するか否かをフリッカーリングフレーズ（flickering phrase）“ＮＥＷ”のようなお知らせで表示することができる。選択可能な実施形態において、最も下部に位置する領域４０８は、斜線形態のスリットにより一部隠されている収納されたカード形状を有することができる。
【０２６９】
各領域４０２、４０４、４０６、及び４０８のうちのいずれか１つで予め指定されたタッチジェスチャー、例えば、タップジェスチャー又はタッチアンドホールドが感知される場合に、携帯機器は、対応する領域のアプリケーションを第１のタッチスクリーン１２又は第２のタッチスクリーン１４の全体を占有するように表示するか又は第１のタッチスクリーン１２及び第２のタッチスクリーン１４の全体を占有するように表示する。
【０２７０】
この領域のうちの少なくとも一部（例えば、領域４０２、４０４、及び／又は４０８）は、ウィジェット又はアプリケーションで提供する簡単情報を表示し、この簡単情報は、予め指定されたタッチジェスチャーに応答して拡張され表示されることができる。例えば、スケジュールウィジェットの領域４０２は、今日付け及びＮ個のスケジュール（例えば、１個又は２個のスケジュール）に対する時間及び題目などを含み、天気ウィジェットの領域４０４は、現在の都市、現在の気温、及び天気アイコンを含み、名刺ウィジェットの領域４０８は、連絡先の人の名前、通話の接続及び／又はメッセージの発信のためのショートカットキー（shortcut key）、及びピクチャーイメージを含む。ピクチャーイメージは、デフォルトイメージに置き換えられることができる。
【０２７１】
一実施形態において、携帯機器は、領域４０２、４０４、及び４０８のうちのいずれか１つの領域上で予め定められたタッチジェスチャー、例えば、フリック又はタッチドラッグアップの感知に応じて、対応する領域をスリット形状のグラフィックイメージから開始される部分的に引き出されたカード形態で拡張する。拡張された領域は、対応するウィジェット又はアプリケーションのさらに多い情報を含む。この拡張された領域は、この拡張された領域でのタッチドラッグダウン又は他の領域上のタッチジェスチャーの感知に応じて元来のサイズに復元されることができる。
【０２７２】
この領域のうちの少なくとも一部（例えば、領域４０６）は、バックグラウンドとして動作しつつアプリケーションで提供する機能に対するショートカットキーを表示する。例えば、音楽再生アプリケーションの領域４０６は、再生中である音楽のアルバムイメージ、題目、音楽家、及び音楽の演奏状態を表示する状態バーを表示し、追加で、前曲選択キー、停止／再生キー、次曲選択キーのようなショートカットキーを提供する。ショートカットキーのうちの１つでタップジェスチャーが感知される場合に、音楽実行アプリケーションは、対応するショートカットキーに対応する機能をバックグラウンドとして実行する。
【０２７３】
図１０Ｂを参照すると、携帯機器は、スケジュールウィジェットの領域４０２から予め指定されたタッチジェスチャー４２０、例えば、フリック又はタッチドラッグアップを感知する。図１０Ｃを参照すると、タッチジェスチャー４２０の感知に応じて、スケジュールウィジェットの領域４０２は、上方向に拡張された後に拡張された領域４０２ａが表示される。拡張された領域４０２ａは、Ｎ個より多いＭ個のスケジュール（例えば、３つ以上のスケジュール）に対する時間及び題目などを表示し、拡張された長さに従って週間日程を選択的にさらに表示することができる。領域４０２は、タッチジェスチャー４２０の移動に従って上方向に拡張されることができ、予め定められた最大サイズ内で第１のタッチスクリーン１２の終端（terminus）に到達するまで拡張されることができる。
【０２７４】
図１０Ｄを参照すると、携帯機器は、音楽再生アプリケーションの領域４０６に含まれているショートカットキー及び状態バーのうちの１つから予め指定されたタッチジェスチャー４２２、例えば、タップジェスチャー又はタッチドラッグを感知する。音楽再生アプリケーションは、再生、前曲再生、停止、次曲再生、再生位置の移動などの機能を実行する。バックグラウンドとして動作し、領域の拡張を必要としない音楽再生アプリケーションの領域４０６は、収納されたクレジットカードの形態でなく、縫われたラベルの形態で表示されることができる。
【０２７５】
図１０Ｅを参照すると、携帯機器は、天気ウィジェットの領域４０４から予め指定されたタッチジェスチャー４２４、例えば、フリック又はタッチドラッグアップを感知する。タッチジェスチャー４２４の感知に応じて、天気ウィジェットの領域４０４が上方向に拡張され、この拡張された領域が表示される。拡張された領域４０４ａは、天気に関するより詳細な情報、例えば、今日の天気に関する追加情報及び週間天気をさらに表示することができる。天気ウィジェットの領域４０４は、タッチジェスチャー４２４の移動に従って上方向に拡張されることができ、予め定められた最大大きさ内で第１のタッチスクリーン１２の終端に到達するまで拡張されることができる。天気ウィジェットの領域４０４は、上部に位置したスケジュールウィジェットの領域４０２の少なくとも一部を覆って拡張されることができる。一実施形態において、領域４０４は、予め定められた最大範囲を超過して拡張されることができない。拡張された領域４０４ａの拡張された長さが最大範囲に到達する場合に、拡張された領域４０４ａは、拡張された状態を保持するか又は元来のサイズで領域４０４に復元される。
【０２７６】
図１０Ｆを参照すると、携帯機器は、名刺ウィジェットの領域４０８から予め指定されたタッチジェスチャー４２６、例えば、フリック又はタッチドラッグアップを感知する。タッチジェスチャー４２６の感知に応じて、名刺ウィジェットの領域４０８が上方向に拡張され、この拡張された領域が表示される。拡張された領域４０８ａは、連絡先の人に対するピクチャーイメージ４０８ｄと、拡張の前に比べてより詳細な情報４０８ｅ、例えば、移動電話番号、事務所電話番号、誕生日、アドレス、電子メールアドレスなどをさらに表示することができる。領域４０８は、タッチジェスチャー４２６の移動に従って上部に位置した少なくとも１つのウィジェット（４０６、４０４、及び／又は４０２）を覆って拡張されることができ、予め定められた最大範囲内で第１のタッチスクリーン１２の終端に到達するまで拡張されることができる。一実施形態において、領域４０８は、予め定められた最大範囲を超過して拡張されることができない。拡張された領域４０８ａの拡張された長さが最大範囲に到達した場合に、拡張された領域４０８ａは、拡張された状態を保持するか又は元来のサイズで自動で領域４０８に戻る。
【０２７７】
図１０Ｇを参照すると、名刺ウィジェットの領域４０８及び拡張された領域４０８ａは、通話接続及びメッセージ発信に対するショートカットキー４０８ｂ及び４０８ｃのうちの少なくとも１つを表示する。通話接続に対するショートカットキー４０８ｂで予め指定されたタッチジェスチャー４２８、例えば、タップジェスチャーが感知されると、携帯機器は、図１０Ｈに進む。
【０２７８】
図１０Ｈを参照すると、携帯機器は、通話アプリケーション（Call Application）により名刺ウィジェットの領域４０８に関連した電話番号への通話接続を試み、第１のタッチスクリーン１２及び第２のタッチスクリーン１４の一部又は全体に通話アプリケーションのダイヤリングスクリーン４０８ｆを表示する。ダイヤリングスクリーン４０８ｆは、第１のタッチスクリーン１２及び第２のタッチスクリーン１４のポケットモードホームスクリーンの少なくとも一部を置き換えた後に表示されることができる。図示した例において、ダイヤリングスクリーン４０８ｆは、第１のタッチスクリーン１２の全体に表示され、相手通話者のピクチャーイメージ及び電話番号を含む通話者識別領域、電話番号の追加、ダイヤルパッド呼び出し、通話終了、スピーカーフォン、音消去（Mute）、及びヘッドセット（Headset）のような通話中機能に対するソフトキーを含む。選択可能な実施形態において、第２のタッチスクリーン１４は、ホームスクリーンを保持するか、ターンオフ状態となるか、又は通話のために携帯機器を折り畳むことをユーザに勧告する案内メッセージスクリーン４０８ｇを提供することができる。
【０２７９】
図示していないが、名刺ウィジェットの領域４０８又は拡張された領域４０８ａに含まれるメッセージ発信のためのショートカットキー４０８ｃでタップジェスチャーが感知されると、第１のタッチスクリーン１２の一部又は全体にメッセージアプリケーションにより提供されるメッセージ発信のためのテキスト入力領域及び仮想キーパッドが表示される。一実施形態において、仮想キーパッドは、第１のタッチスクリーン１２の下部を覆いつつ表示される。他の実施形態において、仮想キーパッドは、第１のタッチスクリーン１２の下部及び第２のタッチスクリーン１４の下部にわたって連続して表示される。選択可能な実施形態において、仮想キーパッドは、第１のタッチスクリーン１２の下部に表示され、仮想キーパッド内に提供される拡張（expand）ボタンを通して第１のタッチスクリーン１２及び第２のタッチスクリーン１４の下部に表示されるように拡張されることができる。
【０２８０】
図１１（図１１Ａ乃至図１１Ｆを含む）は、本発明の他の実施形態によるポケットモードホームスクリーンのユーザインターフェースを示す図である。
【０２８１】
図１１Ａを参照すると、第２のタッチスクリーン１４は、ホームスクリーンとして指定されたアプリケーションの第１の領域４１２を表示する。第１の領域４１２は、財布内のカード収納のためのスリット形態のグラフィックイメージにより部分的に隠される収納されたカード形態で表示され、各アプリケーションで提供する簡単情報（例えば、２〜３行）及び所定の機能を実行するためのショートカットキーのうちの少なくとも１つを含む。この簡単情報は、アプリケーションに従ってリアルタイムで自動でアップデートされることができる。一実施形態において、ソーシャルネットワーキングサービス（ＳＮＳ）アプリケーションの領域は、最近にアップデートされたか否か及び最近にアップデートされたメッセージの内容の一部を表示することができる。
【０２８２】
選択可能な実施形態において、第２のタッチスクリーン１４に表示される領域のうちの１つであるフォトギャラリーアプリケーションの領域４１４は、所定数のサムネイルイメージを提供することができる。一実施形態において、領域４１４は、サムネイルイメージのビューモードを変更するためのショートカットキーを追加で含む。例えば、ショートカットキーは、スライダースイッチを含む。また、領域４１４内でサムネイルイメージが配列された方向、例えば、水平方向へのタッチジェスチャーの動き方向及び速度に従ってサムネイルイメージがスクロールされることができる。選択可能な実施形態において、領域の拡張を必要としないフォトギャラリーアプリケーションの領域４１４は、収納されたクレジットカードの形態でなく、縫われたラベルの形態で表示されることができる。
【０２８３】
第２のタッチスクリーン１４は、ポケットモードホームスクリーンの設定に従う所定の個数、例えば、５個のアプリケーションに関する簡単情報を含む第１の領域４１２を表示する。第１の領域４１２は、収納されたカードと類似して、垂直方向に並べて配置されることが好ましい。例えば、第１の領域４１２のそれぞれは、アプリケーションの名前又はグラフィックシンボルと、アプリケーションで提供する１行又は２行の情報と、アプリケーションのアップデート状態を表示する指示子とを含む。予め指定されたタッチジェスチャー（例えば、フリックアップ又はタッチドラッグアップ）が第１の領域４１２のそれぞれから感知されると、対応する第１の領域４１２は、予め定められた最大大きさ内で上方向に拡張されることができる。
【０２８４】
図１１Ｂを参照すると、第１の領域４１２から領域の縮小のためのピンチジェスチャー４３０、すなわち、ピンチズームアウトが感知されると、第１の領域４１２のそれぞれが縮小され、この縮小された領域により発生する第２のタッチスクリーン１４内の空間に他のアプリケーションの縮小された領域４１２ａがさらに表示される。すなわち、縮小された第１の領域４１２及び他のアプリケーションの縮小された領域を含む第２の領域４１２ａは、第１の領域４１２に比べてさらに多いアプリケーション（例えば、６個以上のアプリケーション）を含み、したがって、第１の領域４１２に比べてより少ない情報、例えば、アプリケーションの名前、グラフィックシンボル、及びアップデート指示子だけを１行で表示することができる。
【０２８５】
図１１Ｃに示すように、第２の領域４１２ａから所定の方向へのタッチジェスチャー４３２、例えば、フリックアップ／ダウン又はタッチドラッグアップ／ダウンが感知されると、携帯機器は、図１１Ｄに進む。図１１Ｄを参照すると、携帯機器は、タッチジェスチャー４３２に応じて、ポケットモードホームスクリーンとして指定されたアプリケーションの縮小された領域を上方向又は下方向にスクロールしつつ表示する。
【０２８６】
縮小された領域４１２ｂから領域の拡張のためのピンチジェスチャー４３４、例えば、ピンチズームインが感知されると、携帯機器は、図１１Ｅに進む。図１１Ｅを参照すると、ピンチジェスチャー４３４に従って縮小された領域４１２ｂは、元来のサイズで拡張され、この領域の拡張により一部のアプリケーションの縮小された領域（例えば、最上部及び／又は最下部の領域）は、第２のタッチスクリーン１４でこれ以上表示されない。領域４１２ｃは、ポケットモードホームスクリーンの基本設定に従うアプリケーションの個数、例えば、５つのアプリケーションを含む。
【０２８７】
図１１Ｆを参照すると、縮小された領域４１２ａ、４１２ｂ及び元来のサイズを有する領域４１２、４１２ｃのうちのいずれか１つの領域から予め指定されたタッチジェスチャー４３６、例えば、上方向へのフリック又はタッチドラッグアップを感知すると、対応する領域が上方向に拡張され、拡張された領域４１２ｄが表示される。拡張された領域４１２ｄは、対応するアプリケーションのより詳細な情報、例えば、最近にアップロードされたイメージ及び最近の活動（Activity）に関するより多い情報をさらに表示することができる。拡張された領域４１２ｄは、タッチジェスチャー４３６の移動に従って上方向に拡張されたものであり、予め定められる最大範囲に到達するまで拡張されることができる。アプリケーションのタイプに従って、拡張された領域４１２ｄは、より詳細な情報とともに拡張された領域４１２ｄに含まれることができる大きさを有するテキスト入力ウィンドウ及び所定の機能のためのソフトキーのうちの少なくとも１つを提供することができる。
【０２８８】
１つの実施形態において、メッセージアプリケーションに関連した収納されたクレジットカード形態の領域は、ユーザのタッチドラッグアップにより拡張され、拡張を通して確保された領域に小型化されたテキスト入力ウィンドウ及び送信ショートカットキーを表示する。
【０２８９】
選択可能な実施形態において、領域４１２、４１２ａ、４１２ｂ、及び４１２ｃのうちのいずれか１つである第１の領域から予め指定されたタッチジェスチャー４３６、例えば、タップジェスチャーを感知すると、携帯機器は、第１の領域を拡張し、拡張された第１の領域を第２のタッチスクリーン１４に表示する。この時に、第１の領域は、領域４１２、４１２ａ、４１２ｂ、及び４１２ｃの全体及び同一の又は類似したサイズで拡張されるか、あるいは第２のタッチスクリーン１４の全体を占有するように拡張されることができる。例えば、ソーシャルネットワークサービスアプリケーションに関連した収納されたカード形態の領域は、ユーザのタップジェスチャーにより拡張され、この拡張を通して確保された領域に最近に受信された所定数のメッセージを並べて表示する。拡張された領域は、各メッセージ上に送信、返信、及びコピーのようなショートカットキーを含むことができる。この拡張された領域は、他の領域のタッチ又はピンチジェスチャーにより元来のサイズを有するように復元されることができる。
【０２９０】
選択可能な他の実施形態において、領域４１２、４１２ａ、４１２ｂ、及び４１２ｃのうちのいずれか１つである第１の領域から予め指定されたタッチジェスチャー４３６、例えば、タップジェスチャーを感知すると、携帯機器は、第２のタッチスクリーン１４の全体に第１の領域に対応するアプリケーションを表示する。
【０２９１】
携帯機器は、折り畳み可能な少なくとも１つのパネル上に配置される第１のタッチスクリーン及び第２のタッチスクリーンを含むディスプレイ装置を通して、フォトギャラリーアプリケーションとマップアプリケーションとが結合されたギャラリーマップアプリケーションを表示することができる。第１のタッチスクリーンと及び第２のタッチスクリーンは、マップ及びこのマップに登録された少なくとも１つのピクチャーイメージをそれぞれ表示する。ギャラリーマップアプリケーションは、マップ上のいずれか１つの位置に対して少なくとも１つのピクチャーイメージを登録し管理することができる。一実施形態において、ギャラリーマップアプリケーションは、インターネット上に位置するサーバに登録されたピクチャーイメージ及びその位置情報をサーバから受信し、このピクチャーイメージをこの位置情報が指示する位置にリンクし管理する。このピクチャーイメージは、この位置で撮影されるか又は生成されるか、又はこの位置に関連した内容を含むことができる。一実施形態において、ギャラリーマップアプリケーションは、ダブルスクリーンモード又はインフォールデッドスクリーンモードで有用に使用されることができる。
【０２９２】
図１２（図１２Ａ乃至図１２Ｉを含む）は、本発明の一実施形態によるギャラリーマップアプリケーションのユーザインターフェースを示す図である。
【０２９３】
図１２Ａを参照すると、第１のタッチスクリーン１２は、ギャラリーマップアプリケーションにより提供されるマップ領域５０２を表示する。例えば、マップ領域５０２は、ユーザの現在の位置を含む所定のスケールの地理的な領域又はユーザが指定した位置を含む所定のスケールの地理的な領域を含むことができる。マップ領域５０２は、検索の結果、観光名所、又はピクチャーイメージが登録された位置を示す少なくとも１つの位置指示子５０４ａ、５０４ｂ、及び５０４ｃを含む。
【０２９４】
第２のタッチスクリーン１４は、マップ領域５０２に含まれる位置に登録されたピクチャーイメージのサムネイルイメージを並べたギャラリー領域５０６ａを表示する。ギャラリー領域５０６ａは、マップ領域５０２に含まれる位置指示子５０４ａ、５０４ｂ、及び５０４ｃの登録されたピクチャーイメージのサムネイルイメージの少なくとも一部を並べる。サムネイルイメージがギャラリー領域５０６ａに一回にすべて表示されることができない場合に、サムネイルイメージは、複数のページに分けられて表示されることができ、第２のタッチスクリーン１４は、ギャラリー領域５０６ａから感知されたタッチドラッグに従ってサムネイルイメージをスクロールすることができる。サムネイルイメージは、基本設定又はユーザの設定に従って格子ビューモード、リストビューモード、又はグループビューモードで表示されることができる。グループビューモードにおいて、各グループのサムネイルイメージは、サムネイルイメージの少なくとも一部が重なる乱れる形態で表示されることができる。
【０２９５】
第１のタッチスクリーン１２に表示されたマップ領域５０２から所定の方向へのタッチジェスチャー５１２、例えば、フリック又はタッチドラッグが感知されると、図１２Ｂに示すように、タッチジェスチャー５１２の動きに従って移動されたマップ領域５０２ａは、第１のタッチスクリーン１２に表示される。第２のタッチスクリーン１４は、マップ領域５０２ａに含まれる位置指示子５０４ｂ、５０４ｃ、５０４ｄ、及び５０４ｅの登録されたピクチャーイメージのサムネイルイメージの少なくとも一部を並べたギャラリー領域５０６ｂを表示する。
【０２９６】
図示していないが、第１のタッチスクリーン１２に表示されたマップ領域５０２ａ上に表示された位置指示子５０４ｂ、５０４ｃ、５０４ｄ、及び５０４ｅのうちの１つ（例えば、位置指示子５０４ｃ）から予め指定されたタッチジェスチャー、例えば、タップジェスチャーが感知されると、第２のタッチスクリーン１４のギャラリー領域は、選択された位置指示子５０４ｃの登録されたピクチャーイメージのサムネイルイメージの少なくとも一部を表示することができる。
【０２９７】
図１２Ｃを参照すると、第１のタッチスクリーン１２は、マップ領域５０２ｂを表示し、第２のタッチスクリーン１４のギャラリー領域５０６ｃは、マップ領域５０２ｂに含まれる位置の登録されたピクチャーイメージのサムネイルイメージを表示する。携帯機器は、第１のタッチスクリーン１２に表示されたマップ領域５０２ｂ上に表示された位置指示子５０４ａ、５０４ｃ、５０４ｄ、５０４ｆ、及び５０４ｇのうちの１つ５０４ａから予め指定されたタッチジェスチャー５１４、例えば、タップジェスチャー又はタッチアンドホールドを感知する。図１２Ｄに示すように、第１のタッチスクリーン１２は、タッチジェスチャー５１４の感知に応じて、位置指示子５０４ａの登録されたイメージのサムネイルイメージ５２０を位置指示子５０４ａに隣接した領域に表示する。サムネイルイメージ５２０は、格子形態又はサムネイルイメージ５２０の少なくとも一部が重なるグループビューモードで表示されることができ、位置指示子５０４ａの登録されたイメージグループの名前５２０ａ、例えば、“Ａ Ｃａｓｔｌｅ”は、サムネイルイメージ５２０とともに表示されることができる。
【０２９８】
図１２Ｅを参照すると、携帯機器は、第１のタッチスクリーン１２に表示されたマップ領域５０２ｂ上に表示された位置指示子５０４ａ、５０４ｃ、５０４ｄ、５０４ｆ、及び５０４ｇのうちの１つ５０４ｇからタッチジェスチャーを感知し、位置指示子５０４ｇに隣接した領域で位置指示子５０４ｇの登録されたイメージのサムネイルイメージ５２２を表示する。サムネイルイメージ５２２は、格子形態又は一部重なる形態で表示されることができ、位置指示子５０４ｇの登録されたイメージグループの名前５２２ｂ、例えば、“Ｂ  Ｃａｆｅ”は、サムネイルイメージ５２２とともに表示されることができる。
【０２９９】
第２のタッチスクリーン１４は、ギャラリー領域５０６ｃのビューモードをグループビューモード又は格子ビューモードに変更するためのビューモードを選択するためのソフトキー５３０を提供する。例えば、ソフトキー５３０は、スライダースイッチを含む。ユーザのタッチがスライダースイッチから感知され、このタッチに従ってスライダースイッチがグループ形態のビューモード（View Mode）を示すアイコンに移動する場合に、第２のタッチスクリーン１４のギャラリー領域５０６ｅは、第１のタッチスクリーン１２に表示されたマップ領域５０２ｂに含まれる位置指示子５０４ａ、５０４ｃ、５０４ｄ、５０４ｆ、及び５０４ｇの登録されたサムネイルイメージを位置別にグループ化した後に、このグループ化されたサムネイルイメージを表示する。グループビューモードにおいて、各グループのサムネイルイメージは、サムネイルイメージが相互に部分的に重なる乱れた形態で表示されることができる。
【０３００】
図１２Ｆを参照すると、第１のタッチスクリーン１２は、ギャラリーマップアプリケーションにより提供されるマップ領域５０２ｂを表示する。マップ領域５０２ｂは、検索の結果、登録された観光名所又はピクチャーイメージが登録された位置を示す位置指示子５０４ａ、５０４ｃ、５０４ｄ、５０４ｆ、及び５０４ｇを含む。第２のタッチスクリーン１４は、マップ領域５０２ｂに含まれる位置に登録されたピクチャーイメージのサムネイルイメージをリストしたギャラリー領域５０６ｅを含む。ギャラリー領域５０６ｅは、マップ領域５０２ｂに含まれる位置指示子５０４ａ、５０４ｃ、５０４ｄ、５０４ｆ、及び５０４ｇの登録されたサムネイルイメージの少なくとも一部を格子ビューモード又はグループビューモードで表示する。
【０３０１】
予め指定されたタッチジェスチャー５３０、例えば、タップジェスチャー又はタッチアンドホールド（すなわち、ロングタップ）がマップ領域５０２ｂ上の位置指示子５０４ａ、５０４ｃ、５０４ｄ、５０４ｆ、及び５０４ｇのうちの１つ（例えば、位置指示子５０４ａ）から感知される場合に、第１のタッチスクリーン１２は、位置指示子５０４ａに隣接した領域での経路を選択するためのメニューウィンドウ５３０ａを表示する。メニューウィンドウ５３０ａは、開始キー及び到着キーを含む。タップジェスチャー５３０ｂがメニューウィンドウ５３０ａの開始キーから感知される場合に、ギャラリーマップアプリケーションは、タップジェスチャー５３０ｂの感知に応じて位置指示子５０４ａを開始位置として指定する。この時に、位置指示子５０４ａは、表示されている他の位置指示子５０４ｃ、５０４ｄ、５０４ｆ、及び５０４ｇとは視覚的に識別されるように目立つカラー、例えば、赤色に変更されてもよい。
【０３０２】
図１２Ｇを参照すると、予め指定されたタッチジェスチャー５３２、例えば、タップジェスチャー又はタッチアンドホールドが第１のタッチスクリーン１２に表示されるマップ領域５０２ｂ上の位置指示子５０４ａ、５０４ｃ、５０４ｄ、５０４ｆ、及び５０４ｇのうちの他の１つ（例えば、位置指示子５０４ｄ）から感知される場合に、第１のタッチスクリーン１２は、位置指示子５０４ｄに隣接した領域での経路を選択するためのメニューウィンドウ５３２ａを表示する。メニューウィンドウ５３２ａは、開始キー及び到着キーを含む。タップジェスチャー５３２ｂがメニューウィンドウ５３２ａの到着キーから感知される場合に、ギャラリーマップアプリケーションは、タップジェスチャー５３２ｂの感知に応じて位置指示子５０４ｄを到着位置として指定する。この時に、位置指示子５０４ｄは、表示されている他の位置指示子５０４ｃ、５０４ｆ、及び５０４ｇとは視覚的に識別されるように目立つカラー、例えば、赤色に変更されてもよい。
【０３０３】
開始位置又は到着位置が登録される時に、ギャラリーマップアプリケーションは、開始位置から到着位置までの経路に関する情報を含むスライドショー制御領域５４２を第１のタッチスクリーン１２の下部に表示する。スライドショー制御領域５４２は、マップ領域５０２ｂを部分的に覆いながら表示されることができる。
【０３０４】
図１２Ｈを参照すると、開始位置５０４ａ及び到着位置５０４ｄが登録される場合に、ギャラリーマップアプリケーションは、第１のタッチスクリーン１２のマップ領域５０２ｂ上に開始位置５０４ａから到着位置５０４ｄまでの経路５４０をグラフィックライン形態で表示する。経路５４０は、開始位置５０４ａと到着位置５０４ｄとの間の実際の道路に沿って表示され、開始位置５０４ａと到着位置５０４ｄとの間に存在する少なくとも１つの位置指示子５０４ｃを中間位置として含むことができる。第１のタッチスクリーン１２の下部に表示されるスライドショー制御領域５４２は、開始位置から到着位置までの経路に属している位置指示子と経路に従う移動状態を示す経路追跡バー５４４と、経路５４０に属しているピクチャーイメージに対するスライドショーの開始を選択することができるスライドショービューキー５４６とを含むことができる。他の実施形態において、スライドショー制御領域５４２は、経路５４０の表示に応答して表示される。
【０３０５】
スライドショービューキー５４６から予め指定されたタッチジェスチャー、例えば、タップジェスチャーが感知される場合に、図１２Ｉに示すように、携帯機器は、第１のタッチスクリーン１２からマップ領域５０２ｂを除去し、経路５４０に含まれている位置に登録されたピクチャーイメージのスライドショーを再生する。一実施形態において、ピクチャーイメージは、スライドショーの間に第１のタッチスクリーン１２の横幅及び縦幅のうちの少なくとも１つを完全に満たすように順次に表示される。スライドショーの間に、スライドショー制御領域５４２の経路追跡バー５４４は、スライドショーの間に第１のタッチスクリーン１２に現在表示されているピクチャーイメージの位置を示す現在のスライド指示子を含み、スライドショー制御領域５４２は、スライドショービューキー５４６の代わりに、スライドショーを中止することを選択するスライドショー停止キー５４８を提供する。
【０３０６】
選択可能な実施形態において、スライドショー制御領域５４２は、スライドされるピクチャーイメージを見ることを妨害しないために、スライドショーが進行する間に第１のタッチスクリーン１２から隠されることができる。スライドショー制御領域５４２は、スライドショーが進行している間に第１のタッチスクリーン１２の予め定められた領域、例えば、第１のタッチスクリーン１２の下部で予め定められたタッチジェスチャーを感知することによりさらに表示されることができる。
【０３０７】
携帯機器は、折り畳み可能な少なくとも１つのパネル上に配置される第１のタッチスクリーン及び第２のタッチスクリーンを含むディスプレイ装置を通して実行中である複数のアプリケーションのアイコンを含むタスクマネージャ領域を表示することができる。他の実施形態において、タスクマネージャ領域は、ユーザにより指定されたお気に入りの（Favorite）アプリケーションのアイコンを含むことができる。タスクマネージャ領域は、第１のタッチスクリーン及び第２のタッチスクリーンの予め指定された位置、例えば、第１のタッチスクリーン及び第２のタッチスクリーンの下部に配置されることができる。すなわち、タスクマネージャ領域のアイコンの一部は、第１のタッチスクリーンの下部に表示され、残りのアイコンは、第２のタッチスクリーンの下部に表示される。タスクマネージャ領域のアイコンは、第１及び第２のタッチスクリーンの下部に継続して配置されることができる。
【０３０８】
図１３（図１３Ａ乃至図１３Ｊを含む）は、本発明の一実施形態によるタスクマネージャパネルのユーザインターフェースを示す図である。
【０３０９】
図１３Ａを参照すると、第１のタッチスクリーン１２は、第１のアプリケーションのタスクスクリーン６１０を表示し、第２のタッチスクリーン１４は、第２のアプリケーションのタスクスクリーン６１２を表示する。タスクスクリーン６１０及び６１２は、第１のタッチスクリーン１２及び第２のタッチスクリーン１４の表示可能な領域を満たすサイズを有し、各アプリケーションにより実行される情報を表示し、ユーザインターフェースを提供する。ここでは、第１のタッチスクリーン１２及び第２のタッチスクリーン１４が異なるアプリケーションのタスクスクリーン６１０及び６１２を表示するマルチモードを図示したが、後述するタスクマネージャの実行は、ホームスクリーン又はアプリケーションメニューが第１のタッチスクリーン１２及び第２のタッチスクリーン１４のうちの少なくとも１つに表示されているか又は第１のタッチスクリーン１２及び第２のタッチスクリーン１４がメインサブモード又はフルモードで動作する場合にも類似して適用されることができる。
【０３１０】
携帯機器は、タスクマネージャの実行のために予め定められる命令又はユーザジェスチャーを感知する。この命令又はユーザジェスチャーは、例えば、携帯機器のハウジングに含まれる物理的なボタンの入力、第１のタッチスクリーン１２及び第２のタッチスクリーン１４のうちの少なくとも１つのスクリーン内の予め定められた領域に対するタッチの感知、第１のタッチスクリーン１２及び第２のタッチスクリーン１４のうちの少なくとも１つを通して提供されるソフトキーに対するタッチの感知、及びソフトメニューの操作のうちの少なくとも１つを含む。
【０３１１】
図１３Ａは、第２のタッチスクリーン１４を含む第２のパネルに配置された物理的なボタンのうちの１つのボタン６００ａを使用してタスクマネージャ機能を実行する例を示す図である。タスクマネージャ機能の実行のためのボタン６００ａは、例えば、第２のパネルに配置されたタッチ感知型物理的なボタンのうちの１つであるホームボタンであることができる。携帯機器が第２のパネルに配置されたホームボタン６００ａの入力６０２、例えば、ホームボタン上のタップジェスチャー又はタッチアンドホールドを感知すると、携帯機器は、図１３Ｂに進む。
【０３１２】
図１３Ｂを参照すると、携帯機器は、入力６０２に応答して第１のタッチスクリーン１２及び／又は第２のタッチスクリーン１４の予め定められる位置、例えば、第１のタッチスクリーン１２及び第２のタッチスクリーン１４の下部にタスクマネージャパネル６０４ａ及び６０４ｂを表示する。タスクマネージャパネル６０４ａ及び６０４ｂは、タスクマネージャ領域を構成し、異なるタッチスクリーン１２及び１４に位置し、相互に連続するように隣接して配置される。他の実施形態において、タスクマネージャパネル６０４ａ及び６０４ｂは、基本に設定された位置又はユーザにより指定された位置、例えば、第１のタッチスクリーン１２及び／又は第２のタッチスクリーン１４の上部、第１のタッチスクリーン１２の左部、第２のタッチスクリーン１４の右部、第１のタッチスクリーン１２の右部、及び第２のタッチスクリーン１４の左部に配置されることができる。
【０３１３】
タスクマネージャパネル６０４ａ及び６０４ｂの表示とともに、第１のタッチスクリーン１２及び第２のタッチスクリーン１４は、第１及び第２のアプリケーションのタスクスクリーン６１０及び６１２を第１及び第２のアプリケーションのプレビューウィンドウ６１０ａ及びプレビューウィンドウ６１２ａと置き換える。プレビューウィンドウ６１０ａ及び６１２ａは、タスクスクリーン６１０及び６１２に比べて小さいサイズを有し、タッチ入力などのようなユーザインターフェースを許容しない非活性状態を示すために陰影で表示されることができる。
【０３１４】
図示した例において、タスクマネージャパネル６０４ａ及び６０４ｂは、第１のタッチスクリーン１２及び第２のタッチスクリーン１４を含む２つのタッチスクリーンを通して分けられて表示され、実行アプリケーションのアイコンのうちの少なくとも一部を含む。例えば、第１のタスクマネージャパネル６０４ａ及び第２のタスクマネージャパネル６０４ｂは、相互に重複しない最大４つのアイコンを含むことができる。すなわち、第１のタスクマネージャパネル６０４ａは、第１の実行プリケーションＡｐｐ＃１乃至第４の実行アプリケーションＡｐｐ＃４に対するアイコンを含み、第２のタスクマネージャパネル６０４ｂは、第５の実行プリケーションＡｐｐ＃５乃至第８の実行アプリケーションＡｐｐ＃８に対するアイコンを含む。実行アプリケーションの個数がタスクマネージャパネル６０４ａ及び６０４ｂに表示可能なアイコンの最大個数、すなわち８個を超過する場合に、タスクマネージャパネル６０４ａ及び６０４ｂは、８個のアイコンだけを表示し、タッチジェスチャーに応じて表示されたアイコンをスクロールすることにより他のアイコンをさらに表示することができる。
【０３１５】
一実施形態において、タスクマネージャパネル６０４ａ及び６０４ｂに含まれるアプリケーションの順序は、最終実行された時間（last played time）に基づく。タスクマネージャの実行の前に第１のタッチスクリーン１２及び第２のタッチスクリーン１４に表示された第１及び第２のアプリケーションに対するアイコン６１０ｂ及び６１２ｂは、タスクマネージャパネル６０４ａ及び６０４ｂ内の第１及び第２の位置に位置する。実行アプリケーションの個数が２つのタスクマネージャパネル６０４ａ及び６０４ｂに含まれることができるアイコンの最大個数（例えば、８個）より少ない場合に、実行アプリケーションのアイコンは、第１のタッチスクリーン１２と第２のタッチスクリーン１４との間のヒンジを中心に整列（center-aligned）されることができる。中央に整列されたアイコンは、左側方向又は右側方向のタッチドラッグにより第１のタスクマネージャパネル６０４ａ又は第２のタスクマネージャパネル６０４ｂ内に移動することができる。
【０３１６】
対応する実行アプリケーションを即時に終了させるための終了指示子６０６（例えば、Ｘ字状）は、各アイコンに添付されることができる。タップジェスチャーがこの表示されたアイコンのうちの１つであるアプリケーションＡｐｐ＃８に添付された終了指示子６０６から感知される場合に、携帯機器は、対応するアイコンのアプリケーションＡｐｐ＃８を終了する。アプリケーションＡｐｐ＃８のプレビュースクリーンが第１のタッチスクリーン１２及び／又は第２のタッチスクリーン１４内に表示されている場合に、対応するタッチスクリーンのアプリケーションＡｐｐ＃８に対するプレビュースクリーンは、ホームスクリーンの１ページに置き換えられる。アプリケーションＡｐｐ＃８のプレビュースクリーンが第１のタッチスクリーン１２及び／又は第２のタッチスクリーン１４内に表示されていない場合に、アプリケーションＡｐｐ＃８は、バックグラウンドとして終了する。
【０３１７】
図１３Ｃを参照すると、携帯機器は、第１のタスクマネージャパネル６０４ａ及び／又は第２のタスクマネージャパネル６０４ｂ上にアイコンが配列された方向に平行に作用するタッチジェスチャー６０２ａ、例えば、左側方向又は右側方向のフリック又はタッチドラッグを感知し、タッチジェスチャー６０２ａに従って第１及び第２のタスクマネージャパネル６０４ａ及び６０４ｂに表示されるアイコンをスクロールし表示する。タスクマネージャとして指定されたアイコンは、循環（rotation）しつつスクロールされることができる。タッチジェスチャー６０２ａに従って第１のタッチスクリーン１２と第２のタッチスクリーン１４との間のヒンジを通過する場合に、各アイコンは、２つのタッチスクリーン１２及び１４にわたって表示されることができる。他の実施形態において、タッチジェスチャー６０２ａに従ってヒンジを通過する場合に、各アイコンは、２つのタッチスクリーン１２及び１４に分けられて表示されずヒンジを飛ばして表示される。
【０３１８】
図１３Ｄを参照すると、携帯機器は、第１のタスクマネージャパネル６０４ａ及び／又は第２のタスクマネージャパネル６０４ｂに含まれたアイコンのうちの１つのアイコン６１４ｂで開始し、第１のタスクマネージャパネル６０４ａ及び／又は第２のタスクマネージャパネル６０４ｂの外部に向かう予め定められたタッチジェスチャー６０２ｂ、例えば、アプリケーションＡｐｐ＃５のアイコン６１４ｂで開始し、第１のタッチスクリーン１２に含まれ、第１のタスクマネージャパネル６０４ａを除いた領域で解除されるタッチドラッグを感知する。図１３Ｅに示すように、第１のタッチスクリーン１２は、タッチドラッグ６０２ｂの感知に応じて、第１のタッチスクリーン１２に表示された第１のアプリケーションのプレビューウィンドウ６１０ａをアイコン６１４ｂに関連したアプリケーションＡｐｐ＃５のプレビューウィンドウ６１４ａに置き換え、この置き換えられたプレビューウィンドウ６１４ａを表示する。
【０３１９】
図１３Ｆを参照すると、携帯機器は、第１のタスクマネージャパネル６０４ａに含まれているアプリケーションＡｐｐ＃１１のアイコン６１６ｂから第１のタスクマネージャパネル６０４ａを除いた第１のタッチスクリーン１２に含まれている領域へのタッチドラッグ６０２ｃを感知する。タッチドラッグ６０２ｃは、アイコン６１６ｂで開始し、第１のタスクマネージャパネル６０４ａを除いた第１のタッチスクリーン１２に含まれている領域内のいずれか１つの点で解除される。図１３Ｇに示すように、第１のタッチスクリーン１２は、タッチドラッグ６０２ｃの感知に応じて、アプリケーションＡｐｐ＃５のプレビューウィンドウ６１４ａをアイコン６１６ｂに関連したアプリケーションＡｐｐ＃１１のプレビューウィンドウ６１６ａと置き換え、この置き換えられたプレビューウィンドウ６１６ａを表示する。
【０３２０】
図１３Ｄ乃至図１３Ｇは、第１のタッチスクリーン１２でなされるプレビューウィンドウの置き換えだけを図示したが、タッチドラッグの開始位置及び解除位置に従って、第１のタスクマネージャパネル６０４ａに含まれたアイコンに対応するアプリケーションのプレビューウィンドウを第２のタッチスクリーン１４に引き上げるか、又は第２のタスクマネージャパネル６０４ｂに含まれたアイコンに対応するアプリケーションのプレビューウィンドウを第１のタッチスクリーン１２に引き上げることも可能である。
【０３２１】
図１３Ｇを参照すると、携帯機器は、第２のタッチスクリーン１４に表示された第２のアプリケーションのプレビューウィンドウ６１２ａから第２のタッチスクリーン１４に表示された第２のタスクマネージャパネル６０４ｂ内に向かう予め指定されたタッチジェスチャー６０２ｄ、例えば、プレビューウィンドウ６１２ａの１つの位置で開始し、第２のタスクマネージャパネル６０４ｂ内の１つの位置で解除されるタッチドラッグを感知する。第２のタッチスクリーン１４は、タッチドラッグ６０２ｄの感知に応じて、プレビューウィンドウ６１２ａを第２のアプリケーションのアイコン６１２ｂに変換し、アイコン６１２ｂをタッチドラッグ６０２ｄに従って第２のタスクマネージャパネル６０４ｂに移動する。アイコン６１２ｂは、第２のタスクマネージャパネル６０４ｂ内で既存に表示されていたアイコンの間、すなわち、タッチドラッグ６０２ｄが解除される位置に配置されることができる。
【０３２２】
図１３Ｈを参照すると、タッチドラッグ６０２ｄに従って、アイコン６１２ｂが第２のタスクマネージャパネル６０４ｂの領域に進入するに従って、第２のタスクマネージャパネル６０４ｂは、アイコン６１２ｂを前に表示されていたアイコン間に挿入し、これらをともに表示する。第１のタスクマネージャパネル６０４ａ及び第２のタスクマネージャパネル６０４ｂ内に表示されたアイコンは、新たに進入したアイコン６１２ｂに再整列されることができる。この時に、第２のタッチスクリーン１４は、第２のアプリケーションのプレビューウィンドウ６１２ａを実行アプリケーションＡｐｐ＃１０のプレビューウィンドウ６１８ａと置き換え、この置き換えられたプレビューウィンドウ６１８ａを表示する。
【０３２３】
タッチドラッグ６０２ｄに従ってプレビューウィンドウ６１２ａが除去された後に、第２のタッチスクリーン１４は、第２のタスクマネージャパネル６０４ｂを除いたいずれのプレビューウィンドウ又はタスクウィンドウも表示しないことがある。選択可能な実施形態において、第２のタッチスクリーン１４は、プレビューウィンドウ６１２ａが除去された後にホームスクリーンの１番目のページを表示することができる。その後に、第１のタッチスクリーン１２のプレビューウィンドウ６１６ａがタスクマネージャパネル６０４ａ又は６０４ｂへのタッチドラッグにより除去される場合に、携帯機器は、ホームスクリーンの１番目のページを第１のタッチスクリーン１２に表示し、ホームスクリーンの２番目のページを第２のタッチスクリーン１４に表示する。この時に、ホームスクリーンの１番目のページは、第１のタッチスクリーン１２又は第２のタッチスクリーン１４でドック領域とともに表示されることもある。
【０３２４】
図１３Ｉを参照すると、アプリケーションのプレビューウィンドウ６１６ａ及び６２０ａが第１のタッチスクリーン１２及び第２のタッチスクリーン１４に表示されている間に、携帯機器は、タスクマネージャの終了のために予め定められる命令又はユーザジェスチャーを感知する。この命令又はユーザジェスチャーは、例えば、携帯機器のハウジングに含まれる物理的なボタンの入力、第１のタッチスクリーン１２及び第２のタッチスクリーン１４のうちの少なくとも１つのスクリーン内の予め定められた領域に対するタッチの感知、第１のタッチスクリーン１２及び第２のタッチスクリーン１４のうちの少なくとも１つを通して提供されるソフトキーに対するタッチの感知、及びソフトメニューの制御のうちの少なくとも１つを含む。
【０３２５】
図１３Ｉは、第２のタッチスクリーン１４を含む第２のパネルに配置された物理的なボタンのうちの１つのボタン６００ｂを使用してタスクマネージャ機能を実行する例を示す図である。タスクマネージャ機能を実行するためのボタン６００ｂは、例えば、第２のパネルに配置されたタッチ感知型物理的なボタンのうちの１つであるバックボタンであり得る。携帯機器は、第２のパネルに配置されたバックボタン６００ｂの入力６０２ｆ、例えば、バックボタン６００ｂ上のタップジェスチャー又はタッチアンドホールドを感知する。
【０３２６】
図１３Ｊを参照すると、携帯機器は、入力６０２ｆに応じて第１のタッチスクリーン１２及び第２のタッチスクリーン１４から第１のタスクマネージャパネル６０４ａ及び第２のタスクマネージャパネル６０４ｂを削除し、第１のタッチスクリーン１２及び第２のタッチスクリーン１４に前に表示されていたプレビューウィンドウ６１６ａ及び６２０ａを対応するアプリケーションの活性化されたタスクスクリーン６１６及び６２０と置き換え、この置き換えられたタスクスクリーン６１６及び６２０を表示する。
【０３２７】
携帯機器は、折り畳み可能な少なくとも１つのパネル上に配置される第１のタッチスクリーン及び第２のタッチスクリーンを含むディスプレイ装置を通してユーザによるパーソナル放送（Personal Broadcasting）サービスをサポートすることができる。パーソナル放送サービスのブロードキャスターに対応する携帯機器を有しているユーザは、携帯機器のカメラを通して録画される映像を携帯機器に設置されたパーソナル放送アプリケーションを用いて放送することができる。
【０３２８】
図１４（図１４Ａ乃至図１４Ｌを含む）は、本発明の一実施形態によるパーソナル放送アプリケーションのユーザインターフェースを示す図である。
【０３２９】
図１４Ａを参照すると、第１のタッチスクリーン１２は、パーソナル放送アプリケーションにより提供されるマップ領域６３０を表示する。マップ領域６３０は、例えば、ユーザの現在の位置を含む所定のスケールの地理的な領域又はユーザが選択した位置を含む所定のスケールの地理的な領域を含むことができる。マップ領域６３０は、少なくとも１つのブロードキャスターの位置を示す少なくとも１つのキャスター指示子６３４ａ、６３４ｂ、６３４ｃ、６３４ｄ、６３４ｅ、及び６３４ｆを含む。キャスター指示子６３４ａ乃至６３４ｆは、ブロードキャスターにより放送される放送コンテンツに関する簡単な情報であり、例えば、撮像イメージ、キャスター名前、及び放送題目のうちの少なくとも１つを含むことができる。選択可能な実施形態において、第１のタッチスクリーン１２は、マップ領域６３０内に表示されるブロードキャスターの放送コンテンツを含む放送カテゴリー、例えば、全体、生活、スポーツ、エンターテインメントのうちの少なくとも１つを表示し、所望する放送カテゴリーに変更するためのカテゴリー表示ライン６３２をさらに表示することができる。
【０３３０】
第２のタッチスクリーン１４は、マップ領域６３０に含まれるブロードキャスターにより提供される放送コンテンツを示す放送アイテムの少なくとも一部のアイテム６３６ａ、６３６ｂ、６３６ｂ、６３６ｃ、６３６ｄ、及び６３６ｅを含む放送リスト６３６を表示する。各放送アイテム６３６ａ乃至６３６ｅは、放送コンテンツの撮像イメージ、放送題目、ブロードキャスターの名前、放送時間、及び視聴（Views）回数を含む。
【０３３１】
図１４Ｂを参照すると、携帯機器は、第１のタッチスクリーン１２に表示されたマップ領域６３０から所定の方向へのタッチジェスチャー６４０、例えば、フリック又はタッチドラッグを感知する。図１４Ｃを参照すると、第１のタッチスクリーン１２は、タッチジェスチャー６４０の動き方向及び速度に従ってマップ領域６３０から移動されたマップ領域６３０ａを表示する。第２のタッチスクリーン１４は、マップ領域６３０ａに含まれるキャスター指示子６３４ａ、６３４ｂ、６３４ｄ、６３４ｅ、６３４ｇ、及び６３４ｈにより提供される放送コンテンツの放送アイテム６３６ｅ、６３６ｆ、６３６ｇ、６３６ｈ、６３６ｉ、及び６３６ｈを含む放送リスト６３６を表示する。
【０３３２】
図１４Ｃを参照すると、第２のタッチスクリーン１４は、表示された放送リスト６３６から所定の方向へのタッチジェスチャー６４０ａ、例えば、垂直方向へのフリック又は垂直方向へのタッチドラッグを感知する。第２のタッチスクリーン１４は、タッチジェスチャー６４０ａに従って放送リスト６３６の放送アイテムをスクロールし表示する。
【０３３３】
図１４Ｄを参照すると、携帯機器は、第２のタッチスクリーン１４に表示されている放送リスト６３６の放送アイテムのうちのいずれか１つ（例えば、放送アイテム６３６ｇ）から予め定められたタッチジェスチャー６４０ｂ、例えば、タップジェスチャー又はタッチアンドホールドを感知する。図１４Ｅに示すように、第１のタッチスクリーン１２は、タッチジェスチャー６４０ｂの感知に応じて、放送アイテム６３６ｇに対応する放送コンテンツを再生する放送映像６３８を表示し、第２のタッチスクリーン１４は、放送映像６３８を視聴する視聴者が参加することができる討論領域（discussion Area）６４２及び６４４を表示する。討論領域６４２及び６４４は、メッセージ表示ウィンドウ６４２及びメッセージ入力ウィンドウ６４４を含み、メッセージ入力ウィンドウ６４４は、メッセージ入力領域６４４ａ及びメッセージ送信キー６４４ｂを含む。メッセージ入力領域６４４ａは、テキスト及び／又は対話アイコンを含むメッセージをユーザから受信する。タップジェスチャーがメッセージ入力領域６４４ａに入力されたメッセージが存在する状態でメッセージ送信キー６４４ｂから感知される場合に、メッセージ表示ウィンドウ６４４は、この入力されたメッセージをユーザの名前（実際の名前又はパーソナル放送アプリケーションに登録されたニックネーム）とともに表示する。
【０３３４】
図１４Ｆを参照すると、放送映像６３８が第１のタッチスクリーン１２に表示され、討論領域６４２及び６４４が第２のタッチスクリーン１４に表示される間に、携帯機器は、第２のタッチスクリーン１４を含む第２のパネルに配置された物理的なボタンのうちの１つのボタン６４６ａ、例えば、バックボタンに対する入力６４０ｃ、すなわち、タップジェスチャーを感知する。図１４Ｇに示すように、携帯機器は、入力６４０ｃに応じて、第１のタッチスクリーン１２及び第２のタッチスクリーン１４の放送映像６３８と討論領域６４２及び６４４とを前に表示されていたマップ領域６３０ａ及び放送リスト６３６に置き換え、置き換えられたマップ領域６３０ａ及び放送リスト６３６を表示する。
【０３３５】
ユーザは、マップ領域６３０ａの移動及び放送リスト６３６の探索を通して所望する放送を探すことができない場合に、パーソナル放送アプリケーションで提供する放送要請機能を通して他のユーザに所望する放送を要請することができる。以下、放送要請のためのシナリオについて説明する。
【０３３６】
図１４Ｇ乃至図１４Ｉは、パーソナル放送アプリケーションを通して所望する放送を要請する要請者のためのユーザインターフェースを示す図である。
【０３３７】
図１４Ｇを参照すると、携帯機器は、第１のタッチスクリーン１２及び第２のタッチスクリーン１４を通してマップ領域６３０ａ及び放送リスト６３６を表示するか又は放送映像６３８及び討論領域６４２、６４４を表示する間に、第２のタッチスクリーン１４を含む第２のパネルに備えられた物理的なボタンのうちの１つ６４６ｂ、例えば、メニューボタンに対する入力６４０ｄ、すなわちタップジェスチャーを感知する。入力６４０ｄに応じて、パーソナル放送アプリケーションのためのメニューウィンドウ６４８は、第２のタッチスクリーン１４の下部に表示される。メニューウィンドウ６４８は、放送生成（Create Broadcast）キー６４８ａ、放送要請（Create Request）キー６４８ｂ、放送アイテム検索（Search）キー６４８ｃ、放送アイテム整列（Sorting）キー６４８ｄ、及び設定（Setting）キー６４８ｅのうちの少なくとも１つを含む。携帯機器が放送要請キー６４８ｂから予め定められたタッチジェスチャー６４０ｅ、例えば、タップジェスチャーを感知すると、携帯機器は、図１４Ｈに進む。
【０３３８】
図１４Ｈを参照すると、タップジェスチャー６４０ｅの感知に応じて、第２のタッチスクリーン１４内の放送要請ウィンドウ６５０が放送リスト６３６を置き換えるか又は放送リスト６３６上に表示される。放送要請ウィンドウ６５０は、放送要請のためのメッセージを受信するメッセージ入力領域６５０ａ、所望する放送カテゴリーを選択するカテゴリー選択領域６５０ｂ、完了キー６５０ｃ、及び取り消しキー６５０ｄのうちの少なくとも１つを含む。放送要請のためのメッセージ、例えば、“Ｐｌｅａｓｅ ｓｈｏｗ  ｍｅ  Ｂ−ｂｏｙ  ｅｖｅｎｔｓ  ｉｎ  Ａ  ｐａｒｋ”がメッセージ入力領域６５０ａに入力され、所望する放送カテゴリーがカテゴリー選択領域６５０ｂから選択された後に、携帯機器は、完了キー６５０ｃから予め定められたタッチジェスチャー６４０ｆ、例えば、タップジェスチャーを感知する。
【０３３９】
パーソナル放送アプリケーションは、タッチジェスチャー６４０ｆの感知に応答して、この入力された情報（要請メッセージ及びカテゴリー）及び選択的な付加情報（要請者の名前及び要請者の現在の位置）を含む放送要請をパーソナル放送アプリケーションを実行している他の携帯機器のユーザに送信する。放送要請は、セルラーネットワーク又はＷｉＦｉネットワークを通して送信されることができる。選択可能な実施形態において、放送要請は、要請者の現在の位置又は要請者が指定した位置から予め定められる範囲内に位置する他のユーザに送信される。
【０３４０】
図１４Ｉ乃至図１４Ｌは、パーソナル放送アプリケーションを通して放送要請を受信するユーザのためのユーザインターフェースを示す図である。
【０３４１】
図１４Ｉを参照すると、第１のタッチスクリーン１２が少なくとも１つのキャスター指示子６５２ａ、６５２ｂ、６５２ｃ、６５２ｄ、６５２ｅ、６５２ｆ、６５２ｇ、及び６５２ｈを含むことができるマップ領域６３０ｂを表示し、第２のタッチスクリーン１４がキャスター指示子６５２ａ、６５２ｂ、６５２ｃ、６５２ｄ、６５２ｅ、６５２ｆ、６５２ｇ、６５２ｈに関連した放送リストを表示する間に、携帯機器は、パーソナル放送アプリケーションを通して要請者の放送要請を受信し、この放送要請に従う要請メッセージ“Ｐｌｅａｓｅ ｓｈｏｗ  ｍｅ  Ｂ−ｂｏｙ  ｅｖｅｎｔｓ  ｉｎ  Ａ  ｐａｒｋ”を含む要請メッセージウィンドウ６５４を第２のタッチスクリーン１４に表示する。要請メッセージウィンドウ６５４は、この要請メッセージとともに、ビューキー６５４ａ及び無視（Ignore）キー６５４ｂをさらに含む。一実施形態において、要請メッセージウィンドウ６５４は、第２のタッチスクリーン１４に表示された放送リスト又は第２のタッチスクリーン１４に表示された討論領域に重なって表示されることができる。他の実施形態において、要請メッセージウィンドウ６５４は、第１のタッチスクリーン１２に表示されたマップ領域６３０ｂ又は放送映像に重なって表示されることができる。
【０３４２】
選択可能な実施形態において、パーソナル放送アプリケーションは、この放送要請を受信し、この放送要請の要請者の位置を示す放送要請指示子６５２を第１のタッチスクリーン１２に表示されたマップ領域６３０ｂ上に挿入し表示する。予め定められたタッチジェスチャー、例えば、タップジェスチャー又はタッチアンドホールドが放送要請指示子６５２から感知される場合に、第２のタッチスクリーン１４は、この放送要請に従う要請メッセージウィンドウ６５４を表示する。
【０３４３】
携帯機器は、予め定められたタッチジェスチャー６４０ｆ、例えば、タップジェスチャーを要請メッセージウィンドウ６５４のビューキー６５４ａから感知し、図１４Ｊに進む。図１４Ｊを参照すると、第２のタッチスクリーン１４は、タッチジェスチャー６４０ｆの感知に応じて、この放送要請に従う放送要請アイテム６５６を含む放送要請リストを表示する。放送要請アイテム６５６は、応答キー６５６ａを含む。携帯機器は、予め定められるタッチジェスチャー６４０ｇ、例えば、タップジェスチャーを放送要請アイテム６５６内の応答キー６５６ａから感知し、図１４Ｋに進む。他の実施形態において、図１４Ｉの要請メッセージウィンドウ６５４は、応答キーをさらに含むことができ、第１のタッチスクリーン１２及び第２のタッチスクリーン１４は、要請メッセージウィンドウ６５４内の応答キーから感知されたタップジェスチャーに応答して図１４Ｋに進む。
【０３４４】
図１４Ｋを参照すると、第１のタッチスクリーン１２及び第２のタッチスクリーン１４は、タッチジェスチャー６４０ｇの感知に応じて、第１の放送生成ウィンドウ６６０及び第２の放送生成ウィンドウ６６２をそれぞれ表示する。選択可能な実施形態において、第１の放送生成ウィンドウ６６０及び第２の放送生成ウィンドウ６６２は、第１のタッチスクリーン１２及び第２のタッチスクリーン１４のうちの１つに位置することができる。
【０３４５】
第１のタッチスクリーン１２に表示された第１の放送生成ウィンドウ６６０は、場面モード（Scene mode）、キャスターモード（Caster mode）、及び混合モード（Mix mode）のうちのいずれか１つの放送を受信するモード選択領域６６０ａ、６６０ｂ、及び６６０ｃを含む。第２のタッチスクリーン１４に表示された第２の放送生成ウィンドウ６６２は、放送題目を受信する題目入力領域６６２ａ、放送カテゴリーを選択することができるカテゴリー選択領域６６２ｂ、完了キー６６２ｃ、及び取り消しキー６６２ｄのうちの少なくとも１つを含む。ここで、場面モードは、携帯機器の後方カメラ２６を通して撮影される場面映像を放送するモードを意味し、キャスターモードは、携帯機器の前方カメラ２４を通して撮影されるキャスター映像を放送するモードを意味し、混合モードは、場面映像内にキャスター映像をピクチャインピクチャ（Picture In Picture：ＰＩＰ）方式で結合して放送するモードを意味する。
【０３４６】
放送モード、放送題目、及び放送カテゴリーが第１の放送生成ウィンドウ６６０及び第２の放送生成ウィンドウ６６２を通して入力された後に、携帯機器は、予め定められたタッチジェスチャー６４０ｈ、例えば、タップジェスチャーを完了キー６６２ｃから感知する。パーソナル放送アプリケーションは、タッチジェスチャー６４０ｈの感知に応じて、選択されたモードに従って前方カメラ２４及び後方カメラ２６のうちの少なくとも１つを動作させ、この動作された少なくとも１つの前方カメラ２４又は後方カメラ２６により撮影される映像を収集し、この収集された映像の組み合せを通して生成された放送映像と、この入力された情報（放送モード、放送題目、放送カテゴリー）及び選択的な付加情報（キャスターの名前及び現在の位置）を含む放送サービスデータとを予め指定された送信方式に従って無線信号に載せて放送する。この放送サービスデータは、例えば、セルラーネットワーク又はＷｉＦｉネットワークを通して送信されることができる。
【０３４７】
図１４Ｌを参照すると、携帯機器は、タッチジェスチャー６４０ｈの感知に応じて、少なくとも１つの前方カメラ２４又は後方カメラ２６により撮影され、パーソナル放送アプリケーションにより生成される放送映像６６４を第１のタッチスクリーン１２に表示し、放送映像６６４のキャスターと要請者及び放送映像６６４を視聴する視聴者が参加することができる討論領域６６６及び６６８を第２のタッチスクリーン１４に表示する。討論領域６６６及び６６８は、メッセージ表示ウィンドウ６６６とメッセージ入力ウィンドウ６６８とを含み、メッセージ入力ウィンドウ６６８は、メッセージ入力領域６６８ａとメッセージ送信キー６６８ｂとを含む。メッセージ入力領域６６８ａは、テキスト及び／又は対話アイコンを含むメッセージをユーザから受信する。タップジェスチャーがメッセージ入力領域６６８ａに入力されたメッセージが存在する状態でメッセージ送信キー６６８ｂから感知される場合に、メッセージ表示ウィンドウ６６６は、この入力されたメッセージをユーザの名前（実際の名前又はパーソナル放送アプリケーションに登録されたニックネーム）とともに表示する。
【０３４８】
図示していないが、キャスターが放送を生成する場合に、要請者のマップ領域６３０ａには、キャスターによる放送を示すキャスター指示子が新たに現われ、放送リストには、この放送を示す放送アイテムが含まれる。タップジェスチャーがこの放送アイテムから感知される場合に、要請者の第１及び第２のタッチスクリーンは、このキャスターによる放送の放送映像及び討論領域を表示する。
【０３４９】
図１４Ｍは、パーソナル放送アプリケーションを通した放送の要請及び応答を示す図である。要請者６７０は、図１４Ｍに示すように、自身の携帯機器６７０ｂにより実行されるパーソナル放送アプリケーションを使用して所望する地域内の他のユーザに所望する放送を要請することができる。他のユーザのうちの１つは、この要請に応答してキャスター６７２であり、キャスター６７２は、自身の携帯機器６７２ｂにより実行されるパーソナル放送アプリケーションを使用してこの要請された放送を生成し送信する。要請者６７０及びキャスター６７２の携帯機器６７０ｂ、６７２ｂに表示されるマップ領域には、要請者６７０の位置指示子６７０ａ及びキャスター６７２の位置指示子６７２ａが表示されることができる。
【０３５０】
携帯機器が折り畳み可能な少なくとも１つのパネル上に配置される第１のタッチスクリーン及び第２のタッチスクリーンを含むディスプレイ装置を含み、第１のタッチスクリーン及び第２のタッチスクリーンがヒンジ又はフレキシブルな接続部により接続される場合に、携帯機器は、第１のタッチスクリーンを含む第１のパネルと第２のタッチスクリーンを含む第２のパネルとの動きを命令の入力として認識することができる。この動きは、例えば、フォールディングバック（Folding Back）及びフォールディングホールド（Folding Hold）を含む。ここで、フォールディングバックは、ハードパネルの折り畳みだけでなくフレキシブルなパネルの折り曲げを含む。
【０３５１】
フォールディングバック命令は、有効角度範囲内に２つのパネルを折り畳んだ後に有効時間内に２つのパネルをさらに広げることにより携帯機器で予め定められた機能を実行するユーザインターフェース方式を意味する。フォールディングホールド命令とは、有効角度範囲内で２つのパネルを折り畳み、有効時間の間に２つのパネルを保持することにより携帯機器で予め定められた機能を実行するユーザインターフェース方式を意味する。以下、図面を参照して、フォールディングバック命令及びフォールディングホールド命令について詳細に説明する。
【０３５２】
図１５は、本発明の一実施形態によるフォールディングバック命令の感知を説明する図である。
【０３５３】
図１５Ａは、フォールディングバック命令が携帯機器１００に入力される前の状態を示し、第１のパネル２に対する第２のパネル４の相対角度は、１８０°又は所定の範囲内で１８０°に近接した状態である。ここでは、説明の便宜上、相対角度θが１８０°である状態を示したが、いずれの相対角度であってもよい。図１５Ｂに示すように、携帯機器１００は、相対角度が有効角度範囲Δα内、例えば、２００°から２１０°の範囲内の所定の相対角度（例えば、２０５°）となるように第２のパネル４が相対的に移動することを感知する。また、図１５Ｃに示すように、携帯機器１００は、第２のパネル４が有効時間（例えば、１秒）内に有効角度範囲に進入した方向とは反対の方向に移動するので、相対角度が有効角度範囲から外れることを感知する。
【０３５４】
フォールディングバック命令は、携帯機器１００に入力され、携帯機器１００は、フォールディングバック命令に従う機能を実行する。
【０３５５】
一実施形態において、第１のパネル２と第２のパネル４との間の相対角度が有効時間内に進入した方向とは反対の方向に有効角度範囲から外れさえすれば、フォールディングバック命令は、入力されたものと見なされることができる。第２のパネル４は、元来の位置、すなわち、相対角度θが１８０°である状態（図１５Ａを参照する）に戻る必要まではなく、相対角度θが２００°より小さい任意の値となるように第２のパネル４が移動する場合にフォールディングバック命令が入力される。また、図１５Ｃでは、第２のパネル４が進入方向とは反対の方向に移動することにより有効角度範囲から外れるように説明したが、図１５Ｂの状態で第２のパネル４を移動させる代わりに、第１のパネル２を下方向に移動させることにより第１のパネル２と第２のパネル４との相対角度が２００°より小さい任意の値となる場合にも、フォールディングバック命令が入力されることができる。すなわち、何のパネルを動かすか否かに関係なく、第１のパネル２と第２のパネル４との間の相対角度が有効角度範囲に進入した後に、進入した方向と反対方向に外れさえすればフォールディングバック命令が入力される。
【０３５６】
ここで、有効角度範囲は、フォールディングバック命令を認識させるためにマニュファクチャラーにより予め定められた第１のパネル２と第２のパネル４との間の相対角度の範囲を意味し、相対角度θが２００°から２１０°までの１０°の角度範囲に限定されないが、様々な範囲を有するように設定され得る。また、有効角度範囲は、必要に応じてユーザにより指定された角度範囲に変更されることもある。すなわち、携帯機器は、ユーザが環境設定メニューを通して有効角度範囲を直接に変更するように許容することにより、ユーザの活用パターンに従って携帯機器を最適化するようにすることができる。
【０３５７】
また、有効時間とは、フォールディングバック命令を認識させるためにマニュファクチャラーにより予め定められた時間間隔を意味し、第１のパネル２と第２のパネル４との間の相対角度が有効角度範囲内に進入した時点の後に計算される。本実施形態では、第１のパネル２及び第２のパネル４が有効角度範囲内で折り畳まれた後に計算され、第１のパネル２及び第２のパネル４がさらに広げられるのにかかる有効時間が１秒であることが説明されたが、有効時間は、１秒よりさらに大きいか又はさらに小さい値に様々に設定されることができる。同様に、ユーザの使用パターンに従って携帯機器を最適化することができるように、携帯機器は、ユーザが所望する時間を有効時間として設定するように実現されることができる。
【０３５８】
上述した実施形態では、有効角度範囲及び有効時間のようなパラメータを用いてフォールディングバック命令を説明したが、本発明は、これに限定されず、他の実施形態では、携帯機器が有効角度範囲を使用せずフォールディングバック命令を入力することができる。すなわち、２つのパネル間の相対角度が２つのパネルのうちの少なくとも１つのパネルを任意の第１の方向に移動させることにより変更された後に、所定の時間内に２つのパネルのうちの少なくとも１つのパネルを第１の方向とは実質に反対である第２の方向に移動させることにより、２つのパネル間の相対角度を元来の角度（又は元来の角度及び所定の範囲内に近接した角度）に戻る場合に、携帯機器は、フォールディングバック命令が入力されることを認識することができる。
【０３５９】
上述したフォールディングバック命令は、追加の入力が存在するか否かに従って細分化されることができる。図１５Ｂ’に示すように、第２のパネル４が第１の方向に移動して相対角度が有効角度範囲Δαに進入した後に、ユーザのタッチジェスチャーが有効時間内に第１及び／又は第２のタッチスクリーンから感知されるか又は少なくとも１つの物理的なボタン５及び５’を押すことにより発生する追加の入力が感知され、第２のパネル４が第１の方向と反対である第２の方向に移動して相対角度が有効角度範囲から外れる場合に、携帯機器は、上述したフォールディングバック命令とは異なる機能を実行するフォールディングバック命令が入力されることを認識することができる。すなわち、第１のパネル２及び第２のパネル４が折り畳まれた後にさらに広げられるフォールディングバック命令は、有効時間内にユーザによる追加の入力を有しないフォールディングバック単独命令（図１５Ａ、図１５Ｂ、及び図１５Ｃ）と、有効時間内にユーザによる追加の入力（スクリーンのタッチ又は物理的なボタンの押し）を有するフォールディングバック組み合せ命令（図１５Ａ、図１５Ｂ’、及び図１５Ｃ）とに区分される。携帯機器は、フォールディングバック単独命令及びフォールディングバック組み合せ命令に対して異なる機能を実行するように実現されることにより、細分化されたフォールディングバック命令を実行することができるようにする。
【０３６０】
図１６は、本発明の一実施形態によるフォールディングホールド命令の感知を説明するための図である。
【０３６１】
図１６Ａは、フォールディングホールド命令が携帯機器１００に入力する前の状態を示し、第１のパネル２に対する第２のパネル４の相対角度θは、１８０°又は所定の範囲内で１８０°に近接した状態である。ここでは、説明の便宜上、相対角度θが１８０°である状態を示したが、いずれの相対角度であってもよい。図１６Ｂに示すように、携帯機器１００は、相対角度θが有効角度範囲Δα内、例えば、２００°〜２１０°の範囲内の所定の相対角度（例えば、２０５°）となるように第２のパネル４が相対的に移動することを感知する。また、図１５Ｃに示すように、相対角度が有効時間（例えば、０．５秒）の間に有効角度範囲を保持する場合に、携帯機器１００は、フォールディングホールド命令が入力されると判定し、フォールディングホールド命令に従う機能を実行する。
【０３６２】
ここで、有効角度範囲及び有効時間は、上述したように、マニュファクチャラーにより予め設定されるか又はユーザにより指定されることができる。
【０３６３】
フォールディングホールド命令は、フォールディングバック命令と同様に追加の入力の有無に従って細分化されることができる。図１６Ｂ’に示すように、相対角度が有効角度範囲Δα内にあるように第２のパネル４が移動した後に、相対角度が有効時間の間に保持されつつ第１及び／又は第２のタッチスクリーンに対するユーザのタッチジェスチャーが感知されるか又は少なくとも１つの物理的なボタン５及び５'を押す追加の入力が感知される場合に、携帯機器は、この感知を上述したフォールディングホールド命令とは異なる機能を実行するためのフォールディングホールド命令の入力として認識することができる。すなわち、第１のパネル２及び第２のパネル４が折り畳まれた後の相対角度が有効時間の間に有効角度範囲内で保持されるフォールディングホールド命令は、有効時間内にユーザによる追加の入力がないフォールディングホールド単独命令（図１６Ａ、図１６Ｂ、及び図１６Ｃ）と、有効時間内にユーザによる追加の入力があるフォールディングホールド組み合せ命令（図１６Ａ、図１６Ｂ’、及び図１６ｃ）とに区分される。携帯機器は、フォールディングホールド単独命令及びフォールディングホールド組み合せ命令に対して異なる機能を実行するように実現されることにより、細分化されたフォールディングホールド命令を実行することができるようにする。
【０３６４】
フォールディングホールド命令は、連続した動作を実行する機能、例えば、ズームイン／アウト（Zoom In／Out）機能、速い再生機能、戻し機能などの機能を実行するように構成されることができる。フォールディングホールド命令（単独命令又は組み合せ命令）による機能が実行される場合に、図１６Ｄに示すように、第１のパネル２と第２のパネル４間の相対角度が有効角度範囲から外れると、フォールディングホールド命令による機能が中止される。ここで、携帯機器は、２つのパネル間の相対角度が有効角度範囲の進入方向に関係なく、いずれの方向でも有効角度範囲から外れる限りに、実行されている機能が中止されるように構成されることができる。
【０３６５】
携帯機器は、折り畳み可能な少なくとも１つのパネル上に配置される第１のタッチスクリーン及び第２のタッチスクリーンを含むディスプレイ装置を含み、第１のタッチスクリーンと第２のタッチスクリーンとが折り畳み可能な又は折り曲げ可能な少なくとも１つのパネル上に配置される場合に、タッチスクリーンディスプレイ装置により入力されるフォールディングバック命令によりクリップボード機能をサポートすることができる。携帯機器でカット（Cut）又はコピー（copy）命令によりカットされるか又はコピーされたオブジェクト（テキスト、イメージ、サウンドなど）は、クリップボードと呼ばれる領域に記憶される。このクリップボードは、クリップボードからのペースト（paste）命令が入力されるか又はクリップボードから削除されるまでこのオブジェクトを記憶し、所定の命令に応じてこのオブジェクトを視覚的に表示し提供する。
【０３６６】
図１７（図１７Ａ乃至図１７Ｋを含む）は、本発明の一実施形態によるクリップボード機能のためのユーザインターフェースを示す図である。
【０３６７】
図１７Ａを参照すると、第１のタッチスクリーン１２を含む第１のパネル２と第２のタッチスクリーン１４を含む第２のパネル４との間の相対角度は、実質的に１８０°（以下、第１の相対角度と称する）であり、第１のタッチスクリーン１２は、第１のアプリケーション７０２を表示し、第２のタッチスクリーン１４は、第２のアプリケーション７０４を表示する。第１のアプリケーション７０２及び第２のアプリケーション７０４は、ホームスクリーン、アプリケーションメニュー、基本アプリケーション、及びユーザにより設置されたアプリケーションのうちのいずれのものであってもよい。例えば、第１のアプリケーション７０２及び第２のアプリケーション７０４は、テキスト又はイメージのようなオブジェクトを表示し入力するように構成されることができる。図示する例において、第１のアプリケーション７０２は、ショートメッセージングサービス（Short Messaging Service：ＳＭＳ）、電子メール、又はインスタントメッセージングサービス（Instant Messaging Service：ＩＭＳ）のようなメッセージアプリケーションであり、第２のアプリケーション７０４は、インターネットブラウジングアプリケーションである。
【０３６８】
図１７Ｂを参照すると、第２のパネル４が第１のパネル２に対して相対的に移動するので、すなわち、第１の方向に移動するので、携帯機器は、第１のパネル２と第２のパネル４との間の相対角度が変更されることを認識する。１つの実施形態において、第２のパネル４が第１のパネル２と第２のパネル４との間のヒンジに基づいて回転するので、第１のパネル２と第２のパネル４との間の相対角度は、１８０°を超過する所定の範囲（例えば、２００°〜２１０°）内の角度（以下、第２の相対角度と称する）となる。携帯機器は、第１のパネル２と第２のパネル４との間の相対角度が第２の相対角度となった後に、第２のパネル４が所定の有効時間内に第１のパネル２に対して相対的に移動、すなわち、第１の方向と反対の方向である第２の方向に回転するので、第１のパネル２と第２のパネル４との間の相対角度がさらに第１の相対角度となる（又は実質的に第１の相対角度となる）ことを感知し、フォールディングバック命令７００が入力されると判定する。上述したように、フォールディングバック命令７００は、第１のタッチスクリーン１２及び第２のタッチスクリーン１４を含む第１のパネル２及び第２のパネル４が外側に若干折り畳まれた後にさらに広げられる場合に感知される。
【０３６９】
図１７Ｃを参照すると、携帯機器は、フォールディングバック命令７００に応じて、第１のタッチスクリーン１２及び／又は第２のタッチスクリーン１４の予め定められた領域、例えば、第２のタッチスクリーン１４の右部にクリップボード７１０を表示する。
【０３７０】
クリップボード７１０は、カット（cut）又はコピー（copy）命令によりカット又はコピーされたオブジェクト７１０ａ、７１０ｂ、７１０ｃ、７１０ｄ、及び７１０ｅを記憶し表示する領域であり、クリップボード７１０内で各オブジェクト７１０ａ乃至７１０ｅの原本であるテキスト、イメージ、及びサウンドを簡素化（又は小型化）したイメージ又はアイコン形態で表示する。例えば、クリップボード７１０内の各オブジェクト７１０ａ乃至７１０ｅは、原本から派生した日付及び時間とともに表示されることができる。
【０３７１】
図示していないが、クリップボード７１０が表示されている間にフォールディングバック命令がさらに入力される場合に、第２のタッチスクリーン１４は、クリップボード７１０を除去することができる。第２のタッチスクリーン１４には、元来の第２のアプリケーション７０４がさらに表示される。
【０３７２】
図１７Ｄを参照すると、携帯機器は、第１のタッチスクリーン１２又は第２のタッチスクリーン１４で第１のアプリケーション７０２又は第２のアプリケーション７０４により表示されるオブジェクト、すなわち、テキスト又はイメージのうちのいずれか１つのオブジェクト７０６からクリップボード７１０内の１つの位置（以下、第１の位置と称する）に移動するタッチジェスチャー７００ａ、例えば、タッチドラッグを感知し、図１７Ｅに進む。図１７Ｅを参照すると、タッチジェスチャー７００ａの感知に応じて、オブジェクト７０６のコピーであるオブジェクト７１０ｆは、クリップボード７１０に含まれる。クリップボード７１０は、簡素化したイメージ又はアイコンのシンボル形態で第１の位置に表示されることができる。オブジェクト７１０ｆがクリップボード７１０に新たに進入するに従って、クリップボード７１０内で表示されているオブジェクトは、新たに進入したオブジェクト７１０ｆとともに再整列されることができる。
【０３７３】
図１７Ｆを参照すると、携帯機器は、クリップボード７１０内で配列されたオブジェクト７１０ａ、７１０ｂ、７１０ｃ、７１０ｄ、及び７１０ｅの方向へのタッチジェスチャー７００ｂ、例えば、フリックアップ／フリックダウン又はタッチドラッグアップ／タッチドラッグダウンを感知し、タッチジェスチャー７００ｂに応じて、クリップボード７１０に含まれるオブジェクトを上方向又は下方向にスクロールしつつ表示する。
【０３７４】
図１７Ｇを参照すると、携帯機器は、クリップボード７１０上に表示されるオブジェクト７１０ｃ、７１０ｆ、７１０ｄ、７１０ｅ、７１０ｇ、及び７１０ｈのうちのいずれか１つのオブジェクト７１０ｄから第１のタッチスクリーン１２又は第２のタッチスクリーン１４の１つの位置（以下、第２の位置と称する）に移動するタッチジェスチャー７００ｃ、例えば、タッチドラッグを感知する。図示する例において、オブジェクト７１０ｄは、インターネットアドレス、すなわち、ユニフォームリソースロケータ（Uniform Resource Locator：ＵＲＬ）のテキストである“http://mobile.nytimes.com”であり、第２のタッチスクリーン１４に表示されているインターネットブラウジングアプリケーション７０４のアドレス入力ウィンドウにドラッグされる。図１７Ｈに示すように、インターネットブラウジングアプリケーション７０４は、タッチジェスチャー７００ｃに従ってオブジェクト７１０ｄのテキストをインターネットアドレスとして受信し、このインターネットアドレスに対応するウェブページ７０４ａを表示する。
【０３７５】
図１７Ｈを参照すると、携帯機器は、クリップボード７１０の外側に向かうタッチジェスチャー７００ｄ、例えば、フリック又はタッチドラッグを第２のタッチスクリーン１４に表示されるアプリケーション７０４ａとクリップボード７１０間の境界線から感知する。図１７Ｉに示すように、クリップボード７１０は、タッチジェスチャー７００ｄに従って第２のタッチスクリーン１４内で拡張される。例えば、タッチジェスチャー７００ｄは、クリップボード７１０の境界線で開始し、クリップボード７１０の外側に位置した第２のタッチスクリーン１４の１つの位置（以下、第３の位置と称する）で終了するタッチドラッグである。その後に、拡張されたクリップボード７１２は、その境界が第３の位置に触れる横長さを有する。他の例において、タッチジェスチャー７００ｄは、クリップボード７１０の境界線で開始し、第１のタッチスクリーン１２の方向に移動するフリックを含み、拡張されたクリップボード７１２は、第２のタッチスクリーン１４の範囲内で予め定められる横長さを有する。タッチジェスチャー７００ｄにより拡張されたクリップボード７１２が広げられるに従って、第２のタッチスクリーン１４に表示されたアプリケーション７０４ａは、拡張されたクリップボード７１２により部分的に又は大部分隠されることがある。
【０３７６】
拡張されたクリップボード７１２は、元来サイズのクリップボード７１０よりさらに多いオブジェクト７１２ｂを表示することができる。選択可能な実施形態において、拡張されたクリップボード７１２は、表示されるオブジェクトのカテゴリー、例えば、全体、テキスト、イメージ、及びサウンドを選択することができるメニューウィンドウ７１２ａを含み得る。最初に拡張されたクリップボード７１２は、全体のカテゴリーのオブジェクト７１２ｂを表示し、メニューウィンドウ７１２ａ内のいずれか１つのカテゴリーキーでタップジェスチャーが感知されると、対応するカテゴリーのオブジェクトだけをフィルタリングし表示する。
【０３７７】
図示していないが、第２のタッチスクリーン１４に表示されているアプリケーション７０４ａと拡張されたクリップボード７１２間の境界線から拡張されたクリップボード７１２の内側に向かうタッチジェスチャー、例えば、フリック又はタッチドラッグが感知される場合に、第２のタッチスクリーン１４は、拡張されたクリップボード７１２を元来のサイズのクリップボード７１０に縮小し、この縮小されたクリップボード７１０を表示する。
【０３７８】
また、図示していないが、拡張されたクリップボード７１２が表示されている間にフォールディングバック命令が入力される場合に、第２のタッチスクリーン１４は、拡張されたクリップボード７１２をこれ以上表示せず除去する。元来の第２のアプリケーション７０４ａは、第２のタッチスクリーン１４にさらに表示される。
【０３７９】
図１７Ｊを参照すると、携帯機器は、拡張されたクリップボード７１２上に表示されるオブジェクト７１２ａのうちのいずれか１つのオブジェクト７１２ｃから第１のタッチスクリーン１２又は第２のタッチスクリーン１４の１つの位置（以下、第４の位置と称する）に移動するタッチジェスチャー７００ｅ、例えば、タッチドラッグを感知する。図示する例において、オブジェクト７１２ｃは、ピクチャーイメージであり、タッチジェスチャー７００ｅに従って第１のタッチスクリーン１２に表示されているメッセージアプリケーション７０２にドラッグされる。図１７Ｋに示すように、メッセージアプリケーション７０２は、タッチジェスチャー７００ｅの解除に応じてオブジェクト７１２ｃのピクチャーイメージ７１４ｂを受信し、ピクチャーイメージ７１４ｂを送信するためのメッセージ送信入力ウィンドウ７１４及びピクチャーイメージ７１４ｂを送信するための送信キー７１４ａを第１のタッチスクリーン１２に表示する。タップジェスチャー７００ｆが送信キー７１４ａから感知される場合に、メッセージアプリケーション７０２は、ピクチャーイメージを含むメッセージを宛先に送信する。
【０３８０】
選択可能な実施形態において、クリップボード７１０が第２のタッチスクリーン１４に表示されている間に、クリップボード７１０の境界線からクリップボード７１０の内側に向かうタッチジェスチャー、例えば、フリック又はクリップボード７１０の反対側の境界線に到達するタッチドラッグが感知される場合に、第２のタッチスクリーン１４は、クリップボード７１０を除去する。言い換えれば、拡張されないクリップボード７１０は、タッチジェスチャー又はフォールディングバック命令により第２のタッチスクリーン１４から除去されることができる。
【０３８１】
携帯機器は、折り畳み可能な少なくとも１つのパネル上に配置される第１のタッチスクリーン及び第２のタッチスクリーンを含むディスプレイ装置を含み、第１のタッチスクリーンと第２のタッチスクリーンとが折り畳み可能な又は折り曲げ可能な少なくとも１つのパネル上に配置される場合に、タッチスクリーンディスプレイ装置により入力されるフォールディングバック命令により電子ブック機能をサポートすることができる。
【０３８２】
図１８（図１８Ａ乃至図１８Ｐを含む）は、本発明の一実施形態による電子ブック機能のためのユーザインターフェースを示す図である。
【０３８３】
図１８Ａを参照すると、第１のタッチスクリーン１２を含む第１のパネル２と第２のタッチスクリーン１４を含む第２のパネル４との間の相対角度は、実質的に１８０°（以下、第１の相対角度と称する）であり、第１のタッチスクリーン１２は、電子ブックアプリケーションにより提供される第１のページ８０２ａ及び前ページのエッジライン８０２を表示し、第２のタッチスクリーン１４は、電子ブックアプリケーションにより提供される第２のページ８０４ａ及び後ページのエッジライン８０４を表示する。第１のページ８０２ａ及び第２のページ８０４ａは、同一の電子ブックコンテンツのテキスト及び／又は挿話を含む。
【０３８４】
一実施形態において、エッジライン８０２及び８０４は、前ページ及び後ページの量に基づいて異なる領域及び間隔を有することができる。例えば、現在表示されているページが電子ブックコンテンツの２０〜４０％に対応する場合に、前ページのエッジライン８０２は１ｃｍで表示され、後ページのエッジライン８０４は２ｃｍで表示される。現在表示されているページが電子ブックコンテンツの４０〜６０％に対応する場合に、前ページのエッジライン８０２は、１．５ｃｍで表示され、後ページのエッジライン８０４は、１．５ｃｍで表示され、現在表示されているページが電子ブックコンテンツの６０〜８０％に対応する場合に、前ページのエッジライン８０２は、２ｃｍで表示され、後ページのエッジライン８０４は、１ｃｍで表示される。現在表示されているページが電子ブックコンテンツの８０〜１００％に対応する場合に、前ページのエッジライン８０２は、２．５ｃｍで表示され、後ページのエッジライン８０４は、０．５ｃｍで表示される。
【０３８５】
他の実施形態において、第１のパネル２及び第２のパネル４が広げられている状態で前ページ及び後ページに対応するエッジライン８０２及び８０４が隠されており、第１のパネル２及び第２のパネル４のうちの１つが内側に若干折り畳まれた後に所定の有効時間の間に保持される時に対応するエッジライン８０２及び８０４が表示される。１つの実施形態において、第２のパネル４が内側に若干、例えば、相対角度が１８０°以上２１０°未満になるように折り畳まれる場合に、第２のタッチスクリーン１４は、表示された第２のページ８０４ａの右側にエッジライン８０４を表示する。第２のパネル４がさらに折り畳まれる場合に、例えば、相対角度が２１０°以上２３０°未満になるように第２のパネル４が折り畳まれる場合に、エッジライン８０４は、相対角度に従ってより広い領域又は間隔を有するように拡張して表示されることができる。同様に、第１のパネル２が内側に若干、例えば、相対角度が１８０°以上２１０°未満になるように折り畳まれる場合に、第１のタッチスクリーン１２は、表示された第１のページ８０２ａの左側にエッジライン８０２を表示する。第１のパネル２がさらに折り畳まれる場合に、例えば、相対角度が２１０°以上２３０°未満になるように第１のパネル２が折り畳まれる場合に、エッジライン８０２は、相対角度に従ってより広い領域又は間隔を有するように拡張して表示されることができる。選択可能な実施形態において、第１のパネル２及び第２のパネル４がさらに広げられる場合に、エッジライン８０２及び８０４は、第１のタッチスクリーン１２及び第２のタッチスクリーン１４から除去されることができる。
【０３８６】
携帯機器は、第２のタッチスクリーン１４から第１のタッチスクリーン１２の方向に向かう予め指定されたタッチジェスチャー８００ａ、例えば、フリック又はタッチドラッグを感知する場合に、図１８Ｂに進む。
【０３８７】
図１８Ｂに示すように、第１のタッチスクリーン１２及び第２のタッチスクリーン１４は、タッチジェスチャー８００ａの感知に応じて、第１のページ８０２ａ及び第２のページ８０４ａを後続する第３のページ８０２ｂ及び第４のページ８０４ｂに置き換えて表示する。この時に、第３のページ８０２ｂ及び第４のページ８０４ｂは、第２のページ８０４ａをめくる立体的なグラフィック効果で表示されることができる。第２のページ８０４ａが捲れた後に、第３のページ８０２ｂ及び第４のページ８０４ｂの前ページ及び後ページのエッジライン８０２及び８０４がやはり表示されている。
【０３８８】
図１８Ｂを参照すると、携帯機器は、第２のパネル４が第１のパネル２に対して相対的に移動、すなわち、第１の方向に移動することにより、第１のパネル２と第２のパネル４との間の相対角度が変更されることを感知する。例えば、第２のパネル４が第１のパネル２と第２のパネル４との間のヒンジに基づいて回転することにより、第１のパネル２と第２のパネル４との間の相対角度は、１８０°を超過する所定の範囲（例えば、２００°〜２１０°）内の角度（以下、第２の相対角度と称する）となる。携帯機器は、第１のパネル２と第２のパネル４との間の相対角度が第２の相対角度となった後に、第２のパネル４が所定の有効時間内に第１のパネル２に対して相対的に移動、すなわち第１の方向と反対の方向である第２の方向に移動することにより、第１のパネル２と第２のパネル４との間の相対角度がさらに第１の相対角度（又は実質的な第１の相対角度）となることを感知し、フォールディングバック命令８００ｂが入力されると判定する。
【０３８９】
図１８Ｃを参照すると、携帯機器は、フォールディングバック命令８００ｂに応じて、第２のタッチスクリーン１４に表示された第４のページ８０４ｂの後ページのエッジライン８０４のうちの少なくとも一部のエッジラインに添付されたタグ８０６を表示する。各タグ８０６は、ユーザ又は電子ブックコンテンツのプロバイダーにより指定されたページのエッジラインに位置し、タグ８０６は、ページ８０２ｂ、８０４ｂ及びエッジライン８０４と視覚的に識別される異なるカラーを有することができる。選択可能な実施形態において、各タグ８０６は、ユーザ又は電子ブックコンテンツのプロバイダーにより指定されたメモ又はハイライトされたアイテムを含むページのエッジラインに添付されることができる。図示していないが、タグ８０６のうちのいずれか１つである第１のタグからタッチジェスチャー、例えば、タップジェスチャーが感知される場合に、携帯機器は、ページをめくるグラフィック効果を実行し、第１のタグが添付されたページを含む２枚のページを第１のタッチスクリーン１２及び第２のタッチスクリーン１４に表示する。選択可能な実施形態において、タグ８０６は、フォールディングバック命令がさらに入力される時に除去されることができる。
【０３９０】
図１８Ｄを参照すると、携帯機器は、第２のタッチスクリーン１４に表示された第４のページ８０４ｂの後ページのエッジライン８０４のうちの１つである第１のエッジライン８０８から予め定められたタッチジェスチャー８００ｃ、例えば、タッチ又はタッチアンドホールドを感知する。第２のタッチスクリーン１４は、タッチ８００ｃの感知に応じて第１のエッジライン８０８のカラーを他のエッジラインと視覚的に識別されるカラー（第１のカラー、例えば、赤色）に変更する。この時に、第１のエッジライン８０８のページ番号、例えば、“Ｐ１０５”を示すページ指示子８０８ａは、第１のエッジライン８０８上に表示されることができる。
【０３９１】
図１８Ｅを参照すると、タッチ８００ｃが保持されつつエッジライン８０４と交差する方向に移動することにより、エッジライン領域８０４内の第２のエッジライン８０８ｂで解除される。従って、第１のエッジライン８０８から第２のエッジライン８０８ｂに至るタッチドラッグ８００ｃ及び８００ｄが感知される場合に、第２のタッチスクリーン１４は、第２のエッジライン８０８ｂを第１のカラーに変更する。この時に、第２のエッジライン８０８ｂのページ番号、例えば、“Ｐ５１”を示すページ指示子８０８ｃは、第１のエッジライン８０８上に表示されることができる。
【０３９２】
図１８Ｆを参照すると、携帯機器は、タッチ８００ｃが解除されることを感知し、第１のタッチスクリーン１２及び第２のタッチスクリーン１４に表示された第３のページ８０２ｂ及び第４のページ８０４ｂを第２のエッジライン８０８ｂのページを含む第５のページ８０２ｃ及び第６のページ８０４ｃに置き換え、この置き換えられた第５のページ８０２ｃ及び第６のページ８０４ｃを表示する。この時に、第５のページ８０２ｃ及び第６のページ８０４ｃは、第３のページ８０２ｂ及び第４のページ８０４ｂと第５のページ８０２ｃ及び第６のページ８０４ｃとの間のページを連続してめくるグラフィック効果で表示されることができる。また、第５のページ８０２ｃ及び第６のページ８０４ｃの前ページ及び後ページのエッジライン８０２及び８０４は、やはり表示されている。
【０３９３】
図１８Ｆを参照すると、第２のタッチスクリーン１４は、第６のページ８０４ｃに含まれるアイテムのうちの第１のアイテム（テキスト又は挿話）８１０をハイライトして表示することができる。ハイライトされた第１のアイテム８１０は、ユーザ又は電子ブックコンテンツのプロバイダーにより指定されることができ、指定された日付／時間を表示する指示子８１０ａとともに表示されることができる。
【０３９４】
図１８Ｇを参照すると、携帯機器は、第２のタッチスクリーン１４上の第６のページ８０４ｃに含まれるアイテムのうちの第２のアイテム８１０ｂに沿って移動するタッチドラッグ８００ｅを感知し、タッチドラッグ８００ｅに従って第２のアイテム８１０ｂを指定されたカラーでハイライトし、ハイライトされた第２のアイテム８１０ｂを表示する。
【０３９５】
図１８Ｈを参照すると、携帯機器は、タッチドラッグ８００ｅが解除されることを感知し、タッチドラッグ８００ｅが解除される位置、すなわち、第２のアイテム８１０ｂのエンドでハイライト機能を制御するためのソフトメニューであるメニューバー８１２を表示する。例えば、メニューバー８１２は、ハイライトが実行されるか否かを選択するか又はハイライトを制御するハイライトキー８１２ａと、ハイライトカラー（又は文字）を変更するためのカラーキー８１２ｂと、メモを添付するためのメモキー８１２ｃとを含む。予め定められたタッチジェスチャー８００ｆ、例えば、タップジェスチャーがメモキー８１２ｃから感知される場合に、携帯機器は、図１８Ｉに進む。
【０３９６】
図１８Ｉを参照すると、携帯機器は、メモキー８１２ｃ上のタッチジェスチャー８００ｆの感知に応じてメモ入力ウィンドウ８１４を第２のタッチスクリーン１４に表示する。例えば、メモ入力ウィンドウ８１４は、タッチドラッグ８００ｅにより選択された第２のアイテム８１０ｂの内容を少なくとも含み、ユーザによる編集機能を許容する。タップジェスチャーがメモウィンドウ８１４に含まれる完了（done key）キーから感知される場合に、図１８Ｊに示すように、第２のタッチスクリーン１４は、メモ入力ウィンドウ８１４により入力され編集された第２のアイテム８１０ｂの内容を含むメモウィンドウ８１４ａを予め定められた位置に表示する。メモウィンドウ８１４ａは、メモ入力ウィンドウ８１４より小さいサイズを有し、メモ入力ウィンドウ８１４を通して入力された内容のうちの一部又は縮小された内容を含み、メモ入力ウィンドウ８１４を簡素化した形状を有することができる。また、対応する第２のアイテム８１０ｂのハイライトカラーと同一のカラーを有するタグは、メモウィンドウ８１４ａに添付されることができる。選択可能な実施形態において、メモウィンドウ８１４ａが表示される時に、メモウィンドウ８１４ａのカラーと同一のカラーを有するタグは、メモウィンドウ８１４ａを含むページのエッジラインに添付されることができる。
【０３９７】
図１８Ｋを参照すると、第２のタッチスクリーン１４は、ユーザにより第６のページ８０４ｃから選択されたアイテムを含む１つ又はそれ以上のメモウィンドウ８１４ａ及び８１４ｂを表示する。図１８Ｋを参照すると、携帯機器は、メモウィンドウ８１４ｂで開始し、第１のタッチスクリーン１２及び第２のタッチスクリーン１４内のメモウィンドウ８１４ｂの外部の位置（第１の位置）で解除されるタッチドラッグ８００ｇに応じて、メモウィンドウ８１４ｂを第１の位置に移動した後に、この移動されたメモウィンドウを第１の位置に表示することができる。図示している例において、第１の位置は、第１のタッチスクリーン１２内に位置する。同様に、図１８Ｌを参照すると、携帯機器は、メモウィンドウ８１４ａからメモウィンドウ８１４ａの外部の位置（第２の位置）に向かうタッチドラッグ８００ｈに応じて、メモウィンドウ８１４ａを第２の位置に移動し、この移動されたメモウィンドウ８１４ａを第２の位置に表示することができる。
【０３９８】
図１８Ｍを参照すると、ページ８０２ｃ及び８０４ｃが第１のタッチスクリーン１２及び第２のタッチスクリーン１４に表示されている間に、第１のパネル２及び第２のパネル４が外側に折り畳まれるように第２のパネル４が第１のパネル２に対して相対的に移動、すなわち、第１の方向に移動することにより、携帯機器は、第１のパネル２と第２のパネル４との間の相対角度が変更されることを感知する。例えば、第２のパネル４が第１のパネル２と第２のパネル４との間のヒンジに基づいて回転することにより、第１のパネル２と第２のパネル４間の相対角度は、１８０°を超過する所定の範囲（例えば、２００°〜２１０°）内の角度（以下、第２の相対角度と称する）となる。第１のパネル２と第２のパネル４との間の相対角度が第２の相対角度となり、所定の有効時間を超過して第２の相対角度が保持される場合に、携帯機器は、フォールディングホールド命令８００ｉが入力されると判定する。
【０３９９】
携帯機器は、フォールディングホールド命令８００ｉに応じて第１のタッチスクリーン１２及び第２のタッチスクリーン１４に表示されている現在のページ８０２ｃ及び８０４ｃから次のページに連続してページが捲れるグラフィック効果８１６、すなわち、動画像（moving image）を表示する。ここで、各ページは、第２のタッチスクリーン１４から第１のタッチスクリーン１２に捲れる時に、第１のタッチスクリーン１２及び第２のタッチスクリーン１４の両側にわたって表示されることができる。
【０４００】
図１８Ｎを参照すると、フォールディングホールド命令８００ｉに従ってページが連続して捲れるグラフィック効果８１６を表示する間に、携帯機器は、第２のパネル４が第１のパネル２に対して相対的に移動、すなわち、第１の方向と反対の方向である第２の方向に移動することにより、第１のパネル２と第２のパネル４との間の相対角度がさらに第１の相対角度（又は実質的な第１の相対角度）となることを感知し、フォールディングホールド命令８００ｉが解除され、フォールディングバック命令８００ｊが入力されると判定する。
【０４０１】
図１８Ｏを参照すると、携帯機器は、フォールディングバック命令８００ｊの感知に応じてページをめくるグラフィック効果８１６を終了し、ページをめくらない新たなページ８０２ｄ及び８０４ｄを第１のタッチスクリーン１２及び第２のタッチスクリーン１４に表示する。連続したページめくれ機能は、フォールディングホールド命令８００ｉが保持される間に、第１のパネルと第２のパネルとの間の相対角度に基づいて異なる速度で実行されることができる。例えば、相対角度の範囲は、４つの角度範囲に細分化され、第２の相対角度が第１の角度範囲内にある場合には、後方に１倍速ページめくれ機能が実行され、第２の相対角度が第２の角度範囲内にある場合には、後方に２倍速ページめくれ機能が実行され、第２の相対角度が第３の角度範囲内にある場合には、前方に１倍速ページめくれ機能が実行され、第２の相対角度が第４の角度範囲内にある場合には、前方に２倍速ページめくれ機能が実行される。
【０４０２】
図１８Ｏを参照すると、携帯機器は、第１のタッチスクリーン１２及び第２のタッチスクリーン１４に表示されている現在のページ８０２ｄ及び８０４ｄのうちの任意の位置で予め指定されたタッチジェスチャー８００ｋ、例えば、タッチアンドホールドを感知すると、図１８Ｐに進む。
【０４０３】
図１８Ｐに示すように、携帯機器は、タッチジェスチャー８００ｋの感知に応じて、電子ブック設定メニュー８１８を第１のタッチスクリーン１２及び第２のタッチスクリーン１４内の予め定められる領域に表示する。例えば、電子ブック設定メニュー８１８は、現在のページ８０２ｄ及び８０４ｄの上部に半透明状態で表示されることができ、フォント変更、インデックス、及びテキスト入力のためのソフトキー８１８ａとチャプター（chapter）リスト８１８ｂとを含む。
【０４０４】
例えば、チャプターリスト８１８ｂは、電子ブックコンテンツに含まれるチャプター番号及び現在のチャプター位置を示す現在のチャプター指示子８２０を含む。タップジェスチャー８００ｌがチャプターリスト８１８ｂのチャプター番号のうちのいずれか１つである第１のチャプター番号から感知されると、携帯機器は、タップジェスチャー８００ｌの感知に応じて第１のチャプター番号に対応する第１のチャプターの１番目のページ（図示せず）を第１のタッチスクリーン１２及び第２のタッチスクリーン１４に表示することができる。
【０４０５】
他の実施形態において、チャプターリスト８１８ｂは、タッチジェスチャーの入力を必要とせず、第１のタッチスクリーン１２及び第２のタッチスクリーン１４の上部又は下部に常に表示されることができる。
【０４０６】
携帯機器は、折り畳み可能な少なくとも１つのパネル上に配置される第１のタッチスクリーン及び第２のタッチスクリーンを含むディスプレイ装置を通して、個別の作業環境の画像会議（Video Conference）アプリケーションをサポートすることができる。画像会議の参加者は、グループ呼の接続を通して画像会議に参加することができる。
【０４０７】
図１９（図１９Ａ乃至図１９Ｇを含む）は、本発明の一実施形態による画像会議アプリケーションのユーザインターフェースを示す図である。
【０４０８】
図１９Ａを参照すると、第１のタッチスクリーン１２は、画像会議アプリケーションにより提供されることができる複数の画像会議のうちで、第１の画像会議に関連した参加者リスト領域９０２ａ、基本情報領域９０２ｂ、会議リスタート（Conference Restart）キー９０２ｃ、及び新たな会議生成（Create New Conference）キー９０２ｄのうちの少なくとも１つを表示する。参加者リスト領域９０２ａは、携帯機器のユーザを含む参加者の名前（又はニックネーム）及びピクチャーイメージ（サムネイル）を含む。基本情報領域９０２ｂは、会議日付、例えば、“Ｔｕｅｓｄａｙ  １６  Ｎｏｖ  ２０１０”と、会議開始及び終了（予定）時間、例えば、“１５：００”及び“１６：３７”と、会議に使用される文書ファイルの名前、例えば、“Ｄｕａｌ  Ｄｉｓｐｌａｙ．ｐｐｔ”のうちの少なくとも１つを含む。会議リスタートキー９０２ｃは、第１の画像会議が一時的に中断された状態である場合に、第１の画像会議の再開始を参加者に要請するか又は通報するために使用されるソフトキーである。新たな会議生成キー９０２ｄは、新たな画像会議を生成するために使用されるソフトキーである。
【０４０９】
第２のタッチスクリーン１４は、画像会議アプリケーションにより提供されることができる画像会議を示す会議アイテムの少なくとも一部を含む画像会議リスト９０４を表示する。画像会議リスト９０４に含まれる各会議アイテムは、画像会議の題目、開始時間、発議者（Host）、参加者数、進行時間のうちの少なくとも１つを含む。追加で、第２のタッチスクリーン１４は、仮想キーパッドをローディングするためのキーパッドキー９０４ａ、頻繁に探す画像会議だけを選択するためのお気に入り（Favorites）キー９０４ｂ、及び連絡先をローディングするための連絡先キー９０４ｃのうちの少なくとも１つをさらに表示することができる。図示していないが、タップジェスチャーが第２のタッチスクリーン１４に表示される会議アイテムのうちの第２の画像会議の会議アイテムから感知される場合に、携帯機器は、第１のタッチスクリーン１２に表示される第１の画像会議に関連した情報９０２ａ及び９０２ｂを第２の画像会議に関連した情報に置き換えて表示する。
【０４１０】
携帯機器は、第１のタッチスクリーン１２の会議リスタートキー９０２ｃから予め定められたタッチジェスチャー９００ａ、例えば、タップジェスチャーを感知すると、図１９Ｂに進む。
【０４１１】
図１９Ｂを参照すると、携帯機器は、タッチジェスチャー９００ａの感知に応じて、第１の画像会議の参加者リスト領域９０２ａを拡張した、参加者リスト領域９０６を第１のタッチスクリーン１２に表示し、第１の画像会議のための共有ボード（shared board）領域９０８を第２のタッチスクリーン１４に表示する。参加者リスト領域９０６は、ユーザ自身“ＭＥ”を含む接続中である参加者の名前（又はニックネーム）及びピクチャーイメージを含み、各ピクチャーイメージは、参加者リスト領域９０２ａ内のピクチャーイメージより大きいサイズを有することができる。選択可能な実施形態において、参加者リスト領域９０６は、参加者リスト領域９０２ａに比べて各参加者に関するさらなる情報を提供することができる。
【０４１２】
追加で、第１のタッチスクリーン１２は、新たな参加者を追加するための参加者追加キー９０６ａ、マイクを消すためのマイクロフォンオフキー９０６ｂ、及び画像会議を終了するか又は画像会議から抜け出るための通話終了キー９０６ｃのうちの少なくとも１つをさらに表示する。共有ボード領域９０８は、基本設定に従って第１の画像会議に使用されるように登録された文書ファイル、例えば、“Ａｔｏｍｉｃ Ｓｔｒｕｃｔｕｒｅ．ｐｐｔ”の内容を表示する。第２のタッチスクリーン１４は、共有ボード領域９０８上でのタッチジェスチャー、例えば、フリックアップ／フリックダウン又はタッチドラッグアップ／タッチドラッグダウンの感知に応じて表示されている文書ファイルの内容のスクロールアップ／スクロールダウンを行う。追加で、第２のタッチスクリーン１４は、共有ボード領域９０８をホワイトボード領域として使用するように選択するためのホワイトボードキー９０８ａをさらに表示することができる。
【０４１３】
携帯機器は、第１のタッチスクリーン１２の参加者追加キー９０６ａから予め定められたタッチジェスチャー９００ｂ、例えば、タップジェスチャーを感知すると、図１９Ｃに進む。
【０４１４】
図１９Ｃを参照すると、携帯機器は、タッチジェスチャー９００ｂの感知に応じて、第１の画像会議に参加可能な連絡先の人リストを含む連絡先ウィンドウ９１０を第１のタッチスクリーン１２に表示する。連絡先ウィンドウ９１０は、各人物の人物名前及びチェックボックスを含む人リスト９１０ａと、追加キー９１０ｂと、取り消しキー９１０ｃとを含む。人リスト９１０ａ内の少なくとも１つの人、例えば、“Ｊａｅ”に対するチェックボックスがチェックされ、追加キー９１０ｂからタッチジェスチャー９  ００ｃ、例えば、タップジェスチャーが感知されると、携帯機器は、図１９Ｄに進む。
【０４１５】
図１９Ｄを参照すると、携帯機器は、タッチジェスチャー９００ｃの感知に応じて連絡先ウィンドウ９１０から指定された人、“Ｊａｅ”の名前及びピクチャーイメージを新たな参加者として含む参加者リスト領域９０６ｄを第１のタッチスクリーン１２に表示する。
【０４１６】
携帯機器は、第２のタッチスクリーン１４に表示されているホワイトボードキー９０８ａから予め定められたタッチジェスチャー９００ｄ、例えば、タップジェスチャーを感知すると、図１９Ｅに進む。
【０４１７】
図１９Ｅを参照すると、携帯機器は、タッチジェスチャー９００ｄの感知に応じて、第２のタッチスクリーン１４の共有ボード領域９０８上に表示されていた文書ファイルをホワイトボード領域９１２に置き換えて表示する。ホワイトボード領域９１２は、ユーザのタッチによる手描きオブジェクトの入力を許容し、ユーザを含む第１の画像会議の参加者のそれぞれにより入力される手描きオブジェクト（Freehand drawing objects）９１２ａ、９１２ｂ、及び９１２ｃを表示する。手描きオブジェクト９１２ａ、９１２ｂ、及び９１２ｃは、参加者のそれぞれに提供されるホワイトボード領域を通して参加者のそれぞれにより入力されるテキスト又はイメージ形態のグラフィックデータを意味する。
【０４１８】
各手描きオブジェクト９１２ａ、９１２ｂ、及び９１２ｃは、参加者別に異なるカラーを有することが好ましい。ホワイトボード領域９１２が表示される間に、第１のタッチスクリーン１２の参加者リスト領域９０６ｄに含まれる各ピクチャーイメージには、対応する手描きオブジェクト９１２ａ、９１２ｂ、及び９１２ｃのカラーを示すカラー指示子９１２ｆが表示される。手描きオブジェクトを入力している参加者のカラー指示子は、ホワイトボード領域９１２にちらついて表示されることができる。追加で、ホワイトボード領域９１２は、ユーザによる手描きの入力及び削除のためのキー９１２ｄ及び９１２ｅを含むことができる。
【０４１９】
ホワイトボード領域９１２が表示される間に、第２のタッチスクリーン１４は、文書ファイルを共有ボード領域に表示するための文書ファイル選択キー９０８ｂをさらに表示する。タップジェスチャーが文書ファイル選択キー９０８ｂから感知されると、第２のタッチスクリーン１４は、ホワイトボード領域９１２を文書ファイルに置き換えて表示する。
【０４２０】
携帯機器の第１のタッチスクリーン１２及び第２のタッチスクリーン１４が折り畳まれるか又は曲げられることができる少なくとも１つのパネルに配置される場合に、携帯機器は、アウトフォールデッドスクリーンモードで画像会議アプリケーションをサポートすることができる。
【０４２１】
図１９Ｆを参照すると、画像会議アプリケーションが第１のタッチスクリーン１２及び第２のタッチスクリーン１４に表示されている間に、第１のタッチスクリーン１２を含む第１のパネル２が第２のパネル４に対して相対的に移動することにより、携帯機器は、第１のパネル２と第２のパネル４との間の相対角度が１８０°より小さいことを感知し、フォールドアウト命令９００ｅが入力されるものと判定する。例えば、第１のパネル２が第１のパネル２と第２のパネル４との間のヒンジに基づいて回転することにより、第１のパネル２と第２のパネル４との間の相対角度が１８０°より小さい所定の範囲（例えば、３０°〜６０°）内の角度となる場合に、携帯機器は、フォールドアウト命令９００ｅが入力されると判定する。
【０４２２】
携帯機器は、フォールドアウト命令９００ｅの感知に応答して、第２のタッチスクリーン１４の情報を参加者リスト領域９０６ｅ及び共有ボード領域９１２ｆに置き換えて表示する。この時に、後方にめくれた第１のタッチスクリーン１２は、ターンオフされることが好ましい。参加者リスト領域９０６ｅ及び共有ボード領域９１２ｆは、フォールドアウト命令９００ｅ前の参加者リスト領域９０６ｄ及び共有ボード領域９１２より縮小されたサイズを有する。追加で、第２のタッチスクリーン１４は、参加者リストを第２のタッチスクリーン１４に拡大して示す参加者リスト選択キー９１４ａ及び共有ボード領域９１２ｆを第２のタッチスクリーン１４に示すか否かを選択する共有ボード選択キー９１４ｂ、マイクロフォンオフキー９１４ｃ、及び通話終了キー９１４ｄのうちの少なくとも１つをさらに表示する。第１のタッチスクリーン１２は、フォールドアウト命令９００ｅに応じてターンオフされるか、又はユーザにより指定されることができるオプションに従って時計のような情報を表示することができる。
【０４２３】
参加者リスト選択キー９１４ａからタップジェスチャー９００ｆが感知されると、携帯機器は、図１９Ｇに進む。
【０４２４】
図１９Ｇを参照すると、携帯機器は、タップジェスチャー９００ｆの感知に応じて、参加者リスト領域９０６ｆを拡張し、この拡張された参加者リスト領域９０６ｆを第２のタッチスクリーン１４に表示する。参加者リスト領域９０６ｆは、図１９Ｆの参加者リスト領域９０６ｅより拡張されたサイズのピクチャーイメージを含む。追加で、第２のタッチスクリーン１４は、参加者リスト選択キー９１４ａ、共有ボード選択キー９１４ｂ、マイクロフォンオフキー９１４ｃ、及び通話終了キー９１４ｄのうちの少なくとも１つをさらに表示する。
【０４２５】
図示していないが、タップジェスチャーが共有ボード選択キー９１４ｂから感知されると、携帯機器は、文書ファイル又はホワイトボード領域を含む共有ボード領域を第２のタッチスクリーン１４に表示し、共有ボード領域とともに簡素な参加者リスト、例えば、ピクチャーイメージなしに名前だけをリストするか又はより小さいピクチャーイメージ及び名前をリストして表示することができる。
【０４２６】
携帯機器は、折り畳み可能な少なくとも１つのパネル上に配置される第１のタッチスクリーン及び第２のタッチスクリーンを含むディスプレイ装置を通して２人以上のユーザによる相互作用を必要とするアプリケーション、例えば、コラボレイティブゲームアプリケーションをサポートすることができる。コラボレイティブゲームアプリケーションは、２つのタッチスクリーンがほぼ反対方向に向かうように、２つのタッチスクリーンが備えられた２つのパネルがほぼ外側に折り畳まれたアウトフォールデッドスクリーンモードで有用に使用されることができる。すなわち、フォールドアウトされた携帯機器を三角形状で立ち、前方の第１のタッチスクリーンを携帯機器を有するユーザのためのユーザインターフェースを提供するメインタッチスクリーンとして使用し、後方のタッチスクリーンを他のユーザのために見られるサブタッチスクリーンとして使用することができる。すなわち、後方のタッチスクリーンは、リンクされたコラボレイティブゲームアプリケーションを実行する他の携帯機器を有するユーザのための情報を提供する。
【０４２７】
図２０（図２０Ａ乃至図２０Ｈを含む）は、本発明の一実施形態によるコラボレイティブゲームアプリケーションのユーザインターフェースを示す図である。ここでは、携帯機器が左方に９０°回転した場合のタッチスクリーン配置を示し、フォールドアウトされる前に下部に位置する第１のタッチスクリーン１２が携帯機器を有するユーザのためのユーザインターフェースを提供するメインタッチスクリーン、すなわち、前方の第１のタッチスクリーンとなり、上部に位置する第２のタッチスクリーン１４が他のユーザのために見られるサブタッチスクリーン、すなわち、後方のタッチスクリーンとなることを説明する。携帯機器が右方に９０°回転した場合にも同様の説明が適用されることはもちろんである。
【０４２８】
図２０Ａを参照すると、第１のタッチスクリーン１２は、コラボレイティブゲームアプリケーションにより提供されるゲーム準備スクリーン１００２を表示し、第２のタッチスクリーン１４は、ターンオフ又はフォールドアウト（fold-out）を要請する案内文句１０００を表示する。一実施形態において、携帯機器がアウトフォールデッドスクリーンモードをサポートするコラボレイティブゲームアプリケーションが実行される場合に、コラボレイティブゲームアプリケーションは、第１のタッチスクリーン１２及び第２のタッチスクリーン１４を含む第１のパネル２及び第２のパネル４がフォールドアウトされているか否かを確認する。第１のパネル２及び第２のパネル４がフォールドアウトされていないことが感知される場合に、コラボレイティブゲームアプリケーションは、フォールドアウトすることを第２のタッチスクリーン１４に要請する案内文句１０００、例えば、“Ｐｌｅａｓｅ ｆｏｌｄ ｔｈｅ ｐｈｏｎｅ”を表示する。
【０４２９】
第１のタッチスクリーン１２に表示されるゲーム準備スクリーン１００２は、携帯機器を有するユーザを含むゲームの参加者のための参加者識別領域１００２ａ、１００２ｂ、１００２ｃ、及び１００２ｄとゲーム準備完了を選択するための準備キー１００２ｅとを含む。各参加者識別領域１００２ａ、１００２ｂ、１００２ｃ、及び１００２ｄは、各参加者のピクチャーイメージ、名前（又はニックネーム）、及び携帯金額を含む。一実施形態において、コラボレイティブゲームアプリケーションは、ポーカーゲームアプリケーションであり、ゲーム準備スクリーン１００２は、ポーカーゲームが行われることができる物理的なテーブルを形状化した形態を有する。あわせて、第１のタッチスクリーン１２は、参加者及び参加対象者のためのチャッティング入力ウィンドウ１００４ａを含むチャッティング領域１００４をさらに表示することができる。タップジェスチャーがチャッティング入力ウィンドウ１００４ａから感知される場合に、第２のタッチスクリーン１４は、予め定められる領域、例えば、チャッティング領域１００４の下部の一部分又は第２のタッチスクリーン１４の下部の一部分に仮想キーパッドを表示する。
【０４３０】
予め定められたタッチジェスチャー１０００ａ、例えば、タップジェスチャーが第１のタッチスクリーン１２の準備キー１００２ｅから感知される場合に、携帯機器は、図２０Ｂに進む。
【０４３１】
図２０Ｂを参照すると、携帯機器は、タップジェスチャー１０００ａの感知に応じてユーザが“Ｒｅａｄｙ”状態となることを判定し、ユーザの参加者識別領域１００２ａ上に“Ｒｅａｄｙ”という状態指示子を表示し、ユーザが所定の通信手段を使用して “Ｒｅａｄｙ”状態となることをゲームに参加している他の参加者の携帯機器に通知する。すなわち、すべての参加者の携帯機器は、ポーカーゲームアプリケーションを実行して相互に連動しており、各参加者のポーカーゲームアプリケーションから発生した情報を他の参加者に通知し、他の参加者のポーカーゲームアプリケーションから発生した情報を受信し、この受信された情報を表示する。すべての参加者が“Ｒｅａｄｙ”状態となる場合に、携帯機器は、１ラウンドのポーカーゲームを開始するために図２０Ｃに進む。
【０４３２】
図２０Ｃに示すように、携帯機器は、１ラウンドのポーカーゲームが開始されると、携帯機器のユーザのためのゲームインターフェーススクリーン１００６を第１のタッチスクリーン１２に表示する。例えば、第１のタッチスクリーン１２のゲームインターフェーススクリーン１００６は、ユーザのチャッティングメッセージを受信し、ユーザ及び他の参加者のチャッティングメッセージを表示するチャッティング領域１００６ａと、ユーザに与えられたカード（playing card）を見せる携帯カード領域１００６ｂと、現在のラウンドのポーカーゲームにベッティング（betting）された金額を表示するベッティング金額領域１００６ｃと、ユーザの携帯金額を表示する携帯金額領域１００６ｄと、参加者に提供されていない閉じたカードを含むカードプール（Card Pool）を表示するカードスロット領域１００６ｅとを含む。
【０４３３】
また、携帯機器は、１ラウンドのポーカーゲームが開始されると、他の参加者のためのゲーム情報１００８を第２のタッチスクリーン１４に表示する。例えば、第２のタッチスクリーン１４の他の参加者のためのゲーム情報１００８は、ユーザの識別領域１００８ａと、ユーザにより選択されたベッティングアイテム（betting term）を表示するベッティング表示領域１００８ｂと、ユーザが他のユーザに見せるように選択したカードを表示するオープンカード領域１００８ｃと、ユーザの携帯金額を表示する携帯金額領域１００８ｄと、参加者に提供されていないカードプールを表示するカードスロット領域１００６ｅとを含む。
【０４３４】
選択可能な実施形態において、携帯機器は、ポーカーゲームアプリケーションにより第２のタッチスクリーン１４にフォールドアウトすることを要請する案内文句１００２ａを表示する間に、第１のタッチスクリーン１２及び第２のタッチスクリーン１４を含むパネルが外側へのフォールドアウト１０００ｂを感知する場合に、他の参加者のためのゲーム情報１００８を第２のタッチスクリーン１４に表示する。すなわち、案内文句１００２ａは、第２のタッチスクリーン１４でフォールドアウトが発生するまで表示されることができ、ゲーム情報１００８は、フォールドアウトされた後に表示されることができる。
【０４３５】
選択可能な他の実施形態において、ポーカーゲームアプリケーションは、携帯機器のパネルがフォールドアウトされた状態のみで準備キー１００２ｅを活性化する。すなわち、ポーカーゲームアプリケーションは、フォールドアウト状態のみでポーカーゲームを開始することができ、フォールドアウトされるまで継続して案内文句１００２ａを第２のタッチスクリーン１４に表示する。
【０４３６】
図２０Ｄは、フォールドアウトされたパネルを有する携帯機器の斜視図を示す図である。図２０Ｄに示すように、携帯機器は、フォールドアウトされた２個のパネルによりサポートされる三角形態で立てられ、携帯機器を有しているユーザのためのゲームインターフェーススクリーン１００６を前方の第１のタッチスクリーン１２に表示し、他の参加者用ゲーム情報１００８を後方の第２のタッチスクリーン１４に表示する。ここで、他の参加者は、ポーカーゲームアプリケーションを実行しており、ユーザの携帯機器と連動されるそれぞれの携帯機器を有している他のユーザを意味する。図２０Ｅは、ポーカーゲームアプリケーションを通して相互に連動される参加者の携帯機器を示す図である。図２０Ｅに示すように、ユーザの携帯機器は、第１のタッチスクリーン１２を通してユーザのためのゲームインターフェーススクリーン１００６を表示する。他の参加者の携帯機器も同様に、各参加者に見られる前方の第１のタッチスクリーンを通して対応する参加者のためのゲーム情報を表示し、反対側のタッチスクリーンを通して他の参加者のためのゲーム情報１０１４を表示する。
【０４３７】
図２０Ｆを参照すると、携帯機器は、１ラウンドのポーカーゲームが開始された後に、ユーザの１番目の順序（turn）で第１のタッチスクリーン１２のカードスロット領域１００６ｅから定められた個数のカードを順次に引き出して携帯カード領域１０１０ａに前面が見られるように配置する。同時に、携帯機器は、第２のタッチスクリーン１４のカードスロット領域１００８ｅから同一の個数のカードを順次に引き出してオープンカード領域１０１２ａに後面が見られるように配置する。追加で、第１のタッチスクリーン１２は、現在のベッティングされた金額に対応する積まれたコインを領域１０１０ｂに表示することができる。携帯機器は、予め定められたタッチジェスチャー１０００ｃ、例えば、タップジェスチャー又はフリックアップが携帯カード領域１０１０ａに配置されたカードのうちの少なくとも１つから感知されると、図２０Ｇに進む。
【０４３８】
図２０Ｇを参照すると、携帯機器は、第１のタッチスクリーン１２の携帯カード領域１０１０ａに前面が見られるように配置されたカードの中でタッチジェスチャー１０００ｃにより選択されたカードを若干移動させ、同時に、第２のタッチスクリーン１４のオープンカード領域１０１２ａに配置されたカードの中で選択されたカードに対応する位置のカードをオープンする。オープンカードがすべての参加者により選択される場合に、携帯機器は、ポーカーゲームの規則に従って定められる順序に到達した時にベッティングアイテムを入力することができるベッティング命令ウィンドウ１０１０ｃを第１のタッチスクリーン１２に表示する。ベッティング命令ウィンドウ１０１０ｃは、ポーカーゲームのためのベッティングアイテム、すなわち、“Ｃｈｅｃｋ”、“Ｐｉｎ”、“Ｃａｌｌ”、“Ｒａｉｓｅ”、“Ｈａｌｆ”、“Ｆｏｌｄ”のうちの少なくとも１つを含む。この時に、現在の順序で選択されることができないベッティングアイテムは、非活性化状態、すなわち、陰影で表示されることができる。
【０４３９】
第１のタッチスクリーン１２に表示されるベッティング命令ウィンドウ１０１０ｃのベッティングアイテムのうちのいずれか１つ、例えば、“Ｐｉｎ”で予め定められたタッチジェスチャー１０００ｄ、例えば、タップジェスチャーが感知される場合に、携帯機器は、タップジェスチャー１０００ｄにより選択されたベッティングアイテムに従ってゲームインターフェーススクリーン１００６をアップデートし、同時に、選択されたベッティングアイテム“Ｐｉｎ”を第２のタッチスクリーン１４のベッティング表示領域１００８ｂに表示し、選択されたベッティングアイテムを他の参加者の携帯機器に通知する。すべての参加者のベッティングが完了すると、携帯機器は、図２０Ｆと同様に、第１のタッチスクリーン１２のカードスロット領域１００６ｅから新たなカードを引き出して携帯カード領域１０１０ａに前面が見られるように表示し、同時に第１のタッチスクリーン１２のカードスロット領域１００８ｅから新たなカードを引き出してオープンカード領域１０１２ａに前面が見られるように表示した後に、ポーカーゲームの規則に従って定められる順序に到達した時にベッティング命令ウィンドウ１０１０ｃを第１のタッチスクリーン１２に表示する。
【０４４０】
図２０Ｈは、１ラウンドのポーカーゲームが終了した時のスクリーンを表示する図である。１ラウンドのポーカーゲームが終了すると、第１のタッチスクリーン１２は、ユーザのすべてのカードのオープン状態１０１６ａ及びゲーム結果１０１６ｂ、例えば、“Ｆｌｕｓｈ”及び“Ｗｉｎｎｅｒ”を表示し、同時に、第２のタッチスクリーン１４は、与えられた少なくとも一部のカードのオープン状態１０１８ａ及びゲーム結果１０１８ｂをユーザに表示する。
【０４４１】
携帯機器は、折り畳み可能な少なくとも１つのパネル上に配置される第１のタッチスクリーン及び第２のタッチスクリーンを含むディスプレイ装置を通して、スケジュール管理アプリケーションのためのより便利なユーザインターフェースを提供することができる。スケジュール管理のためのアプリケーション、例えば、カレンダーアプリケーションがある。
【０４４２】
図２１（図２１Ａ乃至図２１Ｏ）は、本発明の一実施形態によるスケジュール管理アプリケーションのユーザインターフェースを示す図である。
【０４４３】
図２１Ａを参照すると、第１のタッチスクリーン１２は、スケジュールビューモードを選択するためのビューモード選択領域１１０２及び月モードのカレンダー領域（Calendar Area）１１０２ａを表示する。スケジュール管理アプリケーションは、ビューモード選択領域１１０２に含まれる月（month）モードキー、週（week）モードキー、日（day）モードキー、リストモードキーを通してスケジュールビューモードを選択することができるようにする。一実施形態において、スケジュール管理アプリケーションは、開始の時に、基本（default）にカレンダー領域１１０２ａを月モードに、すなわち、今日付けを含む現在の月日を表示する。月モードのカレンダー領域１１０２ａは、選択された月に含まれる日付に対応する日ブロック（Day block）を含み、前月及び翌月の一部の日ブロックを含むことができる。例えば、日ブロックは、週に対応する行 （row）及び曜日に対応する列（column）を含む。日ブロックのうちで、今日付けに対応する日ブロックは、視覚的に識別されるように予め定められるカラーで表示されることができる。ユーザにより選択された日付（date）を指示する日付指示子１１０６ａは、日ブロックのうちの１つに配置され、例えば、選択された日付の数字を取り囲んでいる太い線の四角形態であり得る。カレンダーアプリケーションの開始の時に、日付指示子１１０６ａは、今日付けの日ブロック上に表示される。
【０４４４】
第１のタッチスクリーン１２が月モード、週モード、日モード、又はリストモードのカレンダー領域を表示している間に、第２のタッチスクリーン１４は、スケジュール管理プログラムの設定又はユーザの選択によって、他のアプリケーションを表示するか、又はスケジュール管理プログラムの情報を表示することができる。図２１Ａは、スケジュール管理プログラムにより提供される情報を第２のタッチスクリーン１４に表示する例を示す。
【０４４５】
図２１Ａを参照すると、第２のタッチスクリーン１４は、カレンダー領域１１０２ａの選択された日付に登録されたイベントアイテムを含むイベントリスト１１０４ａを表示する。各イベントアイテムは、選択された日付に登録されたイベント又は選択された日付を含む期間に登録されたイベントを示すことができる。他の実施形態において、第２のタッチスクリーン１４のイベントリスト１１０４ａは、月モードでカレンダー領域１１０２ａの月に登録されたイベントアイテムを含み得る。各イベントアイテムは、イベント題目、イベント日付、イベント時間、及びイベント関連イメージ／アイコンのうちの少なくとも１つを含む。また、第１のタッチスクリーン１２又は第２のタッチスクリーン１４は、新たなイベントを登録するための新たなイベント生成キー１１０４を予め定められた位置に表示する。例えば、新たなイベント生成キー１１０４は、第２のタッチスクリーン１４のイベントリスト１１０４ａの下部に配置される。
【０４４６】
第１のタッチスクリーン１２のカレンダー領域１１０２ａのうちのいずれか１つの日付、例えば、“１６”で予め定められたタッチジェスチャー１１００ａ、例えば、タップジェスチャーが感知されると、携帯機器は、図２１Ｂに進む。
【０４４７】
図２１Ｂを参照すると、携帯機器は、タップジェスチャー１１００ａの感知に応答して、第１のタッチスクリーン１２のカレンダー領域１１０２ａ内のタッチジェスチャー１１００ａにより選択された日付上に日付指示子１１０６ｂを位置させ、選択された日付に登録されたイベントアイテムを含むイベントリスト１１０４ｂを第２のタッチスクリーン１４に表示する。
【０４４８】
カレンダー領域１１０２ａが第１のタッチスクリーン１２に表示されている間に、第１のタッチスクリーン１２の下部に配置された物理的なボタンのうちの１つであるメニューボタンに対する選択、例えば、タッチジェスチャー１１００ｂが感知されると、携帯機器は、タッチジェスチャー１１００ｂの感知に応答して第１のメニューウィンドウ１１０４ｃを第１のタッチスクリーン１２の下部に表示する。第１のメニューウィンドウ１１０４ｃは、新たなイベントの生成のための生成キー、選択された日付に移動するための移動（Go to）キー、今日付けに移動するための今日キー、所望するイベントを検索するための検索キー、登録されたイベントを削除するための削除キー、及びスケジュール管理アプリケーションの設定変更のための設定キーのうちの少なくとも１つを含む。第１のメニューウィンドウ１１０４ｃは、月モード、週モード、日モード、又はリストモードのカレンダー領域が第１のタッチスクリーン１２に表示されている間にメニューボタンのタッチによりローディングされることができる。
【０４４９】
イベントリスト１１０４ｂが第２のタッチスクリーン１４に表示されている間に、第２のタッチスクリーン１４の下部に配置された物理的なボタンのうちの１つであるメニューボタンに対する選択、例えば、タッチジェスチャー１１００ｄが感知されると、携帯機器は、タッチジェスチャー１１００ｃの感知に応答して、第２のメニューウィンドウ１１０４ｄを第２のタッチスクリーン１４の下部に表示する。第２のメニューウィンドウ１１０４ｄは、所望するイベントを検索するための検索キー及び登録されたイベントを削除するための削除キーのうちの少なくとも１つを含む。第２のメニューウィンドウ１１０４ｄは、イベントリストが第２のタッチスクリーン１４に表示されている間にメニューボタンのタッチによりローディングされることができる。
【０４５０】
タップジェスチャー１１００ｄが第１のタッチスクリーン１２のビューモード選択領域１１０２に含まれる週モードキーから感知されると、携帯機器は、図２１Ｃに進む。
【０４５１】
図２１Ｃを参照すると、携帯機器は、タップジェスチャー１１００ｄの感知に応答して、今日付け（又は選択された日付）を含む週モードのカレンダー領域１１０２ｃを第１のタッチスクリーン１２に表示し、カレンダー領域１１０２ｃの選択された日付又はカレンダー領域１１０２ｃの週に登録されたイベントアイテムを含むイベントリスト１１０４ｅを第２のタッチスクリーン１４に表示する。週モードのカレンダー領域１１０２ｃは、選択された週を示す週表示ライン、例えば、“３ｎｄ ｗｅｅｋ Ｊａｎ，２００９”と、選択された週の日付、例えば、Ｓ１１、Ｍ１２、Ｔ１３、Ｗ１４、Ｔ１５、Ｔ１６、Ｔ１７と、各日付に対する時間別日程を示す時間ブロックとを含む。すなわち、週モードのカレンダー領域１１０２ｃは、曜日に対応する列及び時間に対応する行を含む。各日付の１番目のアルファベット文字は、曜日を意味する。各時間ブロックは、対応する時間に登録されたイベントが存在する場合に予め定められるカラーで表示されることができる。
【０４５２】
タップジェスチャー１１００ｅが第１のタッチスクリーン１２のビューモード選択領域１１０２に含まれる日モードキーから感知されると、携帯機器は、図２１Ｄに進む。
【０４５３】
図２１Ｄを参照すると、携帯機器は、タップジェスチャー１１００ｅの感知に応答して、今日付け（又は選択された日付）を含む日モードのカレンダー領域１１０２ｄを第１のタッチスクリーン１２に表示し、カレンダー領域１１０２ｄの日付に登録されたイベントアイテムを含むイベントリスト１１０４ｆを第２のタッチスクリーン１４に表示する。日モードのカレンダー領域１１０２ｄは、選択された日付を示す日付表示ライン、例えば、“Ｔｈｕ，１／１３／２００９”と、選択された日付に対する時間別時間ライン（hour line）を含む。各時間ラインは、対応する時間に登録されたイベントが存在する場合に、対応するイベントのイベント題目を含み、予め定められるカラーで表示されることができる。
【０４５４】
予め定められたタッチジェスチャー１１００ｆ、例えば、タップジェスチャーが第２のタッチスクリーン１４のイベントリスト１１０４ｆのうちのいずれか１つのイベントアイテムから感知されると、携帯機器は、図２１Ｅに進む。
【０４５５】
図２１Ｅを参照すると、携帯機器は、タップジェスチャー１１００ｆの感知に応答して、第１のタッチスクリーン１２のカレンダー領域１１０２ｄをタップジェスチャー１１００ｆにより選択されたイベントアイテムを含むイベントリスト１１０４ｇに置き換えて表示し、イベントリスト１１０４ｇから選択されたイベントアイテムの詳細情報１１０８を第２のタッチスクリーン１４に表示する。詳細情報１１０８は、イベント題目及び日付１１０８ａ、イベント日付まで残っている日数１１０８ｂ、イベントアイテムに登録されたイメージ１１０８ｃ、及びイベントアイテムに関連した関連者（Participants）リスト１１０８ｄのうちの少なくとも１つを含む。イベントリスト１１０４ｇが第１のタッチスクリーン１２に表示される間に、第１のタッチスクリーン１２は、新たなイベント生成キー１１０４をイベントリスト１１０４ｇの下部に配置することができる。
【０４５６】
図２１Ｆを参照すると、携帯機器は、第１のタッチスクリーン１２のビューモード選択領域１１０２に含まれるリストモードキーからタップジェスチャー１１００ｇを感知し、タップジェスチャー１１００ｇに応答して選択された日付（又は今日付け）に登録されたイベントアイテムを含むすべての登録されたイベントアイテムをリストするカレンダー領域１１０２ｅを第１のタッチスクリーン１２に表示し、カレンダー領域１１０２ｅから選択されたイベントアイテムの詳細情報１１０８ｅ、１１０８ｆ、１１０８ｇ、及び１１０８ｈを第２のタッチスクリーン１４に表示する。一実施形態において、リストモードのカレンダー領域１１０２ｅは、イベントアイテムに対応するイベントラインを含み、各イベントラインは、イベント題目及びイベント時間を含むことができる。
【０４５７】
リストモードのカレンダー領域１１０２ｅが第１のタッチスクリーン１２に表示される間に、タッチジェスチャー１１００ｈが第１のタッチスクリーン１２の下部に配置されたメニューボタンから感知されると、携帯機器は、タッチジェスチャー１１００ｈの感知に応答して、第１のメニューウィンドウ１１０４ｃを第１のタッチスクリーン１２の下部に表示する。
【０４５８】
第１のタッチスクリーン１２に表示されたイベントリスト１１０４ｇからイベントアイテムが選択されるか又はビューモード選択領域１１０２内のリストモードキーが選択されるに従って、選択されたイベントアイテムの詳細情報１１０８ａ〜１１０８ｈが第２のタッチスクリーン１４に表示されている間に、タッチジェスチャー１１００ｉが第２のタッチスクリーン１４の下部に配置されたメニューボタンから感知されると、携帯機器は、タッチジェスチャー１１００ｉの感知に応答して、第３のメニューウィンドウ１１０４ｇを第２のタッチスクリーン１４の下部に表示する。第３のメニューウィンドウ１１０４ｇは、選択されたイベントアイテムを編集するための編集キー、選択されたイベントアイテムを削除するための削除キー、選択されたイベントアイテムを所望する受信者に送信するための送信キー、所望するイベントアイテムを検索するための検索キー、選択されたイベントアイテムを関連者に送信するための関連者送信キー、及び選択されたイベントアイテムを複数の受信者に送信するためのエクスポート（Export）キーのうちの少なくとも１つを含む。
【０４５９】
選択可能な実施形態において、スケジュール管理アプリケーションが開始される時に、第２のタッチスクリーン１４は、他のアプリケーション、例えば、ホームスクリーン、アプリケーションメニュー、又は前に実行されていた他のアプリケーションを表示することができる。これをマルチモードで動作するスケジュール管理アプリケーションであると称する。
【０４６０】
図示していないが、携帯機器が横モードにある場合に、下部タッチスクリーンは、スケジュール管理アプリケーションにより提供される月モード、週モード、日モード、又はリストモードのカレンダー領域を表示し、上部タッチスクリーンは、カレンダー領域の選択された日付に関連したイベントリスト又は選択されたイベントアイテムの詳細情報を表示することができる。選択可能な実施形態において、携帯機器が横モードにある場合に、上部タッチスクリーンは、スケジュール管理アプリケーションにより提供される月モード、週モード、日モード、又はリストモードのカレンダー領域を表示し、下部タッチスクリーンは、他のアプリケーションの情報を表示することができる。
【０４６１】
図２１Ｇ乃至図２１Ｉは、本発明の一実施形態によるスケジュール管理アプリケーションで新たなイベントを生成するためのシナリオを示す図である。
【０４６２】
図２１Ｇを参照すると、携帯機器は、ビューモード選択領域１１０２及びカレンダー領域１１０２ａを第１のタッチスクリーン１２に表示し、カレンダー領域１１０２ａの選択された日付のイベントリスト１１０４ａ及び新たなイベント生成キー１１０４を第２のタッチスクリーン１４に表示している。ここでは、月モードのカレンダー領域１１０２ａを図示したが、週モード、日モード、又はリストモードのカレンダー領域１１０２ｃ、１１０２ｄ、及び１１０２ｅである場合にも類似した方式で新たなイベントが生成されることができる。携帯機器は、第１のタッチスクリーン１２又は第２のタッチスクリーン１４を通して又は第１のタッチスクリーン１２の下部のメニューボタンを通して新たなイベントの生成命令を感知することができる。例えば、タッチアンドホールド１１００ｊ−１が第１のタッチスクリーン１２のカレンダー領域１１０２ａの特定の日付から感知されるか、タップジェスチャー１１００ｊ−２が第２のタッチスクリーン１４の新たなイベント生成キー１１０４から感知されるか、又はタップジェスチャー１１００ｊ−４がメニューボタン１１００ｊ−３を選択することによりローディングされた第１のメニューウィンドウ１１０４ｃ内の生成キーから感知される場合に、携帯機器は、この感知を新たなイベントの生成命令として認識し、図２１Ｈに進む。
【０４６３】
図２１Ｈを参照すると、携帯機器は、新たなイベントの生成命令１１００ｊ−１、１１００ｊ−２、及び１１００ｊ−４に応じて、第１のタッチスクリーン１２及び第２のタッチスクリーン１４のビューモード選択領域１１０２、カレンダー領域１１０２ａ、イベントリスト１１０４ａ、及び新たなイベント生成キー１１０４を新たなイベントのイベント要素（event elements）を受信するための第１のイベント生成ウィンドウ１１１０ａ及び第２のイベント生成ウィンドウ１１１０ｂに置き換えて表示する。第１のタッチスクリーン１２に表示される第１のイベント生成ウィンドウ１１１０ａは、イベント題目入力領域と、開始日付選択領域と、終了日付入力領域と、終日（all day）選択領域とを含む。第２のタッチスクリーン１４に表示される第２のイベント生成ウィンドウ１１１０ｂは、イベントに関連した位置入力領域、関連者入力領域、アラーム選択領域、反復選択領域、及び説明入力領域のうちの少なくとも１つを含む。各イベント生成ウィンドウ１１１０ａ及び１１１０ｂは、対応するウインドウ内でのフリックアップ／フリックダウン又はタッチドラッグアップ／タッチドラッグダウンの感知に応じてスクロールされることができる。
【０４６４】
タップジェスチャーがこの入力領域のうちの少なくとも１つから感知されると、仮想キーパッドは、対応するタップジェスチャーにより選択されたタッチスクリーンの予め定められる一部の領域に表示される。例えば、タップジェスチャーが第１のタッチスクリーン１２に表示されるイベント題目入力領域から感知されると、第１のタッチスクリーン１２は、下部の半分に仮想キーパッドを表示し、仮想キーパッドを通してイベント題目を受信する。選択可能な実施形態において、タップジェスチャーがこの入力領域のうちのいずれか１つから感知される場合に、１つの仮想キーパッドは、第１のタッチスクリーン１２及び第２のタッチスクリーン１４の下部に表示される。
【０４６５】
図示していないが、携帯機器が横モードにある場合に、上部タッチスクリーンは、第１のイベント生成ウィンドウ１１１０ａを表示し、下部タッチスクリーンは、第２のイベント生成ウィンドウ１１１０ｂを表示する。一実施形態において、タップジェスチャーが上部タッチスクリーンに含まれる入力領域のうちの１つから感知されると、仮想キーパッドは、下部タッチスクリーンの少なくとも一部（下部の半分又は全体）に表示される。一実施形態において、タップジェスチャーが下部タッチスクリーンに含まれる入力領域のうちの１つから感知されると、仮想キーパッドは、下部タッチスクリーンの少なくとも一部（例えば、下部の半分）に表示される。一実施形態において、タップジェスチャーが下部タッチスクリーンに含まれる入力領域のうちの１つから感知されると、第２のイベント生成ウィンドウ１１１０ｂは、上部タッチスクリーンに表示され、仮想キーパッドは、下部タッチスクリーンの全体に表示されることができる。
【０４６６】
図２１Ｉは、タッチアンドホールド１１００ｊ−１が第１のタッチスクリーン１２のカレンダー領域１１０２ａ上の特定の日から感知される場合に、表示される第１のイベント生成ウィンドウ１１１０ｃ及び第２のイベント生成ウィンドウ１１１０ｄの他の例を示す図である。図２１Ｉに示すように、タッチアンドホールド１１００ｊ−１が感知された位置の日付は、第１のイベント生成ウィンドウ１１１０ｃの開始日付選択領域及び終了日付選択領域に自動で入力されることができる。選択可能な実施形態において、タッチアンドホールド１１００ｊ−１が日モードのカレンダー領域１１０２ｄの時間ラインで発生した場合に、開始時間及び／又は終了時間は、第１のイベント生成ウィンドウ１１１０ｃに自動で入力されることができる。
【０４６７】
図２１Ｊ乃至図２１Ｌは、本発明の一実施形態によるスケジュール管理アプリケーションで登録されたイベントを削除するためのシナリオを示す図である。
【０４６８】
図２１Ｊを参照すると、携帯機器は、ビューモード選択領域１１０２及びカレンダー領域１１０２ａを第１のタッチスクリーン１２に表示し、カレンダー領域１１０２ａから選択された日付のイベントリスト１１０４ａ及び新たなイベント生成キー１１０４を第２のタッチスクリーン１４に表示する。ここでは、月モードのカレンダー領域１１０２ａを図示したが、イベントは、週モード、日モード、又はリストモードのカレンダー領域１１０２ｃ、１１０２ｄ、及び１１０２ｅである場合にも類似した方式で削除されることができる。携帯機器は、第１のタッチスクリーン１２又は第２のタッチスクリーン１４を通して又は第１のタッチスクリーン１２の下部の物理的なボタン（メニューボタン）を通してイベントの削除命令を感知することができる。例えば、タップジェスチャー１１２０ａがメニューボタン１１２０を選択することによりローディングされた第１のメニューウィンドウ１１０４ｃ内の削除キーから感知される場合に、携帯機器は、この感知を登録されたイベントの削除命令として認識し、図２１Ｋに進む。
【０４６９】
図２１Ｋを参照すると、携帯機器は、削除命令１１２０ａに応答して、第１のタッチスクリーン１２のビューモード選択領域１１０２及びカレンダー領域１１０２ａをイベント削除ウィンドウ１１１２ａ及び削除命令を実行するための削除キー１１１２ｂに置き換えて表示する。イベント削除ウィンドウ１１１２ａは、第１のタッチスクリーン１２に表示されていたカレンダー領域１１０２ａの月に登録されたイベントに対応するイベント削除アイテムをリストする。各イベント削除アイテムは、各登録されたイベントのイベント名前及びチェックボックスを含み、チェックボックスを通して削除するイベントアイテムを選択する入力を感知する。月モードのカレンダー領域１１０２ａが第１のタッチスクリーン１２に表示されている場合に、イベント削除ウィンドウ１１１２ａは、カレンダー領域１１０２ａの月に登録されたイベントを含む。同様に、週モード、日モード、又はリストモードのカレンダー領域１１０２ｃ、１１０２ｄ、及び１１０２ｅが第１のタッチスクリーン１２に表示されている場合に、イベント削除ウィンドウ１１１２ａは、対応する週、日、又はリストに登録されたイベントを含む。
【０４７０】
イベント削除ウィンドウ１１１２ａが第１のタッチスクリーン１２に表示される間、第２のタッチスクリーン１４は、非活性化状態にあり得る。非活性化状態において、第２のタッチスクリーン１４は、タッチジェスチャーに応答せず、陰影で満たされる。
【０４７１】
タップジェスチャー１１２０ｂが第１のタッチスクリーン１２のイベント削除アイテムのうちの少なくとも１つのチェックボックスから感知され、タップジェスチャー１１２０ｃが削除キー１１１２ｂから感知されると、携帯機器は、図２１Ｌに進む。
【０４７２】
図２１Ｌを参照すると、携帯機器は、タップジェスチャー１１２０ｃの感知に応答して、第１のタッチスクリーン１２のイベント削除ウィンドウ１１１２ａ及び削除キー１１１２ｂを前の情報、すなわち、ビューモード選択領域１１０２及びカレンダー領域１１０２ａに置き換えて表示する。イベント削除ウィンドウ１１１２ａが第１のタッチスクリーン１２から除去される時に、第２のタッチスクリーン１４は、非活性化状態から外れ、タップジェスチャー１１２０ｂによりイベント削除ウィンドウ１１１２ａから選択されたイベントアイテムを除いた、登録されたイベントを含むイベントリスト１１０４ｈを表示する。
【０４７３】
図２１Ｍ乃至図２１Ｏは、スケジュール管理アプリケーションで登録されたイベントを削除するための他のシナリオを示す図である。
【０４７４】
図２１Ｍを参照すると、携帯機器は、ビューモード選択領域１１０２及びカレンダー領域１１０２ａを第１のタッチスクリーン１２に表示し、カレンダー領域１１０２ａから選択された日付のイベントリスト１１０４ａ及び新たなイベント生成キー１１０４を第２のタッチスクリーン１４に表示する。ここでは、月モードのカレンダー領域１１０２ａを図示したが、このイベントは、週モード、日モード、又はリストモードのカレンダー領域１１０２ｃ、１１０２ｄ、及び１１０２ｅである場合にも類似した方式で削除されることができる。携帯機器は、タップジェスチャー１１２０ｅが第２のタッチスクリーン１４の下部のメニューボタン１１２０ｄを選択することによりローディングされた第２のメニューウィンドウ１１０４ｄ内の削除キーから感知される場合に、携帯機器は、この感知を登録されたイベントの削除命令として認識し、図２１Ｎに進む。
【０４７５】
図２１Ｎを参照すると、携帯機器は、削除命令１１２０ｅに応答して、第２のタッチスクリーン１４のイベントリスト１１０４ａ及び新たなイベント生成キー１１０４をイベント削除ウィンドウ１１１２ｃ及び削除命令を実行するための削除キー１１１２ｄに置き換えて表示する。イベント削除ウィンドウ１１１２ｃは、第２のタッチスクリーン１４に表示されていたイベントリスト１１０４ａに登録されたイベント、言い換えれば、第１のタッチスクリーン１２の選択された日付に登録されたイベントに対応するイベント削除アイテムをリストする。各イベント削除アイテムは、各登録されたイベントに対するイベント名前及びチェックボックスを含み、チェックボックスを通して削除するイベントアイテムを選択する入力を感知する。イベント削除ウィンドウ１１１２ｃが第２のタッチスクリーン１４に表示される間に、第１のタッチスクリーン１２は、非活性化状態にある。非活性化状態において、第１のタッチスクリーン１２は、タッチジェスチャーに応答せず、陰影で満たされる。
【０４７６】
タップジェスチャー１１２０ｆが第２のタッチスクリーン１４のイベント削除アイテムのうちの少なくとも１つのチェックボックスから感知され、タップジェスチャー１１２０ｇが削除キー１１１２ｄから感知されると、携帯機器は、図２１Ｏに進む。
【０４７７】
図２１Ｏを参照すると、携帯機器は、タップジェスチャー１１２０ｇの感知に応答して、第２のタッチスクリーン１４のイベント削除ウィンドウ１１１２ｃ及び削除キー１１１２ｄをイベントリスト１１０４ｉ及び新たなイベント生成キー１１０４に置き換えて表示する。イベントリスト１１０４ｉは、前のイベントリスト１１０４ａに比べてタップジェスチャー１１２０ｆによりイベント削除ウィンドウ１１１２ｃから選択されたイベントアイテムを除いた、登録されたイベントを含む。イベント削除ウィンドウ１１１２ｃが第２のタッチスクリーン１４から除去される時に、第１のタッチスクリーン１２は、非活性化状態から外れる。
【０４７８】
図２２（図２２Ａ乃至図２２Ｍを含む）は、本発明の一実施形態によるスケジュール管理アプリケーションでカレンダー領域を拡張し表示するシナリオを示す図である。
【０４７９】
図２２Ａを参照すると、携帯機器は、ビューモード選択領域１２０２及びカレンダー領域１２０２ａを第１のタッチスクリーン１２に表示し、カレンダー領域１２０２ａから選択された日付１２０４ａのイベントリスト１２０６ａ及び新たなイベント生成キー１２０６を第２のタッチスクリーン１４に表示する。ここでは、月モードのカレンダー領域１２０２ａに対する拡張を図示したが、週モード、日モード、又はリストモードのカレンダー領域１１０２ｃ、１１０２ｄ、及び１１０２ｅも類似した方式で拡張されることができる。携帯機器は、カレンダー領域１２０２ａから選択された領域を拡大するタッチジェスチャー１２００ａ、すなわち、ピンチズームインを感知する。他の実施形態において、タッチジェスチャー１２００ａは、同時に発生し、ほぼ反対の方向に相互に離れる２つのタッチドラッグを含む。タッチジェスチャー１２００ａは、カレンダー領域１２０２ａ内の２つの位置で開始し、２つのタッチドラッグのうちの１つは、第２のタッチスクリーン１４で終了することができる。タッチジェスチャー１２００ａに含まれる少なくとも１つのタッチは、２つのタッチスクリーン１２と１４との間のヒンジを通過する。
【０４８０】
他の実施形態において、携帯機器は、第１のタッチスクリーン１２の下部のメニューボタンを通してズームイン命令を感知することができる。すなわち、第１のタッチスクリーン１２の下部に配置された物理的なボタンのうちの１つであるメニューボタンが選択される場合に、例えば、タッチジェスチャー１２００ｂが感知される場合に、携帯機器は、タッチジェスチャー１２００ｂの感知に応答して、第１のメニューウィンドウ１２０２ｂを第１のタッチスクリーン１２の下部に表示する。第１のメニューウィンドウ１２０２ｂは、新たなイベントの生成のための生成キー、選択された日付に移動するための移動キー、今日付けに移動するための今日キー、表示されるカレンダー領域の拡大のためのデュアルズームキー、所望するイベントを検索するための検索キー、登録されたイベントを削除するための削除キー、及びスケジュール管理アプリケーションの設定変更のための設定キーのうちの少なくとも１つを含む。デュアルズームキーを含む第１のメニューウィンドウ１２０２ｂは、月モード又は週モードのカレンダー領域が第１のタッチスクリーン１２に表示されている間にメニューボタンのタッチによりローディングされることができる。
【０４８１】
携帯機器は、第１のタッチスクリーン１２の下部のメニューボタン１２００ｂを選択することによりローディングされた第１のメニューウィンドウ１２０２ｂ内のデュアルズームキーからタッチジェスチャー１２００ｃ、すなわちタップジェスチャーを感知すると、図２２Ｂに進む。
【０４８２】
図２２Ｂを参照すると、携帯機器は、カレンダー領域１２０２ａ上のピンチズームイン１２００ａ又はデュアルズームキー上のタップジェスチャー１２００ｃの感知に応答して、カレンダー領域１２０２ａから拡張された第１のカレンダー領域１２０８ａ及び第２のカレンダー領域１２０８ｂを第１のタッチスクリーン１２及び第２のタッチスクリーン１４に表示する。第１のカレンダー領域１２０８ａ及び第２のカレンダー領域１２０８ｂは、拡張前のカレンダー領域１２０２ａよりさらに大きい日ブロックを含み、各日ブロックに登録されたイベントに比べてさらに多い情報を表示することができる。第１のカレンダー領域１２０８ａは、カレンダー領域１２０２ａの月に対応する日ブロックのうちの一部の日ブロックを含み、第２のカレンダー領域１２０８ｂは、カレンダー領域１２０２ａの月に対応する日ブロックのうちの残りの日ブロックを含む。新たなイベント生成キー１２０６は、第１のカレンダー領域１２０８ａ及び第２のカレンダー領域１２０８ｂを連続して配置するために、第２のタッチスクリーン１４で第２のカレンダー領域１２０８ｂの上部に配置されることができる。第１のカレンダー領域１２０８ａ及び第２のカレンダー領域１２０８ｂにおいて、今日付けに位置する日ブロック１２０４ｂは、視覚的に識別されるように予め定められるカラーで表示されることができる。
【０４８３】
選択可能な実施形態において、第１のカレンダー領域１２０８ａ及び第２のカレンダー領域１２０８ｂが第１のタッチスクリーン１２及び第２のタッチスクリーン１４に表示されている間に、第１のカレンダー領域１２０８ａ及び第２のカレンダー領域１２０８ｂから選択された日付に関する詳細情報は、ポップアップウィンドウの形態で表示されることができる。
【０４８４】
携帯機器は、第１のカレンダー領域１２０８ａ及び第２のカレンダー領域１２０８ｂから選択された領域を縮小するタッチジェスチャー１２００ｄ、すなわち、ピンチズームアウトを感知し、図２２Ａに戻る。他の実施形態において、タッチジェスチャー１２００ｄは、同時に発生し、相互に近くなる２つのタッチドラッグを含む。タッチジェスチャー１２００ｄは、異なるタッチスクリーン１２及び１４のそれぞれで開始し、第１のタッチスクリーン１２及び第２のタッチスクリーン１４のうちのいずれか１つで終了することができる。タッチジェスチャー１２００ｄに含まれる少なくとも１つのタッチは、２つのタッチスクリーン１２と１４との間のヒンジを通過する。
【０４８５】
図２２Ｃを参照すると、携帯機器は、ビューモード選択領域１２０２及び週モードのカレンダー領域１２０２ｃを第１のタッチスクリーン１２に表示し、カレンダー領域１２０２ｃの選択された日付に対するイベントリスト１２０６ｂ及び新たなイベント生成キー１２０６を第２のタッチスクリーン１４に表示する。携帯機器は、カレンダー領域１２０２ｃから選択された領域を拡大するタッチジェスチャー１２００ｅ、すなわちピンチズームインを感知する。他の実施形態において、タッチジェスチャー１２００ｅは、同時に発生し、ほぼ反対の方向に相互に離れる２つのタッチドラッグを含む。タッチジェスチャー１２００ｅは、カレンダー領域１２０２ａ内の２つの位置で開始し、２つのタッチドラッグのうちの１つは、第２のタッチスクリーン１４で終了することができる。タッチジェスチャー１２００ｅに含まれる少なくとも１つのタッチは、２つのタッチスクリーン１２と１４との間のヒンジを通過する。図示していないが、携帯機器は、第１のタッチスクリーン１２の下部のメニューボタンを通して週モードのカレンダー領域１２０２ｃのズームイン命令を感知することができる。
【０４８６】
図２２Ｄを参照すると、携帯機器は、第１のタッチスクリーン１２の下部のメニューボタンを選択することによりローディングされた第１のメニューウインドウ内のデュアルズームキー上からタップジェスチャーを感知するか、又はカレンダー領域１２０２ｃ上のピンチズームイン１２００ｅを感知し、カレンダー領域１２０２ｃから拡張された第１のカレンダー領域１２０８ｃ及び第２のカレンダー領域１２０８ｄを第１のタッチスクリーン１２及び第２のタッチスクリーン１４に表示する。第１のカレンダー領域１２０８ｃ及び第２のカレンダー領域１２０８ｄは、拡張前のカレンダー領域１２０２ｃに比べてさらに大きい時間ブロックを含み、各時間ブロック内に登録されたイベントに関するさらに多い情報を表示する。第１のカレンダー領域１２０８ｃは、カレンダー領域１２０２ｃの週に対応する日付のうちの一部の時間ブロックを含み、第２のカレンダー領域１２０８ｄは、カレンダー領域１２０２ｃの週に対応する日付のうちの残りの日付の時間ブロックを含む。新たなイベント生成キー１２０６は、第１のカレンダー領域１２０８ｃ及び第２のカレンダー領域１２０８ｄを連続して配置するために、第２のタッチスクリーン１４で第２のカレンダー領域１２０８ｄの上部に配置されることができる。
【０４８７】
選択可能な実施形態において、第１のカレンダー領域１２０８ｃ及び第２のカレンダー領域１２０８ｄが第１のタッチスクリーン１２及び第２のタッチスクリーン１４に表示されている間に、カレンダー領域１２０８ｃ及び１２０８ｄから選択された日付に関する詳細情報は、ポップアップウィンドウの形態で表示されることができる。
【０４８８】
携帯機器は、第１のカレンダー領域１２０８ｃ及び第２のカレンダー領域１２０８ｄから選択された領域を縮小するタッチジェスチャー１２００ｆ、すなわち、ピンチズームアウトを感知し、図２２Ｃに戻る。他の実施形態において、タッチジェスチャー１２００ｆは、同時に発生し、相互に近くなる２つのタッチドラッグを含む。タッチジェスチャー１２００ｆは、相互に異なるタッチスクリーン１２及び１４のそれぞれで開始し、第１のタッチスクリーン１２及び第２のタッチスクリーン１４のうちのいずれか１つで終了することができる。一実施形態において、タッチジェスチャー１２００ｆにより縮小されたカレンダー領域は、タッチジェスチャー１２００ｆが終了する１つのタッチスクリーンに表示されることができる。タッチジェスチャー１２００ｆに含まれる少なくとも１つのタッチは、２つのタッチスクリーン１２と１４間のヒンジを通過する。
【０４８９】
図２２Ｅ乃至図２２Ｇを参照して、第１のタッチスクリーン１２及び第２のタッチスクリーン１４を占有するように拡張されたカレンダー領域でのシナリオについて説明する。
【０４９０】
図２２Ｅを参照すると、携帯機器は、一ヵ月に対応する日ブロックを含む第１のカレンダー領域１２０８ａ及び第２のカレンダー領域１２０８ｂを第１のタッチスクリーン１２及び第２のタッチスクリーン１４にそれぞれ表示する。第１のカレンダー領域１２０８ａは、選択された月に対応する日ブロックのうちの一部の日ブロックを含み、第２のカレンダー領域１２０８ｂは、残りの日ブロックを含む。予め定められるタッチジェスチャー１２００ｇ、例えば、タップジェスチャー又はタッチアンドホールドが第１のカレンダー領域１２０８ａ及び第２のカレンダー領域１２０８ｂに含まれる日ブロックのうちの１つの日ブロック１２０４ｃから感知されると、携帯機器は、図２２Ｆに進む。
【０４９１】
図２２Ｆを参照すると、携帯機器は、タッチジェスチャー１２００ｇにより選択された日ブロック１２０４ｃの日付に日付指示子１２０４ｅを位置させ、この選択された日付に登録されたイベントに関する詳細情報を表示するポップアップウィンドウ１２１０ａを選択された日付の近傍に表示する。図示する例において、ポップアップウィンドウ１２１０ａは、選択された日付“１５”の登録されたイベント“Ａｌｉｃｅ Ｂｉｒｔｈｄａｙ”に関する詳細情報であり、“Ｔｕｅ，１５／０１／２００９  ８：００  ＡＭ〜Ｔｕｅ，１５／０１／２００９  ３：００  ＰＭ”のような時間、場所、及びマップイメージのうちの少なくとも１つを提供する。ポップアップウィンドウ１２１０ａが表示されている間に、第１のタッチスクリーン１２の下部に位置する物理的なボタンのうちの１つであるバックボタンの入力１２００ｈが感知されると、携帯機器は、ポップアップウィンドウ１２１０ａを除去し、図２２Ｅに示すように、第１のタッチスクリーン１２及び第２のタッチスクリーン１４を復元する。
【０４９２】
ポップアップウィンドウ１２１０ａが表示されている間に、予め定められるタッチジェスチャー１２００ｉ、例えば、タップジェスチャー又はタッチアンドホールドが第１のカレンダー領域１２０８ａ及び第２のカレンダー領域１２０８ｂに含まれる日ブロックのうちの他の１つの日ブロック１２０４ｄから感知されると、携帯機器は、図２２Ｇに進む。
【０４９３】
図２２Ｇを参照すると、携帯機器は、タッチジェスチャー１２００ｉの感知に応答して、タッチジェスチャー１２００ｉにより選択された日ブロック１２０４ｄの日付に日付指示子１２０４ｆを位置させ、既存に表示されていたポップアップウィンドウ１２１０ａを除去する。タッチジェスチャー１２００ｉにより選択された日ブロック１２０４ｄの日付に登録されたイベントが存在しない場合には、新たなポップアップウィンドウが表示されない。
【０４９４】
図２２Ｈ乃至図２２Ｊは、本発明の一実施形態によるスケジュール管理アプリケーションの拡張されたカレンダー領域で新たなイベントを生成するためのシナリオを示す図である。
【０４９５】
図２２Ｈを参照すると、携帯機器は、選択された月に対応する日ブロックを含む第１のカレンダー領域１２０８ａ及び第２のカレンダー領域１２０８ｂを第１のタッチスクリーン１２及び第２のタッチスクリーン１４にそれぞれ表示する。月モード又は週モードのカレンダー領域が２つの第１のタッチスクリーン１２及び第２のタッチスクリーン１４にわたって表示されている間に、第１のタッチスクリーン１２の下部に配置された物理的なボタンのうちの１つであるメニューボタンが選択される場合に、例えば、タッチジェスチャー１２００ｊが感知される場合に、携帯機器は、タッチジェスチャー１２００ｊの感知に応じて、拡張されたカレンダー領域のためのメニューウィンドウ１２０８ｅを第１のタッチスクリーン１２の下部に表示する。メニューウィンドウ１２０８ｅは、新たなイベントの生成のための生成キー、選択された日付に移動するための移動キー、今日付けに移動するための今日キー、所望するイベントを検索するための検索キー、登録されたイベントを削除するための削除キー、及びスケジュール管理アプリケーションの設定変更のための設定キーのうちの少なくとも１つを含む。
【０４９６】
携帯機器は、第１のタッチスクリーン１２又は第２のタッチスクリーン１４又は第１のタッチスクリーン１２の下部のメニューボタンを通して新たなイベントの生成命令を感知することができる。例えば、タッチアンドホールド１２００ｋ−２が第１のカレンダー領域１２０８ａ及び第２のカレンダー領域１２０８ｂに含まれる日ブロックのうちの１つから感知されるか、又はタップジェスチャー１２００ｋ−１が第１のタッチスクリーン１２の下部に位置するメニューボタン１２００ｊを選択することによりローディングされたメニューウィンドウ１２０８ｅ内の生成キーから感知される場合に、携帯機器は、この感知を新たなイベントの生成命令として認識し、図２２Ｉに進む。
【０４９７】
図２２Ｉを参照すると、携帯機器は、新たなイベントの生成命令１２００ｋ−１及び１２００ｋ−２に応じて、第１のタッチスクリーン１２及び第２のタッチスクリーン１４の第１のカレンダー領域１２０８ａ及び第２のカレンダー領域１２０８ｂを第１のイベント生成ウィンドウ１２１０ａ及び第２のイベント生成ウィンドウ１２１０ｂに置き換えて表示する。第１のタッチスクリーン１２に表示される第１のイベント生成ウィンドウ１２１０ａは、イベント題目入力領域と、開始日付選択領域と、終了日付選択領域と、終日選択領域とを含む。第２のタッチスクリーン１４に表示される第２のイベント生成ウィンドウ１２１０ｂは、イベントに関連した位置入力領域、関連者入力領域、アラーム選択領域、反復選択領域、及び説明入力領域のうちの少なくとも１つを含む。タップジェスチャーがこの入力領域のうちの１つから感知されると、仮想キーパッドは、対応するタッチスクリーンの下部領域に表示される。例えば、タップジェスチャーがイベント題目入力領域から感知されると、第１のタッチスクリーン１２は、第１のタッチスクリーン１２の下部半分に仮想キーパッドを表示し、仮想キーパッドを通してイベント題目を受信する。
【０４９８】
図２２Ｊは、タッチアンドホールド１２００ｋ−２が第１のタッチスクリーン１２に表示されるカレンダー領域１２０８ａの特定の日ブロックから感知される場合に表示される第１のイベント生成ウィンドウ１２１０ｃ及び第２のイベント生成ウィンドウ１２１０ｂの他の例を示す図である。図２２Ｊに示すように、タッチアンドホールド１２００ｋ−２が感知される位置の日付が第１のイベント生成ウィンドウ１２１０ｃの開始日付選択領域及び終了日付選択領域に自動で入力される。選択可能な実施形態において、タッチアンドホールド１２００ｋ−２が日モードのカレンダー領域の時間ラインで発生する場合に、開始時間及び／又は終了時間は、開始日付／終了日付とともに、第１のイベント生成ウィンドウ１２１０ｃに追加で入力されることができる。
【０４９９】
図２２Ｋ乃至図２２Ｍは、本発明の一実施形態によるスケジュール管理アプリケーションで登録されたイベントを削除するためのシナリオを示す図である。
【０５００】
図２２Ｋを参照すると、携帯機器は、第１のタッチスクリーン１２及び第２のタッチスクリーン１４に選択された月に含まれる日ブロックを含む第１のカレンダー領域１２０８ａ及び第２のカレンダー領域１２０８ｂをそれぞれ表示する。ここでは、月モードのカレンダー領域１２０８ａ及び１２０８ｂを図示したが、このイベントは、週モードのカレンダー領域が２つの第１のタッチスクリーン１２及び第２のタッチスクリーン１４にわたって表示されている場合にも類似した方式で削除されることができる。携帯機器は、第１のタッチスクリーン１２又は第２のタッチスクリーン１４を通して又は第１のタッチスクリーン１２の下部の物理的なボタンのうちの１つであるメニューボタンを通してイベントの削除命令を感知することができる。例えば、タップジェスチャー１２１４ｂがメニューボタン１２１４ａを選択することによりローディングされたメニューウィンドウ１２０８ｅ内の削除キーから感知される場合に、携帯機器は、この感知を登録されたイベントの削除命令として認識し、図２２Ｌに進む。
【０５０１】
図２２Ｌを参照すると、携帯機器は、削除命令１２１４ｂに応じて、第１のタッチスクリーン１２の第１のカレンダー領域１２０８ａをイベント削除ウィンドウ１２１２ａ及び削除命令を実行するための削除キー１２１２ｂに置き換えて表示する。イベント削除ウィンドウ１２１２ａは、第１のタッチスクリーン１２に表示されたカレンダー領域１２０２ａの月の登録されたイベントに対応するイベント削除アイテムをリストする。各イベント削除アイテムは、各登録されたイベントのイベント名前及びチェックボックスを含み、チェックボックスを通して削除されるイベントアイテムを選択する入力を感知する。月モードの第１のカレンダー領域１２０８ａが第１のタッチスクリーン１２に表示される場合に、イベント削除ウィンドウ１２１２ａは、第１のカレンダー領域１２０８ａの月に登録されたイベントを含む。同様に、週モードのカレンダー領域が第１のタッチスクリーン１２に表示される場合に、イベント削除ウィンドウ１２１２ａは、対応する週に登録されたイベントを含む。
【０５０２】
イベント削除ウィンドウ１２１２ａが第１のタッチスクリーン１２に表示される間に、第２のタッチスクリーン１４は、非活性化状態にあり得る。非活性化状態において、第２のタッチスクリーン１４は、タッチジェスチャーに応答せず、陰影で満たされる。
【０５０３】
タップジェスチャー１２１４ｃがイベント削除アイテムのうちの少なくとも１つのチェックボックスから感知される場合に、すなわち、タップジェスチャー１２１４ｃが“Ｎｅｗ Ｙｅａｒ’ｓ Ｄａｙ”及び“Ｂ’ｓ Ｂｉｒｔｈｄａｙ”から感知された後に、タップジェスチャー１２１４ｄが削除キー１２１２ｂから感知される場合に、携帯機器は、図２２Ｍに進む。
【０５０４】
図２２Ｍを参照すると、携帯機器は、タップジェスチャー１２１４ｄの感知に応答して、第１のタッチスクリーン１２のイベント削除ウィンドウ１２１２ａ及び削除キー１２１２ｂを前の情報、すなわち、カレンダー領域１２０８ａに置き換えて表示する。イベント削除ウィンドウ１２１２ａが第１のタッチスクリーン１２から除去される場合に、第２のタッチスクリーン１４は、非活性化状態から外れる。図２２Ｍの第１のカレンダー領域１２０８ａ及び第２のカレンダー領域１２０８ｂから、イベント削除ウィンドウ１２１２ａ上のタップジェスチャー１２１４ｃにより選択されたイベントアイテム、すなわち、“Ｂ’ｓ Ｂｉｒｔｈｄａｙ”が削除される。
【０５０５】
携帯機器は、折り畳み可能な少なくとも１つのパネル上に配置される第１のタッチスクリーン及び第２のタッチスクリーンを含むディスプレイ装置を通して通話（Call）アプリケーションのためのより便利なユーザインターフェースを提供する。
【０５０６】
図２３（図２３Ａ乃至図２３Ｐを含む）は、本発明の一実施形態による通話アプリケーションのユーザインターフェースを示す図である。
【０５０７】
図２３Ａ乃至図２３Ｅは、本発明の一実施形態による通話アプリケーションで発呼（outgoing call）を処理するためのシナリオを示す図である。
【０５０８】
図２３Ａを参照すると、第１のタッチスクリーン１２は、ホームスクリーンの第１のページ１３０２ａ及び頻繁に使用されるアプリケーションのアイコンを含むドック領域１３０２を表示し、第２のタッチスクリーン１４は、Ａアプリケーション１３０２ｂを表示する。ドック領域１３０２に含まれる通話アプリケーション、連絡先アプリケーション、メッセージアプリケーション、及びアプリケーションリストを提供するアプリケーションメニューのアイコンのうちの通話アプリケーションのアイコンから予め定められたタッチジェスチャー１３００ａ、例えば、タップジェスチャーが感知される場合に、携帯機器は、通話アプリケーションを実行し、図２３Ｂに進む。ここでは、ホームスクリーンとともに表示されるドック領域１３０２を示したが、下記の説明は、ドック領域１３０２が他のアプリケーションとともに表示されるか又は通話アプリケーションが携帯機器の他のメニューの制御を通して開始される場合にも類似して適用されることができる。
【０５０９】
図２３Ｂを参照すると、携帯機器は、タッチジェスチャー１３００ａの感知に応答して通話アプリケーションを開始し、ホームスクリーンの第１のページ１３０２ａ及びドック領域１３０２を第１のタッチスクリーン１２で通話アプリケーションにより提供される発呼スクリーン１３０４に置き換えて表示する。発呼スクリーン１３０４は、番号表示領域１３０４ａ、キーパッド領域１３０４ｂ、通話キー１３０４ｃ、映像通話（Video Call）キー１３０４ｄ、メッセージ発信キー１３０４ｅ、及び機能キー領域１３０４ｆのうちの少なくとも１つを含む。ここで、機能キー領域１３０４ｆは、通話アプリケーションにより提供されることができる機能のソフトキー、例えば、キーパッド領域１３０４ｂを表示するか否かを選択するか又はキーパッド領域１３０４ｂのタイプを選択するキーパッド選択キー、通話記録を示すログキー、及び連絡先番号を呼び出す連絡先キーのうちの少なくとも１つを含む。選択可能な実施形態において、通話アプリケーションが第１のタッチスクリーン１２に表示される場合に、第２のタッチスクリーン１４は、Ａアプリケーション１３０２ｂを継続して表示する。
【０５１０】
発信される電話番号がキーパッド領域１３０４ｂを通して入力される場合に、第１のタッチスクリーン１２は、この入力された電話番号を番号表示領域１３０４ａに表示し、この入力された電話番号が存在する場合に、この電話番号に対応する連絡先のピクチャーイメージ及び名前を表示する。この電話番号が第１のタッチスクリーン１２のキーパッド領域１３０４ｂに完全に入力され、タップジェスチャー１３００ｂが通話キー１３０４ｃから感知される場合に、携帯機器は、図２３Ｃに進む。
【０５１１】
図２３Ｃを参照すると、携帯機器は、タップジェスチャー１３００ｂの感知に応答して、発呼スクリーン１３０４をダイヤリングスクリーン１３０６に置き換えて第１のタッチスクリーン１２に表示する。ダイヤリングスクリーン１３０６は、通話者識別領域１３０６ａと機能キー領域１３０６ｂとを含む。通話者識別領域１３０６ａは、この入力された電話番号に対応する相手通話者の名前、ピクチャーイメージ、及び電話番号のうちの少なくとも１つを含む。機能キー領域１３０６ｂは、通話中機能のソフトキー、例えば、電話番号追加キー、ダイヤルパッド呼び出しキー、通話終了キー、スピーカーキー、音消去キー、及びヘッドセット接続キーのうちの少なくとも１つを含む。ダイヤルの間に使用されることができない電話番号追加キー、音消去キー、及びヘッドセット接続キーは非活性化することができる。ここで、スピーカーキーは、公開通話モード（public mode）と個人通話モード（private mode）との間のスイッチングを実行する。ここで、公開通話モードは、遠距離通話が可能であるようにスピーカーのボリューム及びマイクロフォンの感度を相対的に増加させる状態（又は外部のスピーカーをターンオンする状態）、すなわち、スピーカーフォンモードを意味し、個人通話モードは、携帯機器を有するユーザにより実行される通話がユーザの耳及び口に寄せることができるようにするスピーカーのボリューム及びマイクロフォンの感度を相対的に低くする状態（又は外部のスピーカーをターンオフする状態）を意味する。
【０５１２】
第１のタッチスクリーン１２及び第２のタッチスクリーン１４を含む第１のパネル２及び第２のパネル４が広げられている状態で通話接続が開始される場合に、第２のタッチスクリーン１４は、前に表示されていたＡアプリケーション１３０２ｂを継続して表示するか、ターンオフ状態となるか、又は通話のために携帯機器を折り畳むことをユーザに勧告する案内メッセージスクリーン１３０２ｃを表示する。
【０５１３】
選択可能な実施形態において、通話アプリケーションは、第１のパネル２及び第２のパネル４が広げられている状態で公開通話モードで通話を接続する。また、ダイヤリングの間に、第１のタッチスクリーン１２が全面を向けるように携帯機器の第１のパネル２及び第２のパネル４がフォールドアウトされる場合に、第２のタッチスクリーン１４は、ターンオフされることができる。
【０５１４】
相手通話者が通話接続に応答して通話が接続されることを感知する場合に、携帯機器は、図２３Ｄに進む。
【０５１５】
図２３Ｄを参照すると、携帯機器は、通話接続の感知に応答して、通話中のスクリーン１３０８を第１のタッチスクリーン１２に表示する。通話中のスクリーン１３０８は、通話者識別領域１３０８ａと、通話持続時間１３０８ｂと、機能キー領域１３０８ｃとを含む。通話者識別領域１３０８ａは、ピクチャーイメージ、通話者名前、及び電話番号のうちの少なくとも１つを含む。機能キー領域１３０８ｃは、電話番号追加キー、ダイヤルパッド呼び出しキー、通話終了キー、スピーカーモードスイッチングキー、音消去キー、及びヘッドセット接続キーのうちの少なくとも１つを含む。
【０５１６】
第１のタッチスクリーン１２及び第２のタッチスクリーン１４を含む第１のパネル２及び第２のパネル４が広げられている状態で通話が接続される場合に、第２のタッチスクリーン１４は、案内メッセージスクリーン１３０２ｃを除去し、前に表示されていた情報、すなわち、Ａアプリケーション１３０２ｂを表示することができる。他の実施形態において、第２のタッチスクリーン１４は、広げられている状態で通話の間に案内メッセージスクリーン１３０２ｃを継続して保持する。
【０５１７】
公開通話モードにおいて、通話の間に、携帯機器に含まれた第１のパネル２及び第２のパネル４のフォールドアウト１３００ｂを感知する場合に、携帯機器は、図２３Ｅに進む。図２３Ｅを参照すると、携帯機器は、第１のパネル２及び第２のパネル４のフォールドアウト１３００ｂに応答して、第２のタッチスクリーン１４をターンオフし、公開通話モードを非活性化状態、すなわち、個人通話モードにスイッチングする。図示していないが、個人通話モードにおいて、通話の間に、携帯機器に含まれた第１のパネル２及び第２のパネル４が広げられることを感知すると、携帯機器は、図２３Ｄに示すように、前に表示されていた情報、すなわち、Ａアプリケーション１３０２ｂを第２のタッチスクリーン１４にさらに表示し、公開通話モードを活性化する。
【０５１８】
図２３Ｆ乃至図２３Ｊは、本発明の一実施形態による通話アプリケーションで発呼を処理するための他のシナリオを示す図である。
【０５１９】
図２３Ｆを参照すると、第１のタッチスクリーン１２は、ホームスクリーンの第１のページ１３０２ａ及びドック領域１３０２を表示し、第２のタッチスクリーン１４は、ホームスクリーンの第２のページ１３０２ｄを表示する。予め定められたタッチジェスチャー１３００ｃ、例えば、タップジェスチャーがドック領域１３０２に含まれる通話アプリケーションのアイコンから感知される場合に、携帯機器は、通話アプリケーションを実行し、図２３Ｇに進む。ここでは、ホームスクリーンとともに表示されるドック領域１３０２を示したが、下記の説明は、ドック領域１３０２が他のアプリケーションとともに表示されるか又は通話アプリケーションが携帯機器の他のメニューの制御を通して開始される場合にも類似して適用されることができる。
【０５２０】
図２３Ｇを参照すると、携帯機器は、タッチジェスチャー１３００ｃの感知に応答して通話アプリケーションを開始し、通話アプリケーション１３０４により提供される発呼スクリーン、すなわち、番号表示領域１３０４ａ、キーパッド領域１３０４ｂ、通話キー１３０４ｃ、映像通話キー１３０４ｄ、メッセージ発信キー１３０４ｅ、及び機能キー領域１３０４ｆを第１のタッチスクリーン１２に表示する。例えば、機能キー領域１３０４ｆは、キーパッド領域１３０４ｂを表示するか否かを選択するか又はキーパッド領域１３０４ｂのタイプを選択するキーパッド選択キー、通話記録を示すログキー、及び連絡先をローディングする連絡先キーのうちの少なくとも１つを含む。選択可能な実施形態において、第２のタッチスクリーン１４がホームスクリーンの第２のページ１３０２ｄを表示する間に、通話アプリケーションが第１のタッチスクリーン１２で開始される場合に、ドック領域１３０２は、第２のタッチスクリーン１４の第２のページ１３０２ｄの下部に移動された後に表示されることができる。
【０５２１】
発信される電話番号がキーパッド領域１３０４ｂを通して入力される場合に、第１のタッチスクリーン１２は、この入力された電話番号を番号表示領域１３０４ａに表示し、この入力された電話番号が存在する場合に、この電話番号に対応する連絡先のピクチャーイメージ及び名前をさらに表示する。この電話番号が完全に入力され、タップジェスチャー１３００ｄが通話キー１３０４ｃから感知される場合に、携帯機器は、図２３Ｈに進む。
【０５２２】
図２３Ｈを参照すると、携帯機器は、タップジェスチャー１３００ｄの感知に応答して、ダイヤリングスクリーン１３０６を第１のタッチスクリーン１２に表示する。ダイヤリングスクリーン１３０６は、通話者識別領域１３０６ａと機能キー領域１３０６ｂとを含む。通話者識別領域１３０６ａは、ピクチャーイメージ、通話者名前、及び電話番号のうちの少なくとも１つを含む。機能キー領域１３０６ｂは、電話番号追加キー、ダイヤルパッド呼び出しキー、通話終了キー、スピーカーキー、音消去キー、及びヘッドセット接続キーのうちの少なくとも１つを含む。ダイヤルの間に使用されることができない電話番号追加キー、音消去キー、及びヘッドセット接続キーは、非活性化することができる。
【０５２３】
第１のタッチスクリーン１２及び第２のタッチスクリーン１４を含む第１のパネル２及び第２のパネル４が広げられている状態で通話接続が開始される場合に、第２のタッチスクリーン１４は、前に表示されていたＡアプリケーション１３０２ｂを継続して表示するか、ターンオフ状態となるか、又は通話のために携帯機器を折り畳むことをユーザに勧告する案内メッセージスクリーン１３０２ｃを表示する。この時に、案内メッセージスクリーン１３０２ｃは、前に表示されていたホームスクリーンの第２のページ１３０２ｄ及びドック領域１３０２ｅでオーバーライトされるように表示されることができる。
【０５２４】
選択可能な実施形態において、通話アプリケーションは、第１のパネル２及び第２のパネル４が広げられている状態で公開通話モードで通話を接続する。また、ダイヤリングの間に、携帯機器がフォールドアウトされると、第２のタッチスクリーン１４は、ターンオフされることができる。
【０５２５】
相手通話者が通話接続に応答して通話が接続されることを感知する場合に、携帯機器は、図２３Ｉに進む。
【０５２６】
図２３Ｉを参照すると、携帯機器は、通話接続の感知に応答して、通話中のスクリーン１３０８を第１のタッチスクリーン１２に表示する。通話中のスクリーン１３０８は、通話者識別領域１３０８ａと通話時間１３０８ｂと機能キー領域１３０８ｃとを含む。
【０５２７】
第１のタッチスクリーン１２及び第２のタッチスクリーン１４を含む第１のパネル２及び第２のパネル４が広げられている状態で通話が接続される場合に、第２のタッチスクリーン１４は、案内メッセージスクリーン１３０２ｃを前に表示されていた情報、すなわち、ホームスクリーンの第２のページ１３０２ｄに置き換えて表示することができる。他の実施形態において、第２のタッチスクリーン１４は、広げられている状態で通話の間に案内メッセージスクリーン１３０２ｃを継続して保持する。
【０５２８】
公開通話モードにおいて、通話の間に、携帯機器に含まれた第１のパネル２及び第２のパネル４のフォールドアウト１３００ｅがなされることを感知すると、携帯機器は、図２３Ｊに示すように、第２のタッチスクリーン１４をターンオフし、公開通話モードを個人通話モードにスイッチングする。この通話がフォールドアウト状態で実行された後に終了する場合に、例えば、タップジェスチャー１３００ｆが通話終了キーから感知される場合に、携帯機器は、第１のタッチスクリーン１２の通話中のスクリーン１３０８を前の情報、すなわち、ホームスクリーンの第２のページ１３０２ｄ及びドック領域１３０２ｅに置き換えて表示する。
【０５２９】
図２３Ｋ乃至図２３Ｍは、本発明の一実施形態による通話アプリケーションで着呼（Incoming Call）を処理するためのシナリオを示す図である。
【０５３０】
図２３Ｋを参照すると、第１のタッチスクリーン１２は、第１のアプリケーション１３２２ａを表示し、第２のタッチスクリーン１４は、第２のアプリケーション１３２２ｂを表示する。第１のアプリケーション１３２２ａ及び第２のアプリケーション１３２２ｂは、ホームスクリーン、アプリケーションメニュー、基本アプリケーション、及びユーザにより設置されたアプリケーションのうちのいずれかのものであってもよい。図示する例において、第１のアプリケーション１３２２ａは、ショートメッセージングサービス（Short Messaging Service：ＳＭＳ）、電子メール、インスタントメッセージングサービス（Instant Messaging Service：ＩＭＳ）のようなメッセージアプリケーションであり、第２のアプリケーション７０４は、フォトギャラリーアプリケーションである。他の例において、第１のタッチスクリーン１２及び第２のタッチスクリーン１４は、メインサブモードで１つのアプリケーションに対する２つのタスクスクリーンを表示するか又はフルモードで１つのアプリケーションに対する１つのタスクスクリーンを共通に表示する。第１のタッチスクリーン１２及び第２のタッチスクリーン１４が１つ又はそれ以上のアプリケーション１３２２ａ及び１３２２ｂを表示する間に着呼が発生する場合に、携帯機器は、図２３Ｌに進む。
【０５３１】
図２３Ｌを参照すると、携帯機器は、着呼の発生に応答して通話アプリケーションを開始し、第１のアプリケーション１３２２ａを通話アプリケーションにより提供される着呼スクリーン１３２４に置き換えて第１のタッチスクリーン１２に表示する。着呼スクリーン１３２４は、通話者識別領域１３２４ａ、着信キー領域１３２４ｂ、及び拒絶メッセージキー１３２４ｃのうちの少なくとも１つを含む。通話者識別領域１３２４ａは、ピクチャーイメージ、通話者名前、及び電話番号のうちの少なくとも１つを含む。着信キー領域１３２４ｂは、着信キー及び拒絶キーを含むことができる。拒絶キーは、メッセージの発送なしに着呼を拒絶するために使用される。拒絶メッセージキー１３２４ｃは、メッセージアプリケーションにより拒絶メッセージを自動で送信するために使用される。
【０５３２】
着呼スクリーン１３２４が第１のタッチスクリーン１２に表示されている間に、第２のタッチスクリーン１４は非活性化され、通話のために携帯機器を折り畳むことをユーザに勧告する案内メッセージスクリーン１３２６を表示する。
【０５３３】
予め定められるタッチジェスチャー１３１０ａ、例えば、着信キー上のタップジェスチャー又は着信キーで開始し、予め定められる方向に移動するタッチドラッグ（スライド）が感知される場合に、携帯機器は、図２３Ｍに進む。
【０５３４】
図２３Ｍを参照すると、携帯機器は、タッチジェスチャー１３１０ａの感知に応答して、相手通話者と通話を接続し、着呼スクリーン１３２４を通話中のスクリーン１３２４に置き換えて第１のタッチスクリーン１２に表示する。通話中のスクリーン１３２４は、通話者識別領域１３２４ａと、通話持続時間１３２４ｂと、機能キー領域１３２４ｃとを含む。通話者識別領域１３２４ａは、ピクチャーイメージ、相手通話者名前、及び電話番号のうちの少なくとも１つを含む。機能キー領域１３２４ｃは、電話番号追加キー、ダイヤルパッド呼び出しキー、通話終了キー、スピーカーモード置き換えキー、音消去キー、及びヘッドセット接続キーのうちの少なくとも１つを含む。
【０５３５】
選択可能な実施形態において、タッチジェスチャー１３１０ａが第１のタッチスクリーン１２及び第２のタッチスクリーン１４を含む第１のパネル２及び第２のパネル４が広げられている状態で着信キーから感知される場合に、通話アプリケーションは、公開通話モードで通話接続を開始し、第２のタッチスクリーン１４は、さらに活性化される。
【０５３６】
通話が通話中のスクリーン１３２４で終了する場合に、例えば、タップジェスチャー１３２０ｂが機能キー領域１３２４ｃ内の通話終了キーから感知される場合に、携帯機器は、図２３Ｋに戻って、第１のタッチスクリーン１２の通話中のスクリーン１３２４を前の情報、すなわち、第１のアプリケーション１３２２ａに置き換えて表示する。
【０５３７】
図２３Ｎ乃至図２３Ｐは、本発明の一実施形態による通話アプリケーションで着呼に応答するための他のシナリオを示す図である。
【０５３８】
図２３Ｎを参照すると、第１のタッチスクリーン１２及び第２のタッチスクリーン１４は、第１のアプリケーションの第１のタスクスクリーン１３２６ａ及び第２のタスクスクリーン１３２６ｂを表示する。第１のアプリケーションは、ホームスクリーン、アプリケーションメニュー、基本アプリケーション、及びユーザにより設置されたアプリケーションのうちのいずれであってもよい。図示する例において、第１のアプリケーションは、異なる深さを有する２つのタスクスクリーンを提供するフォトギャラリーアプリケーションであり、第１のタッチスクリーン１２の第１のタスクスクリーン１３２６ａは、複数のサムネイルイメージの１ページを含み、第２のタッチスクリーン１４の第２のタスクスクリーン１３２６ｂは、サムネイルイメージから選択された１つのサムネイルイメージのピクチャーイメージをより大きいサイズ、すなわち、全サイズ（full size）で表示する。
【０５３９】
第１のタッチスクリーン１２及び第２のタッチスクリーン１４が第１のアプリケーションのタスクスクリーン１３２６ａ及び１３２６ｂを表示する間に着呼が発生する場合に、携帯機器は、図２３Ｏに進む。
【０５４０】
図２３Ｏを参照すると、携帯機器は、着呼の発生に応答して通話アプリケーションを開始し、第１のアプリケーションの第１のタスクスクリーン１３２６ａを通話アプリケーションにより提供される着呼スクリーン１３２８に置き換えて第１のタッチスクリーン１２に表示する。着呼スクリーン１３２８は、通話者識別領域１３２８ａと、着信キー領域１３２８ｂと、拒絶メッセージキー１３２８ｃとを含む。通話者識別領域１３２８ａは、ピクチャーイメージ、通話者名前、及び電話番号のうちの少なくとも１つを含む。着信キー領域１３２８ｂは、着信キー及び拒絶キーを含むことができる。拒絶メッセージキー１３２８ｃは、メッセージアプリケーションにより拒絶メッセージを自動で送信するために使用される。
【０５４１】
着呼スクリーン１３２８が第１のタッチスクリーン１２に表示されている間に、第２のタッチスクリーン１４は非活性化され、通話のために携帯機器を折り畳むことをユーザに勧告する案内メッセージスクリーン１３３０を表示する。
【０５４２】
着信キー領域１３２８ｂ内の着信キー上で予め定められるタッチジェスチャー１３２０ｃ、例えば、タップジェスチャー又は着信キーで開始し、予め定められる方向に移動するタッチドラッグ（スライド）が感知される場合に、携帯機器は、図２３Ｐに進む。
【０５４３】
図２３Ｐを参照すると、携帯機器は、タッチジェスチャー１３２０ｃの感知に応答して、相手通話者と通話を接続し、着呼スクリーン１３２８を通話中のスクリーン１３３２に置き換えて第１のタッチスクリーン１２に表示する。通話中のスクリーン１３３２は、通話者識別領域１３３２ａと、通話持続時間１３３２ｂと、機能キー領域１３３２ｃとを含む。通話者識別領域１３３２ａは、ピクチャーイメージ、相手通話者名前、及び電話番号のうちの少なくとも１つを含む。機能キー領域１３３２ｃは、電話番号追加キー、ダイヤルパッド呼び出しキー、通話終了キー、スピーカーモード置き換えキー、音消去キー、及びヘッドセット接続キーのうちの少なくとも１つを含む。
【０５４４】
選択可能な実施形態において、タッチジェスチャー１３２０ｃが第１のタッチスクリーン１２及び第２のタッチスクリーン１４を含む第１のパネル２及び第２のパネル４が広げられている状態で着信キーから感知された場合に、通話アプリケーションは、公開通話モードで通話接続を開始し、第２のタッチスクリーン１４は、さらに活性化される。
【０５４５】
通話が通話中のスクリーン１３３２で終了する場合に、例えば、タップジェスチャー１３２０ｄが機能キー領域１３３２ｃ内の通話終了キーから感知される場合に、携帯機器は、図２３Ｎに戻って、第１のタッチスクリーン１２の通話中のスクリーン１３２４を前の情報、すなわち、第１のアプリケーションの第１のタスクスクリーン１３２６ａに置き換えて表示する。
【０５４６】
図２４（図２４Ａ乃至図２４Ｒを含む）は、本発明の他の実施形態による通話アプリケーションのユーザインターフェースを示す図である。
【０５４７】
図２４Ａ乃至図２４Ｃは、本発明の一実施形態による通話アプリケーションの着呼に応答するための他のシナリオを示す図である。
【０５４８】
図２４Ａを参照すると、第１のタッチスクリーン１２は、第１のアプリケーションのテキスト入力領域（すなわち、タイピング領域）１４０２ａを表示し、第２のタッチスクリーン１４は、第１のアプリケーションの追加情報１４０２ｄを表示する。第１のアプリケーションは、タイピング入力を必要とするアプリケーションであり、ここでは、メッセージアプリケーションとして示す。第１のタッチスクリーン１２は、テキスト入力領域１４０２ａとともに、テキスト入力領域１４０２ａを通して入力されたメッセージを表示するメッセージ表示領域１４０２ｂと仮想キーパッド領域１４０２ｃとをさらに表示する。第２のタッチスクリーン１４は、例えば、メッセージアプリケーションの追加情報１４０２ｄと同一の相手とやりとるメッセージを順次に表示する。
【０５４９】
第１のタッチスクリーン１２がテキスト入力領域１４０２ａを表示する間に着呼が発生する場合に、携帯機器は、図２４Ｂに進む。
【０５５０】
図２４Ｂを参照すると、携帯機器は、着呼の発生に応答して通話アプリケーションを開始し、テキスト入力領域１４０２ａ及び他の情報１４０２ｂ、１４０２ｃを通話アプリケーションにより提供される着呼スクリーン１４０４に置き換えて第１のタッチスクリーン１２に表示する。着呼スクリーン１４０４は、通話者識別領域１４０４ａと、着信キー領域１３２４ｂと、拒絶メッセージキー１４０４ｃとを含む。通話者識別領域１４０４ａは、ピクチャーイメージ、通話者名前、及び電話番号のうちの少なくとも１つを含む。着信キー領域１４０４ｂは、着信キー及び拒絶キーを含むことができる。拒絶メッセージキー１４０４ｃは、メッセージアプリケーションにより拒絶メッセージを自動で送信するために使用される。
【０５５１】
着呼スクリーン１４０４が第１のタッチスクリーン１２に表示されている間に、第２のタッチスクリーン１４は非活性化され、通話のために携帯機器を折り畳むことをユーザに勧告する案内メッセージスクリーン１４０６は、前の情報１４０２ｄにオーバーライトされるように表示される。
【０５５２】
予め定められるタッチジェスチャー１４００ａ、例えば、着信キー上のタップジェスチャー又は着信キーで開始し、予め定められる方向に移動するタッチドラッグ（スライド）が感知される場合に、携帯機器は、図２４Ｃに進む。
【０５５３】
図２４Ｃを参照すると、携帯機器は、タッチジェスチャー１４００ａの感知に応答して、相手通話者と通話を接続し、着呼スクリーン１４０４を通話中のスクリーン１４０６に置き換えて第１のタッチスクリーン１２に表示する。通話中のスクリーン１４０６は、通話者識別領域１４０６ａと、通話持続時間１４０６ｂと、機能キー領域１４０６ｃとを含む。通話者識別領域１４０６ａは、ピクチャーイメージ、相手通話者名前、及び電話番号のうちの少なくとも１つを含む。機能キー領域１４０６ｃは、電話番号追加キー、ダイヤルパッド呼び出しキー、通話終了キー、スピーカーモード置き換えキー、音消去キー、及びヘッドセット接続キーのうちの少なくとも１つを含む。
【０５５４】
テキスト入力領域１４０２ａを含む情報１４０２ａ、１４０２ｂ、及び１４０２ｃが第１のタッチスクリーン１２に表示される間に着呼が発生する場合に、携帯機器は、通話中のスクリーン１４０６を第１のタッチスクリーン１２に表示しつつ、第１のタッチスクリーン１２に前に表示されていたテキスト入力領域１４０２ａ及び他の情報１４０２ｂ、１４０２ｃを第２のタッチスクリーン１４に移動し、この移動されたテキスト入力領域１４０２ａ及び他の情報１４０２ｂ、１４０２ｃを第２のタッチスクリーン１４に表示する。この時に、テキスト入力領域１４０２ａは、着呼の前に第１のタッチスクリーン１２に入力されたテキストを含み、このテキストを第２のタッチスクリーン１４に表示する。
【０５５５】
選択可能な実施形態において、第１のタッチスクリーン１２及び第２のタッチスクリーン１４を含む第１のパネル２及び第２のパネル４が広げられている状態で、携帯機器は、第１のタッチスクリーン１２の通話中のスクリーン１４０６を通して公開通話モードで通話接続を開始し、ユーザが第２のタッチスクリーン１４のテキスト入力領域１４０２ａを通してメッセージを継続して入力することができるようにサポートする。
【０５５６】
タップジェスチャー１４００ｂが機能キー領域１４０６ｃの通話終了キーから感知される場合に、携帯機器は、図２４Ａに復帰し、第１のタッチスクリーン１２の通話中のスクリーン１４０６を前の情報、すなわち、テキスト入力領域１４０２ａ、メッセージ表示領域１４０２ｂ、及び仮想キーパッド領域１４０２ｃに置き換えて表示し、着呼前の情報１４０２ｄを第２のタッチスクリーン１４に表示する。
【０５５７】
図２４Ｄ乃至図２４Ｈは、本発明の一実施形態による通話アプリケーションで着呼に応答するためのもう１つのシナリオを示す図である。
【０５５８】
図２４Ｄを参照すると、第１のタッチスクリーン１２及び第２のタッチスクリーン１４は、第１のアプリケーションの第１のタスクスクリーン１４１０ａ及び第２のタスクスクリーン１４１０ｂを表示する。第１のアプリケーションは、ホームスクリーン、アプリケーションメニュー、基本アプリケーション、及びユーザにより設置されたアプリケーションのうちのいずれのものであってもよい。図示する例において、第１のアプリケーションは、異なる深さを有する２つのタスクスクリーンを提供するフォトギャラリーアプリケーションであり、第１のタッチスクリーン１２の第１のタスクスクリーン１４１０ａは、複数のサムネイルイメージの１ページを含み、第２のタッチスクリーン１４の第２のタスクスクリーン１４１０ｂは、サムネイルイメージから選択された１つのサムネイルイメージのピクチャーイメージをより大きいサイズ、すなわち、全サイズで表示する。
【０５５９】
第１のタッチスクリーン１２及び第２のタッチスクリーン１４で第１のアプリケーションのタスクスクリーン１４１０ａ及び１４１０ｂを表示する間に、着呼が発生すると、携帯機器は図２４Ｅに進む。
【０５６０】
図２４Ｅを参照すると、携帯機器は、着呼の発生に応答して通話アプリケーションを開始し、通話アプリケーションにより提供される第１のアプリケーションの第１のタスクスクリーン１４１０ａを着呼スクリーン１４１２に置き換えて第１のタッチスクリーン１２に表示する。着呼スクリーン１４１２は、通話者識別領域１４１２ａと、着信キー領域１４１２ｂと、拒絶メッセージキー１４１２ｃとを含む。通話者識別領域１４１２ａは、ピクチャーイメージ、通話者名前、及び電話番号のうちの少なくとも１つを含む。着信キー領域１４１２ｂは、着信キー及び拒絶キーを含むことができる。拒絶メッセージキー１４１２ｃは、メッセージアプリケーションにより拒絶メッセージを自動で送信するために使用される。
【０５６１】
着呼スクリーン１４１２が第１のタッチスクリーン１２に表示されている間に、第２のタッチスクリーン１４が非活性化され、通話のために携帯機器を折り畳むことをユーザに勧告する案内メッセージスクリーン１４１４が表示される。
【０５６２】
着信キー領域１４１２ｂ内の着信キー上で予め定められるタッチジェスチャー１４００ｃ、例えば、タップジェスチャー又は着信キーで開始され、予め定められる方向に移動するタッチドラッグ（スライド）が感知される場合に、携帯機器は、図２４Ｆに進む。
【０５６３】
図２４Ｆを参照すると、携帯機器は、タッチジェスチャー１４００ｃの感知に応答して、相手通話者と通話を接続し、着呼スクリーン１４１２を通話中のスクリーン１４１６に置き換えて第１のタッチスクリーン１２に表示する。通話中のスクリーン１４１６は、通話者識別領域１４１６ａと、通話時間１４１６ｂと、機能キー領域１４１６ｃとを含む。通話者識別領域１４１６ａは、ピクチャーイメージ、相手通話者名前、及び電話番号のうちの少なくとも１つを含む。機能キー領域１４１６ｃは、電話番号追加キー、ダイヤルパッド呼び出しキー、通話終了キー、スピーカーモード置き換えキー、音消去キー、及びヘッドセット接続キーのうちの少なくとも１つを含む。
【０５６４】
選択可能な実施形態において、第１のタッチスクリーン１２及び第２のタッチスクリーン１４を含む第１のパネル２及び第２のパネル４が広げられている状態で、タッチジェスチャー１４００ｃが着信キーから感知される場合に、通話アプリケーションは、公開通話モードで通話接続を開始し、第２のタッチスクリーン１４は、図２４Ｆに示すようにさらに活性化される。
【０５６５】
通話中のスクリーン１４１６が第１のタッチスクリーン１２に表示され、前のタスクスクリーン１４１０ｂが第２のタッチスクリーン１４に表示される間に、第２のタッチスクリーン１４の下部に配置された物理的なボタンのうちの１つであるホームボタン１４００ｄが選択される場合に、携帯機器は、図２３Ｇに進む。
【０５６６】
図２４Ｇを参照すると、携帯機器は、この選択されたホームボタン１４００ｄに応答して、ホームスクリーンの第１のページ１４１８ａを第２のタッチスクリーン１４に表示する。この時に、第１のタッチスクリーン１２は、やはり通話中のスクリーン１４１６を表示しており、したがって、ホームスクリーンの第１のページ１４１８ａとともにドック領域１４１８ｂが第２のタッチスクリーン１４の下部に表示される。
【０５６７】
タップジェスチャー１４００ｅが機能キー領域１４１６ｃの通話終了キーから感知される場合に、携帯機器は図２４Ｈに進み、第１のタッチスクリーン１２の通話中のスクリーン１４０６を着呼前の情報、すなわち、第１のアプリケーションのタスクスクリーン１４１０ｂに置き換えて表示し、第２のタッチスクリーン１４のホームスクリーンの第１のページ１４１８ａ及びドック領域１４１８ｂを保持する。この時に、第１のタッチスクリーン１２は、第１のアプリケーションのタスクスクリーン１４１０ａ及び１４１０ｂのうちの予め定められる１つのタスクスクリーン、例えば、最終深さを有するタスクスクリーン１４１８ｂを表示する。
【０５６８】
図２４Ｉ及び図２４Ｊは、本発明の一実施形態による通話アプリケーションで着呼を拒絶するためのシナリオを示す図である。
【０５６９】
図２４Ｉを参照すると、携帯機器は、着呼の発生に応答して通話アプリケーションにより提供される着呼スクリーン１４０４を表示する。着呼スクリーン１４０４は、通話者識別領域１４０４ａと、着信キー領域１４０４ｂと、拒絶メッセージキー１４０４ｃとを含む。通話者識別領域１４０４ａは、ピクチャーイメージ、通話者名前、及び電話番号のうちの少なくとも１つを含む。着信キー領域１４０４ｂは、着信キー及び拒絶キーを含むことができる。拒絶メッセージキー１４０４ｃは、メッセージアプリケーションにより拒絶メッセージを自動で送信するために使用される。
【０５７０】
着呼スクリーン１４０４が第１のタッチスクリーン１２に表示されている間に、第２のタッチスクリーン１４が非活性化され、通話のために携帯機器を折り畳むことをユーザに勧告する案内メッセージスクリーンが表示される。
【０５７１】
着呼スクリーン１４０４内の拒絶メッセージキー１４０４ｃ上で予め定められるタッチジェスチャー１４００ｆ、例えば、タップジェスチャー又は拒絶メッセージキー１４０４ｃで開始し、予め定められる方向に移動するタッチドラッグ（スライド）が感知される場合に、携帯機器は、図２４Ｊに進む。
【０５７２】
図２４Ｊを参照すると、携帯機器は、タッチジェスチャー１４００ｆの感知に応答して、拒絶メッセージスクリーン１４２０を第１のタッチスクリーン１２に表示し、拒絶メッセージを入力するためのテキスト入力領域１４２２ａ及び仮想キーパッド１４２２ｃを第２のタッチスクリーン１４に表示する。拒絶メッセージスクリーン１４２０は、予め指定された複数の常用句を着呼の拒絶のための拒絶メッセージ及び送信キーとして含む。図示していないが、タップジェスチャーが常用句のうちの１つの送信キーから感知される場合に、携帯機器は、対応する選択された常用句、例えば、“ I’ll call later”、“I’m in meeting”、“I’m in class now”、“In a cinema”、及び“While driving”のうちの１つを含むショートメッセージを着呼の相手通話者に自動で発送する。
【０５７３】
拒絶のためのメッセージ、例えば、“I’m busy”が仮想キーパッド１４２２ｃを通して入力され、タップジェスチャー１４２２ｃがテキスト入力領域１４２２ａに含まれた送信キーから感知される場合に、携帯機器は、入力されたメッセージ、“I’m busy”を含むショートメッセージをメッセージアプリケーションにより着呼の相手通話者に自動で発送する。
【０５７４】
図示していないが、メッセージが拒絶メッセージスクリーン１４２０又はテキスト入力領域１４２２ａ及び仮想キーパッド１４２２ｃを通して送信される場合に、携帯機器は、第１のタッチスクリーン１２及び第２のタッチスクリーン１４の着呼スクリーン１４０４及び案内メッセージスクリーン１４０６を着呼の前に表示された情報に置き換えて表示する。
【０５７５】
図２４Ｋ乃至図２４Ｎは、本発明の一実施形態による通話アプリケーションで２番目の着呼に応答するためのもう１つのシナリオを示す図である。
【０５７６】
図２４Ｋを参照すると、携帯機器は、通話アプリケーションにより提供される通話中のスクリーン１４０６を第１のタッチスクリーン１２に表示し、第１の相手通話者、例えば、“ＡＡＡ”と通話を実行し、第１のアプリケーション１４１０ｂを第２のタッチスクリーン１４に表示する。第１のアプリケーション１４１０ｂは、通話アプリケーションでない他のアプリケーションを意味する。第１の相手通話者との通話中のスクリーン１４０６が表示されている間に、第２の相手通話者、例えば、“ＢＢＢ”からの２番目の着呼が発生する場合に、携帯機器は、図２４Ｌに進む。
【０５７７】
図２４Ｌを参照すると、携帯機器は、第１の相手通話者との通話を保持しつつ、第１のタッチスクリーン１２の通話中のスクリーン１４０６を第２の相手通話者の着呼スクリーン１４２６に置き換えて表示する。着呼スクリーン１４２６は、第２の相手通話者“ＢＢＢ”の通話者識別領域１４２６ａと、着信キー領域１４２６ｂと、拒絶メッセージキー１４２６ｃとを含む。第２の相手通話者との着呼スクリーン１４２６が第１のタッチスクリーン１２に表示されている間に、第２のタッチスクリーン１４は、第１のアプリケーション１４１０ｂを継続して表示することができる。選択可能な実施形態において、第２の相手通話者との着呼スクリーン１４２６が第１のタッチスクリーン１２に表示されている間に、携帯機器に含まれた少なくとも１つのパネルが折り畳まれる場合に、第２のタッチスクリーン１４は、ターンオフ状態となる。
【０５７８】
着信キー領域１４２６ｂ内の着信キー上で予め定められるタッチジェスチャー１４００ｇ、例えば、タップジェスチャー又は着信キーで開始され、予め定められる方向に移動するタッチドラッグ（スライド）が感知される場合に、携帯機器は、図２４Ｍに進む。
【０５７９】
図２４Ｍを参照すると、携帯機器は、タッチジェスチャー１４００ｇの感知に応答して、第１のタッチスクリーン１２の着呼スクリーン１４２６に多重着信選択メニュー１４２８をポップアップウィンドウの形態で表示する。多重着信選択メニュー１４２８は、第１の相手通話者との通話を待機させるための待機キー１４２８ａと通話を終了するための終了キー１４２８ｂとを含む。図示していないが、タップジェスチャーが終了キー１４２８ｂから感知される場合に、携帯機器は、第１の相手通話者との通話を終了し、第２の相手通話者との通話中のスクリーンを表示する。タップジェスチャー１４００ｈが待機キー１４２８ａから感知されると、携帯機器は、第１の相手通話者との通話を待機させ、図２４Ｎに進む。待機中である通話は、マイクロフォン及びスピーカーが接続されない。
【０５８０】
図２４Ｎを参照すると、携帯機器は、通話アプリケーションにより第２の相手通話者との通話を接続し、第１のタッチスクリーン１２の着呼スクリーン１４２６を複数の通話中のスクリーン１４３０に置き換えて表示する。複数の通話中のスクリーン１４３０は、“ＡＡＡ”及び“ＢＢＢ”のような通話を行う複数の相手通話者の通話者識別領域１４３０ａと、通話スワップキー１４３０ｂと、同時通話（merge）キー１４３０ｃと、機能キー領域１４３０ｄとを含む。各通話者識別領域１４３０ａは、小さいピクチャーイメージ、相手通話者名前、及び電話番号のうちの少なくとも１つを含み、通話接続状態にある通話者識別領域は、陰影で表示されるか又はハイライトされて表示されることがある。機能キー領域１４３０ｃは、電話番号追加キー、ダイヤルパッド呼び出しキー、通話終了キー、スピーカーモード置き換えキー、音消去キー、及びヘッドセット接続キーのうちの少なくとも１つを含む。
【０５８１】
通話スワップキー１４３０ｂは、現在の通話者をスワップするために使用される。通話が第２の相手通話者“ＢＢＢ”と接続されている状態で、タップジェスチャーが通話スワップキー１４３０ｂから感知される場合に、携帯機器は、第２の相手通話者“ＢＢＢ”との通話を待機させ、第１の相手通話者“ＡＡＡ”との通話を接続する。同時通話キー１４３０ｃは、待機中であるすべての相手通話者と同時に通話を接続するために使用される。第１の相手通話者“ＡＡＡ”との通話が待機状態にあり、第２の相手通話者“ＢＢＢ”との通話が接続されている状態でタップジェスチャーが同時通話キー１４３０ｃから感知される場合に、携帯機器は、第１の相手通話者“ＡＡＡ”及び第２の相手通話者“ＢＢＢ”との通話をすべて接続する。ユーザは、携帯機器を通して第１及び第２の相手通話者のすべてと通話することができる。
【０５８２】
第１のタッチスクリーン１２及び第２のタッチスクリーン１４を含む第１のパネル及び第２のパネル４が広げられている状態で複数の通話中のスクリーン１４３０が第１のタッチスクリーン１２に表示されている間に、第２のタッチスクリーン１４は、第１のアプリケーション１４１０ｂを継続して表示することができる。
【０５８３】
図２４Ｏ乃至図２４Ｒは、本発明の一実施形態による通話アプリケーションで携帯機器の動きにより着呼に応答するためのもう１つのシナリオを示す図である。
【０５８４】
図２４Ｏを参照すると、第１のタッチスクリーン１２及び第２のタッチスクリーン１４が外側に向かうように第１のパネル２及び第２のパネル４が完全に折り畳まれた状態で、第１のタッチスクリーン１２は、第１のアプリケーション１４３２を表示する。図示する例において、第１のアプリケーション１４３２は、サムネイルイメージの１ページを表示するフォトギャラリーアプリケーションである。この時に、第２のタッチスクリーン１４は、ターンオフされることができる。第１のアプリケーション１４３２が折り畳まれた状態で表示する間に着呼が発生する場合に、携帯機器は、図２４Ｐに進む。
【０５８５】
図２４Ｐを参照すると、携帯機器は、着呼の発生に応答して通話アプリケーションを開始し、第１のアプリケーション１４３２を通話アプリケーションにより提供される着呼スクリーン１４３４に置き換えて第１のタッチスクリーン１２に表示する。着呼スクリーン１４３４は、通話者識別領域１４３４ａと、着信キー領域１４３４ｂと、拒絶メッセージキー１４３４ｃとを含む。通話者識別領域１４３４ａは、ピクチャーイメージ、通話者名前、及び電話番号のうちの少なくとも１つを含む。着信キー領域１４３４ｂは、着信キー及び拒絶キーを含むことができる。拒絶メッセージキー１４３４ｃは、メッセージアプリケーションにより拒絶メッセージを自動で送信するために使用される。
【０５８６】
第１のパネル２及び第２のパネル４が完全に折り畳まれた状態で着呼スクリーン１４３４を第１のパネル２の第１のタッチスクリーン１２に表示する間に、携帯機器が第２のタッチスクリーン１４を含む第２のパネル４が上方に上がるようにオーバーターン（overturn）１４００ｉを感知する場合に、携帯機器は、図２４Ｑに進む。
【０５８７】
図２４Ｑを参照すると、携帯機器は、オーバーターン１４００ｉの感知に応答して、第１のタッチスクリーン１２をターンオフし、拒絶メッセージスクリーン１４３６を第２のタッチスクリーン１４に表示する。また、携帯機器が振動モードに存在しない場合に、携帯機器は、リングトーンをターンオフする。拒絶メッセージスクリーン１４３６は、着呼の拒絶のための予め指定された複数の常用句と、常用句のための送信キーと、新たな拒絶メッセージの入力を追加で選択する新たな拒絶メッセージ生成キーとを含む。図示していないが、常用句のうちの１つに対する送信キーが選択されると、携帯機器は、対応する選択された常用句、例えば、“ I’ll call later”、“I’m in meeting”、“I’m in class now”、“In a cinema”、“While driving”のうちの１つをメッセージアプリケーションにより着呼の相手通話者に自動で発送する。また、新たな拒絶メッセージ生成キー上でタップジェスチャーが感知されると、携帯機器は、拒絶メッセージの入力ウィンドウを第２のタッチスクリーン１４に表示する。
【０５８８】
拒絶メッセージスクリーン１４３６が第２のタッチスクリーン１４に表示される間に、第１のパネル２及び第２のパネル４のアンフォールディング１４００ｊが感知される場合に、携帯機器は、図２４Ｒに進む。
【０５８９】
図２４Ｒを参照すると、携帯機器は、アンフォールディング１４００ｊの感知に応答して拒絶メッセージスクリーン１４３６を第１のタッチスクリーン１２に表示し、拒絶メッセージの発送のためのテキスト入力領域１４３８ａ及び仮想キーパッド１４３８ｂを第２のタッチスクリーン１４に表示する。拒絶のためのメッセージ、例えば、“I'm busy”が仮想キーパッド１４３８ｂを通して入力され、タップジェスチャーがテキスト入力領域１４３８ａに含まれた送信キーから感知される場合に、携帯機器は、入力されたメッセージ、“I'm busy”を含むショートメッセージをメッセージアプリケーションにより着呼の相手通話者に自動で発送する。
【０５９０】
携帯機器は、折り畳み可能な少なくとも１つのパネル上に配置される第１のタッチスクリーン及び第２のタッチスクリーンを含むディスプレイ装置を通して、カメラアプリケーションのためのより便利なユーザインターフェースを提供する。上述したように、携帯機器は、カメラアプリケーションを駆動し、第１及び第２のタッチスクリーンを含む第１及び第２のパネルに含まれる少なくとも１つのカメラモジュールを通して写真を撮影し、この撮影されたピクチャーをピクチャーイメージとして記憶する。
【０５９１】
カメラモジュールの位置は、マニュファクチャラーの選択に従って様々に定められることができる。例えば、第１のカメラモジュールが第１のパネル２の前面上部に配置され、第２のカメラモジュールが第２のパネル４の後面上部に配置されることにより、第１のカメラモジュールは、前方カメラとして動作し、第２のカメラモジュールは、後方カメラとして動作する。他の例において、１つのカメラモジュールが第２のパネル４の前面上部に配置され、このカメラモジュールは、第２のパネル４が折り畳まれているか否かに従って前方カメラ又は後方カメラとして動作する。もう１つの例において、第１及び第２のカメラモジュールは、第２のパネル４の前面上部及び後面上部に配置され、第１のカメラモジュールは、第２のパネル４が折り畳まれているか否かに従って前方カメラ又は後方カメラとして動作し、第２のカメラモジュールは、第１のカメラモジュールが前方カメラとして動作する時に後方カメラとして動作する。
【０５９２】
図２５（図２５Ａ乃至図２５Ｌを含む）及び図２６（図２６Ａ乃至図２６Ｋを含む）は、本発明の一実施形態によるカメラアプリケーションのユーザインターフェースを示す図である。
【０５９３】
ここで、カメラモジュールが第２のタッチスクリーン１４を含む第２のパネル４の前面上部に配置される場合の実施形態について説明する。図示していないが、追加のカメラモジュールは、第２のパネル４の後面に存在し得る。携帯機器が縦モードに存在する場合に、カメラモジュールを有していない第１のタッチスクリーン１２は、メインスクリーンであり、カメラモジュールを有している第２のタッチスクリーン１４は、サブスクリーンである。図示していないが、携帯機器が横モードに存在する場合に、上部タッチスクリーンは、メインスクリーンであり、下部タッチスクリーンは、サブスクリーンである。他の実施形態において、メインスクリーン及びサブスクリーンは、カメラモジュールの個数及び位置に従って決定されることができる。
【０５９４】
第１のタッチスクリーン１２及び第２のタッチスクリーン１４を含む第１及び第２のパネルが広げられている状態で、カメラアプリケーションが携帯機器のハウジングに配置されたショートカットボタン又は携帯機器のタッチスクリーンを通して提供されるソフトキーのタッチにより開始される場合に、カメラアプリケーションは、携帯機器に含まれた少なくとも１つのカメラモジュールを駆動し、例えば、図２５Ａに示すスクリーンを第１のタッチスクリーン１２及び第２のタッチスクリーン１４に表示する。
【０５９５】
図２５Ａを参照すると、第１のタッチスクリーン１２は、基本カメラモードでカメラモジュールにより撮影されたライブビュースクリーン（Live view Screen）１５０２ａ及びカメラメニュー１５０２ｂを表示し、第２のタッチスクリーン１４は、カメラモードを変更するためのカメラモードメニュー１５０４を表示する。カメラモードメニュー１５０４は、複数のカメラモードに対応するモードボタン１５０４ａ、１５０４ｂ、１５０４ｃ、及び１５０４ｄを含む。例えば、カメラモードメニュー１５０４は、第１のパネル２及び第２のパネル４を折り畳んだ状態でカメラモジュール２４を通して場面又はモデルを撮影するための基本カメラ（Basic Camera）ボタン１５０４ａと、第１のパネル２及び第２のパネル４を折り畳んだ状態でカメラモジュール２４を通してユーザ自身を撮影するためのセルフカメラ（Self Camera）ボタン１５０４ｂと、第１のタッチスクリーン１２及び第２のタッチスクリーン１４のすべてを通して撮影映像を表示するデュアルカメラ（Dual Camera）ボタン１５０４ｃと、撮影対象に見られる第２のタッチスクリーン１４を通して撮影対象の興味を誘発するイメージ又はアニメーションを表示するベビーカメラ（Baby Camera）ボタン１５０４ｄのうちの少なくとも１つを含むことができる。
【０５９６】
カメラアプリケーションが開始される時に、カメラアプリケーションは、基本カメラモードで動作するように設定され、選択されたカメラモードに対応するボタン、すなわち、基本カメラボタン１５０４ａは、識別されることができるように太線又は異なるカラーで強調される。また、タッチジェスチャー、例えば、タップジェスチャーが第２のタッチスクリーン１４を通して提供されるカメラモードメニュー１５０４内の基本カメラボタン１５０４ａから感知される場合に、カメラアプリケーションは、基本カメラモードで動作する。
【０５９７】
カメラメニュー１５０２ｂは、撮影映像１５０２ａの一側又は両側に含まれるように配置されることができ、シャッターボタン、記憶イメージローディングボタン、モード選択ボタン、フラッシュ選択ボタン、タイマー撮影（timer shooting）ボタン、ホワイトバランスボタン、及び解像度選択ボタンなどのような撮影のための機能ボタンを含む。
【０５９８】
選択可能な実施形態において、携帯機器が第１のパネル２又は第２のパネル４の全面に配置されたカメラモジュール２４及び第２のパネル４の後面に配置されたカメラモジュール２６を含む場合に、撮影映像１５０２ａは、前方カメラモジュール２４と後方カメラモジュール２６との映像を組み合せることにより再生されることができる。
【０５９９】
図２５Ｂを参照すると、携帯機器は、撮影映像１５０２ａが基本カメラモードで第１のタッチスクリーン１２に表示される間に、所定の有効角度範囲内で第１のパネル２と第２のパネル４間でフォールディング（folding）１５００ａを感知し、図２５Ｃに進む。図２５Ｃを参照すると、携帯機器は、第１のパネル２と第２のパネル４間のフォールディング１５００ａに応じて、第２のタッチスクリーン１４をターンオフする。一実施形態において、第１のパネル２及び第２のパネル４が折り畳まれ始める場合に、第１のパネル２及び第２のパネル４が所定の相対角度（例えば、６０°）内に折り畳まれている場合に、又は第１のパネル２及び第２のパネル４が完全に折り畳まれている場合に、第２のタッチスクリーン１４は、ターンオフされることができる。第１のタッチスクリーン１２は、フォールディング１５００ａの後にも撮影映像１５０２ａ及びカメラメニュー１５０２ｂを保持する。
【０６００】
図２５Ｄを参照すると、第１のタッチスクリーン１２は、セルフカメラモードでカメラモジュール２４により撮影された撮影映像１５０２ａ及びカメラメニュー１５０２ｂを表示し、第２のタッチスクリーン１４は、カメラモードを変更するためのカメラモードメニュー１５０４を表示する。カメラモードメニュー１５０４は、基本カメラボタン１５０４ａ、セルフカメラボタン１５０４ｂ、デュアルカメラボタン１５０４ｃ、及びベビーカメラボタン１５０４ｄのうちの少なくとも１つを含む。セルフカメラモードにおいて、セルフカメラボタン１５０４ｂは、識別されることができるように太線又は異なるカラーで表示される。
【０６０１】
図２５Ｅを参照すると、携帯機器は、セルフカメラモードにおいて、撮影映像１５０２ａが第１のタッチスクリーン１２に表示される間に第１のパネル２と第２のパネル４間のフォールディング１５００ｂを感知し、図２５Ｆに進む。図２５Ｆを参照すると、携帯機器は、第１のパネル２と第２のパネル４間のフォールディング１５００ｂの感知に応じて、セルフカメラモードの撮影映像１５０２ａ及びカメラメニュー１５０２ｂを、カメラモジュール２４を全面に有する第２のパネル４の第２のタッチスクリーン１４に表示し、カメラモジュール２４を有していない第１のパネル２の第１のタッチスクリーン１２をターンオフする。
【０６０２】
図２５Ｇを参照すると、第１のタッチスクリーン１２は、デュアルカメラモードにおいて、カメラモジュール２４により撮影された撮影映像１５０２ａ及びカメラメニュー１５０２ｂを表示し、第２のタッチスクリーン１４は、カメラモードを変更するためのカメラモードメニュー１５０４を表示する。カメラモードメニュー１５０４は、基本カメラボタン１５０４ａ、セルフカメラボタン１５０４ｂ、デュアルカメラボタン１５０４ｃ、及びベビーカメラボタン１５０４ｄのうちの少なくとも１つを含む。デュアルカメラモードにおいて、デュアルカメラボタン１５０４ｃは、識別されることができるように太線又は異なるカラーで表示される。
【０６０３】
図２５Ｈを参照すると、携帯機器は、デュアルカメラモードにおいて、撮影映像１５０２ａが第１のタッチスクリーン１２に表示される間に第１のパネル２と第２のパネル４間のフォールディング１５００ｃを感知し、図２５Ｉに進む。図２５Ｉを参照すると、携帯機器は、第１のパネル２と第２のパネル４間のフォールディング１５００ｃの感知に応じて、カメラメニュー１５０２ｂなしに撮影映像１５０２ｃを第２のタッチスクリーン１４に表示する。第２のタッチスクリーン１４の撮影映像１５０２ｃが撮影される対象に見られるためのものであるので、撮影映像１５０２ｃは、カメラメニューを含む必要がない。第１のタッチスクリーン１２は、フォールディング１５００ｃの後にも撮影映像１５０２ａ及びカメラメニュー１５０２ｂを保持する。
【０６０４】
図２５Ｊを参照すると、第１のタッチスクリーン１２は、ベビーカメラモードにおいて、カメラモジュール２４により撮影された撮影映像１５０２ａ及びカメラメニュー１５０２ｂを表示し、第２のタッチスクリーン１４は、カメラモードを変更するためのカメラモードメニュー１５０４を表示する。カメラモードメニュー１５０４は、基本カメラボタン１５０４ａ、セルフカメラボタン１５０４ｂ、デュアルカメラボタン１５０４ｃ、及びベビーカメラボタン１５０４ｄのうちの少なくとも１つを含む。セルフカメラモードにおいて、セルフカメラボタン１５０４ｄは、識別されることができるように太線又は異なるカラーで表示される。
【０６０５】
図２５Ｋを参照すると、携帯機器は、デュアルカメラモードにおいて、撮影映像１５０２ａが第１のタッチスクリーン１２に表示される間に第１のパネル２と第２のパネル４間のフォールディング１５００ｄを感知し、図２５Ｌに進む。図２５Ｌを参照すると、携帯機器は、第１のパネル２と第２のパネル４間のフォールディング１５００ｄの感知に応じて、予め記憶されているアニメーション１５０２ｄを第２のタッチスクリーン１４に表示する。アニメーションは、撮影対象の興味を誘発することができるようにマニュファクチャラー又はユーザにより携帯機器に格納される動映像であり、カメラアプリケーションにより提供される設定メニューにより選択されることができる。例えば、設定メニューは、撮影映像１５０２ａに表示されている第１のタッチスクリーン１２の下部にある物理的なボタンのうちの１つであるメニューボタンを選択することによりローディングされることができる。
【０６０６】
一実施形態において、携帯機器は、カメラアプリケーションのベビーカメラモードで使用されることができる複数のアニメーションを記憶し、ベビーカメラモードにおいて、アニメーション１５０２ｄが第２のタッチスクリーン１４に表示される間に、第２のタッチスクリーン１４から予め定められたタッチジェスチャー１５０２ｄ−１、例えば、左右方向のフリック、タッチドラッグ、又はスライディングが第２のタッチスクリーン１４から感知されることに従って、前のアニメーション又は次のアニメーション（図示せず）を第２のタッチスクリーン１４に表示する。
【０６０７】
図示していないが、携帯機器は、撮影映像１５０２ａ及びカメラメニュー１５０２ｂを第１及び第２のタッチスクリーンのうちのいずれか１つに表示し、他のアプリケーションを他の１つのタッチスクリーンに表示する。一実施形態において、第１のタッチスクリーン１２は、基本カメラモードにおいて、撮影映像１５０２ａ及びカメラメニュー１５０２ｂを表示し、第２のタッチスクリーン１４は、他のアプリケーションを表示する。他の実施形態において、第２のタッチスクリーン１４は、セルフカメラモードにおいて、撮影映像１５０２ａ及びカメラメニュー１５０２ｂを表示し、第１のタッチスクリーン１２は、他のアプリケーションを表示する。
【０６０８】
カメラモードメニューが表示されていない場合に、カメラアプリケーションは、カメラメニュー１５０２ｂを通してカメラモードの置き換えをサポートする。
【０６０９】
図２６Ａ乃至図２６Ｃは、携帯機器のカメラメニュー１５０２ｂによりカメラモードをスイッチングするシナリオを示す図である。ここでは、撮影映像１５０２ａが表示されないタッチスクリーンがターンオフされることを図示したが、次の説明は、他のアプリケーションが撮影映像１５０２ａを表示しないタッチスクリーンに表示される場合にも適用されることができる。
【０６１０】
図２６Ａを参照すると、第１のタッチスクリーン１２は、撮影映像１５０２ａ及びカメラメニュー１５０２ｂを表示し、第２のタッチスクリーン１４は、ターンオフ状態となる。カメラメニュー１５０２ｂは、シャッターボタン、記憶されたイメージローディングボタン、モード選択ボタン１５０８、及びフラッシュ選択ボタンなどのような機能ボタンを含む。予め定められたタッチジェスチャー１５１０ａ、例えば、タップジェスチャーがモード選択ボタン１５０８から感知される場合に、携帯機器は、図２６Ｂに進む。
【０６１１】
図２６Ｂを参照すると、携帯機器は、タッチジェスチャー１５１０ａの感知に応じて、カメラモードを変更するためのカメラモードメニューウィンドウ１５１２を第１のタッチスクリーン１２の撮影映像１５０２ａに表示する。カメラモードメニューウィンドウ１５１２は、複数のカメラモード、例えば、基本カメラモード、セルフカメラモード、デュアルカメラモード、及びベビーカメラモードに対応するチェックボックス１５１２ａ、１５１２ｂ、１５１２ｃ、及び１５１２ｄを含む。タップジェスチャー１５１０ｂがチェックボックス１５１２ａ乃至１５１２ｄのうちでセルフカメラモードのチェックボックス１５１２ｂから感知される場合に、携帯機器は、図２６Ｃに進む。
【０６１２】
図２６Ｃを参照すると、携帯機器は、タップジェスチャー１５１０ｂの感知に応答して、撮影映像１５０２ａ及びカメラメニュー１５０２ｂを第２のタッチスクリーン１４に表示し、第１のタッチスクリーン１２をターンオフする。他の実施形態において、カメラモードが変更される前に他のアプリケーションが第２のタッチスクリーン１４に表示されている場合に、タップジェスチャー１５１０ｂの感知に応じて、第１のタッチスクリーン１２は、他のアプリケーションを表示することができる。
【０６１３】
図示していないが、タップジェスチャーがカメラモードメニューウィンドウ１５１２内のデュアルカメラモード１５１２ｃから感知された場合に、携帯機器は、図２５Ｉに示すように、第１のタッチスクリーン１２の撮影映像１５０２ａ及びカメラメニュー１５０２ｂを保持しつつ、カメラメニューなしに撮影映像１５０２ｃを第２のタッチスクリーン１４に表示する。また、カメラモードメニューウィンドウ１５１２内のベビーカメラモード１５１２ｄ上でタップジェスチャーが感知された場合には、携帯機器は、図２５Ｌに示すように、第１のタッチスクリーン１２の撮影映像１５０２ａ及びカメラメニュー１５０２ｂを保持しつつ予め記憶されたアニメーション１５０２ｄを第２のタッチスクリーン１４に表示する。
【０６１４】
図２６Ｄ乃至図２６Ｇは、撮影映像が表示されないタッチスクリーンのタッチによりカメラモードを転換するシナリオを示す図である。
【０６１５】
図２６Ｄを参照すると、第１のタッチスクリーン１２は、撮影映像１５０２ａ及びカメラメニュー１５０２ｂを表示しており、第２のタッチスクリーン１４は、ターンオフ状態となる。第１のタッチスクリーン１２を含む第１のパネル２及び第２のタッチスクリーン１４を含む第２のパネル４は、折り畳まれている状態である。ターンオフ状態となった第２のタッチスクリーン１４から予め定められたタッチジェスチャー１５１０ｃ、例えば、実質的に同時に発生する２つのタッチ（ダブルタッチ）又は２個のタップ（ダブルタップ）が感知される場合に、携帯機器は、図２６Ｅに進む。
【０６１６】
図２６Ｅを参照すると、携帯機器は、タッチジェスチャー１５１０ｃの感知に応じて、複数のカメラモードに対応するモードボタン１５０４ａ、１５０４ｂ、１５０４ｃ、及び１５０４ｄを含むカメラモードメニュー１５０４を第２のタッチスクリーン１４に表示する。最初に表示される時に、カメラモードメニュー１５０４のうちで第１のタッチスクリーン１２の撮影映像１５０２ａに対応するカメラモード、図示する例において、基本カメラモードに対応する基本カメラボタン１５０４ａが強調される。
【０６１７】
予め定められるタッチジェスチャー１５１０ｄ、例えば、タップジェスチャーがカメラモードメニュー１５０４内の異なるモードボタンのうちの１つ、例えば、セルフカメラボタン１５０４ｂから感知される場合に、携帯機器は、図２６Ｆに進む。
【０６１８】
図２６Ｆを参照すると、携帯機器は、タッチジェスチャー１５１０ｄの感知に応答して、カメラモードをセルフカメラモードに置き換え、撮影映像１５０２ａ及びカメラメニュー１５０２ｂを第２のタッチスクリーン１４に表示し、第１のタッチスクリーン１２をターンオフする。予め定められたタッチジェスチャー１５１０ｅ、例えば、実質的に同時に発生する２つのタッチ（ダブルタッチ）又は２個のタップ（ダブルタップ）がターンオフされた第１のタッチスクリーン１２から感知される場合に、携帯機器は、図２６Ｇに進む。
【０６１９】
図２６Ｇを参照すると、携帯機器は、タッチジェスチャー１５１０ｅの感知に応じて複数のカメラモードに対応するモードボタン１５０４ａ、１５０４ｂ、１５０４ｃ、及び１５０４ｄを含むカメラモードメニュー１５０４を第１のタッチスクリーン１２に表示する。カメラモードメニュー１５０４が表示される場合に、カメラモードメニュー１５０４のうちで第２のタッチスクリーン１４の撮影映像１５０２ａに対応するカメラモード、すなわち、セルフカメラボタン１５０４ｄが強調される。同様に、カメラモードメニュー１５０４のデュアルカメラボタン１５０４ｃ又はベビーカメラボタン１５０４ｄのタップジェスチャーが感知される場合に、携帯機器は、対応するカメラモードの撮影映像及びアニメーションを第１のタッチスクリーン１２及び第２のタッチスクリーン１４に表示する。
【０６２０】
図２６Ｈ乃至図２６Ｊは、タイマー撮影（Timer shooting）のシナリオを示す図である。下記では、基本カメラモードのシナリオが説明されるが、タイマー撮影の時にすべてのカメラモードでメインスクリーンだけでなくサブスクリーンにも表示されることができる。
【０６２１】
図２６Ｈを参照すると、第１のタッチスクリーン１２は、撮影映像１５０２ａ及びカメラメニュー１５０２ｂを表示し、第２のタッチスクリーン１４はターンオフされる。第１のタッチスクリーン１２を含む第１のパネル２及び第２のタッチスクリーン１４を含む第２のパネル４は、折り畳まれている状態であり得る。第１のタッチスクリーン１２のカメラメニュー１５０２ｂは、タイマー撮影ボタン１５１４を含む。タイマー撮影がタイマー撮影ボタン１５１４を用いて選択される状態で、タップジェスチャー１５１０ｆがシャッターボタン１５１６から感知される場合に、携帯機器は、図２６Ｉに進む。
【０６２２】
図２６Ｉを参照すると、携帯機器は、タップジェスチャー１５１０ｆの感知に応答して、カウントウィンドウ１５１８ａを第１のタッチスクリーン１２の撮影映像１５０２ａに表示する。携帯機器は、撮影映像１５０２ｅを第２のタッチスクリーン１４に同時に表示し、カウントウィンドウ１５１８ｂを撮影映像１５０２ａ上に表示する。最初に、２個のカウントウィンドウ１５１８ａ及び１５１８ｂは、すでに設定された最大タイマー値（Ｎ）、例えば、５を表示する。図２６Ｊに示すように、第１のタッチスクリーン１２及び第２のタッチスクリーン１４のカウントウィンドウ１５１８ａ及び１５１８ｂは、タイマー値を所定の単位（例えば、１秒）ごとに１ずつ減少させる。Ｎ秒の後に、タイマー値が０に到達すると、携帯機器は、撮影効果音をフィードバックしつつカメラモジュールを駆動することにより自動で撮影を実行する。この時に、タイマー値０は、表示されないことがある。
【０６２３】
図示していないが、保存スクリーン（save screen）は、撮影の直後に撮影されたピクチャーイメージが携帯機器のメモリに記憶されている間に第１のタッチスクリーン１２及び第２のタッチスクリーン１４に表示されることができる。保存が迅速に実行される場合には、保存スクリーンの表示は省略されてもよい。図２６Ｋに示すように、ピクチャーイメージが記憶された後に、携帯機器は、第１のタッチスクリーン１２及び第２のタッチスクリーン１４を図２６Ｈに示すような撮影の前の状態に戻る。この時に、直前に撮影されたピクチャーイメージから小型化したサムネイルイメージ１５０２ｆは、第１のタッチスクリーン１２のカメラメニュー１５０２ｂに含まれることができる。
【０６２４】
図２７（図２７Ａ乃至図２７Ｑを含む）は、本発明の一実施形態による携帯機器の物理的な動きに従うビューモードを変更する例を示す図である。
【０６２５】
図２７Ａ乃至図２７Ｃは、折り畳まれた携帯機器が広げられる場合のシナリオを示す図である。
【０６２６】
図２７Ａを参照すると、第１のタッチスクリーン１２及び第２のタッチスクリーン１４を含む第１のパネル２及び第２のパネル４は、折り畳まれた状態、すなわち、相対角度が０°である状態であり、第１のタッチスクリーン１２は、第１のアプリケーション１６０２、例えば、フォトギャラリーアプリケーションを表示し、第２のタッチスクリーン１４は、ターンオフされる。第１のパネル２及び第２のパネル４が若干広げられているので、相対角度が所定の臨界角度、例えば、６０°に増加するまで第１のタッチスクリーン１２だけが表示される。第１のパネル２及び第２のパネル４がさらに広げられているので、相対角度が６０°に到達すると、携帯機器は、図２７Ｂに進む。
【０６２７】
図２７Ｂを参照すると、携帯機器は、第１のパネル２と第２のパネル４との間のアンフォールディング１６００ａに応じて駆動中である第２のアプリケーション１６０４、例えば、音楽再生アプリケーションを第２のタッチスクリーン１４に表示する。携帯機器が第１のパネル２と第２のパネル４との間のアンフォールディング１６００ａを感知したが、駆動中である他のアプリケーションが存在しない場合に、図２７Ｃに示すように、携帯機器は、ホームスクリーンの１番目のページ１６０６ａ及びドック領域１６０６ｂを第２のタッチスクリーン１４に表示する。
【０６２８】
図２７Ｄ乃至図２７Ｅは、広げられた携帯機器を折り畳む場合のシナリオを示す図である。
【０６２９】
図２７Ｄを参照すると、第１のタッチスクリーン１２及び第２のタッチスクリーン１４を含む第１のパネル２及び第２のパネル４は、広げられた状態、すなわち、相対角度が実質的に１８０°である状態であり、第１のタッチスクリーン１２は、第２のアプリケーションの第１のタスクスクリーン１６０４ａを表示し、第２のタッチスクリーン１４は、第２のアプリケーションの第２のタスクスクリーン１６０４を表示する。ここで、第２のタスクスクリーン１６０４は、第２のアプリケーションの最終の深さ（final depth）を有するように指定されたスクリーンである。例えば、第２のアプリケーションは音楽再生アプリケーションであり、第１のタスクスクリーン１６０４ａは音楽リストスクリーンであり、第２のタスクスクリーン１６０４は音楽再生スクリーンである。第１のパネル２及び第２のパネル４が折り畳まれているので、相対角度が所定の臨界角度、例えば、６０°より小さい角度に減少する場合に、携帯機器は、図２７Ｅに進む。
【０６３０】
図２７Ｅを参照すると、携帯機器は、第１のパネル２と第２のパネル４間のフォールディング１６００ｂに応じて、第２のタッチスクリーン１４をターンオフし、駆動中である第２のアプリケーションの最終の深さを有するように指定されたタスクスクリーン１６０４を第１のタッチスクリーン１２に表示する。第１のパネル２と第２のパネル４間の相対角度が６０°より小さくなった後に、相対角度が０°に到達するまで第１のタッチスクリーン１２及び第２のタッチスクリーン１４は保持される。
【０６３１】
図２７Ｆ乃至図２７Ｇは、広げられた携帯機器を折り畳む場合の他のシナリオを示す図である。
【０６３２】
図２７Ｆを参照すると、第１のタッチスクリーン１２及び第２のタッチスクリーン１４を含む第１のパネル２及び第２のパネル４は、広げられた状態、すなわち、相対角度が実質的に１８０°である状態であり、第１のタッチスクリーン１２は、第３のアプリケーション１６０８を表示し、第２のタッチスクリーン１４は、第２のアプリケーション１６０４を表示する。例えば、第３のアプリケーション１６０８は、ゲームアプリケーションであり、第２のアプリケーション１６０４は、音楽再生アプリケーションである。第１のパネル２及び第２のパネル４が折り畳まれているので、相対角度が所定の臨界角度、例えば、６０°より小さい角度に減少する場合に、携帯機器は、図２７Ｇに進む。
【０６３３】
図２７Ｇを参照すると、携帯機器は、第１のパネル２と第２のパネル４間のフォールディング１６００ｃに応じて、第２のタッチスクリーン１４をターンオフし、第１のタッチスクリーン１２で駆動中である第３のアプリケーション１６０８を保持する。第１のパネル２と第２のパネル４間の相対角度が６０°より小さくなった後に、相対角度が０°に到達するまで第１のタッチスクリーン１２及び第２のタッチスクリーン１４は保持される。
【０６３４】
図２７Ｈ及び図２７Ｉは、左方に９０°回転した横モードで折り畳まれた携帯機器を広げる場合のシナリオを示す図である。
【０６３５】
図２７Ｈを参照すると、第１のタッチスクリーン１２及び第２のタッチスクリーン１４を含む第１のパネル２及び第２のパネル４は、折り畳まれた状態、すなわち、相対角度が０°である状態である。横モードにおいて、第１のタッチスクリーン１２は、第１のアプリケーション１６０２、例えば、フォトギャラリーアプリケーションを表示し、第２のタッチスクリーン１４は、ターンオフされる。第１のパネル２及び第２のパネル４が若干広げられているので、相対角度が所定の臨界角度、例えば、６０°に増加するまで第１のタッチスクリーン１２だけが表示される。第１のパネル２及び第２のパネル４がさらに広げられているので、相対角度が６０°よりさらに大きくなり、１８０°よりさらに小さくなる場合に、携帯機器は、図２７Ｉに進む。
【０６３６】
図２７Ｉを参照すると、携帯機器は、第１のパネル２と第２のパネル４間のアンフォールディング１６００ｄに応答して駆動中である第２のアプリケーション１６０４、例えば、音楽再生アプリケーションを第２のタッチスクリーン１４に表示する。携帯機器が第１のパネル２と第２のパネル４間のアンフォールディング１６００ｄを感知しても、駆動中である他のアプリケーションが存在しない場合に、図２７Ｊに示すように、携帯機器は、ホームスクリーンの１番目のページ１６０６ａ及びドック領域１６０６ｂを第２のタッチスクリーン１４に表示する。
【０６３７】
図２７Ｋ乃至図２７Ｍは、右方に９０°回転した横モードで折り畳まれた携帯機器を広げる場合のシナリオを示す図である。
【０６３８】
図２７Ｋを参照すると、第１のタッチスクリーン１２及び第２のタッチスクリーン１４を含む第１のパネル２及び第２のパネル４は折り畳まれた状態、すなわち、相対角度が０°である状態である。横モードにおいて、第１のタッチスクリーン１２は、第１のアプリケーション１６０２、例えば、フォトギャラリーアプリケーションを表示し、第２のタッチスクリーン１４はターンオフされる。第１のパネル２及び第２のパネル４が若干広げられているので、相対角度が所定の臨界角度、例えば、６０°に増加するまで第１のタッチスクリーン１２だけが表示される。第１のパネル２及び第２のパネル４がさらに広げられているので（１６００ｅ）、相対角度が６０°を超過し１８０°以下である状態となる場合には、携帯機器は、図２７Ｌに進む。
【０６３９】
図２７Ｌを参照すると、携帯機器は、第１のパネル２と第２のパネル４間のアンフォールディング１６００ｅに応答して、駆動中である第２のアプリケーション１６０４、例えば、音楽再生アプリケーションを第２のタッチスクリーン１４に表示する。携帯機器が第１のパネル２と第２のパネル４間のアンフォールディング１６００ｅを感知しても、駆動中である他のアプリケーションが存在しない場合に、図２７Ｍに示すように、携帯機器は、ホームスクリーンの１番目のページ１６０６ａ及びドック領域１６０６ｂを第２のタッチスクリーン１４に表示する。
【０６４０】
図２７Ｎ乃至図２７Ｐは、横モードで広げられた携帯機器を折り畳む場合のシナリオを示す図である。
【０６４１】
図２７Ｎを参照すると、第１のタッチスクリーン１２及び第２のタッチスクリーン１４を含む第１のパネル２及び第２のパネル４は広げられた状態、すなわち、相対角度が実質的に１８０°である状態であり、第１のタッチスクリーン１２は、第２のアプリケーションの第１のタスクスクリーン１６０４を表示し、第２のタッチスクリーン１４は、第２のアプリケーションの第２のタスクスクリーン１６０４ａを表示する。ここで、第１のタスクスクリーン１６０４は、第２のアプリケーションの最終の深さを有するように指定されたスクリーンである。例えば、第２のアプリケーションは、音楽再生アプリケーションであり、第１のタスクスクリーン１６０４は、音楽再生スクリーンであり、第２のタスクスクリーン１６０４ａは、音楽リストスクリーンである。第１のパネル２及び第２のパネル４が折り畳まれているので、相対角度が所定の臨界角度、例えば、６０°未満に減少する場合に、携帯機器は、図２７Ｏに進む。
【０６４２】
図２７Ｏを参照すると、携帯機器は、第１のパネル２と第２のパネル４間のフォールディング１６００ｆに応答して、第２のタッチスクリーン１４をターンオフし、駆動中である第２のアプリケーションの最終の深さに指定されたタスクスクリーン１６０４を第１のタッチスクリーン１２に表示する。第１のパネル２と第２のパネル４間の相対角度が６０°未満となった後に０°に到達するまで第１のタッチスクリーン１２及び第２のタッチスクリーン１４は維持される。
【０６４３】
図２７Ｐ及び図２７Ｑは、横モードで広げられた携帯機器を折り畳む場合の他のシナリオを示す図である。
【０６４４】
図２７Ｐを参照すると、第１のタッチスクリーン１２及び第２のタッチスクリーン１４を含む第１のパネル２及び第２のパネル４は、広げられた状態、すなわち、相対角度が実質的に１８０°である状態であり、第１のタッチスクリーン１２は、第１のアプリケーション１６０２を表示し、第２のタッチスクリーン１４は、第２のアプリケーション１６０４を表示する。例えば、第１のアプリケーション１６０２は、フォトギャラリーアプリケーションであり、第２のアプリケーション１６０４は、音楽再生アプリケーションである。第１のパネル２及び第２のパネル４が折り畳まれているので、相対角度が所定の臨界角度、例えば、６０°未満に減少する場合に、携帯機器は、図２７Ｑに進む。
【０６４５】
図２７Ｑを参照すると、携帯機器は、第１のパネル２と第２のパネル４間のフォールディング１６００ｇに応答して、第２のタッチスクリーン１４をターンオフし、駆動中である第１のアプリケーション１６０２を第１のタッチスクリーン１２で保持する。第１のパネル２と第２のパネル４間の相対角度が６０°未満となった後に０°に到達するまで第１のタッチスクリーン１２及び第２のタッチスクリーン１４は、表示される情報を保持する。
【０６４６】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０６４７】
２  第１のパネル
４  第２のパネル
５  ボタン
５’  ボタン
６  ヒンジ
１２  第１のタッチスクリーン（ｆｉｒｓｔ  ｔｏｕｃｈ  ｓｃｒｅｅｎ）
１４  第２のタッチスクリーン（ｓｅｃｏｎｄ  ｔｏｕｃｈ  ｓｃｒｅｅｎ）
１４  第２のタッチスクリーン
１８  接続部
２０  スピーカー
２２  マイク
２４  カメラモジュール
２６  カメラモジュール
１００  携帯機器
１１０  制御部
１１２  専用メモリ（Ｒｅａｄ−Ｏｎｌｙ  Ｍｅｍｏｒｙ：ＲＯＭ）
１１３  ランダムアクセスメモリ（Ｒａｎｄｏｍ  Ａｃｃｅｓｓ  Ｍｅｍｏｒｙ：ＲＡＭ）
１２０  セルラー通信モジュール
１３０  サブ通信モジュール
１３１  モジュール
１３２  近距離通信モジュール
１４０  マルチメディアモジュール
１４１  放送通信モジュール
１４２  オーディオ再生モジュール
１４３  動映像再生モジュール
１５０  カメラモジュール
１５１  第１のカメラ
１５２  第２のカメラ
１５５  モジュール
１６０  入出力モジュール
１６１  ボタンセット（ｂｕｔｔｏｎ  ｓｅｔ）
１６２  マイク
１６３  スピーカー
１６４  振動モーター
１６５  コネクター
１６６  キーパッド
１７０  センサーモジュール
１７５  記憶部
１８０  電源供給部
１９０ａ  第１のタッチスクリーン
１９０ｂ  第２のタッチスクリーン
１９５  タッチスクリーンコントローラ
２００ａ  タッチジェスチャー
２００ｂ  タッチジェスチャー
２００ｃ  タッチジェスチャー
２００ｄ  タッチジェスチャー
２００ｅ  タッチジェスチャー
２００ｆ  タッチジェスチャー
２０２  第１のページ
２０２ａ  ページカウンター
２０４  第２のページ
２０４ａ  ページカウンター
２０６  状態バー（ｓｔａｔｕｓ  ｂａｒ）
２０８  状態バー
２１０ａ  タッチジェスチャー
２１０ｂ  入力
２１０ｃ  タッチジェスチャー
２１０ｄ  タップジェスチャー
２１０ｄ  タッチジェスチャー
２１０ｅ  タップジェスチャー
２１０ｅ  タッチジェスチャー
２１０ｆ  タッチジェスチャー
２１０ｈ  タップジェスチャー
２１２、２１８  ウィジェット領域
２１４  ショートカットアイコン（ｓｈｏｒｔｃｕｔ  ｉｃｏｎ）
２１６  ドック領域（Ｄｏｃｋ  Ａｒｅａ）
２１８  ウィジェット領域
２３２  第３のページ
２３２ａ、２３４ａ  ページカウンター
２３４  第４のページ
２４０  アプリケーション
２４２  第５のページ
２４２ａ  ページカウンター
２４４  第６のページ
２４４ａ  ページカウンター
２５０  メニューウィンドウ
２５２  メニューボタン
２５２  アイコン追加ポップアップウィンドウ
２５４  ショートカットアイコン選択ウィンドウ
２５６  メニューウィンドウ
２６０  第１のページ
２６０ａ  ページカウンター
２６０ｂ  アイコン
２６０ｃ  アイコン
２６２  第２のページ
２６２ａ  ページカウンター
２６２ｂ  アイコン
２６２ｃ  アイコン
２７２  第１のページ
２７２ａ  ページカウンター
２７４  第２のページ
２７６  第３のページ
２７６ａ  ページカウンター
２７８  第４のページ
２８０ａ  タッチジェスチャー
２８２  検索ウィンドウ
２８２ａ  入力領域
２８２ｂ  検索実行キー
２８６  アプリケーション
２８６  実行アプリケーション
３０２  第１のアプリケーション
３０２ａ  第２のページ
３０２ｂ  第１のページ
３０４  第２のアプリケーション
３０６  第１のサムネイルイメージ
３０６ａ  ピクチャーイメージ
３０８  第２のサムネイルイメージ
３０８ａ  ピクチャーイメージ
３０８ｂ  第１のピクチャーイメージ
３０８ｃ  第１のピクチャーイメージ
３１０  タッチジェスチャー
３１２  タッチジェスチャー
３２０  タッチジェスチャー
３２２  タッチジェスチャー
３２４  第２のピクチャーイメージ
４０２、４０４、４０６，４０８  領域
４０８ａ  領域
４０８ｂ  ショートカットキー
４０８ｃ  ショートカットキー
４０８ｄ  ピクチャーイメージ
４０８ｅ  情報
４０８ｆ  ダイヤリングスクリーン
４０８ｇ  案内メッセージスクリーン
４１０  ドック領域
４１２  第１の領域
４１２、４１２ａ、４１２ｂ、４１２ｃ、４１２ｄ  領域
４１４  領域
４２０  タッチジェスチャー
４２２  タッチジェスチャー
４２４  タッチジェスチャー
４２６  タッチジェスチャー
４２８  タッチジェスチャー
４３０  ピンチジェスチャー
４３２  タッチジェスチャー
４３４  ピンチジェスチャー
４３６  タッチジェスチャー
５０２  マップ領域
５０２ａ  マップ領域
５０２ｂ  マップ領域
５０４ａ、５０４ｂ、５０４ｃ、５０４ｄ、５０４ｆ  位置指示子
５０６ａ  ギャラリー領域
５０６ｂ  ギャラリー領域
５０６ｃ  ギャラリー領域
５０６ｅ  ギャラリー領域
５１２  タッチジェスチャー
５１４  タッチジェスチャー
５２０  サムネイルイメージ
５２０ａ  名前
５２２  サムネイルイメージ
５２２ｂ  名前
５３０  ソフトキー
５３０  タッチジェスチャー
５３０ａ  メニューウィンドウ
５３０ｂ  タップジェスチャー
５３２  タッチジェスチャー
５３２ａ  メニューウィンドウ
５３２ｂ  タップジェスチャー
５４０  経路
５４２  スライドショー制御領域
５４４  経路追跡バー
５４６  スライドショービューキー
５４８  スライドショー停止キー
６００ａ  ボタン
６００ａ  ホームボタン
６００ｂ  ボタン
６０２  入力
６０２ａ  タッチジェスチャー
６０２ｂ  タッチジェスチャー
６０２ｃ  タッチドラッグ
６０２ｄ  タッチドラッグ
６０２ｆ  入力
６０４  第２のタスクマネージャパネル
６０４ａ  第１のタスクマネージャパネル
６０４ｂ  第２のタスクマネージャパネル
６０６  終了指示子
６１０  タスクスクリーン
６１０ａ  プレビューウィンドウ
６１０ｂ  アイコン
６１２  タスクスクリーン
６１２ａ  プレビューウィンドウ
６１２ｂ  アイコン
６１４ａ  プレビューウィンドウ
６１４ｂ  アイコン
６１６  タスクスクリーン
６１６ａ  プレビューウィンドウ
６１６ｂ  アイコン
６１８ａ  プレビューウィンドウ
６３０  マップ領域
６３０ａ  マップ領域
６３０ｂ  マップ領域
６３２  カテゴリー表示ライン
６３４ａ  キャスター指示子
６３４ａ、６３４ｂ、６３４ｃ、６３４ｄ、６３４ｅ、６３４ｇ  キャスター指示子
６３６  放送リスト
６３６ａ  放送アイテム
６３６ａ、６３６ｂ、６３６ｂ、６３６ｃ、６３６ｄ、６３６ｅ、６３６ｆ、６３６ｇ、６３６ｈ、６３６ｉ  アイテム
６３８  放送映像
６４０  タッチジェスチャー
６４０ａ  タッチジェスチャー
６４０ｂ  タッチジェスチャー
６４０ｃ  入力
６４０ｄ  入力
６４０ｅ  タッチジェスチャー
６４０ｅ  タップジェスチャー
６４０ｆ  タッチジェスチャー
６４０ｇ  タッチジェスチャー
６４０ｈ  タッチジェスチャー
６４２  討論領域（ｄｉｓｃｕｓｓｉｏｎ  Ａｒｅａ）
６４２、６４４  メッセージ表示ウィンドウ
６４２、６４４  討論領域
６４４  メッセージ表示ウィンドウ
６４４ａ  メッセージ入力領域
６４４ｂ  メッセージ送信キー
６４６ａ  ボタン
６４８  メニューウィンドウ
６４８ａ  放送生成（Ｃｒｅａｔｅ  Ｂｒｏａｄｃａｓｔ）キー
６４８ｂ  放送要請（Ｃｒｅａｔｅ  Ｒｅｑｕｅｓｔ）キー
６４８ｂ  放送要請キー
６４８ｃ  放送アイテム検索（Ｓｅａｒｃｈ）キー
６４８ｄ  放送アイテム整列（Ｓｏｒｔｉｎｇ）キー
６４８ｅ  設定（Ｓｅｔｔｉｎｇ）キー
６５０  放送要請ウィンドウ
６５０ａ  メッセージ入力領域
６５０ｂ  カテゴリー選択領域
６５０ｃ  完了キー
６５０ｄ  キー
６５２  放送要請指示子
６５２ａ、６５２ｂ、６５２ｃ、６５２ｄ、６５２ｅ、６５２ｆ、６５２ｇ  キャスター指示子
６５４  要請メッセージウィンドウ
６５４ａ  ビューキー
６５４ｂ  無視（Ｉｇｎｏｒｅ）キー
６５６  放送要請アイテム
６５６ａ  応答キー
６６０  第１の放送生成ウィンドウ
６６０ａ、６６０ｂ  モード選択領域
６６２  第２の放送生成ウィンドウ
６６２ａ  題目入力領域
６６２ｂ  カテゴリー選択領域
６６２ｃ  完了キー
６６２ｄ  キー
６６４  放送映像
６６６  メッセージ表示ウィンドウ
６６８  メッセージ入力ウィンドウ
６６８ａ  メッセージ入力領域
６６８ｂ  メッセージ送信キー
６７０  要請者
６７０ａ  位置指示子
６７０ｂ、６７２ｂ  携帯機器
６７２  キャスター
６７２ａ  位置指示子
６７２ｂ  携帯機器
７００  フォールディングバック命令
７００ａ  タッチジェスチャー
７００ｂ  タッチジェスチャー
７００ｃ  タッチジェスチャー
７００ｄ  タッチジェスチャー
７００ｅ  タッチジェスチャー
７００ｆ  タップジェスチャー
７０２  第１のアプリケーション
７０４  第２のアプリケーション
７０４  インターネットブラウジングアプリケーション
７０４ａ  第２のアプリケーション
７０６  オブジェクト
７１０  クリップボード
７１０ａ  オブジェクト
７１０ｃ、７１０ｄ、７１０ｆ、７１０ｄ、７１０ｅ、７１０ｄ、７１０ｆ、７１０ｇ  オブジェクト
７１２  クリップボード
７１２ａ  メニューウィンドウ
７１４  メッセージ送信入力ウィンドウ
７１４ａ  送信キー
７１４ｂ  ピクチャーイメージ
８００ａ  タッチジェスチャー
８００ｂ  フォールディングバック命令
８００ｃ  タッチジェスチャー
８００ｃ  タッチ
８００ｃ  タッチドラッグ
８００ｅ  タッチドラッグ
８００ｆ  タッチジェスチャー
８００ｇ  タッチドラッグ
８００ｈ  タッチドラッグ
８００ｉ  フォールディングホールド命令
８００ｊ  フォールディングバック命令
８００ｋ  タッチジェスチャー
８００ｌ  タップジェスチャー
８０２  エッジライン
８０２ａ  第１のページ
８０２ｂ  第３のページ
８０２ｃ  第５のページ
８０２ｄ  ページ
８０４  エッジライン
８０４ａ  第２のページ
８０４ｂ  第４のページ
８０４ｃ  第６のページ
８０６  タグ
８０８  第１のエッジライン
８０８ａ  ページ指示子
８０８ｂ  第２のエッジライン
８０８ｃ  ページ指示子
８１０  第１のアイテム（テキスト又は挿話）
８１０ａ  指示子
８１０ｂ  第２のアイテム
８１２  メニューバー
８１２ａ  ハイライトキー
８１２ｂ  カラーキー
８１２ｃ  メモキー
８１４  メモ入力ウィンドウ
８１４ａ  メモウィンドウ
８１４ｂ  メモウィンドウ
８１６  グラフィック効果
８１８  電子ブック設定メニュー
８１８ａ  ソフトキー
８１８ｂ  チャプターリスト
８２０  チャプター指示子
９００ａ  タッチジェスチャー
９００ｂ  タッチジェスチャー
９００ｃ  タッチジェスチャー
９００ｄ  タッチジェスチャー
９００ｅ  フォールドアウト命令
９００ｆ  タップジェスチャー
９０２ａ  情報
９０２ｂ  基本情報領域
９０２ｃ  会議リスタート（Ｃｏｎｆｅｒｅｎｃｅ  Ｒｅｓｔａｒｔ）キー
９０２ｄ  会議生成（Ｃｒｅａｔｅ  Ｎｅｗ  Ｃｏｎｆｅｒｅｎｃｅ）キー
９０４  画像会議リスト
９０４ａ  キーパッドキー
９０４ｂ  （Ｆａｖｏｒｉｔｅｓ）キー
９０４ｃ  連絡先キー
９０６  参加者リスト領域
９０６ａ  参加者追加キー
９０６ｂ  マイクロフォンオフキー
９０６ｃ  通話終了キー
９０６ｄ  参加者リスト領域
９０６ｅ  参加者リスト領域
９０６ｆ  参加者リスト領域
９０８  共有ボード（ｓｈａｒｅｄ  ｂｏａｒｄ）領域
９０８ａ  ホワイトボードキー
９０８ｂ  文書ファイル選択キー
９１０  連絡先ウィンドウ
９１０ａ  人リスト
９１０ｂ  追加キー
９１０ｃ  キー
９１２  ホワイトボード領域
９１２ａ、９１２ｂ  オブジェクト（Ｆｒｅｅｈａｎｄ  ｄｒａｗｉｎｇ  ｏｂｊｅｃｔｓ）
９１２ｄ  キー
９１２ｆ  カラー指示子
９１２ｆ  共有ボード領域
９１４ａ  参加者リスト選択キー
９１４ｂ  共有ボード選択キー
９１４ｃ  マイクロフォンオフキー
９１４ｄ  通話終了キー
１０００  案内文句
１０００ａ  タッチジェスチャー
１０００ｂ  フォールドアウト
１０００ｃ  タッチジェスチャー
１０００ｄ  タッチジェスチャー
１００２  ゲーム準備スクリーン
１００２ａ  参加者識別領域
１００２ａ、１００２ｂ、１００２ｃ  参加者識別領域
１００２ｅ  準備キー
１００４  チャッティング領域
１００４ａ  チャッティング入力ウィンドウ
１００６  ゲームインターフェーススクリーン
１００６ａ  チャッティング領域
１００６ｂ  携帯カード領域
１００６ｃ  ベッティング金額領域
１００６ｄ  携帯金額領域
１００６ｅ  カードスロット領域
１００８  ゲーム情報
１００８ａ  識別領域
１００８ｂ  ベッティング表示領域
１００８ｃ  オープンカード領域
１００８ｄ  携帯金額領域
１００８ｅ  カードスロット領域
１０１０ａ  携帯カード領域
１０１０ｂ  領域
１０１０ｃ  ベッティング命令ウィンドウ
１０１２ａ  オープンカード領域
１０１４  ゲーム情報
１０１６ａ  オープン状態
１０１６ｂ  ゲーム結果
１０１８ａ  オープン状態
１０１８ｂ  ゲーム結果
１１００ａ  タッチジェスチャー
１１００ｂ  タッチジェスチャー
１１００ｃ  タッチジェスチャー
１１００ｄ  タッチジェスチャー
１１００ｄ  タップジェスチャー
１１００ｅ  タップジェスチャー
１１００ｆ  タッチジェスチャー
１１００ｇ  タップジェスチャー
１１００ｈ  タッチジェスチャー
１１００ｉ  タッチジェスチャー
１１００ｊ−１  タッチアンドホールド
１１００ｊ−２  タップジェスチャー
１１００ｊ−３  メニューボタン
１１００ｊ−４  タップジェスチャー
１１０２  ビューモード選択領域
１１０２ａ  カレンダー領域（Ｃａｌｅｎｄａｒ  Ａｒｅａ）
１１０２ｃ、１１０２ｄ  カレンダー領域
１１０２ｄ  カレンダー領域
１１０２ｅ  カレンダー領域
１１０４  イベント生成キー
１１０４ａ  イベントリスト
１１０４ｂ  イベントリスト
１１０４ｃ  第１のメニューウィンドウ
１１０４ｄ  第２のメニューウィンドウ
１１０４ｅ  イベントリスト
１１０４ｆ  イベントリスト
１１０４ｇ  第３のメニューウィンドウ
１１０４ｈ  イベントリスト
１１０４ｉ  イベントリスト
１１０６ａ  日付指示子
１１０６ｂ  日付指示子
１１０８  詳細情報
１１０８ａ〜１１０８ｈ  詳細情報
１１０８ｃ  イメージ
１１０８ｄ  関連者（Ｐａｒｔｉｃｉｐａｎｔｓ）リスト
１１０８ｅ、１１０８ｆ、１１０８ｇ  詳細情報
１１１０ａ  イベント生成ウィンドウ
１１１０ｂ  第２のイベント生成ウィンドウ
１１１０ｃ  第１のイベント生成ウィンドウ
１１１０ｄ  第２のイベント生成ウィンドウ
１１１２ａ  イベント削除ウィンドウ
１１１２ｂ  削除キー
１１１２ｃ  イベント削除ウィンドウ
１１１２ｄ  削除キー
１１２０  メニューボタン
１１２０ａ  タップジェスチャー
１１２０ｂ  タップジェスチャー
１１２０ｃ  タップジェスチャー
１１２０ｄ  メニューボタン
１１２０ｅ  タップジェスチャー
１１２０ｆ  タップジェスチャー
１１２０ｇ  タップジェスチャー
１２００ａ  タッチジェスチャー
１２００ｂ  タッチジェスチャー
１２００ｃ  タッチジェスチャー
１２００ｄ  タッチジェスチャー
１２００ｅ  タッチジェスチャー
１２００ｆ  タッチジェスチャー
１２００ｇ  タッチジェスチャー
１２００ｈ  入力
１２００ｉ  タッチジェスチャー
１２００ｊ  タッチジェスチャー
１２００ｋ−１  タップジェスチャー
１２００ｋ−２  タッチアンドホールド
１２０２  ビューモード選択領域
１２０２ａ  カレンダー領域
１２０２ｂ  第１のメニューウィンドウ
１２０２ｃ  カレンダー領域
１２０４ａ  日付
１２０４ｂ  日ブロック
１２０４ｃ  日ブロック
１２０４ｄ  日ブロック
１２０４ｅ  日付指示子
１２０４ｆ  日付指示子
１２０６  イベント生成キー
１２０６ａ  イベントリスト
１２０６ｂ  イベントリスト
１２０８ａ  第１のカレンダー領域
１２０８ｂ  第２のカレンダー領域
１２０８ｃ  第１のカレンダー領域
１２０８ｄ  第２のカレンダー領域
１２０８ｅ  メニューウィンドウ
１２１０ａ  第１のイベント生成ウィンドウ
１２１０ｂ  第２のイベント生成ウィンドウ
１２１０ｃ  第１のイベント生成ウィンドウ
１２１２ａ  イベント削除ウィンドウ
１２１２ｂ  削除キー
１２１４ａ  メニューボタン
１２１４ｂ  タップジェスチャー
１２１４ｃ  タップジェスチャー
１２１４ｄ  タップジェスチャー
１３００ａ  タッチジェスチャー
１３００ｂ  タップジェスチャー
１３００ｃ  タッチジェスチャー
１３００ｄ  タップジェスチャー
１３００ｅ  フォールドアウト
１３００ｆ  タップジェスチャー
１３０２  ドック領域
１３０２ａ  第１のページ
１３０２ｂ  アプリケーション
１３０２ｃ  案内メッセージスクリーン
１３０２ｄ  第２のページ
１３０２ｅ  ドック領域
１３０４  発呼スクリーン
１３０４ａ  番号表示領域
１３０４ｂ  キーパッド領域
１３０４ｃ  通話キー
１３０４ｄ  映像通話（Ｖｉｄｅｏ  Ｃａｌｌ）キー
１３０４ｄ  映像通話キー
１３０４ｅ  メッセージ発信キー
１３０４ｆ  機能キー領域
１３０６  ダイヤリングスクリーン
１３０６ａ  通話者識別領域
１３０６ｂ  機能キー領域
１３０８  スクリーン
１３０８ａ  通話者識別領域
１３０８ｂ  通話時間
１３０８ｃ  機能キー領域
１３１０ａ  タッチジェスチャー
１３２０ｂ  タップジェスチャー
１３２０ｃ  タッチジェスチャー
１３２０ｄ  タップジェスチャー
１３２２ａ  第１のアプリケーション
１３２２ｂ  第２のアプリケーション
１３２４  スクリーン
１３２４ａ  通話者識別領域
１３２４ｂ  着信キー領域
１３２４ｃ  拒絶メッセージキー
１３２６  案内メッセージスクリーン
１３２６ａ  第１のタスクスクリーン
１３２６ｂ  第２のタスクスクリーン
１３２８  着呼スクリーン
１３２８ａ  通話者識別領域
１３２８ｂ  着信キー領域
１３２８ｃ  拒絶メッセージキー
１３３０  案内メッセージスクリーン
１３３２  スクリーン
１３３２ａ  通話者識別領域
１３３２ｂ  通話持続時間
１３３２ｃ  機能キー領域
１４００ａ  タッチジェスチャー
１４００ｂ  タップジェスチャー
１４００ｃ  タッチジェスチャー
１４００ｄ  ホームボタン
１４００ｅ  タップジェスチャー
１４００ｆ  タッチジェスチャー
１４００ｇ  タッチジェスチャー
１４００ｈ  タップジェスチャー
１４００ｉ  オーバーターン（ｏｖｅｒｔｕｒｎ）
１４００ｊ  アンフォールディング
１４０２ａ  テキスト入力領域（すなわち、タイピング領域）
１４０２ｂ  メッセージ表示領域
１４０２ｃ  仮想キーパッド領域
１４０２ｄ  追加情報
１４０４  着呼スクリーン
１４０４ａ  通話者識別領域
１４０４ｂ  着信キー領域
１４０４ｃ  拒絶メッセージキー
１４０６  案内メッセージスクリーン
１４０６ａ  通話者識別領域
１４０６ｂ  通話持続時間
１４０６ｃ  機能キー領域
１４１０ａ  第１のタスクスクリーン
１４１０ｂ  第２のタスクスクリーン
１４１２  着呼スクリーン
１４１２ａ  通話者識別領域
１４１２ｂ  着信キー領域
１４１２ｃ  拒絶メッセージキー
１４１４  案内メッセージスクリーン
１４１６  スクリーン
１４１６ａ  通話者識別領域
１４１６ｂ  通話時間
１４１６ｃ  機能キー領域
１４１８ａ  第１のページ
１４１８ｂ  ドック領域
１４２０  拒絶メッセージスクリーン
１４２２ａ  テキスト入力領域
１４２２ｃ  仮想キーパッド
１４２６  着呼スクリーン
１４２６ａ  通話者識別領域
１４２６ｂ  着信キー領域
１４２６ｃ  拒絶メッセージキー
１４２８  多重着信選択メニュー
１４２８ａ  待機キー
１４２８ｂ  終了キー
１４３０  スクリーン
１４３０ａ  通話者識別領域
１４３０ｂ  通話スワップキー
１４３０ｃ  キー
１４３０ｄ  機能キー領域
１４３２  第１のアプリケーション
１４３４  着呼スクリーン
１４３４ａ  通話者識別領域
１４３４ｂ  着信キー領域
１４３４ｃ  拒絶メッセージキー
１４３６  拒絶メッセージスクリーン
１４３８ａ  テキスト入力領域
１４３８ｂ  仮想キーパッド
１５００ａ  フォールディング（ｆｏｌｄｉｎｇ）
１５００ｂ  フォールディング
１５００ｃ  フォールディング
１５００ｄ  フォールディング
１５０２ａ  ライブビュースクリーン（Ｌｉｖｅ  ｖｉｅｗ  Ｓｃｒｅｅｎ）
１５０２ｂ  カメラメニュー
１５０２ｃ  撮影映像
１５０２ｄ  アニメーション
１５０２ｄ−１  タッチジェスチャー
１５０２ｅ  撮影映像
１５０２ｆ  サムネイルイメージ
１５０４  カメラモードメニュー
１５０４ａ  基本カメラ（Ｂａｓｉｃ  Ｃａｍｅｒａ）ボタン
１５０４ｂ、１５０４ｃ  モードボタン
１５０４ｂ  セルフカメラ（Ｓｅｌｆ  Ｃａｍｅｒａ）ボタン
１５０４ｃ  デュアルカメラ（Ｄｕａｌ  Ｃａｍｅｒａ）ボタン
１５０４ｄ  ベビーカメラ（Ｂａｂｙ  Ｃａｍｅｒａ）ボタン
１５０８  モード選択ボタン
１５１０ａ  タッチジェスチャー
１５１０ｂ  タップジェスチャー
１５１０ｃ  タッチジェスチャー
１５１０ｄ  タッチジェスチャー
１５１０ｅ  タッチジェスチャー
１５１０ｆ  タップジェスチャー
１５１２  カメラモードメニューウィンドウ
１５１２ａ、１５１２ｂ、１５１２ｃ  チェックボックス
１５１２ｄ  ベビーカメラモード
１５１４  タイマー撮影ボタン
１５１６  シャッターボタン
１５１８ａ  カウントウィンドウ
１５１８ｂ  カウントウィンドウ
１６００ａ  アンフォールディング
１６００ｂ  フォールディング
１６００ｃ  フォールディング
１６００ｄ  アンフォールディング
１６００ｅ  アンフォールディング
１６００ｆ  フォールディング
１６００ｇ  フォールディング
１６０２  第１のアプリケーション
１６０４ａ  第２のタスクスクリーン
１６０６ａ  ページ
１６０６ｂ  ドック領域
１６０８  第３のアプリケーション
【図１】
2014511524.tif 000003
【図２】
2014511524.tif 000004
【図３ａ】
2014511524.tif 000005
【図３ｂ】
2014511524.tif 000006
【図３ｃ】
2014511524.tif 000007
【図３ｄ】
2014511524.tif 000008
【図４】
2014511524.tif 000009
【図５（ａ）】
2014511524.tif 000010
【図５（ｂ）】
2014511524.tif 000011
【図５（ｃ）】
2014511524.tif 000012
【図６ａ】
2014511524.tif 000013
【図６ｂ】
2014511524.tif 000014
【図６ｃ】
2014511524.tif 000015
【図６ｄ】
2014511524.tif 000016
【図６ｅ】
2014511524.tif 000017
【図６ｆ】
2014511524.tif 000018
【図６ｇ】
2014511524.tif 000019
【図７ａ】
2014511524.tif 000020
【図７ｂ】
2014511524.tif 000021
【図７ｃ】
2014511524.tif 000022
【図７ｄ】
2014511524.tif 000023
【図７ｅ】
2014511524.tif 000024
【図７ｆ】
2014511524.tif 000025
【図７ｇ】
2014511524.tif 000026
【図７ｈ】
2014511524.tif 000027
【図７ｉ】
2014511524.tif 000028
【図７ｊ】
2014511524.tif 000029
【図８ａ】
2014511524.tif 000030
【図８ｂ】
2014511524.tif 000031
【図８ｃ】
2014511524.tif 000032
【図９ａ】
2014511524.tif 000033
【図９ｂ】
2014511524.tif 000034
【図９ｃ】
2014511524.tif 000035
【図９ｄ】
2014511524.tif 000036
【図９ｅ】
2014511524.tif 000037
【図９ｆ】
2014511524.tif 000038
【図９ｇ】
2014511524.tif 000039
【図９ｈ】
2014511524.tif 000040
【図９ｉ】
2014511524.tif 000041
【図９ｊ】
2014511524.tif 000042
【図１０ａ】
2014511524.tif 000043
【図１０ｂ】
2014511524.tif 000044
【図１０ｃ】
2014511524.tif 000045
【図１０ｄ】
2014511524.tif 000046
【図１０ｅ】
2014511524.tif 000047
【図１０ｆ】
2014511524.tif 000048
【図１０ｇ】
2014511524.tif 000049
【図１０ｈ】
2014511524.tif 000050
【図１１ａ】
2014511524.tif 000051
【図１１ｂ】
2014511524.tif 000052
【図１１ｃ】
2014511524.tif 000053
【図１１ｄ】
2014511524.tif 000054
【図１１ｅ】
2014511524.tif 000055
【図１１ｆ】
2014511524.tif 000056
【図１２ａ】
2014511524.tif 000057
【図１２ｂ】
2014511524.tif 000058
【図１２ｃ】
2014511524.tif 000059
【図１２ｄ】
2014511524.tif 000060
【図１２ｅ】
2014511524.tif 000061
【図１２ｆ】
2014511524.tif 000062
【図１２ｇ】
2014511524.tif 000063
【図１２ｈ】
2014511524.tif 000064
【図１２ｉ】
2014511524.tif 000065
【図１３ａ】
2014511524.tif 000066
【図１３ｂ】
2014511524.tif 000067
【図１３ｃ】
2014511524.tif 000068
【図１３ｄ】
2014511524.tif 000069
【図１３ｅ】
2014511524.tif 000070
【図１３ｆ】
2014511524.tif 000071
【図１３ｇ】
2014511524.tif 000072
【図１３ｈ】
2014511524.tif 000073
【図１３ｉ】
2014511524.tif 000074
【図１３ｊ】
2014511524.tif 000075
【図１４ａ】
2014511524.tif 000076
【図１４ｂ】
2014511524.tif 000077
【図１４ｃ】
2014511524.tif 000078
【図１４ｄ】
2014511524.tif 000079
【図１４ｅ】
2014511524.tif 000080
【図１４ｆ】
2014511524.tif 000081
【図１４ｇ】
2014511524.tif 000082
【図１４ｈ】
2014511524.tif 000083
【図１４ｉ】
2014511524.tif 000084
【図１４ｊ】
2014511524.tif 000085
【図１４ｋ】
2014511524.tif 000086
【図１４ｌ】
2014511524.tif 000087
【図１４ｍ】
2014511524.tif 000088
【図１５】
2014511524.tif 000089
【図１６】
2014511524.tif 000090
【図１７ａ】
2014511524.tif 000091
【図１７ｂ】
2014511524.tif 000092
【図１７ｃ】
2014511524.tif 000093
【図１７ｄ】
2014511524.tif 000094
【図１７ｅ】
2014511524.tif 000095
【図１７ｆ】
2014511524.tif 000096
【図１７ｇ】
2014511524.tif 000097
【図１７ｈ】
2014511524.tif 000098
【図１７ｉ】
2014511524.tif 000099
【図１７ｊ】
2014511524.tif 000100
【図１７ｋ】
2014511524.tif 000101
【図１８ａ】
2014511524.tif 000102
【図１８ｂ】
2014511524.tif 000103
【図１８ｃ】
2014511524.tif 000104
【図１８ｄ】
2014511524.tif 000105
【図１８ｅ】
2014511524.tif 000106
【図１８ｆ】
2014511524.tif 000107
【図１８ｇ】
2014511524.tif 000108
【図１８ｈ】
2014511524.tif 000109
【図１８ｉ】
2014511524.tif 000110
【図１８ｊ】
2014511524.tif 000111
【図１８ｋ】
2014511524.tif 000112
【図１８ｌ】
2014511524.tif 000113
【図１８ｍ】
2014511524.tif 000114
【図１８ｎ】
2014511524.tif 000115
【図１８ｏ】
2014511524.tif 000116
【図１８ｐ】
2014511524.tif 000117
【図１９ａ】
2014511524.tif 000118
【図１９ｂ】
2014511524.tif 000119
【図１９ｃ】
2014511524.tif 000120
【図１９ｄ】
2014511524.tif 000121
【図１９ｅ】
2014511524.tif 000122
【図１９ｆ】
2014511524.tif 000123
【図１９ｇ】
2014511524.tif 000124
【図２０ａ】
2014511524.tif 000125
【図２０ｂ】
2014511524.tif 000126
【図２０ｃ】
2014511524.tif 000127
【図２０ｄ】
2014511524.tif 000128
【図２０ｅ】
2014511524.tif 000129
【図２０ｆ】
2014511524.tif 000130
【図２０ｇ】
2014511524.tif 000131
【図２０ｈ】
2014511524.tif 000132
【図２１ａ】
2014511524.tif 000133
【図２１ｂ】
2014511524.tif 000134
【図２１ｃ】
2014511524.tif 000135
【図２１ｄ】
2014511524.tif 000136
【図２１ｅ】
2014511524.tif 000137
【図２１ｆ】
2014511524.tif 000138
【図２１ｇ】
2014511524.tif 000139
【図２１ｈ】
2014511524.tif 000140
【図２１ｉ】
2014511524.tif 000141
【図２１ｊ】
2014511524.tif 000142
【図２１ｋ】
2014511524.tif 000143
【図２１ｌ】
2014511524.tif 000144
【図２１ｍ】
2014511524.tif 000145
【図２１ｎ】
2014511524.tif 000146
【図２１ｏ】
2014511524.tif 000147
【図２２ａ】
2014511524.tif 000148
【図２２ｂ】
2014511524.tif 000149
【図２２ｃ】
2014511524.tif 000150
【図２２ｄ】
2014511524.tif 000151
【図２２ｅ】
2014511524.tif 000152
【図２２ｆ】
2014511524.tif 000153
【図２２ｇ】
2014511524.tif 000154
【図２２ｈ】
2014511524.tif 000155
【図２２ｉ】
2014511524.tif 000156
【図２２ｊ】
2014511524.tif 000157
【図２２ｋ】
2014511524.tif 000158
【図２２ｌ】
2014511524.tif 000159
【図２２ｍ】
2014511524.tif 000160
【図２３ａ】
2014511524.tif 000161
【図２３ｂ】
2014511524.tif 000162
【図２３ｃ】
2014511524.tif 000163
【図２３ｄ】
2014511524.tif 000164
【図２３ｅ】
2014511524.tif 000165
【図２３ｆ】
2014511524.tif 000166
【図２３ｇ】
2014511524.tif 000167
【図２３ｈ】
2014511524.tif 000168
【図２３ｉ】
2014511524.tif 000169
【図２３ｊ】
2014511524.tif 000170
【図２３ｋ】
2014511524.tif 000171
【図２３ｌ】
2014511524.tif 000172
【図２３ｍ】
2014511524.tif 000173
【図２３ｎ】
2014511524.tif 000174
【図２３ｏ】
2014511524.tif 000175
【図２３ｐ】
2014511524.tif 000176
【図２４ａ】
2014511524.tif 000177
【図２４ｂ】
2014511524.tif 000178
【図２４ｃ】
2014511524.tif 000179
【図２４ｄ】
2014511524.tif 000180
【図２４ｅ】
2014511524.tif 000181
【図２４ｆ】
2014511524.tif 000182
【図２４ｇ】
2014511524.tif 000183
【図２４ｈ】
2014511524.tif 000184
【図２４ｉ】
2014511524.tif 000185
【図２４ｊ】
2014511524.tif 000186
【図２４ｋ】
2014511524.tif 000187
【図２４ｌ】
2014511524.tif 000188
【図２４ｍ】
2014511524.tif 000189
【図２４ｎ】
2014511524.tif 000190
【図２４ｏ】
2014511524.tif 000191
【図２４ｐ】
2014511524.tif 000192
【図２４ｑ】
2014511524.tif 000193
【図２４ｒ】
2014511524.tif 000194
【図２５ａ】
2014511524.tif 000195
【図２５ｂ】
2014511524.tif 000196
【図２５ｃ】
2014511524.tif 000197
【図２５ｄ】
2014511524.tif 000198
【図２５ｅ】
2014511524.tif 000199
【図２５ｆ】
2014511524.tif 000200
【図２５ｇ】
2014511524.tif 000201
【図２５ｈ】
2014511524.tif 000202
【図２５ｉ】
2014511524.tif 000203
【図２５ｊ】
2014511524.tif 000204
【図２５ｋ】
2014511524.tif 000205
【図２５ｌ】
2014511524.tif 000206
【図２６ａ】
2014511524.tif 000207
【図２６ｂ】
2014511524.tif 000208
【図２６ｃ】
2014511524.tif 000209
【図２６ｄ】
2014511524.tif 000210
【図２６ｅ】
2014511524.tif 000211
【図２６ｆ】
2014511524.tif 000212
【図２６ｇ】
2014511524.tif 000213
【図２６ｈ】
2014511524.tif 000214
【図２６ｉ】
2014511524.tif 000215
【図２６ｊ】
2014511524.tif 000216
【図２６ｋ】
2014511524.tif 000217
【図２７ａ】
2014511524.tif 000218
【図２７ｂ】
2014511524.tif 000219
【図２７ｃ】
2014511524.tif 000220
【図２７ｄ】
2014511524.tif 000221
【図２７ｅ】
2014511524.tif 000222
【図２７ｆ】
2014511524.tif 000223
【図２７ｇ】
2014511524.tif 000224
【図２７ｈ】
2014511524.tif 000225
【図２７ｉ】
2014511524.tif 000226
【図２７ｊ】
2014511524.tif 000227
【図２７ｋ】
2014511524.tif 000228
【図２７ｌ】
2014511524.tif 000229
【図２７ｍ】
2014511524.tif 000230
【図２７ｎ】
2014511524.tif 000231
【図２７ｏ】
2014511524.tif 000232
【図２７ｐ】
2014511524.tif 000233
【図２７ｑ】
2014511524.tif 000234
【国際調査報告】
2014511524.tif 000235
2014511524.tif 000236
2014511524.tif 000237
2014511524.tif 000238